(57)【特許請求の範囲】
【請求項１】
複数の可動体を備えた遊技台であって、
前記複数の可動体のうちの一つ（以下、「第一の可動体」という。）は、第一の位置から第三の位置へ移動可能な可動体であり、
前記複数の可動体のうちの一つ（以下、「第二の可動体」という。）は、第二の位置から第四の位置へ移動可能な可動体であり、
前記第一の可動体は、前記第三の位置から第五の位置へ移動可能な可動体であり、
前記第五の位置は、前記第三の位置の前方となる位置であり、
前記第四の位置に位置する前記第二の可動体は、前記第三の位置に位置する前記第一の可動体と少なくとも一部が前後方向に重なる可動体であり、
前記第一の可動体は、後方を視認可能な視認領域が設けられた可動体であり、
前記第四の位置に位置する前記第二の可動体の少なくとも一部は、前記第三の位置に位置する前記第一の可動体の前記視認領域を通して視認可能とされるものであり、
前記第四の位置に位置する前記第二の可動体の少なくとも一部は、前記第五の位置に位置する前記第一の可動体の前記視認領域を通して視認可能とされるものであり、
前記第一の可動体は、第一の形状で前記第三の位置に位置する可動体であり、
前記第一の可動体は、前記第三の位置から前記第五の位置に移動する動作に関連して前記第一の形状から第二の形状に変化する可動体である、
ことを特徴とする遊技台。
【請求項２】
請求項１に記載の遊技台であって、
前記第二の位置に位置する前記第二の可動体は、前記第一の位置に位置する前記第一の可動体と少なくとも一部が前後方向に重なる可動体であり、
前記第二の位置に位置する前記第二の可動体の少なくとも一部は、前記第一の位置に位置する前記第一の可動体の前記視認領域を通して視認可能とされるものである、
ことを特徴とする遊技台。
【請求項３】
請求項１または２に記載の遊技台であって、
前記第一の可動体は、第一の駆動手段により移動可能な可動体であり、
前記第二の可動体は、第二の駆動手段により移動可能な可動体である、
ことを特徴とする遊技台。
【請求項４】
複数の可動体を備えた遊技台であって、
前記複数の可動体のうちの一つ（以下、「第一の可動体」という。）は、第一の位置から第三の位置へ移動可能な可動体であり、
前記複数の可動体のうちの一つ（以下、「第二の可動体」という。）は、第二の位置から第四の位置へ移動可能な可動体であり、
前記第一の可動体は、前記第三の位置から第五の位置へ移動可能な可動体であり、
前記第五の位置は、前記第三の位置の前方となる位置であり、
前記第四の位置に位置する前記第二の可動体は、前記第三の位置に位置する前記第一の可動体と少なくとも一部が前後方向に重なる可動体であり、
前記第一の可動体は、後方を視認可能な視認領域が設けられた可動体であり、
前記第四の位置に位置する前記第二の可動体の少なくとも一部は、前記第三の位置に位置する前記第一の可動体の前記視認領域を通して視認可能とされるものであり、
前記第四の位置に位置する前記第二の可動体の少なくとも一部は、前記第五の位置に位置する前記第一の可動体の前記視認領域を通して視認可能とされるものであり、
前記第一の可動体は、第一の形状で前記第三の位置に位置する可動体であり、
前記第一の可動体は、前記第一の形状とは異なる第二の形状で前記第五の位置に位置する可動体である、
ことを特徴とする遊技台。
【請求項５】
請求項４に記載の遊技台であって、
前記第二の位置に位置する前記第二の可動体は、前記第一の位置に位置する前記第一の可動体と少なくとも一部が前後方向に重なる可動体であり、
前記第二の位置に位置する前記第二の可動体の少なくとも一部は、前記第一の位置に位置する前記第一の可動体の前記視認領域を通して視認可能とされるものである、
ことを特徴とする遊技台。
【請求項６】
請求項４または５に記載の遊技台であって、
前記第一の可動体は、第一の駆動手段により移動可能な可動体であり、
前記第二の可動体は、第二の駆動手段により移動可能な可動体である、
ことを特徴とする遊技台。
【請求項７】
複数の可動体を備えた遊技台であって、
前記複数の可動体のうちの一つ（以下、「第一の可動体」という。）は、第一の位置から第三の位置へ移動可能な可動体であり、
前記複数の可動体のうちの一つ（以下、「第二の可動体」という。）は、第二の位置から第四の位置へ移動可能な可動体であり、
前記第一の可動体は、前記第三の位置から第五の位置へ移動可能な可動体であり、
前記第五の位置は、前記第三の位置の前方となる位置であり、
前記第四の位置に位置する前記第二の可動体は、前記第三の位置に位置する前記第一の可動体と少なくとも一部が前後方向に重なる可動体であり、
前記第一の可動体は、後方を視認可能な視認領域が設けられた可動体であり、
前記第四の位置に位置する前記第二の可動体の少なくとも一部は、前記第三の位置に位置する前記第一の可動体の前記視認領域を通して視認可能とされるものであり、
前記第四の位置に位置する前記第二の可動体の少なくとも一部は、前記第五の位置に位置する前記第一の可動体の前記視認領域を通して視認可能とされるものであり、
前記第一の可動体は、第一の駆動手段により移動可能な可動体であり、
前記第二の可動体は、第二の駆動手段により移動可能な可動体である、
ことを特徴とする遊技台。
【請求項８】
請求項７に記載の遊技台であって、
前記第二の位置に位置する前記第二の可動体は、前記第一の位置に位置する前記第一の可動体と少なくとも一部が前後方向に重なる可動体であり、
前記第二の位置に位置する前記第二の可動体の少なくとも一部は、前記第一の位置に位置する前記第一の可動体の前記視認領域を通して視認可能とされるものである、
ことを特徴とする遊技台。
【請求項９】
請求項１乃至８のいずれか一項に記載の遊技台であって、
表示手段を備え、
前記第三の位置に位置する前記第一の可動体は、前記表示手段の前方側で該表示手段と重なる可動体であり、
前記第四の位置に位置する前記第二の可動体は、前記表示手段の前方側で該表示手段と重なる可動体であり、
前記第五の位置に位置する前記第一の可動体は、前記表示手段の前方側で該表示手段と重なる可動体である、
ことを特徴とする遊技台。
【請求項１０】
請求項１乃至９のいずれか一項に記載の遊技台であって、
前記遊技台は、パチンコ機である、
ことを特徴とする遊技台。
【請求項１１】
請求項１乃至９のいずれか一項に記載の遊技台であって、
前記遊技台は、スロットマシンである、
ことを特徴とする遊技台。
【請求項１２】
複数の可動体を備えた遊技台であって、
前記遊技台は、スロットマシンであり、
前記複数の可動体のうちの一つ（以下、「第一の可動体」という。）は、第一の位置から第三の位置へ移動可能な可動体であり、
前記複数の可動体のうちの一つ（以下、「第二の可動体」という。）は、第二の位置から第四の位置へ移動可能な可動体であり、
前記第一の可動体は、前記第三の位置から第五の位置へ移動可能な可動体であり、
前記第五の位置は、前記第三の位置の前方となる位置であり、
前記第四の位置に位置する前記第二の可動体は、前記第三の位置に位置する前記第一の可動体と少なくとも一部が前後方向に重なる可動体であり、
前記第一の可動体は、後方を視認可能な視認領域が設けられた可動体であり、
前記第四の位置に位置する前記第二の可動体の少なくとも一部は、前記第三の位置に位置する前記第一の可動体の前記視認領域を通して視認可能とされるものであり、
前記第四の位置に位置する前記第二の可動体の少なくとも一部は、前記第五の位置に位置する前記第一の可動体の前記視認領域を通して視認可能とされるものである、
ことを特徴とする遊技台。
【請求項１３】
請求項１２に記載の遊技台であって、
表示手段を備え、
前記第三の位置に位置する前記第一の可動体は、前記表示手段の前方側で該表示手段と重なる可動体であり、
前記第四の位置に位置する前記第二の可動体は、前記表示手段の前方側で該表示手段と重なる可動体であり、
前記第五の位置に位置する前記第一の可動体は、前記表示手段の前方側で該表示手段と重なる可動体である、
ことを特徴とする遊技台。
【発明の詳細な説明】
【技術分野】
【０００１】
本発明は、弾球遊技機（パチンコ機）や回胴遊技機（スロットマシン）あるいは封入式遊技機に代表される遊技台に関する。
【背景技術】
【０００２】
パチンコ機やスロットマシン等に代表される遊技台では、遊技に使用する遊技媒体の通路が形成されているのが一般的である（例えば、特許文献１参照）。
また、パチンコ機やスロットマシン等に代表される遊技台では、演出効果の向上を目的として可動体等の演出手段を備えているのが一般的である（例えば、特許文献１参照）。
【先行技術文献】
【特許文献】
【０００３】
【特許文献１】特開２００８−２００３０２号公報
【発明の概要】
【発明が解決しようとする課題】
【０００４】
しかしながら、従来の遊技台は遊技媒体の通路に改良の余地がある。
また、従来の遊技台は可動体に改良の余地がある。
【０００５】
本発明の目的は、遊技媒体の通路に特徴を持った遊技台を提供することにある。
また、本発明の目的は、可動体に特徴を持った遊技台を提供することにある。
【課題を解決するための手段】
【０００６】
上記目的は、
複数の可動体を備えた遊技台であって、
前記複数の可動体のうちの一つ（以下、「第一の可動体」という。）は、第一の位置から第三の位置へ移動可能な可動体であり、
前記複数の可動体のうちの一つ（以下、「第二の可動体」という。）は、第二の位置から第四の位置へ移動可能な可動体であり、
前記第一の可動体は、前記第三の位置から第五の位置へ移動可能な可動体であり、
前記第五の位置は、前記第三の位置の前方となる位置であり、
前記第四の位置に位置する前記第二の可動体は、前記第三の位置に位置する前記第一の可動体と少なくとも一部が前後方向に重なる可動体であり、
前記第一の可動体は、後方を視認可能な視認領域が設けられた可動体であり、
前記第四の位置に位置する前記第二の可動体の少なくとも一部は、前記第三の位置に位置する前記第一の可動体の前記視認領域を通して視認可能とされるものであり、
前記第四の位置に位置する前記第二の可動体の少なくとも一部は、前記第五の位置に位置する前記第一の可動体の前記視認領域を通して視認可能とされるものであり、
前記第一の可動体は、第一の形状で前記第三の位置に位置する可動体であり、
前記第一の可動体は、前記第三の位置から前記第五の位置に移動する動作に関連して前記第一の形状から第二の形状に変化する可動体である、
ことを特徴とする遊技台
によって達成される。
また、上記目的は、
複数の可動体を備えた遊技台であって、
前記複数の可動体のうちの一つ（以下、「第一の可動体」という。）は、第一の位置から第三の位置へ移動可能な可動体であり、
前記複数の可動体のうちの一つ（以下、「第二の可動体」という。）は、第二の位置から第四の位置へ移動可能な可動体であり、
前記第一の可動体は、前記第三の位置から第五の位置へ移動可能な可動体であり、
前記第五の位置は、前記第三の位置の前方となる位置であり、
前記第四の位置に位置する前記第二の可動体は、前記第三の位置に位置する前記第一の可動体と少なくとも一部が前後方向に重なる可動体であり、
前記第一の可動体は、後方を視認可能な視認領域が設けられた可動体であり、
前記第四の位置に位置する前記第二の可動体の少なくとも一部は、前記第三の位置に位置する前記第一の可動体の前記視認領域を通して視認可能とされるものであり、
前記第四の位置に位置する前記第二の可動体の少なくとも一部は、前記第五の位置に位置する前記第一の可動体の前記視認領域を通して視認可能とされるものであり、
前記第一の可動体は、第一の形状で前記第三の位置に位置する可動体であり、
前記第一の可動体は、前記第一の形状とは異なる第二の形状で前記第五の位置に位置する可動体である、
ことを特徴とする遊技台
によって達成される。
また、上記目的は、
複数の可動体を備えた遊技台であって、
前記複数の可動体のうちの一つ（以下、「第一の可動体」という。）は、第一の位置から第三の位置へ移動可能な可動体であり、
前記複数の可動体のうちの一つ（以下、「第二の可動体」という。）は、第二の位置から第四の位置へ移動可能な可動体であり、
前記第一の可動体は、前記第三の位置から第五の位置へ移動可能な可動体であり、
前記第五の位置は、前記第三の位置の前方となる位置であり、
前記第四の位置に位置する前記第二の可動体は、前記第三の位置に位置する前記第一の可動体と少なくとも一部が前後方向に重なる可動体であり、
前記第一の可動体は、後方を視認可能な視認領域が設けられた可動体であり、
前記第四の位置に位置する前記第二の可動体の少なくとも一部は、前記第三の位置に位置する前記第一の可動体の前記視認領域を通して視認可能とされるものであり、
前記第四の位置に位置する前記第二の可動体の少なくとも一部は、前記第五の位置に位置する前記第一の可動体の前記視認領域を通して視認可能とされるものであり、
前記第一の可動体は、第一の駆動手段により移動可能な可動体であり、
前記第二の可動体は、第二の駆動手段により移動可能な可動体である、
ことを特徴とする遊技台
によって達成される。
また、上記目的は、
複数の可動体を備えた遊技台であって、
前記遊技台は、スロットマシンであり、
前記複数の可動体のうちの一つ（以下、「第一の可動体」という。）は、第一の位置から第三の位置へ移動可能な可動体であり、
前記複数の可動体のうちの一つ（以下、「第二の可動体」という。）は、第二の位置から第四の位置へ移動可能な可動体であり、
前記第一の可動体は、前記第三の位置から第五の位置へ移動可能な可動体であり、
前記第五の位置は、前記第三の位置の前方となる位置であり、
前記第四の位置に位置する前記第二の可動体は、前記第三の位置に位置する前記第一の可動体と少なくとも一部が前後方向に重なる可動体であり、
前記第一の可動体は、後方を視認可能な視認領域が設けられた可動体であり、
前記第四の位置に位置する前記第二の可動体の少なくとも一部は、前記第三の位置に位置する前記第一の可動体の前記視認領域を通して視認可能とされるものであり、
前記第四の位置に位置する前記第二の可動体の少なくとも一部は、前記第五の位置に位置する前記第一の可動体の前記視認領域を通して視認可能とされるものである、
ことを特徴とする遊技台
によって達成される。
【発明の効果】
【０００７】
本発明によれば、遊技媒体の通路に特徴を持った遊技台を実現できる。
また、本発明によれば、可動体に特徴を持った遊技台を実現できる。
【図面の簡単な説明】
【０００８】
【図１】本発明の一実施の形態によるパチンコ機１００を正面側（遊技者側）から見た外観斜視図である。
【図２】本発明の一実施の形態によるパチンコ機１００を背面側から見た外観図である。
【図３】本発明の一実施の形態によるパチンコ機１００の遊技盤２００を正面から見た略示正面図である。
【図４】本発明の一実施の形態によるパチンコ機１００の制御部の回路ブロック図である。
【図５】本発明の一実施の形態によるパチンコ機１００での表示図柄の一例であって、（ａ）は特図１の停止表示図柄および特図２の停止図柄の一例を示し、（ｂ）は装飾図柄の一例を示し、（ｃ）は普図の停止表示図柄の一例を示す図である。
【図６】本発明の一実施の形態によるパチンコ機１００の主制御部メイン処理の流れを示すフローチャートである。
【図７】本発明の一実施の形態によるパチンコ機１００の主制御部タイマ割込処理の流れを示すフローチャートである。
【図８】本発明の一実施の形態によるパチンコ機１００の第１副制御部４００での処理の流れを示すフローチャートであり、（ａ）は第１副制御部メイン処理の流れを示し、（ｂ）は第１副制御部コマンド受信割込処理の流れを示し、（ｃ）は第１副制御部タイマ割込処理の流れを示し、（ｄ）は画像制御処理の流れを示している。
【図９】本発明の一実施の形態によるパチンコ機１００の第２副制御部５００での処理の流れを示すフローチャートであり、（ａ）は第２副制御部メイン処理の流れを示し、（ｂ）は第２副制御部コマンド受信割込処理の流れを示し、（ｃ）は第２副制御部タイマ割込処理の流れを示している。
【図１０】本発明の一実施の形態によるパチンコ機１００の遊技盤２００の分解斜視図である。
【図１１】本発明の一実施の形態によるパチンコ機１００の遊技盤２００を背面側から見た外観図である。
【図１２】本発明の一実施の形態によるパチンコ機１００の遊技盤２００から役物ユニット８２０を取り外して背面側から見た外観図である。
【図１３】本発明の一実施の形態によるパチンコ機１００で用いられる球通路ユニット７００を後側（背面側）から見た斜視図である。
【図１４】本発明の一実施の形態によるパチンコ機１００で用いられる球通路ユニット７００を後側（背面側）から見た斜視図である。
【図１５】本発明の一実施の形態によるパチンコ機１００で用いられる球通路ユニット７００を後側(背面側)から見た背面図である。
【図１６】本発明の一実施の形態によるパチンコ機１００の役物ユニット８２０を正面側から見た外観図である。
【図１７】本発明の一実施の形態によるパチンコ機１００の役物ユニット８２０の分解斜視図である。
【図１８】本発明の一実施の形態によるパチンコ機１００のロゴ役物９００の分解斜視図である。
【図１９】本発明の一実施の形態によるパチンコ機１００のロゴ役物９００を正面側から見た外観図である。
【図２０】本発明の一実施の形態によるパチンコ機１００のロゴ役物９００を背面側から見た外観図である。
【図２１】本発明の一実施の形態によるパチンコ機１００の上部前飾り役物１０００の分解斜視図である。
【図２２】本発明の一実施の形態によるパチンコ機１００の上部前飾り役物１０００と上部後飾り役物１１００の分解斜視図である。
【図２３】本発明の一実施の形態によるパチンコ機１００の上部前飾り役物１０００の上部前可動体１００２の分解斜視図である。
【図２４】本発明の一実施の形態によるパチンコ機１００の上部前飾り役物１０００を正面側から見た外観図である。
【図２５】本発明の一実施の形態によるパチンコ機１００の上部前飾り役物１０００を正面側から見た外観図である。
【図２６】本発明の一実施の形態によるパチンコ機１００の上部後飾り役物１１００の分解斜視図である。
【図２７】本発明の一実施の形態によるパチンコ機１００の上部後飾り役物１１００の上部後可動体１１０２の分解斜視図である。
【図２８】本発明の一実施の形態によるパチンコ機１００の上部後飾り役物１１００を正面側から見た外観図である。
【図２９】本発明の一実施の形態によるパチンコ機１００の上部右サイド役物１２００および下部右サイド役物１４００の一部の分解斜視図である。
【図３０】本発明の一実施の形態によるパチンコ機１００の下部右サイド役物１４００の他部の分解斜視図である。
【図３１】本発明の一実施の形態によるパチンコ機１００の上部右サイド役物１２００を正面側から見た外観図および上部右サイド役物１２００を背面側から見た外観図である。
【図３２】本発明の一実施の形態によるパチンコ機１００の上部右サイド役物１２００の上部右サイド可動体１２０１を背面側から見た外観図である。
【図３３】本発明の一実施の形態によるパチンコ機１００の下部右サイド役物１４００を右側から見た外観図である。
【図３４】本発明の一実施の形態によるパチンコ機１００の下部右サイド役物１４００を前方から見た外観斜視図である。
【図３５】本発明の一実施の形態によるパチンコ機１００の下部右サイド役物１４００を後方から見た外観斜視図である。
【図３６】本発明の一実施の形態によるパチンコ機１００の下部右サイド役物１４００の誘導部１４５２の変形例を示す図である。
【図３７】本発明の一実施の形態によるパチンコ機１００の中央下部役物１６００の分解斜視図である。
【図３８】本発明の一実施の形態によるパチンコ機１００の中央下部役物１６００を右側から見た外観図である。
【図３９】本発明の一実施の形態によるパチンコ機１００の演出例１を示す図（その１）である。
【図４０】本発明の一実施の形態によるパチンコ機１００の演出例１を示す図（その２）である。
【図４１】本発明の一実施の形態によるパチンコ機１００の演出例１を示す図（その３）である。
【図４２】本発明の一実施の形態によるパチンコ機１００の演出例２を示す図である。
【図４３】本発明の一実施の形態によるパチンコ機１００の演出例３を示す図である。
【図４４】本発明の一実施の形態によるパチンコ機１００の演出例４を示す図である。
【図４５】本発明の一実施の形態の変形例による遊技台としてのスロットマシン２０００を正面から見た略示正面図である。
【図４６】本発明の一実施の形態の変形例による遊技台としてのスロットマシン２０００の情報表示ボタン２０４６を示す図である。
【発明を実施するための形態】
【０００９】
以下、図面を用いて、本発明の一実施の形態に係る遊技台（例えば、パチンコ機等の弾球遊技機やスロットマシン等の回胴遊技機あるいは封入式遊技機）について説明する。まず、図１を用いて、本実施の形態に係るパチンコ機１００の全体構成について説明する。なお、同図はパチンコ機１００を正面側（遊技者側）から見た外観斜視図である。パチンコ機１００は、外部的構造として、外枠１０２と、本体１０４と、前面枠扉１０６と、発射装置１１０と、遊技盤２００と、をその前面に備える。
【００１０】
外枠１０２は、遊技機設置営業店に設けられた設置場所（島設備等）へと固定させるための縦長方形状からなる木製や金属製の枠部材である。本体１０４は、内枠と呼ばれ、外枠１０２の内部に備えられ、ヒンジ部１１２を介して外枠１０２に回動自在に装着された縦長方形状の遊技機基軸体となる部材である。また、本体１０４は、枠状に形成され、内側に空間部１１４を有している。また、本体１０４が開放された場合、本体１０４の開放を検出する不図示の内枠開放センサを備える。
【００１１】
前面枠扉１０６は、錠ユニット１０５によるロック機能付きで且つ開閉自在となるようにパチンコ機１００の前面側となる本体１０４の前面に対しヒンジ部１１２を介して装着され、枠状に構成されることでその内側を開口部１１６とした扉部材である。なお、前面枠扉１０６には、開口部１１６にガラス製又は樹脂製の透明板部材１１８が設けられ、前面側には、スピーカ１２０や枠ランプ１２２が取り付けられている。前面枠扉１０６の後面と遊技盤２００の前面とで遊技領域１２４を区画形成する。また、前面枠扉１０６が開放された場合、前面枠扉１０６の開放を検出する不図示の前面枠扉開放センサを備える。
【００１２】
また前面枠扉１０６は、開口部１１６よりも下方の部位に、複数の遊技球（以下、単に「球」と称する場合がある）が貯留可能で且つ発射装置１１０へと遊技球を案内させる通路が設けられている上皿１２６と、上皿１２６に貯留しきれない遊技球を貯留する下皿１２８と、遊技者の操作によって上皿１２６に貯留された遊技球を下皿１２８へと排出させる球抜ボタン１３０と、遊技者の操作によって下皿１２８に貯留された遊技球を遊技球収集容器（俗称、ドル箱）へと排出させる球排出レバー１３２と、遊技者の操作によって発射装置１１０へと案内された遊技球を遊技盤２００の遊技領域１２４へと打ち出す球発射ハンドル１３４と、遊技者の操作によって各種演出装置２０６（図３参照）の演出態様に変化を与えるチャンスボタン１３６と、チャンスボタン１３６を発光させるチャンスボタンランプ１３８と、設定者（例えば、遊技者、遊技店員）の操作によって各種設定等が可能な設定操作部１３７と、遊技店に設置されたカードユニット（ＣＲユニット）に対して球貸し指示を行う球貸操作ボタン１４０と、カードユニットに対して遊技者の残高の返却指示を行う返却操作ボタン１４２と、遊技者の残高やカードユニットの状態を表示する球貸表示部（図示せず）と、を備える。また、下皿１２８が満タンであることを検出する不図示の下皿満タンセンサを備える。
【００１３】
発射装置１１０は、本体１０４の下方に取り付けられ、球発射ハンドル１３４が遊技者に操作されることによって回動する発射杆１４６と、遊技球を発射杆１４６の先端で打突する発射槌１４８と、を備える。
【００１４】
設定操作部１３７は、設定者による押下が可能な押ボタン式のスイッチとして、確定（ＯＫ）ボタンと、確定ボタンの上方に位置する上ボタンと、確定ボタンの下方に位置する下ボタンと、確定ボタンの右方に位置する右ボタンと、確定ボタンの左方に位置する左ボタンと、右ボタンのさらに右方に位置するキャンセル（Ｃ）ボタンとを備えている。また設定操作部１３７は、各ボタンのそれぞれの押下を検出する操作部センサを備えている。本例の設定操作部１３７は、各ボタンおよび操作部センサが一体化したユニット構造を有している。設定操作部１３７の各ボタンのうち少なくとも１つは、所定条件が成立したときの遊技者の操作によって各種演出装置２０６（図３参照）の演出態様に変化を与えるチャンスボタンとして機能するようになっていてもよい。
【００１５】
遊技盤２００は、前面に遊技領域１２４を有し、本体１０４の空間部１１４に臨むように、所定の固定部材を用いて本体１０４に着脱自在に装着されている。なお、遊技領域１２４は、遊技盤２００を本体１０４に装着した後、開口部１１６から観察することができる。
【００１６】
図２は、図１のパチンコ機１００を背面側から見た外観図である。パチンコ機１００の背面上部には、上方に開口した開口部を有し、遊技球を一時的に貯留するための球タンク１５０と、球タンク１５０の下方に位置し、球タンク１５０の底部に形成した連通孔を通過して落下する球を背面右側に位置する払出装置１５２に導くためのタンクレール１５４とを配設している。
【００１７】
払出装置１５２は、筒状の部材からなり、その内部には、不図示の払出モータとスプロケットと払出センサとを備えている。スプロケットは、払出モータによって回転可能に構成されており、タンクレール１５４を通過して払出装置１５２内に流下した遊技球を一時的に滞留させるとともに、払出モータを駆動して所定角度だけ回転することにより、一時的に滞留した遊技球を払出装置１５２の下方へ１個ずつ送り出すように構成している。
【００１８】
払出センサは、スプロケットが送り出した遊技球の通過を検知するためのセンサであり、遊技球が通過しているときにハイまたはローのいずれか一方の信号を、遊技球が通過していないときはハイまたはローのいずれか他方の信号を払出制御部６００（図４参照）へ出力する。なお、この払出センサを通過した遊技球は、不図示の球レールを通過してパチンコ機１００の表側に配設した上皿１２６に到達するように構成しており、パチンコ機１００は、この構成により遊技者に対して球の払出しを行う。
【００１９】
払出装置１５２の図中左側には、遊技全般の制御処理を行う主制御部３００を構成する主基板１５６を収納する主基板ケース１５８と、主制御部３００が生成した処理情報に基づいて演出に関する制御処理を行う第１副制御部４００を構成する第１副基板１６０を収納する第１副基板ケース１６２と、第１副制御部４００が生成した処理情報に基づいて演出に関する制御処理を行う第２副制御部５００を構成する第２副基板１６４を収納する第２副基板ケース１６６と、遊技球の払出しに関する制御処理を行う払出制御部６００を構成するとともに遊技店員の操作によってエラーを解除するエラー解除スイッチ１６８を備える払出基板１７０を収納する払出基板ケース１７２と、遊技球の発射に関する制御処理を行う発射制御部６３０を構成する発射基板１７４を収納する発射基板ケース１７６と、各種電気的遊技機器に電源を供給する電源制御部６６０を構成するとともに遊技店員の操作によって電源をオンオフする電源スイッチ１７８と電源投入時に操作されることによってＲＷＭクリア信号を主制御部３００に出力するＲＷＭクリアスイッチ１８０とを備える電源基板１８２を収納する電源基板ケース１８４と、払出制御部６００とカードユニットとの信号の送受信を行うＣＲインタフェース部１８６と、を配設している。
【００２０】
主基板１５６、第１副基板１６０および第２副基板１６４等は機種毎に変更する必要があるため遊技盤２００の背面に備えられており、払出基板１７０、発射基板１７４および電源基板１８２等は複数機種で共通的に使用されるため外枠１０２に備えられている。
【００２１】
図３は、遊技盤２００を正面から見た略示正面図である。遊技盤２００には、外レール２０２と内レール２０４とを配設し、遊技球が転動可能な遊技領域１２４を区画形成している。遊技領域１２４の略中央には、演出装置２０６を配設している。演出装置２０６には、略中央に装飾図柄表示装置２０８を配設している。演出装置２０６は、ロゴ役物９００、上部前飾り役物１０００、上部後飾り役物１１００（図３では不図示）、上部右サイド役物１２００、上部左サイド役物１３００、下部右サイド役物１４００、下部左サイド役物１５００、中央下部役物１６００（以下、これらの役物をまとめて「各種役物」と称する場合がある）を動作して演出を行うものであり、詳細については後述する。
【００２２】
本例の遊技盤２００はいわゆる右打ち機用の遊技盤である。右打ち機では、球発射ハンドル１３４の操作によって遊技球の打ち出し強度を変化させることにより、遊技球の落下経路を演出装置２０６より右側の右側経路と演出装置２０６より左側の左側経路とに打ち分けることができる。本例では、後述する普通図柄始動口２２８、第１特別図柄始動口２３０、第２特別図柄始動口２３２、可変入賞口２３４等への入球のし易さは、右側経路を落下する遊技球と左側経路を落下する遊技球とで異なる。
【００２３】
普通図柄始動口２２８、第２特別図柄始動口２３２および可変入賞口２３４のそれぞれについては、これらの普通図柄始動口２２８、第２特別図柄始動口２３２および可変入賞口２３４が右側経路上に配置されているため、右側経路を落下する遊技球の入球は相対的に容易であり、左側経路を落下する遊技球の入球は相対的に困難または不可能である。これに対し、第１特別図柄始動口２３０については、遊技釘（不図示）の配列パターンやワープ装置２４２等の存在の影響によって、左側経路を落下する遊技球の入球は相対的に容易であり、右側経路を落下する遊技球の入球は相対的に困難である。なお、本実施の形態では右打ち機を例に挙げているが、右打ち機以外であってもよい。
【００２４】
装飾図柄表示装置２０８は、装飾図柄ならびに演出に用いる様々な表示を行うための表示装置であり、本実施の形態では液晶表示装置（Ｌｉｑｕｉｄ  Ｃｒｙｓｔａｌ  Ｄｉｓｐｌａｙ）によって構成する。装飾図柄表示装置２０８は、左図柄表示領域２０８ａ、中図柄表示領域２０８ｂ、右図柄表示領域２０８ｃおよび演出表示領域２０８ｄの４つの表示領域に分割し、左図柄表示領域２０８ａ、中図柄表示領域２０８ｂおよび右図柄表示領域２０８ｃはそれぞれ異なった装飾図柄を表示し、演出表示領域２０８ｄは演出に用いる画像を表示する。さらに、各表示領域２０８ａ、２０８ｂ、２０８ｃ、２０８ｄの位置や大きさは、装飾図柄表示装置２０８の表示画面内で自由に変更することを可能としている。なお、装飾図柄表示装置２０８として液晶表示装置を採用しているが、液晶表示装置でなくとも、種々の演出や種々の遊技情報を表示可能に構成されていればよく、例えば、ドットマトリクス表示装置、７セグメント表示装置、有機ＥＬ（ＥｌｅｃｔｒｏＬｕｍｉｎｅｓｃｅｎｃｅ）表示装置、リール（ドラム）式表示装置、リーフ式表示装置、プラズマディスプレイ、プロジェクタを含む他の表示デバイスを採用してもよい。
【００２５】
遊技領域１２４の下方には、第１特別図柄表示装置２１２と、第２特別図柄表示装置２１４と、普通図柄表示装置２１０と、第１特別図柄保留ランプ２１８と、第２特別図柄保留ランプ２２０と、普通図柄保留ランプ２１６と、高確中ランプ２２２とを配設している。なお、以下、普通図柄を「普図」、特別図柄を「特図」、第１特別図柄を「特図１」、第２特別図柄を「特図２」と称する場合がある。
【００２６】
普図表示装置２１０は、普図の表示を行うための表示装置であり、本実施の形態では７セグメントＬＥＤによって構成する。特図１表示装置２１２および特図２表示装置２１４は、特図の表示を行うための表示装置であり、本実施の形態では７セグメントＬＥＤによって構成する。
【００２７】
普図保留ランプ２１６は、保留している普図変動遊技（詳細は後述）の数を示すためのランプであり、本実施形態では、普図変動遊技を所定数（例えば、４つ）まで保留することを可能としている。特図１保留ランプ２１８および特図２保留ランプ２２０は、保留している特図変動遊技（詳細は後述）の数を示すためのランプであり、本実施形態では、特図変動遊技を所定数（例えば、４つ）まで保留することを可能としている。高確中ランプ２２２は、遊技状態が大当りが発生し易い高確率状態であること、または高確率状態になることを示すためのランプであり、遊技状態を大当りが発生し難い低確率状態から高確率状態にする場合に点灯し、高確率状態から低確率状態にする場合に消灯する。
【００２８】
また、演出装置２０６の周囲には、所定の球進入口、例えば、一般入賞口２２６と、普図始動口２２８と、特図１始動口２３０と、特図２始動口２３２と、可変入賞口２３４と、第二のアウト口２４１とを配設している。第二のアウト口２４１の詳細については後述する。
【００２９】
一般入賞口２２６は、本実施の形態では遊技盤２００に複数配設しており、一般入賞口２２６への入球を所定の球検出センサ（図示省略）が検出した場合（一般入賞口２２６に入賞した場合）、払出装置１５２を駆動し、所定の個数（例えば、１０個）の球を賞球として上皿１２６に排出する。上皿１２６に排出した球は遊技者が自由に取り出すことが可能であり、これらの構成により、入賞に基づいて賞球を遊技者に払い出すようにしている。なお、一般入賞口２２６に入球した球は、パチンコ機１００の裏側に誘導した後、遊技島側に排出する。本実施の形態では、遊技球には、入賞の対価として遊技者に払い出す球（以下、「賞球」と呼ぶ場合がある）と、遊技者に貸し出す球（以下、「貸球」と呼ぶ場合がある）とが含まれる。
【００３０】
普図始動口２２８は、ゲートやスルーチャッカーと呼ばれる、遊技領域１２４の所定の領域を球が通過したか否かを判定するための装置で構成しており、本実施形態では遊技盤２００の右側経路上に１つ配設している。普図始動口２２８を通過した球は一般入賞口２２６に入球した球と違って、遊技島側に排出することはない。球が普図始動口２２８を通過したことを所定の球検出センサが検出した場合、パチンコ機１００は、普図表示装置２１０による普図変動遊技を開始する。
【００３１】
特図１始動口２３０は、本実施の形態では遊技盤２００の中央に１つだけ配設している。特図１始動口２３０への入球を所定の球検出センサが検出した場合、払出装置１５２を駆動し、所定の個数（例えば、３個）の球を賞球として上皿１２６に排出するとともに、特図１表示装置２１２による特図変動遊技（以下、「特図１変動遊技」という場合がある）を開始する。なお、特図１始動口２３０に入球した球は、パチンコ機１００の裏側に誘導した後、遊技島側に排出する。
【００３２】
特図２始動口２３２は、電動チューリップ（電チュー）と呼ばれ、本実施形態では右側経路上に１つだけ配設している。特図２始動口２３２は、左右に開閉自在な羽根部材２３２ａを備え、羽根部材２３２ａの閉鎖中は球の入球が不可能であり、普図変動遊技に当選し、普図表示装置２１０が当り図柄を停止表示した場合に羽根部材２３２ａが所定の時間間隔、所定の回数で開閉する。特図２始動口２３２への入球を所定の球検出センサが検出した場合、払出装置１５２を駆動し、所定の個数（例えば、４個）の球を賞球として上皿１２６に排出するとともに、特図２表示装置２１４による特図変動遊技（以下、「特図２変動遊技」という場合がある）を開始する。なお、特図２始動口２３２に入球した球は、パチンコ機１００の裏側に誘導した後、遊技島側に排出する。
【００３３】
可変入賞口２３４は、大入賞口またはアタッカと呼ばれ、本実施形態では遊技盤２００の右側流下経路上に１つだけ配設している。可変入賞口２３４は、開閉自在な扉部材２３４ａを備え、扉部材２３４ａの閉鎖中は球の入球が不可能であり、特図変動遊技に当選して特図表示装置が大当り図柄を停止表示した場合に扉部材２３４ａが所定の時間間隔（例えば、開放時間２９秒、閉鎖時間１．５秒）、所定の回数（例えば１５回）で開閉する。可変入賞口２３４への入球を所定の球検出センサが検出した場合、払出装置１５２を駆動し、所定の個数（例えば、１５個）の球を賞球として上皿１２６に排出する。なお、可変入賞口２３４に入球した球は、パチンコ機１００の裏側に誘導した後、遊技島側に排出する。
【００３４】
さらに、これらの入賞口や始動口の近傍には、風車と呼ばれる円盤状の打球方向変換部材（不図示）や、遊技釘（不図示）を複数個、配設しているとともに、内レール２０４の最下部には、いずれの入賞口や始動口や第二のアウト口２４１に入球しなかった球をパチンコ機１００の裏側に誘導した後、遊技島側に排出するためのアウト口２４０を設けている。
【００３５】
パチンコ機１００は、遊技者が上皿１２６に貯留している球を発射レールの発射位置に供給し、遊技者の操作ハンドルの操作量に応じた強度で発射モータを駆動し、発射杆１４６および発射槌１４８によって外レール２０２、内レール２０４を通過させて遊技領域１２４に打ち出す。そして、遊技領域１２４の上部に到達した球は、打球方向変換部材や遊技釘等によって進行方向を変えながら下方に落下し、入賞口（一般入賞口２２６、可変入賞口２３４）や始動口（特図１始動口２３０、特図２始動口２３２）に入賞するか、第二のアウト口２４１に入球するか、または、いずれの入賞口や始動口にも入賞せず、第二のアウト口２４１に入球することもなく、もしくは、普図始動口２２８を通過するのみでアウト口２４０に到達する。
【００３６】
次に、パチンコ機１００の演出装置２０６について説明する。演出装置２０６の前面側には、遊技球の転動可能な領域にワープ装置２４２（２４２ａ、２４２ｂ）および前面ステージ２４４を配設し、遊技球の転動不可能な領域に各種役物を配設している。すなわち、演出装置２０６において、装飾図柄表示装置２０８は、ワープ装置２４２、前面ステージ２４４、および各種役物の後方に位置することとなる。ワープ装置２４２は、演出装置２０６の左上方に設けたワープ入口２４２ａに入った遊技球を演出装置２０６の前面下方の前面ステージ２４４にワープ出口２４２ｂから排出する。前面ステージ２４４は、ワープ出口２４２ｂから排出された球や遊技盤２００の釘などによって乗り上げた球などが転動可能であり、前面ステージ２４４の中央部には、通過した球が特図１始動口２３０へ入球し易くなるスペシャルルート２４４ａを設けている。なお、各種役物については後述する。
【００３７】
次に、図４を用いて、このパチンコ機１００の制御部の回路構成について詳細に説明する。なお、同図は制御部の回路ブロック図を示したものである。パチンコ機１００の制御部は、大別すると、遊技の中枢部分を制御する主制御部３００と、主制御部３００が送信するコマンド信号（以下、単に「コマンド」という）に応じて主に演出の制御を行う第１副制御部４００と、第１副制御部４００より送信されたコマンドに基づいて各種機器を制御する第２副制御部５００と、主制御部３００が送信するコマンドに応じて主に遊技球の払出しに関する制御を行う払出制御部６００と、遊技球の発射制御を行う発射制御部６３０と、パチンコ機１００に供給される電源を制御する電源制御部６６０と、によって構成している。
【００３８】
まず、パチンコ機１００の主制御部３００について説明する。主制御部３００は、主制御部３００の全体を制御する基本回路３０２を備えている。基本回路３０２には、ＣＰＵ３０４と、制御プログラムや各種データを記憶するためのＲＯＭ３０６と、一時的にデータを記憶するためのＲＡＭ３０８と、各種デバイスの入出力を制御するためのＩ／Ｏ３１０と、時間や回数等を計測するためのカウンタタイマ３１２と、プログラム処理の異常を監視するＷＤＴ３１４と、を搭載している。なお、ＲＯＭ３０６やＲＡＭ３０８については他の記憶装置を用いてもよく、この点は後述する第１副制御部４００や第２副制御部５００についても同様である。この基本回路３０２のＣＰＵ３０４は、水晶発振器３１６ｂが出力する所定周期のクロック信号をシステムクロックとして入力して動作する。
【００３９】
また、基本回路３０２には、水晶発振器３１６ａが出力するクロック信号を受信する度に０〜６５５３５の範囲で数値を変動させるハードウェア乱数カウンタとして使用している乱数値生成回路（カウンタ回路）３１８（この回路には２つのカウンタを内蔵しているものとする）と、所定の球検出センサ、例えば各始動口、入賞口、可変入賞口を通過する遊技球を検出するセンサや、前面枠扉開放センサや内枠開放センサや下皿満タンセンサを含む各種センサ３２０が出力する信号を受信し、増幅結果や基準電圧との比較結果を乱数値生成回路３１８および基本回路３０２に出力するためのセンサ回路３２２と、所定の図柄表示装置、例えば特図１表示装置２１２や特図２表示装置２１４の表示制御を行うための駆動回路３２４と、所定の図柄表示装置、例えば普図表示装置２１０の表示制御を行うための駆動回路３２６と、各種状態表示部３２８（例えば、普図保留ランプ２１６、特図１保留ランプ２１８、特図２保留ランプ２２０、高確中ランプ２２２等）の表示制御を行うための駆動回路３３０と、所定の可動部材、例えば特図２始動口２３２の羽根部材２３２ａや可変入賞口２３４の扉部材２３４ａ等を開閉駆動する各種ソレノイド３３２を制御するための駆動回路３３４と、を接続している。本例では水晶発振器３１６ａと乱数値生成回路３１８とが別に設けられているが、水晶発振器３１６ａは乱数値生成回路３１８に含まれていてもよい。
【００４０】
なお、特図１始動口２３０に球が入賞したことを球検出センサ３２０が検出した場合には、センサ回路３２２は球を検出したことを示す信号を乱数値生成回路３１８に出力する。この信号を受信した乱数値生成回路３１８は、特図１始動口２３０に対応するカウンタのそのタイミングにおける値をラッチし、ラッチした値を、特図１始動口２３０に対応する内蔵のカウンタ値記憶用レジスタに記憶する。また、乱数値生成回路３１８は、特図２始動口２３２に球が入賞したことを示す信号を受信した場合も同様に、特図２始動口２３２に対応するカウンタのそのタイミングにおける値をラッチし、ラッチした値を、特図２始動口２３２に対応する内蔵のカウンタ値記憶用レジスタに記憶する。
【００４１】
さらに、基本回路３０２には、情報出力回路３３６を接続しており、主制御部３００は、この情報出力回路３３６を介して、外部のホールコンピュータ（図示省略）等が備える情報入力回路３５０にパチンコ機１００の遊技情報（例えば、遊技状態）を出力する。
【００４２】
また、主制御部３００には、電源制御部６６０から主制御部３００に供給している電源の電圧値を監視する電圧監視回路３３８を設けており、この電圧監視回路３３８は、電源の電圧値が所定の値（本例では９Ｖ）未満である場合に電圧が低下したことを示す低電圧信号を基本回路３０２に出力する。
【００４３】
また、主制御部３００には、電源が投入されると起動信号（リセット信号）を出力する起動信号出力回路（リセット信号出力回路）３４０を設けており、ＣＰＵ３０４は、この起動信号出力回路３４０から起動信号を入力した場合に、遊技制御を開始する（後述する主制御部メイン処理を開始する）。
【００４４】
また、主制御部３００は、第１副制御部４００にコマンドを送信するための出力インタフェースと、払出制御部６００にコマンドを送信するための出力インタフェースとをそれぞれ備えており、この構成により、第１副制御部４００および払出制御部６００との通信を可能としている。なお、主制御部３００と第１副制御部４００および払出制御部６００との情報通信は一方向の通信であり、主制御部３００は第１副制御部４００および払出制御部６００にコマンド等の信号を送信できるように構成しているが、第１副制御部４００および払出制御部６００からは主制御部３００にコマンド等の信号を送信できないように構成している。ただし、主制御部３００と第１副制御部４００および払出制御部６００との情報通信が双方向通信により行われるように構成してもよい。
【００４５】
次に、パチンコ機１００の第１副制御部４００について説明する。第１副制御部４００は、主に主制御部３００が送信したコマンド等に基づいて第１副制御部４００の全体を制御する基本回路４０２を備えている。基本回路４０２には、ＣＰＵ４０４と、一時的にデータを記憶するためのＲＡＭ４０８と、各種デバイスの入出力を制御するためのＩ／Ｏ４１０と、時間や回数等を計測するためのカウンタタイマ４１２とを搭載している。この基本回路４０２のＣＰＵ４０４は、水晶発振器４１４が出力する所定周期のクロック信号をシステムクロックとして入力して動作する。また、基本回路４０２には、制御プログラムや各種演出データを記憶するためのＲＯＭ４０６が設けられている。なお、ＲＯＭ４０６は、制御プログラムと各種演出データとを別々のＲＯＭに記憶させてもよい。
【００４６】
また、基本回路４０２には、スピーカ１２０（およびアンプ）の制御を行うための音源ＩＣ（Ｓ−ＲＯＭ）４１６と、各種ランプ４１８（例えば、チャンスボタンランプ１３８）の制御を行うための駆動回路４２０と、各種役物に含まれる各種可動体５５０（各種可動体５５０については後述する）の現在位置を検出する各種可動体センサ４３０と、チャンスボタン１３６の押下を検出するチャンスボタンセンサ４２６と、設定操作部１３７の各ボタンの押下を検出する操作部センサ（図示せず）と、これらのセンサからの検出信号を基本回路４０２に出力するセンサ回路４２８と、ＣＰＵ４０４からの信号に基づいてＲＯＭ４０６に記憶された画像データ等を読み出してＶＲＡＭ４３６のワークエリアを使用して表示画像を生成して装飾図柄表示装置２０８に画像を表示するＶＤＰ（ビデオ・ディスプレイ・プロセッサ）４３４と、を接続している。
【００４７】
次に、パチンコ機１００の第２副制御部５００について説明する。第２副制御部５００は、第１副制御部４００が送信した制御コマンドを入力インタフェースを介して受信し、この制御コマンドに基づいて第２副制御部５００の全体を制御する基本回路５０２を備えている。基本回路５０２は、ＣＰＵ５０４と、一時的にデータを記憶するためのＲＡＭ５０８と、各種デバイスの入出力を制御するためのＩ／Ｏ５１０と、時間や回数等を計測するためのカウンタタイマ５１２とを搭載している。基本回路５０２のＣＰＵ５０４は、水晶発振器５１４が出力する所定周期のクロック信号をシステムクロックとして入力して動作する。また、基本回路５０２には、第２副制御部５００の全体を制御するための制御プログラムおよびデータ、画像表示用のデータ等が記憶されたＲＯＭ５０６が設けられている。
【００４８】
また、基本回路５０２には、各種可動体５５０の駆動制御を行うための駆動回路５１６と、遊技盤用ランプ５３２の制御を行うための遊技盤用ランプ駆動回路５３０と、遊技台枠用ランプ５４２の制御を行うための遊技台枠用ランプ駆動回路５４０と、遊技盤用ランプ駆動回路５３０および遊技台枠用ランプ駆動回路５４０との間でシリアル通信による点灯制御を行うシリアル通信制御回路５２０と、を接続している。なお、本実施形態では、第２副制御部５００が各種可動体５５０の動作を制御する構成となっているが、第１副制御部４００が各種可動体５５０の動作を制御する構成であってもよいし、第１副制御部４００および第２副制御部５００とは別に可動体制御部を設け、この可動体制御部が各種可動体５５０の動作を制御する構成であってもよい。なお、本実施形態では、各種可動体センサ４３０が第１副制御部４００に設けられたセンサ回路４２８に接続されており、第１副制御部４００が各種可動体５５０の位置検出を実行するようになっているが、各種可動体センサ４３０が第２副制御部５００に設けられた所定のセンサ回路に接続されており、第２副制御部５００が各種可動体５５０の位置検出を実行するようになっていてもよいし、各種可動体センサ４３０が上記の可動体制御部に設けられた所定のセンサ回路に接続されており、可動体制御部が各種可動体５５０の位置検出を実行するようになっていてもよい。
【００４９】
次に、パチンコ機１００の払出制御部６００、発射制御部６３０、電源制御部６６０について説明する。払出制御部６００は、主に主制御部３００が送信したコマンド等の信号に基づいて払出装置１５２の払出モータ６０２を制御するとともに、払出センサ６０４が出力する制御信号に基づいて賞球または貸球の払出しが完了したか否かを検出する。また払出制御部６００は、インタフェース部６０６を介して、パチンコ機１００とは別体で設けられたカードユニット６０８との通信を行う。また、主制御部３００と払出制御部６００との情報通信が双方向通信により行われるように構成されている場合には、各種センサ３２０は前面枠扉１０６の開放を検出する前面枠扉開放センサ１０７の検出結果をセンサ回路３２２に送信せずに払出制御部６００へ送信し、払出制御部６００は受け取った検出結果を主制御部３００に出力するようにしてもよい。
【００５０】
発射制御部６３０は、払出制御部６００が出力する、発射許可または停止を指示する制御信号や、球発射ハンドル１３４内に設けた発射強度出力回路が出力する、遊技者による球発射ハンドル１３４の操作量に応じた発射強度を指示する制御信号に基づいて、発射杆１４６および発射槌１４８を駆動する発射モータ６３２の制御や、上皿１２６から発射装置１１０に球を供給する球送り装置６３４の制御を行う。
【００５１】
電源制御部６６０は、パチンコ機１００に外部から供給される交流電源を直流化し、所定の電圧に変換して主制御部３００、第１副制御部４００等の各制御部や払出装置１５２等の各装置に供給する。さらに、電源制御部６６０は、外部からの電源が断たれた後も所定の部品（例えば主制御部３００のＲＡＭ３０８等）に所定の期間（例えば１０日間）電源を供給するための蓄電回路（例えば、コンデンサ）を備えている。なお、本実施の形態では、電源制御部６６０から払出制御部６００と第２副制御部５００に所定電圧を供給し、払出制御部６００から主制御部３００と第１副制御部４００と発射制御部６３０に所定電圧を供給しているが、各制御部や各装置に他の電源経路で所定電圧を供給してもよい。
【００５２】
次に、図５（ａ）〜（ｃ）を用いて、パチンコ機１００の特図１表示装置２１２、特図２表示装置２１４、装飾図柄表示装置２０８、普図表示装置２１０が停止表示する特図および普図の種類について説明する。図５（ａ）は特図１および特図２の停止図柄態様の一例を示したものである。特図１始動口２３０に球が入球したことを第１始動口センサが検出したことを条件として特図１変動遊技が開始され、特図２始動口２３２に球が入球したことを第２始動口センサが検出したことを条件として特図２変動遊技が開始される。特図１変動遊技が開始されると、特図１表示装置２１２は、７個のセグメントの全点灯と、中央の１個のセグメントの点灯を繰り返す「特図１の変動表示」を行う。また、特図２変動遊技が開始されると、特図２表示装置２１４は、７個のセグメントの全点灯と、中央の１個のセグメントの点灯を繰り返す「特図２の変動表示」を行う。これらの「特図１の変動表示」および「特図２の変動表示」が本実施形態にいう図柄の変動表示の一例に相当する。そして、特図１の変動開始前に決定した変動時間が経過すると、特図１表示装置２１２は特図１の停止図柄態様を停止表示し、特図２の変動開始前に決定した変動時間が経過すると、特図２表示装置２１４は特図２の停止図柄態様を停止表示する。したがって、「特図１の変動表示」を開始してから特図１の停止図柄態様を停止表示するまで、あるいは「特図２の変動表示」を開始してから特図２の停止図柄態様を停止表示するまでが本実施形態にいう図柄変動停止表示の一例に相当し、以下、この「特図１または２の変動表示」を開始してから特図１または２の停止図柄態様を停止表示するまでの一連の表示を図柄変動停止表示と称する。図柄変動停止表示は複数回、連続して行われることがある。
【００５３】
図５（ａ）には、特図１および特図２の図柄変動停止表示における停止図柄態様として「特図Ａ」〜「特図Ｊ」の１０種類の特図が示されている。図５（ａ）においては、図中の白抜きの部分が消灯するセグメントの場所を示し、黒塗りの部分が点灯するセグメントの場所を示している。「特図Ａ」は１５ラウンド（１５Ｒ）特別大当り図柄であり、「特図Ｂ」は１５Ｒ大当り図柄である。本実施形態のパチンコ機１００では、特図変動遊技における大当りか否かの決定はハードウェア乱数の抽選によって行い、特別大当りか否かの決定はソフトウェア乱数の抽選によって行う。大当りと特別大当りの違いは、大当り遊技の終了後の特図変動遊技で、大当りに当選する確率が高い（特別大当り）か低い（大当り）かの違いである。以下、この大当りに当選する確率が高い状態のことを特図高確率状態（以下、「特図確変」または単に「確変」という場合がある）と称し、その確率が低い状態のことを特図低確率状態と称する。また、１５Ｒ特別大当り遊技終了後および１５Ｒ大当り遊技終了後はいずれも時短状態（電サポ状態）に移行する。時短については詳しくは後述するが、時短状態のことを普図高確率状態（以下、「普図確変」という場合がある）と称し、時短状態でない状態のことを普図低確率状態と称する。１５Ｒ特別大当り図柄である「特図Ａ」は、大当り遊技終了後に特図高確率普図高確率状態となる図柄であり、１５Ｒ大当り図柄である「特図Ｂ」は、大当り遊技終了後に特図低確率普図高確率状態となる図柄である。これらの「特図Ａ」および「特図Ｂ」は、遊技者に対する有利度が相対的に大きくなる図柄である。
【００５４】
「特図Ｃ」は突然確変と称される２Ｒ大当り図柄であり、大当り遊技の終了後に特図高確率普図高確率状態となる図柄である。すなわち、１５Ｒである「特図Ａ」と比べて、「特図Ｃ」は２Ｒである点が異なる。「特図Ｄ」は突然時短と称される２Ｒ大当り図柄であり、大当り遊技の終了後に特図低確率普図高確率状態となる図柄である。「特図Ｅ」は潜伏確変または隠れ確変と称される２Ｒ大当り図柄であり、大当り遊技の終了後に特図高確率普図低確率状態となる図柄である。「特図Ｆ」は突然通常と称される２Ｒ大当り図柄であり、大当り遊技の終了後に特図低確率普図低確率状態となる図柄である。
【００５５】
「特図Ｇ」は第１小当り図柄であり、小当り遊技終了後は小当り遊技が実行される前の遊技状態を維持する。「特図Ｈ」は第２小当り図柄であり、小当り遊技終了後は小当り遊技が実行される前の遊技状態を維持する。また、「特図Ｉ」は第１はずれ図柄であり、遊技者に対する有利度が相対的に小さくなる図柄である。「特図Ｊ」は第２はずれ図柄であり、遊技者に対する有利度が相対的に小さくなる図柄である。
【００５６】
図５（ｂ）は装飾図柄の一例を示したものである。本実施形態の装飾図柄には、「装飾１」〜「装飾１０」の１０種類がある。「装飾１」〜「装飾９」および「装飾１０」は、それぞれ数字の「１」〜「９」および「０」を表している。特図１始動口２３０または特図２始動口２３２に球が入賞したこと、すなわち、特図１始動口２３０に球が入球したことを第１始動口センサが検出したこと、あるいは特図２始動口２３２に球が入球したことを第２始動口センサが検出したことを条件にして、装飾図柄表示装置２０８の左図柄表示領域２０８ａ、中図柄表示領域２０８ｂ、右図柄表示領域２０８ｃの各図柄表示領域に、「装飾１」→「装飾２」→「装飾３」→・・・→「装飾９」→「装飾１０」→「装飾１」→・・・の順番で表示を切り替える「装飾図柄の変動表示」を行う。
【００５７】
そして、「特図Ａ」の１５Ｒ特別大当り、「特図Ｂ」の１５Ｒ大当りを報知する場合には、図柄表示領域２０８ａ〜２０８ｃに同じ装飾図柄が３つ並んだ図柄組合せ（例えば「装飾１−装飾１−装飾１」や「装飾２−装飾２−装飾２」等）を停止表示する。「特図Ａ」の１５Ｒ特別大当りを明示的に報知する場合には、同じ奇数の装飾図柄が３つ並んだ図柄組合せ（例えば「装飾３−装飾３−装飾３」や「装飾７−装飾７−装飾７」等）を停止表示する。
【００５８】
また、「特図Ｅ」の潜伏確変（隠れ確変）と称される２Ｒ大当り、「特図Ｆ」の突然通常と称される２Ｒ大当り、あるいは「特図Ｇ」や「特図Ｈ」の小当りを報知する場合には、「装飾１−装飾２−装飾３」を停止表示する。「特図Ｃ」の突然確変と称される２Ｒ大当り、「特図Ｄ」の突然時短と称される２Ｒ大当りを報知する場合には、「装飾１−装飾３−装飾５」を停止表示する。一方、「特図Ｉ」、「特図Ｊ」のはずれを報知する場合には、図柄表示領域２０８ａ〜２０８ｃに図５（ｂ）に示す図柄組合せ以外の図柄組合せを停止表示する。
【００５９】
図５（ｃ）は普図の停止表示図柄の一例を示したものである。本実施形態の普図の停止表示態様には、当り図柄である「普図Ａ」と、はずれ図柄である「普図Ｂ」の２種類がある。普図始動口２２８を球が通過したことを上述のゲートセンサが検出したことに基づいて、普図表示装置２１０は、７個のセグメントの全点灯と、中央の１個のセグメントの点灯を繰り返す「普図の変動表示」を行う。そして、普図変動遊技の当選を報知する場合には「普図Ａ」を停止表示し、普図変動遊技のはずれを報知する場合には「普図Ｂ」を停止表示する。図５（ｃ）においても、図中の白抜きの部分が消灯するセグメントの場所を示し、黒塗りの部分が点灯するセグメントの場所を示している。
【００６０】
次に、図６を用いて、主制御部３００のＣＰＵ３０４が実行する主制御部メイン処理について説明する。なお、同図は主制御部メイン処理の流れを示すフローチャートである。上述したように、主制御部３００には、電源が投入されると起動信号（リセット信号）を出力する起動信号出力回路（リセット信号出力回路）３４０を設けている。この起動信号を入力した基本回路３０２のＣＰＵ３０４は、リセット割込によりリセットスタートしてＲＯＭ３０６に予め記憶している制御プログラムに従って主制御部メイン処理を実行する。
【００６１】
まずステップＳ１０１では、初期設定１を行う。初期設定１では、ＣＰＵ３０４のスタックポインタ（ＳＰ）へのスタック初期値の設定（仮設定）、割込マスクの設定、Ｉ／Ｏ３１０の初期設定、ＲＡＭ３０８に記憶する各種変数の初期設定、ＷＤＴ３１４への動作許可および初期値の設定等を行う。なお、本実施の形態では、ＷＤＴ３１４に、初期値として３２．８ｍｓに相当する数値を設定する。
【００６２】
ステップＳ１０１の次のステップＳ１０３では、ＷＤＴ３１４のカウンタの値をクリアし、ＷＤＴ３１４による時間計測を再始動する。ステップＳ１０３の次のステップＳ１０５では、低電圧信号がオンであるか否か、すなわち、電圧監視回路３３８が、電源制御部６６０から主制御部３００に供給している電源の電圧値が所定の値（本例では９Ｖ）未満である場合に電圧が低下したことを示す低電圧信号を出力しているか否かを監視する。そして、低電圧信号がオンの場合（ＣＰＵ３０４が電源の遮断を検知した場合）にはステップＳ１０３に戻り、低電圧信号がオフの場合（ＣＰＵ３０４が電源の遮断を検知していない場合）にはステップＳ１０７に進む。なお、電源が投入された直後で未だ上記所定の値（９Ｖ）に達しない場合にもステップＳ１０３に戻り、供給電圧がその所定の値以上になるまで、ステップＳ１０５は繰り返し実行される。
【００６３】
ステップＳ１０７では、初期設定２を行う。初期設定２では、後述する主制御部タイマ割込処理を定期毎に実行するための周期を決める数値をカウンタタイマ３１２に設定する処理、Ｉ／Ｏ３１０の所定のポート（例えば試験用出力ポート、第１副制御部４００への出力ポート）からクリア信号を出力する処理、ＲＡＭ３０８への書込みを許可する設定等を行う。
【００６４】
ステップＳ１０７の次のステップＳ１０９では、電源の遮断前（電断前）の状態に復帰するか否かの判定を行い、電断前の状態に復帰しない場合（主制御部３００の基本回路３０２を初期状態にする場合）には初期化処理（ステップＳ１１３）に進む。具体的には、最初に、電源基板１８２に設けたＲＷＭクリアスイッチ１８０を遊技店の店員などが操作した場合に送信されるＲＡＭクリア信号がオン（操作があったことを示す）であるか否か、すなわちＲＡＭクリアが必要であるか否かを判定し、ＲＡＭクリア信号がオンの場合（ＲＡＭクリアが必要な場合）には、基本回路３０２を初期状態にすべくステップＳ１１３に進む。一方、ＲＡＭクリア信号がオフの場合（ＲＡＭクリアが必要でない場合）には、ＲＡＭ３０８に設けた電源ステータス記憶領域に記憶した電源ステータスの情報を読み出し、この電源ステータスの情報がサスペンドを示す情報であるか否かを判定する。そして、電源ステータスの情報がサスペンドを示す情報でない場合には、基本回路３０２を初期状態にすべくステップＳ１１３に進む。電源ステータスの情報がサスペンドを示す情報である場合には、ＲＡＭ３０８の所定の領域（例えば全ての領域）に記憶している１バイトデータを初期値が０である１バイト構成のレジスタに全て加算することによりチェックサムを算出し、算出したチェックサムの結果が特定の値（例えば０）であるか否か（チェックサムの結果が正常であるか否か）を判定する。そして、チェックサムの結果が特定の値（例えば０）の場合（チェックサムの結果が正常である場合）には電断前の状態に復帰すべくステップＳ１１１に進み、チェックサムの結果が特定の値（例えば０）以外である場合（チェックサムの結果が異常である場合）には、パチンコ機１００を初期状態にすべくステップＳ１１３に進む。
【００６５】
ステップＳ１１１では、復電時処理を行う。この復電時処理では、電断時にＲＡＭ３０８に設けられたスタックポインタ退避領域に記憶しておいたスタックポインタの値を読み出し、スタックポインタに再設定（本設定）する。また、電断時にＲＡＭ３０８に設けられたレジスタ退避領域に記憶しておいた各レジスタの値を読み出し、各レジスタに再設定した後、割込許可の設定を行う。以降、ＣＰＵ３０４が、再設定後のスタックポインタやレジスタに基づいて制御プログラムを実行する結果、パチンコ機１００は電源断時の状態に復帰する。すなわち、電断直前にタイマ割込処理（後述）に分岐する直前に行った（ステップＳ１１５内の所定の）命令の次の命令から処理を再開する。また、主制御部３００のＲＡＭ３０８には、送信情報記憶領域が設けられている。このステップＳ１１１では、その送信情報記憶領域に、復電コマンドをセットする。この復電コマンドは、電源断時の状態に復帰したことを表すコマンドであり、後述する、主制御部３００のタイマ割込処理におけるコマンド設定送信処理（ステップＳ２３３）において、第１副制御部４００へ送信される。
【００６６】
ステップＳ１１３では、初期化処理を行う。この初期化処理では、割込禁止の設定、スタックポインタへのスタック初期値の設定（本設定）、ＲＡＭ３０８の全ての記憶領域の初期化などを行う。さらにここで、主制御部３００のＲＡＭ３０８に設けられた送信情報記憶領域に正常復帰コマンドをセットする。この正常復帰コマンドは、主制御部３００の初期化処理（ステップＳ１１３）が行われたことを表すコマンドであり、復電コマンドと同じく、主制御部３００のタイマ割込処理におけるコマンド設定送信処理（ステップＳ２３３）において、第１副制御部４００へ送信される。
【００６７】
ステップＳ１１３の次のステップＳ１１５では、割込禁止の設定を行った後、基本乱数初期値更新処理を行う。この基本乱数初期値更新処理では、普図当選乱数値、特図１乱数値、および特図２乱数値をそれぞれ生成するための３つの乱数値カウンタの初期値を生成するための３つの初期値生成用乱数カウンタを更新する。主制御部３００のＲＡＭ３０８には、特図１乱数値カウンタとその初期値生成用乱数カウンタ、特図２乱数値カウンタとその初期値生成用乱数カウンタ、および普図当選乱数値カウンタとその初期値生成用乱数カウンタが設けられている。ステップＳ１１５では、これらのうち３つの初期値生成用乱数カウンタの初期値を更新する。例えば、初期値生成用乱数カウンタの取り得る数値範囲が０〜１００とすると、初期値生成用乱数カウンタから値を取得し、取得した値に１を加算してから元の初期値生成用乱数カウンタに記憶する。このとき、取得した値に１を加算した結果が１０１であれば０を元の初期値生成用乱数カウンタに記憶する。他の初期値生成用乱数カウンタ、乱数カウンタもそれぞれ同様に更新する。また、この基本乱数初期値更新処理の終了後に割込許可の設定を行う。なお、初期値生成用乱数カウンタは、後述する基本乱数初期値更新処理（ステップＳ２０７）でも更新する。主制御部３００は、所定の周期ごとに開始するタイマ割込処理を行っている間を除いて、ステップＳ１１５の処理を繰り返し実行する。
【００６８】
次に、図７を用いて、主制御部３００のＣＰＵ３０４が実行する主制御部タイマ割込処理について説明する。なお、同図は主制御部タイマ割込処理の流れを示すフローチャートである。主制御部３００は、所定の周期（本例では約２ｍｓに１回）でタイマ割込信号を発生するカウンタタイマ３１２を備えており、このタイマ割込信号を契機として主制御部タイマ割込処理を所定の周期で開始する。
【００６９】
まずステップＳ２０１では、タイマ割込開始処理を行う。このタイマ割込開始処理では、ＣＰＵ３０４の各レジスタの値をスタック領域に一時的に退避する処理などを行う。ステップＳ２０１の次のステップＳ２０３では、ＷＤＴ３１４のカウント値が初期設定値（本例では３２．８ｍｓ）を超えてＷＤＴ割込が発生しないように（処理の異常を検出しないように）、ＷＤＴを定期的に（本例では、主制御部タイマ割込の周期である約２ｍｓに１回）リスタートを行う。
【００７０】
ステップＳ２０３の次のステップＳ２０５では、入力ポート状態更新処理を行う。この入力ポート状態更新処理では、Ｉ／Ｏ３１０の入力ポートを介して、上述の前面枠扉開放センサや内枠開放センサや下皿満タンセンサ、各種の球検出センサを含む各種センサ３２０の検出信号を入力して検出信号の有無を監視し、ＲＡＭ３０８に各種センサ３２０ごとに区画して設けた信号状態記憶領域に記憶する。球検出センサの検出信号を例にして説明すれば、前々回のタイマ割込処理（約４ｍｓ前）で検出した各々の球検出センサの検出信号の有無の情報を、ＲＡＭ３０８に各々の球検出センサごとに区画して設けた前回検出信号記憶領域から読み出し、この情報をＲＡＭ３０８に各々の球検出センサごとに区画して設けた前々回検出信号記憶領域に記憶し、前回のタイマ割込処理（約２ｍｓ前）で検出した各々の球検出センサの検出信号の有無の情報を、ＲＡＭ３０８に各々の球検出センサごとに区画して設けた今回検出信号記憶領域から読み出し、この情報を上述の前回検出信号記憶領域に記憶する。また、今回検出した各々の球検出センサの検出信号を、上述の今回検出信号記憶領域に記憶する。
【００７１】
また、ステップＳ２０５では、上述の前々回検出信号記憶領域、前回検出信号記憶領域、および今回検出信号記領域の各記憶領域に記憶した各々の球検出センサの検出信号の有無の情報を比較し、各々の球検出センサにおける過去３回分の検出信号の有無の情報が入賞判定パターン情報と一致するか否かを判定する。一個の遊技球が一つの球検出センサを通過する間に、約２ｍｓという非常に短い間隔で起動を繰り返すこの主制御部タイマ割込処理は何回か起動する。このため、主制御部タイマ割込処理が起動する度に、ステップＳ２０５では、同じ遊技球が同じ球検出センサを通過したことを表す検出信号を確認することになる。この結果、上述の前々回検出信号記憶領域、前回検出信号記憶領域、および今回検出信号記領域それぞれに、同じ遊技球が同じ球検出センサを通過したことを表す検出信号が記憶される。すなわち、遊技球が球検出センサを通過し始めたときには、前々回検出信号無し、前回検出信号有り、今回検出信号有りになる。本実施の形態では、球検出センサの誤検出やノイズを考慮して、検出信号無しの後に検出信号が連続して２回記憶されている場合には、入賞があったと判定する。
【００７２】
主制御部３００のＲＯＭ３０６には、入賞判定パターン情報（本実施の形態では、前々回検出信号無し、前回検出信号有り、今回検出信号有りであることを示す情報）が記憶されている。ステップＳ２０５では、各々の球検出センサにおいて過去３回分の検出信号の有無の情報が、予め定めた入賞判定パターン情報（本実施の形態では、前々回検出信号無し、前回検出信号有り、今回検出信号有りであることを示す情報）と一致した場合に、一般入賞口２２６、可変入賞口２３４、特図１始動口２３０、および特図２始動口２３２への入球、または普図始動口２２８の通過があったと判定する。すなわち、これらの入賞口２２６、２３４やこれらの始動口２３０、２３２、２２８への入賞があったと判定する。例えば、一般入賞口２２６への入球を検出する一般入賞口センサにおいて過去３回分の検出信号の有無の情報が上述の入賞判定パターン情報と一致した場合には、一般入賞口２２６へ入賞があったと判定し、以降の一般入賞口２２６への入賞に伴う処理を行うが、過去３回分の検出信号の有無の情報が上述の入賞判定パターン情報と一致しなかった場合には、以降の一般入賞口２２６への入賞に伴う処理を行わずに後続の処理に分岐する。
【００７３】
また、主制御部３００のＲＯＭ３０６には、入賞判定クリアパターン情報（本実施の形態では、前々回検出信号有り、前回検出信号無し、今回検出信号無しであることを示す情報）が記憶されている。入賞が一度あったと判定した後は、各々の球検出センサにおいて過去３回分の検出信号の有無の情報が、その入賞判定クリアパターン情報に一致するまで入賞があったとは判定せず、入賞判定クリアパターン情報に一致すれば、次からは上記入賞判定パターン情報に一致するか否かの判定を行う。
【００７４】
またステップＳ２０５では、主制御部３００と払出制御部６００との情報通信が双方向通信により行われるように構成されている場合には、前面枠扉１０６の開放を検出する前面枠扉開放センサ１０７からの検出結果を受け取った払出制御部６００から出力された扉開放検出信号の有無を監視し、ＲＡＭ３０８に設けた扉検出信号状態記憶領域に記憶する。
【００７５】
ステップＳ２０５の次のステップＳ２０７では基本乱数初期値更新処理を行い、その次のステップＳ２０９では基本乱数更新処理を行う。これらの基本乱数初期値更新処理および基本乱数更新処理では、上記ステップＳ１１５で行った初期値生成用乱数カウンタの更新を行い、次に主制御部３００で使用する、普図当選乱数値、特図１乱数値、および特図２乱数値をそれぞれ生成するための３つの乱数値カウンタを更新する。例えば、普図当選乱数値として取り得る数値範囲が０〜１００とすると、ＲＡＭ３０８に設けた普図当選乱数値を生成するための普図当選乱数値カウンタから値を取得し、取得した値に１を加算してから元の普図当選乱数値カウンタに記憶する。このとき、取得した値に１を加算した結果が１０１であれば０を元の普図当選乱数値カウンタに記憶する。また、取得した値に１を加算した結果、普図当選乱数値カウンタが１周していると判定した場合には、普図当選乱数値カウンタに対応する初期値生成用乱数カウンタの値を取得し、普図当選乱数値カウンタにセットする。
【００７６】
例えば、０〜１００の数値範囲で変動する普図当選乱数値カウンタから値を取得し、取得した値に１を加算した結果が、ＲＡＭ３０８に設けた所定の初期値記憶領域に記憶している前回設定した初期値と等しい値（例えば７）である場合に、普図当選乱数値カウンタに対応する初期値生成用乱数カウンタから値を初期値として取得し、普図当選乱数値カウンタにセットするとともに、普図当選乱数値カウンタが次に１周したことを判定するために、今回設定した初期値を上述の初期値記憶領域に記憶しておく。また、上述の初期値記憶領域とは別に、特図１乱数値カウンタおよび特図２乱数値カウンタがそれぞれ１周したことを判定するための初期値記憶領域をＲＡＭ３０８にそれぞれ設けている。なお、本実施の形態では特図１乱数値を取得するためのカウンタと特図２乱数値を取得するためのカウンタとを別に設けたが、同一のカウンタを用いてもよく、この場合には同一の初期値生成用乱数カウンタおよび初期値記憶領域を用いてもよい。
【００７７】
ステップＳ２０９の次のステップＳ２１１では、演出乱数更新処理を行う。この演出乱数更新処理では、主制御部３００で使用する演出用乱数値を生成するための乱数カウンタを更新する。具体的には、特図１変動遊技での図柄変動時間を決めるための特図１変動時間決定用乱数値カウンタの値の値あるいはその初期値を更新し、特図２変動遊技での図柄変動時間を決めるための特図２変動時間決定用乱数値カウンタの値の値あるいはその初期値を更新する。また、普図変動遊技での図柄変動時間を決めるための普図変動時間決定用乱数値カウンタの値あるいはその初期値を更新する。
【００７８】
ステップＳ２１１の次のステップＳ２１３では、タイマ更新処理を行う。このタイマ更新処理では、普図表示装置２１０に図柄を変動・停止表示する時間を計時するための普図表示図柄更新タイマ、特図１表示装置２１２に図柄を変動・停止表示する時間を計時するための特図１表示図柄更新タイマ、特図２表示装置２１４に図柄を変動・停止表示する時間を計時するための特図２表示図柄更新タイマ、所定の入賞演出時間、所定の開放時間、所定の閉鎖時間、所定の終了演出期間などを計時するためのタイマなどを含む各種タイマを更新する。
【００７９】
ステップＳ２１３の次のステップＳ２１５では、入賞口カウンタ更新処理を行う。この入賞口カウンタ更新処理では、入賞口２２６、２３４や始動口２３０、２３２、２２８に入賞があった場合に、ＲＡＭ３０８に各入賞口ごと、あるいは各始動口ごとに設けた賞球数記憶領域の値を読み出し、１を加算して、元の賞球数記憶領域に設定する。
【００８０】
ステップＳ２１５の次のステップＳ２１７では、入賞受付処理を行う。この入賞受付処理では、特図１始動口２３０、特図２始動口２３２、普図始動口２２８および可変入賞口２３４への入賞があったか否かを判定する。ここでは、ステップＳ２０５における入賞判定パターン情報と一致するか否かの判定結果を用いて判定する。
【００８１】
特図１始動口２３０へ入賞があった場合かつＲＡＭ３０８に設けた対応する特図１保留数記憶領域が満タンでない場合、乱数値生成回路（ハード乱数回路）３１８の特図１始動口２３０に対応する内蔵のカウンタ値記憶用レジスタに記憶された値に所定の加工を施して生成した特図１当選乱数値を取得するとともに、ＲＡＭ３０８に設けた特図１乱数値生成用乱数カウンタから特図１乱数値を取得し、ＲＡＭ３０８に設けた特図１変動時間決定用乱数値カウンタから特図１変動時間決定用乱数値を取得して特図１乱数値記憶領域に取得順に格納する。特図１乱数値記憶領域内の特図１当選乱数値、特図１乱数値および特図１変動時間決定用乱数値の組（以下、「特図１始動情報」と称する）は、特図１保留数記憶領域に記憶された特図１保留数と同数分だけ格納される。特図１乱数値記憶領域内では、特図１保留数が１つ減るごとに保留順位が最上位（最先）の特図１始動情報のデータが消去されるとともに、残余の特図１始動情報のデータの保留順位が１ずつ繰り上がるように処理される。また、特図１保留数が１つ増えるごとに、保留順位が最下位（最後）の特図１始動情報のデータの次の保留順位に新たな特図１始動情報のデータが書き込まれる。
【００８２】
特図２始動口２３２へ入賞があった場合かつＲＡＭ３０８に設けた対応する特図２保留数記憶領域が満タンでない場合、乱数値生成回路３１８の特図２始動口２３２に対応する内蔵のカウンタ値記憶用レジスタに記憶された値に所定の加工を施して生成した特図２当選乱数値を取得するとともに、ＲＡＭ３０８に設けた特図２乱数値生成用乱数カウンタから特図２乱数値を取得し、ＲＡＭ３０８に設けた特図２変動時間決定用乱数値カウンタから特図２変動時間決定用乱数値を取得して特図２乱数値記憶領域に取得順に格納する。特図２乱数値記憶領域内の特図２当選乱数値、特図２乱数値および特図２変動時間決定用乱数値の組（以下、「特図２始動情報」と称する）は、特図２保留数記憶領域に記憶された特図２保留数と同数分だけ格納される。特図２乱数値記憶領域内では、特図２保留数が１つ減るごとに保留順位が最上位の特図２始動情報のデータが消去されるとともに、残余の特図２始動情報のデータの保留順位が１ずつ繰り上がるように処理される。また、特図２保留数が１つ増えるごとに、保留順位が最下位の特図２始動情報のデータの次の保留順位に新たな特図２始動情報のデータが書き込まれる。
【００８３】
普図始動口２２８へ入賞があった場合かつＲＡＭ３０８に設けた対応する普図保留数記憶領域が満タンでない場合、普図当選乱数値生成用乱数カウンタから値を普図当選乱数値として取得して対応する普図乱数値記憶領域に格納する。可変入賞口２３４へ入賞があった場合には、可変入賞口２３４用の入賞記憶領域に、可変入賞口２３４に球が入球したことを示す情報を格納する。
【００８４】
ステップＳ２１７の次のステップＳ２１９では、払出要求数送信処理を行う。なお、払出制御部６００に出力する出力予定情報および払出要求情報は、例えば１バイトで構成しており、ビット７にストローブ情報（オンの場合、データをセットしていることを示す）、ビット６に電源投入情報（オンの場合、電源投入後一回目のコマンド送信であることを示す）、ビット４〜５に暗号化のための今回加工種別（０〜３）、およびビット０〜３に暗号化加工後の払出要求数を示すようにしている。
【００８５】
ステップＳ２１９の次のステップＳ２２１では、普図状態更新処理を行う。この普図状態更新処理は、普図の状態に対応する複数の処理のうちの１つの処理を行う。例えば、普図変動表示の途中（上述する普図表示図柄更新タイマの値が１以上）における普図状態更新処理では、普図表示装置２１０を構成する７セグメントＬＥＤの点灯と消灯を繰り返す点灯・消灯駆動制御を行う。この制御を行うことで、普図表示装置２１０は普図の変動表示（普図変動遊技）を行う。
【００８６】
また、普図変動表示時間が経過したタイミング（普図表示図柄更新タイマの値が１から０になったタイミング）における普図状態更新処理では、普図当りフラグがオンの場合には、当り図柄の表示態様となるように普図表示装置２１０を構成する７セグメントＬＥＤの点灯・消灯駆動制御を行い、普図当りフラグがオフの場合には、はずれ図柄の表示態様となるように普図表示装置２１０を構成する７セグメントＬＥＤの点灯・消灯駆動制御を行う。また、主制御部３００のＲＡＭ３０８には、普図状態更新処理に限らず各種の処理において各種の設定を行う設定領域が用意されている。ここでは、上記点灯・消灯駆動制御を行うとともに、その設定領域に普図停止表示中であることを示す設定を行う。この制御を行うことで、普図表示装置２１０は、当り図柄（図５（ｃ）に示す普図Ａ）およびはずれ図柄（図５（ｃ）に示す普図Ｂ）いずれか一方の図柄の確定表示を行う。さらにその後、所定の停止表示期間（例えば５００ｍｓ）、その表示を維持するためにＲＡＭ３０８に設けた普図停止時間管理用タイマの記憶領域に停止期間を示す情報を設定する。この設定により、確定表示された図柄が所定期間停止表示され、普図変動遊技の結果が遊技者に報知される。
【００８７】
また、普図変動遊技の結果が当りであれば、普図当りフラグがオンにされる。この普図当りフラグがオンの場合には、所定の停止表示期間が終了したタイミング（普図停止時間管理用タイマの値が１から０になったタイミング）における普図状態更新処理では、ＲＡＭ３０８の設定領域に普図作動中を設定するとともに、所定の開放期間（例えば２秒間）、特図２始動口２３２の羽根部材２３２ａの開閉駆動用のソレノイド（各種ソレノイド３３２の一部）に、羽根部材２３２ａを開放状態に保持する信号を出力するとともに、ＲＡＭ３０８に設けた羽根開放時間管理用タイマの記憶領域に開放期間を示す情報を設定する。
【００８８】
また、所定の開放期間が終了したタイミング（羽根開放時間管理用タイマの値が１から０になったタイミング）で開始する普図状態更新処理では、所定の閉鎖期間（例えば５００ｍｓ）、羽根部材の開閉駆動用のソレノイド３３２に、羽根部材を閉鎖状態に保持する信号を出力するとともに、ＲＡＭ３０８に設けた羽根閉鎖時間管理用タイマの記憶領域に閉鎖期間を示す情報を設定する。
【００８９】
また、所定の閉鎖期間が終了したタイミング（羽根閉鎖時間管理用タイマの値が１から０になったタイミング）で開始する普図状態更新処理では、ＲＡＭ３０８の設定領域に普図非作動中を設定する。さらに、普図変動遊技の結果がはずれであれば、普図当りフラグがオフにされる。この普図当りフラグがオフの場合には、上述した所定の停止表示期間が終了したタイミング（普図停止時間管理用タイマの値が１から０になったタイミング）における普図状態更新処理でも、ＲＡＭ３０８の設定領域に普図非作動中を設定する。普図非作動中の場合における普図状態更新処理では、何もせずに次のステップＳ２２３に移行するようにしている。
【００９０】
ステップＳ２２３では、普図関連抽選処理を行う。この普図関連抽選処理では、普図変動遊技および特図２始動口２３２の開閉制御を行っておらず（普図の状態が非作動中）、かつ、保留している普図変動遊技の数が１以上である場合に、上述の普図乱数値記憶領域に記憶している普図当選乱数値に基づいた乱数抽選により普図変動遊技の結果を当選とするか、不当選とするかを決定する当り判定を行う。当選とする場合にはＲＡＭ３０８に設けた普図当りフラグをオンに設定し、不当選の場合には普図当りフラグをオフに設定する。また、当り判定の結果に関わらず、次に上述の普図変動時間決定用乱数値カウンタの値を普図変動時間決定用乱数値として取得し、取得した普図変動時間決定用乱数値に基づいて複数の変動時間のうちから普図表示装置２１０に普図を変動表示する時間を１つ選択し、この変動表示時間を、普図変動表示時間として、ＲＡＭ３０８に設けた普図変動時間記憶領域に記憶する。なお、保留している普図変動遊技の数は、ＲＡＭ３０８に設けた普図保留数記憶領域に記憶するようにしており、当り判定をするたびに、保留している普図変動遊技の数から１を減算した値を、この普図保留数記憶領域に記憶し直すようにしている。また当り判定に使用した乱数値を消去する。
【００９１】
ステップＳ２２３の次のステップＳ２２４では、特図先読み処理を行う。特図先読み処理は、特図保留数記憶領域に記憶された特図保留数が増加すると、当該増加した保留に係る始動情報を先読みして、特図変動遊技の停止図柄等を特図関連抽選処理での当否判定より前に事前判定する。
【００９２】
例えば、特図先読み処理ではまず、現在の制御状態が電サポ中（普図確変、普図変短、電チュー開延のいずれかが設定される状態、詳細は後述）か否かを判断し、電サポ中であると判断すると、特図２始動口２３２への入賞があったか否かを判断し、特図２始動口２３２への入賞があったと判断すると、入賞した特図２始動情報に係る特図２当選乱数値、特図２乱数値および特図２変動時間決定用乱数値を先読みする。次いで、特図２関連抽選処理（ステップＳ２２９）での当否判定に先立って、特図確率変動フラグの値と先読みした特図２当選乱数値と当否判定用テーブル（不図示）とを用いて、当該当否判定が大当りとなるか否かの事前判定を行う。次いで、先読みした特図２乱数値と特図２図柄決定用テーブル（不図示）とを用いて、特図２変動遊技後に停止表示する図柄（停止図柄）を事前判定する。次いで、事前判定された停止図柄と、特図２変動時間決定用乱数値と、特図２変動表示時間決定テーブル（不図示）とを用いて特図２変動遊技の変動時間を事前判定する。次いで、事前判定して得られた事前判定結果（当否判定結果、停止図柄、変動時間）を主制御部３００のＲＡＭ３０８内に設けられた特図２先読み結果記憶部（不図示）に記憶する。主制御部３００は、事前判定した特図２変動遊技の当否判定結果、停止図柄および変動時間を特図２先読み結果として、特図２先読み結果記憶部の最先の空き領域に記憶するようになっている。本実施の形態では、特図２先読み結果記憶部は、例えば４個まで特図２先読み結果を格納できるようになっている。
【００９３】
また、ＲＡＭ３０８内には、特図２先読み結果記憶部に記憶されている特図２先読み結果の数を特図２先読み数として記憶する特図２先読み数記憶領域が設けられている。主制御部３００は、特図２先読み数が１つ増えるごとに、順位が最下位（最後）の特図２先読み結果の情報の次の順位に新たな特図２先読み結果の情報を書き込む。なお、本実施の形態では保留の増加分だけ先読み処理をするようにしているが、毎回全保留に対して特図先読み処理を実施するようにしてもよい。
【００９４】
特図先読み処理において、例えば主制御部３００は、電サポ状態でないと判断すると、特図１始動情報について特図２始動情報と同様の特図先読み処理を実行する。なお、特図先読み処理は、当否判定時に用いる当否判定用テーブル、特図決定用テーブルを参照することにより実行されるが、先読み処理用に特別の判定テーブルを用いてもよい。なお、特図先読み処理は、入賞受付処理（ステップＳ２１７）内で実行されてもよい。
【００９５】
次いで、特図１および特図２それぞれについての特図状態更新処理を行うが、最初に、特図２についての特図状態更新処理（特図２状態更新処理）を行う（ステップＳ２２５）。この特図２状態更新処理では、特図２の状態に応じて、次の複数の処理のうちの１つの処理を行う。
【００９６】
例えば、特図２変動表示の途中（上述の特図２表示図柄更新タイマの値が１以上）における特図２状態更新処理では、特図２表示装置２１４を構成する７セグメントＬＥＤの点灯と消灯を繰り返す点灯・消灯駆動制御を行う。この制御を行うことで、特図２表示装置２１４は特図２の変動表示（特図２変動遊技）を行う。また、コマンド設定送信処理（ステップＳ２３３）で回転開始設定送信処理を実行させることを示す所定の送信情報を上述の送信情報記憶領域に追加記憶してから処理を終了する。
【００９７】
また、主制御部３００のＲＡＭ３０８には、１５Ｒ大当りフラグ、２Ｒ大当りフラグ、第１小当りフラグ、第２小当りフラグ、第１はずれフラグ、第２はずれフラグ、特図確率変動フラグ、および普図確率変動フラグ等のフラグが用意されている。これらのフラグは、後述する特図２関連抽選処理において、決定した停止図柄に基づいてオンまたはオフに設定される。特図２変動表示時間が経過したタイミング（特図２表示図柄更新タイマの値が１から０になったタイミング）で開始する特図２状態更新処理では、例えば、１５Ｒ大当りフラグがオン、特図確率変動フラグがオン、普図確率変動フラグがオンの場合には図５（ａ）に示す特図Ａ、１５Ｒ大当りフラグがオン、特図確率変動フラグがオフ、普図確率変動フラグがオンの場合には特図Ｂ、２Ｒ大当りフラグがオン、特図確率変動フラグがオン、普図確率変動フラグがオンの場合には特図Ｃ、２Ｒ大当りフラグがオン、特図確率変動フラグがオフ、普図確率変動フラグがオンの場合には特図Ｄ、２Ｒ大当りフラグがオン、特図確率変動フラグがオン、普図確率変動フラグがオフの場合には特図Ｅ、２Ｒ大りフラグがオン、特図確率変動フラグがオフ、普図確率変動フラグがオフの場合には特図Ｆ、第１小当りフラグがオンの場合には特図Ｇ、第２小当りフラグがオンの場合には特図Ｈ、第１はずれフラグがオンの場合には特図Ｉ、第２はずれフラグがオンの場合には特図Ｊそれぞれの態様となるように、特図２表示装置２１４を構成する７セグメントＬＥＤの点灯・消灯駆動制御を行い、ＲＡＭ３０８の設定領域に特図２停止表示中であることを表す設定を行う。この制御を行うことで、特図２表示装置２１４は、特図Ａ〜特図Ｊのいずれか一つの図柄の確定表示を行う。
【００９８】
さらにその後、所定の停止表示期間（例えば５００ｍｓ）その表示を維持するために、ＲＡＭ３０８に設けた特図２停止時間管理用タイマの記憶領域に停止期間を示す情報を設定する。この設定により、確定表示された特図２が所定期間停止表示され、特図２変動遊技の結果が遊技者に報知される。また、ＲＡＭ３０８に設けられた時短回数記憶部に記憶された時短回数が１以上であれば、その時短回数から１を減算し、減算結果が１から０となった場合は、特図確率変動中でなければ、時短フラグをオフにする。さらに、大当り遊技中（特別遊技状態中）にも、時短フラグをオフにする。また、ＲＡＭ３０８に設けられた確変回数記憶部に記憶された確変回数が１以上であれば、その確変回数から１を減算し、減算結果が１から０となった場合は、特図確率変動フラグをオフにする。
【００９９】
また、コマンド設定送信処理（ステップＳ２３３）で回転停止設定送信処理を実行させることを示す所定の送信情報を上述の送信情報記憶領域に追加記憶するとともに、変動表示を停止する図柄が特図２であることを示す特図２識別情報を、後述するコマンドデータに含める情報としてＲＡＭ３０８に追加記憶してから処理を終了する。
【０１００】
また、特図２変動遊技の結果が大当りであれば、大当りフラグがオンにされる。大当りフラグがオンの場合には、所定の停止表示期間が終了したタイミング（特図２停止時間管理用タイマの値が１から０になったタイミング）における特図２状態更新処理では、ＲＡＭ３０８の設定領域に特図２作動中を設定するとともに、所定の入賞演出期間（例えば３秒間）すなわち装飾図柄表示装置２０８による大当りを開始することを遊技者に報知する画像を表示している期間待機するために、ＲＡＭ３０８に設けた特図２待機時間管理用タイマの記憶領域に入賞演出期間を示す情報を設定する。また、コマンド設定送信処理（ステップＳ２３３）で入賞演出設定送信処理を実行させることを示す所定の送信情報を上述の送信情報記憶領域に追加記憶する。
【０１０１】
また、所定の入賞演出期間が終了したタイミング（特図２待機時間管理用タイマの値が１から０になったタイミング）で開始する特図２状態更新処理では、所定の開放期間（例えば２９秒間、または可変入賞口２３４に所定球数（例えば１０球）の遊技球の入賞を検出するまで）可変入賞口２３４の扉部材２３４ａの開閉駆動用のソレノイド（各種ソレノイド３３２の一部）に、扉部材２３４ａを開放状態に保持する信号を出力するとともに、ＲＡＭ３０８に設けた扉開放時間管理用タイマの記憶領域に開放期間を示す情報を設定する。また、コマンド設定送信処理（ステップＳ２３３）で大入賞口開放設定送信処理を実行させることを示す所定の送信情報を上述の送信情報記憶領域に追加記憶する。
【０１０２】
また、所定の開放期間が終了したタイミング（扉開放時間管理用タイマの値が１から０になったタイミング）で開始する特図２状態更新処理では、所定の閉鎖期間（例えば１．５秒間）可変入賞口２３４の扉部材２３４ａの開閉駆動用のソレノイド（各種ソレノイド３３２の一部）に、扉部材２３４ａを閉鎖状態に保持する信号を出力するとともに、ＲＡＭ３０８に設けた扉閉鎖時間管理用タイマの記憶領域に閉鎖期間を示す情報を設定する。また、コマンド設定送信処理（ステップＳ２３３）で大入賞口閉鎖設定送信処理を実行させることを示す所定の送信情報を上述の送信情報記憶領域に追加記憶する。
【０１０３】
また、扉部材２３４ａの開放・閉鎖制御を所定回数（本実施の形態では、特図１および特図２の場合はともに１５ラウンドまたは２ラウンド）繰り返し、終了したタイミングで開始する特図２状態更新処理では、所定の終了演出期間（例えば３秒間）すなわち装飾図柄表示装置２０８による大当りを終了することを遊技者に報知する画像を表示している期間待機するように設定するために、ＲＡＭ３０８に設けた演出待機時間管理用タイマの記憶領域に演出待機期間を示す情報を設定する。また、普図確率変動フラグがオンに設定されていれば、この大当り遊技の終了と同時に、ＲＡＭ３０８に設けられた時短回数記憶部に時短回数（例えば、１００回）をセットするともに、ＲＡＭ３０８に設けられた時短フラグをオンにする。なお、その普図確率変動フラグがオフに設定されていれば、時短回数記憶部に時短回数をセットすることもなく、また時短フラグをオンにすることもない。
【０１０４】
ここにいう時短とは、大当り遊技を終了してから、次の大当り遊技を開始するまでの時間を短くするため、パチンコ機が遊技者にとって有利な状態になることをいう。時短フラグがオンに設定されていると、普図高確率状態（普図確変）である。普図高確率状態では普図低確率状態に比べて、普図変動遊技で当りになる確率が高い。また、普図高確率状態の方が、普図低確率状態に比べて普図変動遊技の変動時間は短くなる（普図変短）。さらに、普図高確率状態では普図低確率状態に比べて、特図２始動口２３２の一対の羽根部材２３２ａの１回の開放における開放時間が長くなり易い（電チュー開延）。加えて、普図高確率状態では普図低確率状態に比べて、一対の羽根部材２３２ａは多く開き易い。これらの普図確変、普図変短、電チュー開延のいずれかが設定される状態を電サポ（電動チューリップによる始動口入賞サポート）状態という。
【０１０５】
また、上述のごとく、時短フラグは、大当り遊技中（特別遊技状態中）にはオフに設定される。したがって、大当り遊技中には、普図低確率状態が維持される。これは、大当り遊技中に普図高確率状態であると、大当り遊技中に可変入賞口２３４に所定の個数、遊技球が入球するまでの間に特図２始動口２３２に多くの遊技球が入球し、大当り中に獲得することができる遊技球の数が多くなってしまい射幸性が高まってしまうという問題があり、これを解決するためのものである。
【０１０６】
また、特図確率変動フラグがオンに設定されていれば、この大当り遊技の終了と同時に、ＲＡＭ３０８に設けられた確変回数記憶部に確変回数（例えば、１００００回）をセットする。
【０１０７】
さらに、コマンド設定送信処理（ステップＳ２３３）で終了演出設定送信処理を実行させることを示す所定の送信情報を上述の送信情報記憶領域に追加記憶する。
【０１０８】
また、所定の終了演出期間が終了したタイミング（演出待機時間管理用タイマの値が１から０になったタイミング）で開始する特図２状態更新処理では、ＲＡＭ３０８の設定領域に特図２非作動中を設定する。
【０１０９】
さらに、特図２変動遊技の結果がはずれであれば、はずれフラグがオンにされる。このはずれフラグがオンの場合には、上述した所定の停止表示期間が終了したタイミング（特図２停止時間管理用タイマの値が１から０になったタイミング）における特図２状態更新処理でも、ＲＡＭ３０８の設定領域に特図２非作動中を設定する。特図２非作動中の場合における特図２状態更新処理では、何もせずに次のステップＳ２２７に移行するようにしている。
【０１１０】
続いて、特図１についての特図状態更新処理（特図１状態更新処理）を行う（ステップＳ２２７）。この特図１状態更新処理では、特図１の状態に応じて、上述の特図２状態更新処理で説明した各処理を行う。この特図１状態更新処理で行う各処理は、上述の特図２状態更新処理で説明した内容の「特図２」を「特図１」と読み替えた処理と同一であるため、その説明は省略する。なお、特図２状態更新処理と特図１状態更新処理の順番は逆でもよい。
【０１１１】
ステップＳ２２５およびステップＳ２２７における特図状態更新処理が終了すると、今度は、特図１および特図２それぞれについての特図関連抽選処理を行う。ここでも先に、特図２についての特図関連抽選処理（特図２関連抽選処理）を行い（ステップＳ２２９）、その後で、特図１についての特図関連抽選処理（特図１関連抽選処理）を行う（ステップＳ２３１）。特図２関連抽選処理は、特図１および特図２の変動遊技を行っておらず、特図１および特図２の状態がいずれも非作動中であり、かつ保留している特図２変動遊技の数が１以上であることを開始条件として、特図２乱数値記憶領域内の最先の特図２始動情報を用いて実行される。特図１関連抽選処理は、特図１および特図２の変動遊技を行っておらず、特図１および特図２の状態がいずれも非作動中であり、かつ保留している特図１変動遊技の数が１以上であることを開始条件として、特図１乱数値記憶領域内の最先の特図１始動情報を用いて実行される。
【０１１２】
これらの特図関連抽選処理についても、主制御部３００が特図２関連抽選処理を特図１関連抽選処理よりも先に行うことで、特図２変動遊技の開始条件と、特図１変動遊技の開始条件が同時に成立した場合でも、特図２変動遊技が先に変動中となるため、特図１変動遊技は変動を開始しない。また、特図２変動遊技の保留数が１以上の場合には、特図１変動遊技の保留に関する抽選処理や変動遊技は行われない。また、装飾図柄表示装置２０８による、特図変動遊技の当否判定の結果の報知は、第１副制御部４００によって行われ、特図２始動口２３２への入賞に基づく抽選の抽選結果の報知が、特図１始動口２３０への入賞に基づく抽選の抽選結果の報知よりも優先して行われる。本実施の形態では、有利度の高い特図変動遊技（例えば、特図２変動遊技）が有利度の低い特図変動遊技（例えば、特図１変動遊技）よりも優先して行われる。このため、遊技状態の有利度に差を持たせ易くなる場合がある。
【０１１３】
ステップＳ２２９の特図２関連抽選処理の場合には、主制御部３００は、特図２乱数値記憶領域内の最先の（最も過去に記憶された）保留位置から特図２始動情報を取得し、取得した特図２始動情報内の特図２当選乱数値およびＲＡＭ３０８内の特図確率変動フラグの値などに基づいて、ＲＯＭ３０６に記憶された当否判定用テーブルを用いて大当りとするか否かの決定、小当りとするか否かの決定、はずれとするか否かの決定を行う。次いで、主制御部３００は、ＲＯＭ３０６に記憶された特図２図柄決定用テーブル（不図示）を用いて特図２の変動表示後に停止表示する図柄（停止図柄）の決定を行い、ＲＯＭ３０６に記憶された特図２変動表示時間決定テーブル（不図示）を用いて特図２変動遊技の変動時間を決定する。
【０１１４】
主制御部３００は、特図２乱数値記憶領域から最先の特図２始動情報を取り出した後、当該最先の特図２始動情報を特図２乱数値記憶領域から消去するとともに、特図２保留数記憶領域の特図２保留数を１減算する。このとき、特図２乱数値記憶領域から取り出した特図２始動情報をＲＡＭ３０８に設けた一時領域に記憶し、この一時領域に記憶している特図２始動情報に基づいて上述の決定を行うようにしてもよい。
【０１１５】
以上のような特図２関連抽選処理（ステップＳ２２９）の後に、特図１関連抽選処理（ステップＳ２３１）が同様にして行われる。
【０１１６】
以上の説明では、有利度の高い特図２変動遊技が有利度の低い特図１変動遊技よりも優先して開始され、特図２の保留が特図１の保留よりも優先して消化される特図２優先変動を例に挙げたが、有利度の低い特図１変動遊技が有利度の高い特図２変動遊技よりも優先して開始され、特図１の保留が特図２の保留よりも優先して消化される特図１優先変動であってもよい。また、特図２変動遊技および特図１変動遊技のいずれを優先することもなく、特図１および特図２それぞれの保留に係る特図変動遊技を始動口に入賞した順に開始する始動口入賞順変動であってもよい。始動口入賞順変動では、保留の上限数が特図１および特図２に関わらず８つになるため、特図１および特図２のそれぞれにおいて保留の上限数が４つとなる優先変動と比較して、保留数の実質的な上限を上げることができる場合がある。
【０１１７】
また以上の説明では、一方の特図の状態に応じて他方の特図の保留に関する抽選処理や変動遊技を行わないものとしたが、これに限定されるものではなく、前述の特図状態更新処理および特図関連抽選処理を特図１および特図２でそれぞれ独立して行うことで、複数の特図を同時に変動させるように構成してもよい。また、このように複数の特図を同時に変動させる場合には、装飾図柄表示装置２０８にそれぞれの特図の抽選結果を表示する複数の領域を設けるか、またはそれぞれの特図の抽選結果を表示する複数の装飾図柄表示装置を設けて、それぞれの抽選結果を別箇に表示してもよいし、１の領域で複数の特図の抽選結果を表示するように構成していてもよい。また、複数の特図に関する変動が同時に行われている場合に、先に変動を停止した特図の抽選結果が後に変動を停止する特図の抽選結果に影響を与えてもよい。
【０１１８】
ステップＳ２３１の次のステップＳ２３３では、コマンド設定送信処理を行う。このコマンド設定送信処理では、各種のコマンドが第１副制御部４００に送信される。なお、第１副制御部４００に送信する出力予定情報は例えば１６ビットで構成しており、ビット１５はストローブ情報（オンの場合、データをセットしていることを示す）、ビット１１〜１４はコマンド種別（本実施の形態では、基本コマンド、図柄変動開始コマンド、図柄変動停止コマンド、入賞演出開始コマンド、終了演出開始コマンド、大当りラウンド数指定コマンド、復電コマンド、ＲＡＭクリアコマンド、先読み結果情報コマンドなどコマンドの種類を特定可能な情報）、ビット０〜１０はコマンドデータ（コマンド種別に対応する所定の情報）で構成している。
【０１１９】
具体的には、ストローブ情報は上述のコマンド送信処理でオンまたはオフになるようにしている。また、コマンド種別が特図の図柄変動開始（回転開始）コマンドの場合であればコマンドデータに、各種大当りフラグ、各種小当りフラグ、各種はずれフラグ、特図確率変動フラグなどの値、特図関連抽選処理で選択した特図変動遊技の変動時間などを示す情報を含み、図柄変動停止（回転停止）コマンドの場合であれば、各種大当りフラグ、各種小当りフラグ、各種はずれフラグ、特図確率変動フラグの値などを含み、入賞演出開始コマンドおよび終了演出開始コマンドの場合であれば、特図確率変動フラグの値などを含み、大当りラウンド数指定コマンドの場合であれば特図確率変動フラグの値、大当りラウンド数などを示す情報を含むようにしている。コマンド種別が基本コマンドを示す場合は、コマンドデータにデバイス情報、特図１始動口２３０への入賞の有無、特図２始動口２３２への入賞の有無、可変入賞口２３４への入賞の有無などを示す情報を含む。先読み結果情報コマンドの場合であれば、特図１および特図２の種別、後述する先読み数記憶領域に記憶された先読み数、先読み結果記憶部に記憶された停止図柄等を示す情報をコマンドデータに含む。
【０１２０】
また、上述の回転開始設定送信処理では、コマンドデータに、ＲＡＭ３０８に記憶している、各種大当りフラグ、各種小当りフラグ、各種はずれフラグ、特図確率変動フラグなどの値、特図１関連抽選処理および特図２関連抽選処理で選択した特図変動遊技の変動時間、保留している特図１変動遊技または特図２変動遊技の数などを示す情報を設定する。上述の回転停止設定送信処理では、コマンドデータに、ＲＡＭ３０８に記憶している、各種大当りフラグ、各種小当りフラグ、各種はずれフラグ、特図確率変動フラグの値などを示す情報を設定する。
【０１２１】
上述の入賞演出設定送信処理では、コマンドデータに、ＲＡＭ３０８に記憶している、入賞演出期間中に装飾図柄表示装置２０８・各種ランプ４１８・スピーカ１２０に出力する演出制御情報、特図確率変動フラグの値、保留している特図１変動遊技または特図２変動遊技の数などを示す情報を設定する。上述の終了演出設定送信処理では、コマンドデータに、ＲＡＭ３０８に記憶している、演出待機期間中に装飾図柄表示装置２０８・各種ランプ４１８・スピーカ１２０に出力する演出制御情報、特図確率変動フラグの値、保留している特図１変動遊技または特図２変動遊技の数などを示す情報を設定する。上述の大入賞口開放設定送信処理では、コマンドデータに、ＲＡＭ３０８に記憶している大当りラウンド数、特図確率変動フラグの値、保留している特図１変動遊技または特図２変動遊技の数などを示す情報を設定する。上述の大入賞口閉鎖設定送信処理では、コマンドデータに、ＲＡＭ３０８に記憶している大当りラウンド数、特図確率変動フラグの値、保留している特図１変動遊技または特図２変動遊技の数などを示す情報を設定する。
【０１２２】
また、このステップＳ２３３では一般コマンド特図保留増加処理も行われる。この一般コマンド特図保留増加処理では、コマンドデータにＲＡＭ３０８の送信用情報記憶領域に記憶している特図識別情報（特図１または特図２を示す情報）、予告情報（事前予告情報、偽事前予告情報、または事前予告無情報のいずれか）を設定する。
【０１２３】
第１副制御部４００では、受信した出力予定情報に含まれるコマンド種別により、主制御部３００における遊技制御の変化に応じた演出制御の決定が可能になるとともに、出力予定情報に含まれているコマンドデータの情報に基づいて、演出制御内容を決定することができるようになる。
【０１２４】
ステップＳ２３３の次のステップＳ２３５では、外部出力信号設定処理を行う。この外部出力信号設定処理では、ＲＡＭ３０８に記憶している遊技情報を、情報出力回路３３６を介してパチンコ機１００とは別体の情報入力回路３５０に出力する。
【０１２５】
ステップＳ２３５の次のステップＳ２３７では、デバイス監視処理を行う。このデバイス監視処理では、ステップＳ２０５において信号状態記憶領域に記憶した各種センサの信号状態を読み出して、所定のエラーの有無、例えば前面枠扉開放エラーの有無または下皿満タンエラーの有無などを監視する。前面枠扉開放エラーまたは下皿満タンエラーを検出した場合には、第１副制御部４００に送信すべき送信情報に、前面枠扉開放エラーの有無または下皿満タンエラーの有無を示すデバイス情報を設定する。また、各種ソレノイド３３２を駆動して特図２始動口２３２や、可変入賞口２３４の開閉を制御したり、駆動回路３２４、３２６、３３０を介して普図表示装置２１０、特図１表示装置２１２、特図２表示装置２１４、各種状態表示部３２８などに出力する表示データを、Ｉ／Ｏ３１０の出力ポートに設定する。また、払出要求数送信処理（ステップＳ２１９）で設定した出力予定情報をＩ／Ｏ３１０の出力ポートを介して払出制御部６００に出力する。
【０１２６】
ステップＳ２３７の次のステップＳ２３９では、低電圧信号がオンであるか否かを監視する。そして、低電圧信号がオンの場合（電源の遮断を検知した場合）にはステップＳ２４３に進み、低電圧信号がオフの場合（電源の遮断を検知していない場合）にはステップＳ２４１に進む。ステップＳ２４１では、タイマ割込終了処理を行う。このタイマ割込終了処理では、ステップＳ２０１で一時的に退避した各レジスタの値を元の各レジスタに設定したり、割込許可の設定などを行い、その後、図６に示す主制御部メイン処理に復帰する。一方、ステップＳ２４３では、復電時に電断時の状態に復帰するための特定の変数やスタックポインタを復帰データとしてＲＡＭ３０８の所定の領域に退避し、入出力ポートの初期化等の電断処理を行い、その後、図６に示す主制御部メイン処理に復帰する。
【０１２７】
次に、図８を用いて、第１副制御部４００の処理について説明する。図８（ａ）は、第１副制御部４００のＣＰＵ４０４が実行するメイン処理の流れを示すフローチャートである。まず、図８（ａ）のステップＳ３０１では、各種の初期設定を行う。電源投入が行われると、まずステップＳ３０１で初期化処理が実行される。この初期化処理では、入出力ポートの初期設定や、ＲＡＭ４０８内の記憶領域の初期化処理等を行う。
【０１２８】
ステップＳ３０１の次のステップＳ３０３では、タイマ変数が１０以上か否かを判定し、タイマ変数が１０となるまでこの処理を繰り返し、タイマ変数が１０以上となったときには、ステップＳ３０５の処理に移行する。ステップＳ３０５では、タイマ変数に０を代入する。
【０１２９】
ステップＳ３０５の次のステップＳ３０７では、コマンド処理を行う。第１副制御部４００のＣＰＵ４０４は、主制御部３００からコマンドを受信したか否かを判別する。
【０１３０】
ステップＳ３０７の次のステップＳ３０９では、演出制御処理を行う。例えば、ステップＳ３０７で新たなコマンドがあった場合には、このコマンドに対応する演出データをＲＯＭ４０６から読み出す等の処理を行い、演出データの更新が必要な場合には演出データの更新処理を行う。
【０１３１】
ステップＳ３０９の次のステップＳ３１１では、チャンスボタン制御処理を行う。チャンスボタン制御処理では、チャンスボタン１３６の押下を検出していた場合、ステップＳ３０９で更新した演出データをチャンスボタン１３６の押下に応じた演出データに変更する処理を行う。また、チャンスボタン制御処理では、設定操作部１３７の各ボタンの押下を検出していた場合、ステップＳ３０９で更新した演出データを設定操作部１３７の各ボタンの押下に応じた演出データに変更する処理を行う。
【０１３２】
ステップＳ３１１の次のステップＳ３１３では、画像制御処理を行う。画像制御処理では、ステップＳ３０９で読み出した演出データの中にＶＤＰ４３４への命令がある場合には、この命令をＶＤＰ４３４に出力する（詳細は後述）。
【０１３３】
ステップＳ３１３の次のステップＳ３１５では、音制御処理を行う。音制御処理では、ステップＳ３０９で読み出した演出データの中に音源ＩＣ４１６への命令がある場合には、この命令を音源ＩＣ４１６に出力する。
【０１３４】
ステップＳ３１５の次のステップＳ３１７では、ランプ制御処理を行う。ランプ制御処理では、ステップＳ３０９で読み出した演出データの中に各種ランプ４１８への命令がある場合には、この命令を駆動回路４２０に出力する。
【０１３５】
ステップＳ３１７の次のステップＳ３１９では、情報送信処理を行う。情報送信処理では、ステップＳ３０９で読み出した演出データの中に第２副制御部５００に送信する制御コマンドがある場合には、この制御コマンドを出力する設定を行う。その後、ステップＳ３０３に戻る。
【０１３６】
図８（ｂ）は、第１副制御部４００のＣＰＵ４０４が実行する第１副制御部コマンド受信割込処理（ストローブ割込処理）の流れを示すフローチャートである。このコマンド受信割込処理は、第１副制御部４００が主制御部３００からのストローブ信号を検出した場合に実行する処理である。コマンド受信割込処理のステップＳ４０１では、主制御部３００から受信したコマンドを未処理コマンドとしてＲＡＭ４０８に設けたコマンド記憶領域に記憶する。
【０１３７】
図８（ｃ）は、第１副制御部４００のＣＰＵ４０４が実行する第１副制御部タイマ割込処理の流れを示すフローチャートである。第１副制御部４００は、所定の周期（本例では２ｍｓに１回）でタイマ割込を発生するハードウェアタイマを備えており、このタイマ割込を契機として、タイマ割込処理を所定の周期で実行する。第１副制御部タイマ割込処理のステップＳ５０１では、第１副制御部メイン処理のステップＳ３０３において説明したＲＡＭ４０８のタイマ変数記憶領域の値に、１を加算して元のタイマ変数記憶領域に記憶する。したがって、ステップＳ３０３において、タイマ変数の値が１０以上と判定されるのは２０ｍｓ毎（２ｍｓ×１０）となる。
【０１３８】
ステップＳ５０１の次のステップＳ５０３では、第１副制御部メイン処理の情報送信処理（ステップＳ３１９）で設定された第２副制御部５００への制御コマンドの送信や、その他演出用乱数値の更新処理等を行う。
【０１３９】
図８（ｄ）は、第１副制御部メイン処理の画像制御処理（ステップＳ３１３）の流れを示すフローチャートである。ステップＳ６０１では、画像データの転送指示を行う。ここでは、ＣＰＵ４０４は、まず、ＶＲＡＭ４３６の表示領域Ａと表示領域Ｂの描画領域の指定をスワップする。これにより、描画領域に指定されていない表示領域に記憶された１フレームの画像が装飾図柄表示装置２０８に表示される。次に、ＣＰＵ４０４は、ＶＤＰ４３４のアトリビュートレジスタに、位置情報等テーブルに基づいてＲＯＭ座標（ＲＯＭ４０６の転送元アドレス）、ＶＲＡＭ座標（ＶＲＡＭ４３６の転送先アドレス）などを設定した後、ＲＯＭ４０６からＶＲＡＭ４３６への画像データの転送開始を指示する命令を設定する。ＶＤＰ４３４は、アトリビュートレジスタに設定された命令に基づいて画像データをＲＯＭ４０６からＶＲＡＭ４３６に転送する。その後、ＶＤＰ４３４は、転送終了割込信号をＣＰＵ４０４に対して出力する。
【０１４０】
ステップＳ６０１の次のステップＳ６０３では、ＶＤＰ４３４からの転送終了割込信号が入力されたか否かを判定し、転送終了割込信号が入力された場合はステップＳ６０５に進み、そうでない場合は転送終了割込信号が入力されるのを待つ。
【０１４１】
ステップＳ６０５では、演出シナリオ構成テーブルおよびアトリビュートデータなどに基づいて、パラメータ設定を行う。ここでは、ＣＰＵ４０４は、ステップＳ６０１でＶＲＡＭ４３６に転送した画像データに基づいてＶＲＡＭ４３６の表示領域ＡまたはＢに表示画像を形成するために、表示画像を構成する画像データの情報（ＶＲＡＭ４３６の座標軸、画像サイズ、ＶＲＡＭ座標（配置座標）など）をＶＤＰ４３４に指示する。ＶＤＰ４３４は、アトリビュートレジスタに格納された命令に基づいてアトリビュートに従ったパラメータ設定を行う。
【０１４２】
ステップＳ６０５の次のステップＳ６０７では、描画指示を行う。この描画指示では、ＣＰＵ４０４は、ＶＤＰ４３４に画像の描画開始を指示する。ＶＤＰ４３４は、ＣＰＵ４０４の指示に従ってフレームバッファにおける画像描画を開始する。
【０１４３】
ステップＳ６０７の次のステップＳ６０９では、画像の描画終了に基づくＶＤＰ４３４からの生成終了割込み信号が入力されたか否かを判定し、生成終了割込み信号が入力された場合はステップＳ７１１に進み、そうでない場合は生成終了割込み信号が入力されるのを待つ。
【０１４４】
ステップＳ７１１では、ＲＡＭ４０８の所定の領域に設定され、何シーンの画像を生成したかをカウントするシーン表示カウンタをインクリメント（＋１）して処理を終了する。
【０１４５】
次に、図９を用いて、第２副制御部５００の処理について説明する。図９（ａ）は、第２副制御部５００のＣＰＵ５０４が実行するメイン処理のフローチャートである。まず、図９（ａ）のステップＳ７０１では、各種の初期設定を行う。電源投入が行われると、まずステップＳ７０１で初期化処理が実行される。この初期化処理では、入出力ポートの初期設定や、ＲＡＭ５０８内の記憶領域の初期化処理等を行う。
【０１４６】
ステップＳ７０１の次のステップＳ７０３では、タイマ変数が１０以上か否かを判定し、タイマ変数が１０となるまでこの処理を繰り返し、タイマ変数が１０以上となったときには、ステップＳ７０５の処理に移行する。ステップＳ７０５では、タイマ変数に０を代入する。
【０１４７】
ステップＳ７０５の次のステップＳ７０７では、コマンド処理を行う。第２副制御部５００のＣＰＵ５０４は、第１副制御部４００からコマンドを受信したか否かを判別する。
【０１４８】
ステップＳ７０７の次のステップＳ７０９では、演出制御処理を行う。例えば、ステップＳ７０７で新たなコマンドがあった場合には、このコマンドに対応する演出データをＲＯＭ５０６から読み出す等の処理を行い、演出データの更新が必要な場合には演出データの更新処理を行う。
【０１４９】
ステップＳ７０９の次のステップＳ７１１では、ランプ制御処理を行う。例えば、第１副制御部４００からの遊技盤用ランプ５３２や遊技台枠用ランプ５４２への命令がある場合には、この命令をシリアル通信制御回路５２０に出力する。
【０１５０】
ステップＳ７１１の次のステップＳ７１３では、可動体制御処理を行う。例えば、第１副制御部４００からの各種可動体５５０への命令がある場合には、この命令を駆動回路５１６に出力する。その後、ステップＳ７０３に戻る。
【０１５１】
図９（ｂ）は、第２副制御部５００のＣＰＵ５０４が実行するコマンド受信割込処理のフローチャートである。このコマンド受信割込処理は、第２副制御部５００が第１副制御部４００からのストローブ信号を検出した場合に実行する処理である。コマンド受信割込処理のステップＳ８０１では、第１副制御部４００から受信したコマンドを未処理コマンドとしてＲＡＭ５０８に設けたコマンド記憶領域に記憶する。
【０１５２】
図９（ｃ）は、第２副制御部５００のＣＰＵ５０４が実行するタイマ割込処理のフローチャートである。第２副制御部５００は、所定の周期（本例では２ｍｓに１回）でタイマ割込を発生するハードウェアタイマを備えており、このタイマ割込を契機として、タイマ割込処理を所定の周期で実行する。タイマ割込処理のステップＳ９０１では、第２副制御部メイン処理のステップＳ７０３において説明したＲＡＭ５０８のタイマ変数記憶領域の値に、１を加算して元のタイマ変数記憶領域に記憶する。したがって、ステップＳ７０３において、タイマ変数の値が１０以上と判定されるのは２０ｍｓ毎（２ｍｓ×１０）となる。ステップＳ９０１の次のステップＳ９０３では、演出用乱数値の更新処理等を行う。
【０１５３】
次に、図１０乃至図１２を用いて本実施形態によるパチンコ機１００の遊技盤２００についてより詳細に説明する。なお、図１０乃至図１２、および後述する図１３乃至図４４を用いた説明において、鉛直方向（上下方向と称する場合もある）あるいは水平方向はパチンコ機１００を例えば島設備に設置した状態での鉛直方向あるいは水平方向を指す。同様に、左右方向は水平方向のうち、遊技盤２００に向かって左右方向を指す。また、前後方向は水平方向のうち、遊技盤２００（透明遊技盤８１０の基板面）に直交する方向であって遊技盤２００から透明板部材１１８に向かう方向を前方向、その逆を後方向と呼ぶ。
【０１５４】
図１０乃至図３８において「上」と「下」の表記がある両矢印は鉛直方向を示しており、「上」は鉛直上方を示し「下」は鉛直下方を示している。また、図１０乃至図３８において「左」と「右」の表記がある両矢印は左右方向を示しており、「左」は左方向を示し、「右」は右方向を示している。また、図１０乃至図３８において「前」と「後」の表記がある両矢印は前後方向を示しており、「前」は前方向を示し、「後」は後方向を示している。
【０１５５】
図１０は、本実施形態に係る遊技盤２００の分解斜視図である。図１０は、遊技盤２００を前方右上から後方左下に見た状態を示している。遊技盤２００は、レール飾り部材８００と、透明遊技盤８１０と、役物ユニット８２０とで構成される３層構造を有している。
【０１５６】
レール飾り部材８００は、外レール部材８０２と、外枠部材８０４と、センタ装飾部材８０６と、遊技盤装飾部材８０８とを有している。外レール部材８０２は、例えば樹脂材料により一体的に成型されて、左側基部８０２ａと上側基部８０２ｂとを有している。左側基部８０２ａは、下から上に向かう内側端辺が遊技盤２００の中央付近を中心とする円弧形状を有している。上側基部８０２ｂは、左側基部８０２ａの上端から右方に延びて形成され、左から右に向かう内側端辺が遊技盤２００の中央付近を中心とする円弧形状を有している。外レール部材８０２は、左側基部８０２ａの内側端辺と上側基部８０２ｂの内側端辺とが連続するように成型されている。左側基部８０２ａおよび上側基部８０２ｂの内側端辺には外レール２０２が配置されている。外レール部材８０２の外レール２０２により遊技領域１２４の外端が画定される。
【０１５７】
外枠部材８０４は、例えば樹脂材料により成型され、右から右下方に向かう内側端辺が遊技領域１２４の右下端辺の曲線に合わせた曲線形状を有している。外レール部材８０２と外枠部材８０４とで遊技領域１２４が囲まれるようになっている。
【０１５８】
センタ装飾部材８０６は、例えば透明樹脂材料で成型されている。センタ装飾部材８０６は、所定輪郭の環状形状を有しており、環状内の全面が開口されている。また、センタ装飾部材８０６は、図３に示すワープ装置２４２および前面ステージ２４４を有しており、凹凸による飾り模様が施されている。なお、センタ装飾部材８０６は、前面ステージ２４４内に進入した遊技球が後側に転落しないように前面ステージ２４４の後側に壁が設けられてもよい。
【０１５９】
遊技盤装飾部材８０８は、例えば透明樹脂材料で成型され、外側端辺が遊技盤２００の中央付近を中心とする円弧形状を有している。遊技盤装飾部材８０８の外側端辺には内レール２０４が配置されている。また、遊技盤装飾部材８０８の内レール２０４の内方の前面側には、図３に示す一般入賞口２２６、特図１始動口２３０、特図２始動口２３２（羽根部材２３２ａは不図示）、可変入賞口２３４、アウト口２４０、および第二のアウト口２４１が設けられている。また、遊技盤装飾部材８０８の前面側には凹凸による飾り模様が施されている。
【０１６０】
透明遊技盤８１０は、例えば透明樹脂材料で形成され、薄板平板形状を有している。外レール部材８０２と外枠部材８０４は、透明遊技盤８１０の前面にネジで固定され、遊技領域１２４を囲むように配置される。透明遊技盤８１０の前面側には複数の遊技釘（不図示）や打球方向変換部材（不図示)が配置される。また、透明遊技盤８１０は、中央部にセンタ装飾部材８０６の輪郭形状に合わせて開口された開口部８１０ａを有している。センタ装飾部材８０６は開口部８１０ａに嵌め込まれて透明遊技盤８１０にネジで固定される。また、透明遊技盤８１０は、開口部８１０ａの右下方に所定形状に開口された開口部８１０ｂを有し、開口部８１０ａの左下方に所定形状に開口された開口部８１０ｃ、８１０ｄを有している。開口部８１０ｃ、８１０ｄは透明遊技盤８１０の左方からこの順に形成されている。特図１始動口２３０、特図２始動口２３２、可変入賞口２３４、およびアウト口２４０が開口部８１０ｂに対応し、第二のアウト口２４１、および第二のアウト口２４１の下方の１つの一般入賞口２２６が開口部８１０ｃに対応し、２つの一般入賞口２２６が開口部８１０ｄに対応するように、遊技盤装飾部材８０８は透明遊技盤８１０にネジで固定される。また、透明遊技盤８１０の開口部８１０ｂ、８１０ｃ、８１０ｄの後側（裏側）には球通路ユニット（不図示）が配置され、一般入賞口２２６、特図１始動口２３０、特図２始動口２３２、可変入賞口２３４、アウト口２４０、または第二のアウト口２４１に入球した遊技球を島設備に排出するようになっている。
【０１６１】
役物ユニット８２０は、透明樹脂材料で成型されたユニット本体８２２を有している。ユニット本体８２２は、前面側がほぼ長方形状を有しており、ほぼ中央に水平方向に長い長方形状に開口された開口部８２２ａを有している。ユニット本体８２２は、図３に示す装飾図柄表示装置２０８の画像表示領域が開口部８２２ａを介して遊技者側から視認できるようになっている。また、役物ユニット８２０のユニット本体８２２には、ロゴ役物９００、上部前飾り役物１０００、上部後飾り役物１１００（図１０では不図示）、上部右サイド役物１２００、上部左サイド役物１３００、下部右サイド役物１４００、下部左サイド役物１５００、および中央下部役物１６００が取り付けられている。これらの各種役物については、図１６乃至図３８を用いて詳述する。
【０１６２】
また、ユニット本体８２２の前面側の四隅には、右上端部８２２ｂ、右下端部８２２ｃ、左下端部８２２ｄ、および左上端部８２２ｅがそれぞれ設けられている。右上端部８２２ｂ、右下端部８２２ｃ、左下端部８２２ｄ、および左上端部８２２ｅは、前後方向に直交する同一仮想平面上に形成されている。透明遊技盤８１０は、ユニット本体８２２の右上端部８２２ｂ、右下端部８２２ｃ、左下端部８２２ｄ、および左上端部８２２ｅにネジで固定される。また、右上端部８２２ｂ、右下端部８２２ｃ、左下端部８２２ｄ、および左上端部８２２ｅを含む仮想平面よりも後側に各種役物が取り付けられている。これにより、透明遊技盤８１０と各種役物とが接触するのを防いでいる。
【０１６３】
図１１は、遊技盤２００を後面側（背面側）から見た外観図である。ユニット本体８２２の開口部８２２ａを介して、センタ装飾部材８０６、上部前飾り役物１０００、上部後飾り役物１１００、上部右サイド役物１２００、上部左サイド役物１３００、下部右サイド役物１４００、下部左サイド役物１５００、および中央下部役物１６００の後面側の一部がそれぞれ視認されている。
【０１６４】
図１２は、図１１に示す遊技盤２００から役物ユニット８２０を取り外して見た遊技盤２００の外観図である。図１２では、第二のアウト口２４１および３つの一般入賞口２２６に接続された球通路ユニット７００を示している。
【０１６５】
次に、本実施の形態によるパチンコ機１００で用いられる球通路ユニット７００について図１３乃至図１５を用いて説明する。球通路ユニット７００は、一般入賞口２２６や第二のアウト口２４１に入球した遊技球が通過可能な球通路を形成するように、図１０に示す透明遊技盤８１０の後側（背面側）に設けられている。
【０１６６】
図１３は、本実施の形態によるパチンコ機１００で用いられる球通路ユニット７００を右後上から左前下に向かって見た斜視図である。図１３において、紙面の上下方向は鉛直上下方向を表し、紙面の右上から左下に延びる方向は左右方向を表し、紙面の左上から右下に延びる方向は前後方向を表している。図１４は、球通路ユニット７００を左後上から右前下に向かって見た斜視図である。図１４において、紙面の上下方向は鉛直上下方向を表し、紙面の右上から左下に延びる方向は前後方向を表し、紙面の右下から左上に延びる方向は左右方向を表している。図１３および図１４に示す太い破線は、球通路ユニット７００の球通路内を転動流下する遊技球の軌跡の一例を示している。図１５は、球通路ユニット７００を後から前に向かって見た背面図である。図１５において、紙面の上下方向は鉛直上下方向を表し、紙面の左右方向は、透明遊技盤８１０の前面に向かって左右方向を表している。また、図中の矢印付きの実線は、球通路ユニット７００の球通路内を転動流下する遊技球の軌跡の一例を示している。また、図１３乃至図１５において図中に両矢印で示す座標は、球通路ユニット７００を含む球通路機構が取り付けられたパチンコ機１００が遊技店の島設備等に設置された場合に、球通路ユニット７００の設置状態を示すものである。なお、図１３乃至図１５では、球通路ユニット７００の構造の把握を容易にするために球通路ユニット７００を透過的に示している。
【０１６７】
球通路ユニット７００が後側に取り付けられる透明遊技盤８１０の前側（表面側）に配置される遊技盤装飾部材８０８には、図１０に示すように内レール２０４の最下部に設けたアウト口２４０の他に第二のアウト口２４１が設けられている。第二のアウト口２４１は、三つの一般入賞口２２６のうちの最上部の一般入賞口２２６の近傍の上方左側に設けられている。本例のパチンコ機１００によれば、第二のアウト口２４１の方が一般入賞口２２６よりも高い位置にあるので、アウト球を遊技領域１２４の裏側を使用して排出することができる場合がある。球通路ユニット７００は、第二のアウト口２４１と三つの一般入賞口２２６に入球する遊技球を透明遊技盤８１０の後側（裏面側）で遊技島側に排出するために用いられる。
【０１６８】
図１３および図１４に示すように、球通路ユニット７００の前側には前壁Ｗ１が配置されている。前壁Ｗ１は、左右方向と上下方向を含む平面（前後方向に直交する平面）に平行な平板形状を有している。球通路ユニット７００は、図１２に示すように前壁Ｗ１の前側壁面を透明遊技盤８１０の裏面に対面させて透明遊技盤８１０の裏面側に取り付けられる。前壁Ｗ１には三つの一般入賞口２２６の配置位置に対応して、遊技球が通過できる大きさに開口された三つの例えば円形の開口部７０１Ａ、７０１Ｂ、７０１Ｃが配置されている。開口部７０１Ｂは開口部７０１Ａの右下に位置している。開口部７０１Ｃは開口部７０１Ｂの右下近傍に位置している。また、前壁Ｗ１の開口部７０１Ａの上部には第二のアウト口２４１の配置位置に対応して、遊技球が通過できる大きさに開口された例えば円形の開口部７０２Ａが配置されている。球通路ユニット７００は、開口部７０１Ａと開口部７０２Ａが透明遊技盤８１０の開口部８１０ｃに配置され、開口部７０１Ｂ、７０１Ｃが透明遊技盤８１０の開口部８１０ｄに配置されるように、透明遊技盤８１０の裏面にネジ止めされる。
【０１６９】
なお、本例の球通路ユニット７００では三つの一般入賞口２２６と一つの第二のアウト口２４１のそれぞれに対応して四つの開口部７０１Ａ〜７０１Ｃ、７０２Ａを設けているが、開口部の数は入賞口の数や第二のアウト口の数に合わせて変更することができる。開口部７０１Ａ〜７０１Ｃ、７０２Ａの開口形状は円形に限らず三角形や四角形あるいは四角形以上の多角形形状であってもよい。
【０１７０】
また、図１３および図１４に示すように、前壁Ｗ１の後には前壁Ｗ１と平行に後壁Ｗ２が配置されている。後壁Ｗ２は、左右方向と上下方向を含む平面に平行な平板形状を有している。前壁Ｗ１の後側壁面と後壁Ｗ２の前側壁面の前後方向の幅は、少なくとも遊技球１個の直径より長い長さを有している。
【０１７１】
図１３乃至図１５に示すように、前後方向に見た前壁Ｗ１と後壁Ｗ２の外形（外周）の輪郭形状は概ね同一で全体視において重なり合っている。前壁Ｗ１と後壁Ｗ２の外形輪郭部には、前壁Ｗ１と後壁Ｗ２の間を、前壁Ｗ１と後壁Ｗ２に対して略垂直につなぐ側壁（例えば、上側壁７０１ａｕ、７０１ｂｕ等）が設けられている。当該側壁は前壁Ｗ１と後壁Ｗ２の外形輪郭形状に概ね倣うように配置され、遊技球排出用の球排出口７０３Ｅを除いて前壁Ｗ１と後壁Ｗ２の外形輪郭部を囲っている。
【０１７２】
また、前壁Ｗ１および後壁Ｗ２と、前壁Ｗ１と後壁Ｗ２の外形輪郭部を囲う側壁とで形成される内部空間には、当該内部空間をさらに三つの空間に区分けして、前壁Ｗ１と後壁Ｗ２の間を前壁Ｗ１と後壁Ｗ２に対して略垂直につなぐ側壁（例えば、下側壁７０１ａｄや左側壁７０１ａｌ等）が設けられている。当該三つの空間はそれぞれ遊技球を流下させる第一の球通路７０１、第二の球通路７０２の一部、および第三の球通路７０３として機能する。
【０１７３】
第一の球通路７０１は、前方から後方に前壁Ｗ１の開口部７０１Ａ、７０１Ｂ、７０１Ｃを通過した遊技球を流下させて第三の球通路７０３に誘導するために用いられる。第二の球通路７０２は、前方から後方に前壁Ｗ１の開口部７０２Ａを通過した遊技球を流下させて第三の球通路７０３に誘導するために用いられる。第三の球通路７０３は、第一の球通路７０１を通過した遊技球と第二の球通路７０２を通過した遊技球を合流させて流下させて球排出口７０３Ｅに誘導するために用いられる。
【０１７４】
図１５に示すように、第一の球通路７０１は、前壁Ｗ１と後壁Ｗ２の外形輪郭部の一部を囲う六つの側壁（右側壁７０１ａｒ、上側壁７０１ａｕ、斜め側壁７０１ｂｕ、右側壁７０１ｂｒ、下側壁７０１ｂｄ、左側壁７０１ｃｌ）と、内部空間を画定する五つの側壁（左側壁７０１ａｌ、下側壁７０１ａｄ、左側壁７０１ｂｌ、下側壁７０１ｂｄ´、右側壁７０１ｃｒ）とを有している。
【０１７５】
右側壁７０１ａｒと左側壁７０１ａｌは、開口部７０１Ａから下方向に互いに平行に延びて配置されている。右側壁７０１ａｒと左側壁７０１ａｌは開口部７０１Ａの上部で接続されている。開口部７０１Ａから下の右側壁７０１ａｒの左側壁面と左側壁７０１ａｌの右側壁面の左右方向の幅は、少なくとも遊技球１個の直径より長い長さを有している。
【０１７６】
右側壁７０１ａｒの下端は上側壁７０１ａｕの左端に接続されている。上側壁７０１ａｕは緩やかな右下がりで傾斜して右端が斜め側壁７０１ｂｕの左上端に接続されている。一方、左側壁７０１ａｌの下端は二手に分岐した側壁のうちの下側壁７０１ａｄの左端に接続されている。下側壁７０１ａｄは右下がりに傾斜して右端が左側壁７０１ｂｌの上端に接続されている。上側壁７０１ａｕの下側壁面と下側壁７０１ａｄの上側壁面との間の幅は、最短でも遊技球１個の直径よりも長い長さを有している。
【０１７７】
前壁Ｗ１と後壁Ｗ２、右側壁７０１ａｒと左側壁７０１ａｌ、および上側壁７０１ａｕと下側壁７０１ａｄとで、開口部７０１Ａから入球した遊技球が下方に流下してさらに斜め右下に流下する球通路７０１ａが構成される。
【０１７８】
斜め側壁７０１ｂｕは約４５°の傾斜角で右下がりに傾斜して右下端が右側壁７０１ｂｒの上端に接続されている。右側壁７０１ｂｒは下方に延びた後緩やかに左に曲がって左端が下側壁７０１ｂｄの右端に接続されている。下側壁７０１ｂｄは緩やかに左下がりに傾斜して左端が下側壁７０１ｂｄ´の右端に接続されている。下側壁７０１ｂｄ´は緩やかに左下がりに傾斜して左端が右側壁７０１ｃｒの上端に接続されている。一方、左側壁７０１ｂｌは急峻な左下がりで傾斜して下端が左側壁７０１ｃｌの上端に接続されている。
【０１７９】
前壁Ｗ１と後壁Ｗ２、斜め側壁７０１ｂｕ、右側壁７０１ｂｒ、下側壁７０１ｂｄ、下側壁７０１ｂｄ´、および左側壁７０１ｂｌで規定される空間が球通路７０１ｂとなる。球通路７０１ｂの前壁Ｗ１に平行な面内は遊技球が十分に転動可能な広さを有している。また、開口部７０１Ｂは球通路７０１ｂの斜め側壁７０１ｂｕの中央近傍の前壁Ｗ１に配置されている。開口部７０１Ｃは、球通路７０１ｂの右側壁７０１ｂｒの中央近傍の前壁Ｗ１に配置されている。このため、開口部７０１Ｂ、開口部７０１Ｃからの遊技球は球通路７０１ｂに直接入り、開口部７０１Ａからの遊技球は球通路７０１ａを通って球通路７０１ｂに至る。
【０１８０】
右側壁７０１ｃｒは下方に延びて下端が第三の球通路７０３との境界部に位置している。左側壁７０１ｃｌは下方に延びて下端が第三の球通路７０３との境界部で左側壁７３１ａｌの上端に接続されている。右側壁７０１ｃｒの左側壁面と左側壁７０１ｃｌの右側壁面の左右方向の幅は、少なくとも遊技球１個の直径より長い長さを有している。また、右側壁７０１ｃｒの下端近傍の後壁Ｗ２には、球検出センサＳが貫通できる大きさの長方形状で前後方向に開口した開口部Ｘ７０１が配置されている。開口部Ｘ７０１の下端辺は第三の球通路７０３との境界部に位置している。このため、図１３に破線の四角形形状で示すように、第三の球通路７０３との境界部で、右壁７０１ｃｒの下端辺および開口部Ｘ７０１の下端辺と、前壁Ｗ１の後側壁面および左側壁７３１ａｌの右側壁面とで上下方向に開口した開口部Ｙ７１３が形成されている。
【０１８１】
前壁Ｗ１と後壁Ｗ２、および右側壁７０１ｃｒと左側壁７０１ｃｌで、遊技球が下方に流下可能な球通路７０１ｃが構成される。図１３および図１５に示すように、球通路７０１ｃの下端に第三の球通路７０３につながる開口部Ｙ７１３が設けられている。開口部Ｙ７１３は、第一の球通路７０１と第三の球通路７０３の境界となっている。このように、第一の球通路７０１は、球通路７０１ａ〜７０１ｃを有している。
【０１８２】
開口部Ｙ７１３の上方近傍で右側壁７０１ｃｒと左側壁７０１ｃｌとに挟まれて球検出センサＳが配置されている。球検出センサＳは後壁Ｗ２の開口部Ｘ７０１を貫通して前後方向に挿入されており、球検出センサＳの先端部を前壁Ｗ１の後側壁面に突き当てて配置されている。球検出センサＳの球通過口（検出口）は開口部Ｙ７１３の上方に位置して第一の球通路７０１の球通路７０１ｃ内に設けられており、遊技球が第三の球通路７０３に到達する前に遊技球を検出できるようになっている。球検出センサＳの球通過口（検出口）は遊技球が通過可能な内径を備えた略円形状に開口されている。なお、球検出センサＳの球通過口から先端部までの距離が長い場合は、当該先端部が当接する位置の前壁Ｗ１を開口して開口部を設け、球検出センサＳの先端部が当該開口部を貫通するようにしてもよい。
【０１８３】
本例のパチンコ機１００によれば、複数の一般入賞口２２６に入球された遊技球はすべて賞球数が同じであり、かつ第一の球通路７０１を通過するので、第一の球通路７０１に一つの球検出センサＳを設けるだけで遊技球をまとめて排出できる場合がある。また、球検出センサＳの配置個数を抑えることができるのでコストダウンを図ることができる場合がある。
【０１８４】
図１３および図１４に示すように、後壁Ｗ２の後には後壁Ｗ２と平行に後壁Ｗ３が配置されている。後壁Ｗ３は、左右方向と上下方向を含む平面に平行な平板形状を有している。後壁Ｗ２の後側壁面と後壁Ｗ３の前側壁面の前後方向の幅は、少なくとも遊技球１個の直径より長い長さを有している。
【０１８５】
図１５に示すように、後壁Ｗ２には、前壁Ｗ１と後壁Ｗ２との間で作られる空間と後壁Ｗ２と後壁Ｗ３との間で作られる空間とを連結して遊技球が通過できる大きさに開口された二つの例えば矩形の開口部Ｘ７０２ｂ、Ｘ７０２ｄが配置されている。開口部Ｘ７０２ｂは開口部７０２Ａの下方に位置している。開口部Ｘ７０２ｄは球検出センサＳの右側に位置している。
【０１８６】
前後方向に見た後壁Ｗ３の外形（外周）輪郭は、図１５に示すように、全体視において緩やかに右下がりに傾斜した後に下方に曲がって延びる形状を有している。後壁Ｗ３の外形輪郭部には、後壁Ｗ３と後壁Ｗ２の間を、後壁Ｗ３と後壁Ｗ２に対して略垂直につなぐ三つの側壁（上側壁７０２ｂｕ、７０２ｃｕ、下側壁７０２ｃｄ）および、後壁Ｗ３と後壁Ｗ２の間を円弧状につなぐ後下壁７０２ｄｂｄ、また、後壁Ｗ３と前壁Ｗ１の間を、後壁Ｗ３と前壁Ｗ１に対して略垂直につなぐ六つの側壁（左下側壁７０２ｂｌｄｆ、７０２ｂｌｄｂ、右側壁７０２ｄｒｆ、７０２ｄｒｂ、左側壁７０２ｄｌｆ、７０２ｄｌｂ）が設けられている。なお、前壁Ｗ１、後壁Ｗ２、および後壁Ｗ３の壁厚は、同じ厚さであってもよいし互いに異なる厚さであってもよい。
【０１８７】
図１３乃至図１５に示すように、第二の球通路７０２は、球通路７０２ａ、球通路７０２ｂ、球通路７０２ｃ、および球通路７０２ｄを有している。
【０１８８】
球通路７０２ａは、前壁Ｗ１と後壁Ｗ２、および右側壁７０２ａｒと左側壁７０２ａｌで構成されている。左側壁７０２ａｌと右側壁７０２ａｒは、開口部７０２Ａから左下がりに互いに平行に延びた後に下方向に互いに平行に延びて配置されている。左側壁７０２ａｌと右側壁７０２ａｒは開口部７０２Ａの上部で接続されている。
【０１８９】
左側壁７０２ａｌは後壁Ｗ２の開口部Ｘ７０２ｂ近傍まで延びて下端が左下側壁７０２ｂｌｄｆの上端に接続されている。右側壁７０２ａｒは後壁Ｗ２の開口部Ｘ７０２ｂ近傍まで延びて下端が右側壁７０２ｂｒの上端に接続されている。開口部７０２Ａから下の左側壁７０２ａｌの右側壁面と右側壁７０２ａｒの左側壁面の左右方向の幅は、少なくとも遊技球１個の直径より長い長さを有している。
【０１９０】
球通路７０２ａは、前後方向の位置が第一の球通路７０１と同じ位置にある。つまり、球通路７０２ａは、第一の球通路７０１と同様に前壁Ｗ１と後壁Ｗ２との間で作られる空間内にある。
【０１９１】
球通路７０２ａは、右側壁７０２ａｒが下方向に延びて二手に分岐する分岐点までの区間において、当該区間の右側壁７０２ａｒの部位が球通路７０１ａの左側壁７０１ａｌと同一であり、第一の球通路７０１の球通路７０１ａの左側壁７０１ａｌと側壁同士が共有されている。
【０１９２】
本例のパチンコ機１００によれば、第一の球通路７０１の球通路７０１ａの一部と第二の球通路７０２の球通路７０２ａの一部が隣り合っていて仕切り壁が共有される。左右方向に厚みのある球通路の壁が共有されるので球通路ユニット７００の左右方向の省スペース化を図ることができる場合がある。なお、側壁同士が共有とは、球通路が隣り合っていている部分の仕切り壁が共有されていることをいう。
【０１９３】
球通路７０２ａの下端は球通路７０２ｂに接続されている。球通路７０２ｂは、球通路７０２ａ内を下方に流下してきた遊技球の進路を後方に変更して、遊技球を後壁Ｗ２に配置された開口部Ｘ７０２ｂを通過させて後続の球通路７０２ｃに送り出すために設けられている。換言すれば、球通路７０２ｂは、前壁Ｗ１と後壁Ｗ２との間に設けられた球通路７０２ａと、後壁Ｗ２と後壁Ｗ３との間に設けられた球通路７０２ｃとを連結するために前後方向に設けられている。
【０１９４】
球通路７０２ｂは、前壁Ｗ１、後壁Ｗ３、右側壁７０２ｂｒ、左下側壁７０２ｂｌｄｆ、７０２ｂｌｄｂ、および上側壁７０２ｂｕで構成されている。
【０１９５】
左下側壁７０２ｂｌｄｆの前端は前壁Ｗ１と接続している。左下側壁７０２ｂｌｄｂの後端は後壁Ｗ３と接続している。左下側壁７０２ｂｌｄｆの後端と左下側壁７０２ｂｌｄｂの前端が接続されて左下側壁７０２ｂｌｄｆと左下側壁７０２ｂｌｄｂは前後方向に平行な一面内に含まれている。左下側壁７０２ｂｌｄｆと左下側壁７０２ｂｌｄｂは、図１５に示すように、前後方向に見て左上端から右下端に向かって、遊技球が通過可能な広さを確保しつつ左下に凸の円弧状に曲がって形成されている。円弧の半径の長さは、遊技球１個分の長さより長い。左下側壁７０２ｂｌｄｆの前後方向の幅は、前壁Ｗ１の後側壁面と後壁Ｗ２の前側壁面の前後方向の幅よりも長い長さを有している。左下側壁７０２ｂｌｄｂの前後方向の幅は、後壁Ｗ２の後側壁面と後壁Ｗ３の前側壁面の前後方向の幅よりも長い長さを有している。なお、左下側壁７０２ｂｌｄｆと左下側壁７０２ｂｌｄｂを前後方向に見た形状は円弧状でなくてもよく、例えば、左上端から下方に延びる壁面と右下端から左方に延びる壁面とが交わる形状であってもよい。その際の両壁面が挟む角度は直角あるいはそれより広い鈍角であればよい。
【０１９６】
左下側壁７０２ｂｌｄｆの左上端は左側壁７０２ａｌの下端に接続されている。左下側壁７０２ｂｌｄｆの右下端は右側壁７０２ｂｒの下端に接続されている。一方、左下側壁７０２ｂｌｄｂの左上端は上側壁７０２ｂｕの左端に接続されている。左下側壁７０２ｂｌｄｂの右下端は下側壁７０２ｃｄの左端に接続されている。上側壁７０２ｂｕは、緩やかに右下がりに傾斜して右端が上側壁７０２ｃｕの左端に接続されている。
【０１９７】
球通路７０２ｂの左下側壁７０２ｂｌｄｆ、７０２ｂｌｄｂは、後壁Ｗ３と前壁Ｗ１に対して略垂直に配置されているため、通路内は前後方向に傾斜していない。また、左下側壁７０２ｂｌｄｂと後壁Ｗ３の接続部は上下方向に見て直角になっている。これにより遊技球の円滑な流下が妨げられないように、球通路７０２ｂ内には方向変更用突起Ｚ１、Ｚ２が設けられている。方向変更用突起Ｚ１は、図１３および図１４に示すように、後から前に向かって開口部Ｘ７０２ｂを見ると、開口部Ｘ７０２ｂのほぼ中央に位置する前壁Ｗ１の部分から下方に延びて左下側壁７０２ｂｌｄｆの角部に接続する板状になっている。また、方向変更用突起Ｚ１は、左右方向に見て、約４５°の傾斜角で前上から後下に向かう斜面を有している。方向変更用突起Ｚ１により、球通路７０２ａを流下した遊技球は方向変更用突起Ｚ１の斜面を転がり落ちて転動方向を後方に変更して開口部Ｘ７０２ｂを通過する。なお、球通路７０２ｂ内の遊技球の通路を十分に確保するために、上側壁７０２ｂｕは上方にいくぶん高く配置してもよい。なお、球通路７０１ａを通過した遊技球が球通路７０１ｂ内を後方向に流下転動できる程度に前から後に向かって下に傾斜する傾斜面を左下側壁７０２ｂｌｄｆ、７０２ｂｌｄｂが有している場合は、方向変更用突起Ｚ１は設けなくてもよい。
【０１９８】
方向変更用突起Ｚ２は、図１３および図１４に示すように、後から前に開口部Ｘ７０２ｂを見ると、開口部Ｘ７０２ｂの中央やや下方に位置する後壁Ｗ３の部分から左方に延びて左下側壁７０２ｂｌｄｆの側面部に接続する板状になっている。また、方向変更用突起Ｚ２は、上下方向に見て、約４５°の傾斜角で左前から右後に向かう斜面を有している。方向変更用突起Ｚ２により、開口部Ｘ７０２ｂを通過した遊技球は方向変更用突起Ｚ２の斜面を転がりながら転動方向を右方に変更して球通路７０２ｂを通過する。なお、球通路７０１ｂ内を右方向に流下転動できる程度に左から右に向かって下に傾斜する傾斜面を左下側壁７０２ｂｌｄｂが有している場合は、方向変更用突起Ｚ２は設けなくてもよい。
【０１９９】
図１５に示す球通路７０２ｂにおいて、内円が黒く塗り潰された二重丸は、遊技球が前方から後方に向かって進行することを示している。なお、図１５では方向変更用突起Ｚ１、Ｚ２の図示は省略している。
【０２００】
球通路７０２ｂの下端は球通路７０２ｃに接続されている。球通路７０２ｃは、球通路７０２ｂを通過した遊技球を右下方向に誘導した後進路を下方に変更するために設けられている。球通路７０２ｃは、後壁Ｗ２と後壁Ｗ３、および上側壁７０２ｃｕと下側壁７０２ｃｄで構成される。
【０２０１】
上側壁７０２ｃｕは、緩やかに右下がりに傾斜した後に下方に曲がって延びて下端が右側壁７０２ｄｒｂの上端に接続されている。下側壁７０２ｃｄは、緩やかに右下がりに傾斜した後に下方に曲がって延びて下端が左側壁７０２ｄｌｂの上端に接続されている。上側壁７０２ｃｕと下側壁７０２ｃｄの内側対向面の幅は、少なくとも遊技球１個の直径より長い長さを有している。
【０２０２】
図１５に示すように、第二の球通路７０２の球通路７０２ｃのうち第一の球通路７０１の左側壁７０１ｂｌと下側壁７０１ｂｄ´とで画定される球通路区間は、前後方向に見て第一の球通路７０１と重なる部位である。本例のパチンコ機１００によれば、透明遊技盤８１０の裏側で第一の球通路７０１と第二の球通路７０２の一部が前後方向に重なるので、球通路に特徴を持った遊技台を提供できる。また、一般入賞口２２６に入球した遊技球と第二のアウト口２４１に入球した遊技球を区別して異なる球通路を通過させることができる場合がある。さらに、前後方向に複数の球通路を設けているので、球通路ユニット７００の左右方向や上下方向の省スペース化を図ることができる場合がある。
【０２０３】
また、当該部位は、第一の球通路７０１の後側、すなわち後壁Ｗ２と後壁Ｗ３との間で作られる空間内にある。本例のパチンコ機１００によれば、第二の球通路７０２の一部が第一の球通路７０１の後側にオーバーラップしている。これにより、第一の球通路７０１のレイアウト（配置）は第二の球通路７０２によって邪魔されないので、第一の球通路７０１を通過する遊技球を速やかに排出させる（球検出センサＳに検出させる）ことができる場合がある。
【０２０４】
また、当該部位において、第二の球通路７０２の前壁は第一の球通路７０１の後壁と同一である。すなわち、当該部位において、後壁Ｗ２は第一の球通路７０１と第二の球通路７０２とで共有されている。本例のパチンコ機１００によれば、前後方向に厚みのある後壁Ｗ２を共有するので、球通路ユニット７００の左右方向や上下方向の省スペース化に加えて前後方向の省スペース化を図ることができる場合がある。なお、第二の球通路７０２に前壁Ｗ４を別個に設けて、後壁Ｗ２が第一の球通路７０１と第二の球通路７０２とで共有されないようにしてもよい。こうすることにより、球通路ユニット７００の構成部材の成型が容易になる場合がある。また、球通路ユニット７００の製造を容易にして低コスト化を図ることができる場合がある。
【０２０５】
また、本例のパチンコ機１００によれば、第一の球通路７０１はセーフ球が通過し、第二の球通路７０２はアウト球が通過するので、セーフ球とアウト球を分けて排出することができる。また、セーフ球は前壁Ｗ１と後壁Ｗ２との間で作られる空間内のみを移動するので、後壁Ｗ２と後壁Ｗ３の間で作られる空間内も移動するアウト球よりも速やかに排出できる場合がある。
【０２０６】
球通路７０２ｃの下端は球通路７０２ｄに接続されている。球通路７０２ｄは、球通路７０２ｃから下方に流下してきた遊技球の進路を前方に変更して、遊技球を後壁Ｗ２に配置された開口部Ｘ７０２ｄを通過させて後続の第三の球通路７０３に送り出すために設けられている。換言すれば、球通路７０２ｄは、後壁Ｗ２と後壁Ｗ３との間に設けられた球通路７０２ｃと、前壁Ｗ１と後壁Ｗ２との間に設けられた第三の球通路７０３とを連結するために前後方向に設けられている。
【０２０７】
球通路７０２ｄは、前壁Ｗ１、後下壁７０２ｄｂｄ、右側壁７０２ｄｒｆ、７０２ｄｒｂ、および左側壁７０２ｄｌｆ、７０２ｄｌｂで構成されている。
【０２０８】
後下壁７０２ｄｂｄは、図１３に示すように、左右方向に見て後上端から前下端に向かって、遊技球が通過可能な広さを確保しつつ後下方向に凸の円弧状に曲がって形成されている。円弧の半径の長さは、遊技球１個分の長さより長い。後下壁７０２ｄｂｄの後上端は後壁Ｗ３の下端と接続している。後下壁７０２ｄｂｄの前下端は後壁Ｗ２の開口部Ｘ７０２ｄの下端と接続している。なお、後下壁７０２ｄｂｄを左右方向に見た形状は円弧状でなくてもよく、例えば、後上端から下方に延びる壁面と前下端から後方に延びる壁面とが交わる形状であってもよい。その際の両壁面が挟む角度は直角あるいはそれより広い鈍角であればよい。また、後下壁７０２ｄｂｄの内壁面に遊技球の流下方向を前側に向ける方向変更用突起を設けてもよい。
【０２０９】
図１３に破線の菱形形状で示すように、後下壁７０２ｄｂｄの前下端、右側壁７０２ｄｒｆの下端、および左側壁７０２ｄｌｆの下端と、前壁Ｗ１の後側壁面とで上下方向に開口した開口部Ｙ７２３が形成されている。球通路７０２ｄを通過した遊技球は開口部Ｙ７２３で落下して第三の球通路７０３に至る。開口部Ｙ７２３は第二の球通路７０２と第三の球通路７０３の境界となっている。
【０２１０】
左側壁７０２ｄｌｆの前端は前壁Ｗ１と接続している。左側壁７０２ｄｌｆの上端部は右側壁７０１ｃｒの右側壁面と接続している。左側壁７０２ｄｌｂの上端は下側壁７０２ｃｄの下端と接続している。左側壁７０２ｄｌｂの後上端から前下端は後下壁７０２ｄｂｄの円弧形状に倣って後下壁７０２ｄｂｄの左側部に接続されている。左側壁７０２ｄｌｆの後端と左側壁７０２ｄｌｂの前端が接続されて左側壁７０２ｄｌｆと左側壁７０２ｄｌｂは前後方向に平行な一平面内に含まれている。左側壁７０２ｄｌｆの前後方向の幅は、前壁Ｗ１の後側壁面と後壁Ｗ２の前側壁面の前後方向の幅よりも長い長さを有している。
【０２１１】
右側壁７０２ｄｒｆの前端は前壁Ｗ１と接続している。右側壁７０２ｄｒｆの上端は下側壁７０１ｂｄ、７０１ｂｄ´の下側壁面と接続している。右側壁７０２ｄｒｂの上端は下側壁７０２ｃｕの下端と接続している。右側壁７０２ｄｒｂの後上端から前下端は後下壁７０２ｄｂｄの円弧形状に倣って後下壁７０２ｄｂｄの右側部に接続されている。右側壁７０２ｄｒｆの後端と右側壁７０２ｄｒｂの前端が接続されて右側壁７０２ｄｒｆと右側壁７０２ｄｒｂは前後方向に平行な一平面内に含まれている。右側壁７０２ｄｒｆの前後方向の幅は、前壁Ｗ１の後側壁面と後壁Ｗ２の前側壁面の前後方向の幅よりも長い長さを有している。
【０２１２】
図１５に示す球通路７０２ｄにおいて、内方に×が付された丸印は、遊技球が後方から前方に向かって進行することを示している。
【０２１３】
図１３乃至図１５に示すように、第三の球通路７０３は、前壁Ｗ１と後壁Ｗ２の外形輪郭部の一部を囲う五つの側壁（上側壁７０３ａｕ、右側壁７０３ｂｒ、左側壁７３１ａｌ、下側壁７０３ａｄ、左側壁７０３ｂｌ）を有している。
【０２１４】
左側壁７３１ａｌの上端は、左側壁７０１ｃｌの下端に接続されている。左側壁７３１ａｌは、下方向に延びた後右に曲がって緩やかな右下がりで傾斜して右端が下側壁７０３ａｄの左端に接続されている。
【０２１５】
前壁Ｗ１、後壁Ｗ２、および左側壁７３１ａｌで、第一の球通路７０１を通過して開口部Ｙ７１３を通過した遊技球が下方にさらに流下する球通路７１３と、第二の球通路７０２を通過して開口部Ｙ７２３を通過した遊技球が下方にさらに流下する球通路７２３とが構成される。球通路７１３と球通路７２３の上下方向の幅は、遊技球２個の直径の和以上の長さを有している。
【０２１６】
球通路７１３の右端は球通路７２３に接続されている。球検出センサＳが設けられている第一の球通路７０１を通過して球通路７１３を流下した遊技球と第二の球通路７０２を通過して球通路７２３を流下した遊技球は、球通路７２３内の合流位置Ｊ７１２近傍で合流して後続の球通路７０３ａを通過する。
【０２１７】
本例のパチンコ機１００によれば、セーフ球とアウト球を分けて排出させることができる。また、アウト球と球検出センサＳを通過したセーフ球を第三の球通路７０３で合流させることで、セーフ球用の第三の球通路７０３とアウト球用の第三の球通路７０３を別個に設ける必要がない。これにより、第三の球通路７０３の省スペース化を図ることができる場合がある。
【０２１８】
上側壁７０３ａｕの左端は、右側壁７０２ｄｒｆの下端に接続されている。上側壁７０３ａｕは、緩やかな右下がりで傾斜した後下方に延びて下端が右側壁７０３ｂｒの上端と接続されている。下側壁７０３ａｄは、緩やかな右下がりで傾斜した後下方に延びて下端が左側壁７０３ｂｌの上端と接続されている。
【０２１９】
球通路７２３の右端は、球通路７０３ａに接続されている。球通路７０３ａは、前壁Ｗ１と後壁Ｗ２、および上側壁７０３ａｕと下側壁７０３ａｄとで構成されている。球通路７０３ａの上下方向の幅は、遊技球２個の直径の和以上の長さを有している。
【０２２０】
右側壁７０３ｂｒの上端は、上側壁７０３ａｕの下端に接続されている。右側壁７０３ｂｒは下方に延びている。左側壁７０３ｂｌの上端は、下側壁７０３ａｄの下端に接続されている。左側壁７０３ｂｌは下方に延びている。球排出口７０３Ｅは、前壁Ｗ１の下端と後壁Ｗ２の下端、および右側壁７０３ｂｒの下端と左側壁７０３ｂｌの下端とで構成されている。球通路７０３ｂの左右方向の幅は、遊技球２個の直径の和以上の長さを有している。
【０２２１】
球通路７０３ａの下端は、球通路７０３ｂに接続される。球通路７０３ｂは、前壁Ｗ１と後壁Ｗ２、および右側壁７０３ｂｒと左側壁７０３ｂｌとで構成されている。球通路７０３ｂを通過した遊技球は、球排出口７０３Ｅに誘導される。なお、球通路７０３ｂを設けずに球通路７０３ａの下端を球排出口７０３Ｅとしてもよい。
【０２２２】
第一〜第三の球通路７０１〜７０３のそれぞれにおいて遊技球の流下方向に直交する平面で切断した通路断面（以下、「通路断面」という。）での断面開口（内壁面で囲まれた閉領域）の大きさ（開口面積）は、第一〜第三の球通路７０１〜７０３の各通路断面の位置により異なっている場合がある。図１３に破線の四角形で示す断面開口７０１Ｏは、第一の球通路７０１の球通路７０１ａの下端位置での通路断面における断面開口の大きさを示している。同様に断面開口７０２Ｏは、第二の球通路７０２の球通路７０２ｃのほぼ中央位置での通路断面における断面開口の大きさを示している。同様に断面開口７０３Ｏは、第三の球通路７０３の球通路７０３ａのほぼ中央位置での通路断面における断面開口の大きさを示している。第一の球通路７０１の断面開口７０１Ｏの大きさは、第二の球通路７０２の断面開口７０２Ｏの大きさとほぼ同じである。一方、第三の球通路７０３の断面開口７０３Ｏの大きさは、第一の球通路７０１の断面開口７０１Ｏの大きさより大きい。また、第三の球通路７０３の断面開口７０３Ｏの大きさは、第二の球通路７０２の断面開口７０２Ｏの大きさより大きい。
【０２２３】
本例のパチンコ機１００によれば、第一の球通路７０１や第二の球通路７０２を通過した遊技球が合流した後の第三の球通路７０３の球通路７０３ａや球通路７０３ｂの断面開口７０３Ｏの開口面積の方が、合流前の例えば球通路７０１ａの断面開口７０１Ｏの開口面積や球通路７０２ｃの断面開口７０２Ｏの開口面積よりも大きい。これにより、合流した後の第三の球通路７０３（特に合流位置Ｊ７１２近傍の球通路）で遊技球が詰まってしまうことを防止できる場合がある。
【０２２４】
なお、前壁Ｗ１と後壁Ｗ２、左側壁７０１ａｄと左側壁７０１ｂｌ、二手に分岐した分岐点から下の右側壁７０２ａｒと右側壁７０２ｂｒ、および左下側壁７０２ｂｌｄｆの右下端と左側壁７０１ｃｌの上端とを結ぶ下側壁（不図示）で囲まれた領域は空洞領域になっている。この空洞領域は種々の変形が可能である。例えば、左下側壁７０２ｂｌｄｆの右下端と左側壁７０１ｂｌの下端とを結ぶ下側壁を設けずに開口端としておいてもよい。また、空洞内に樹脂材料を充填して空洞領域を埋め込んでもよい。また、空洞領域の前壁Ｗ１を開口してもよい。また、空洞領域の後壁Ｗ２のうち球通路７０２ｃの前壁として共有する領域以外の部分を開口してもよい。
【０２２５】
また、左側壁７０１ａｄと左側壁７０１ｂｌを設けないようにしてもよい。こうすることにより、球通路７０１ａと球通路７０１ｂの構成に代えて、球通路７０１ｃにつながる一つの広域球通路を作ることができる。広域球通路は、前壁Ｗ１と後壁Ｗ２、右側壁７０１ａｒ、側壁７０１ａｕ、斜め側壁７０１ｂｕ、右側壁７０１ｂｒ、下側壁７０１ｂｄ、下側壁７０１ｂｄ´、左側壁７０１ａｌ、右側壁７０２ｂｒ、および左下側壁７０２ｂｌｄｆの右下端と左側壁７０１ｃｌの上端とを結ぶ下側壁（不図示）で画定される空間で構成される。なお、左側壁７０１ａｌの下端は右側壁７０２ｂｒの上端に接続されている。
【０２２６】
また、前壁Ｗ１の後側壁面と後壁Ｗ２の前側壁面の前後方向の幅は、遊技球２個の直径の和以上の長さを有していてもよい。また、後壁Ｗ２の後側壁面と後壁Ｗ３の前側壁面の前後方向の幅も、遊技球２個の直径の和以上の長さを有していてもよい。また、前壁Ｗ１、後壁Ｗ２、後壁Ｗ３、および各側壁は透明樹脂材料で形成されているので、遊技店の店員等が球通路ユニットのメンテナンスの際に球通路内部の汚れの状況等を把握し易くなっている。なお、前壁Ｗ１、後壁Ｗ２、後壁Ｗ３、および各側壁は不透明樹脂材料で形成されていてもよい。また、球通路内の内壁に遊技球が流下する方向に沿って線状溝や線状突起が形成されていてもよい。こうすることにより、球通路の内壁と遊技球との摩擦を低減させて遊技球を滑らかに速やかに転動させることができる場合がある。また、球通路の傾斜路に段差を設けたり球通路の壁部にスリットを設けたりしてもよい。こうすることにより遊技球の流下速度を調整できる場合がある。
【０２２７】
次に、球通路ユニット７００の球通路を通過する遊技球の動きについて説明する。開口部７０１Ａに誘導された遊技球は、球通路７０１ａを通って下方に流下してさらに斜め右下に流下する。次いで、球通路７０１ｂを通って右下方に移動してさらに左下方に流下する。次いで、球通路７０１ｃを通って下方に落下して球検出センサＳを通過する。次いで、開口部Ｙ７１３を通過して球通路７１３を通ってさらに下方に流下する。次いで、合流位置Ｊ７１２を通過して球通路７０３ａを通って右下方に流下する。次いで、球通路７０３ｂを通って下方に流下して球排出口Ｅから排出される。開口部７０１Ｂ、７０１Ｃに誘導された遊技球の動作については、開口部７０１Ａの場合と同様なのでその説明は省略する。
【０２２８】
開口部７０２Ａに誘導された遊技球は、球通路７０２ａを通って下方に流下する。次いで、球通路７０２ｂを通って球通路７０２ｂ内に設けられた方向変更用突起Ｚ１により転動方向を後方に変更して開口部Ｘ７０２ｂを通過する。次いで、方向変更用突起Ｚ２により転動方向を右方に変更する。次いで、球通路７０２ｃを通って右下方に移動してさらに下方に流下する。次いで、球通路７０２ｄを通って前下方に移動して開口部Ｘ７０２ｄを通過する。次いで、開口部Ｙ７２３を通過して球通路７２３を通ってさらに下方に流下する。次いで、合流位置Ｊ７１２を通過して球通路７０３ａを通って右下方に流下する。次いで、球通路７０３ｂを通って下方に流下して球排出口Ｅから排出される。
【０２２９】
次に、以上説明した一実施の形態によるパチンコ機１００の特徴的構成について再度図１３乃至図１５を参照しつつ説明する。
（Ａ１）
遊技領域（例えば、遊技領域１２４）から排出された遊技球が少なくとも通過可能な複数の通路（例えば、第一の球通路７０１、第二の球通路７０２、および第三の球通路７０３）を備えた遊技台であって、
前記複数の通路のうちの少なくとも一つ（以下、「第二の通路」（例えば、第二の球通路７０２）という。）は、前記複数の通路のうちの前記第二の通路とは別の少なくとも一つ（以下、「第一の通路」（例えば、第一の球通路７０１）という。）と前後方向において少なくとも一部（例えば、球通路７０２ｃのうち第一の球通路７０１の左側壁７０１ｂｌと下側壁７０１ｂｄ´とで画定される球通路区間）が重なる通路である、
ことを特徴とする遊技台。
【０２３０】
上記遊技台によれば、透明遊技盤８１０の裏側で第一の球通路７０１と第二の球通路７０２の一部が前後方向に重なるので、球通路に特徴を持った遊技台を提供できる。また、一般入賞口２２６に入球した遊技球と第二のアウト口２４１に入球した遊技球を区別して異なる球通路を通過させることができる場合がある。さらに、前後方向に複数の球通路を設けているので、球通路ユニット７００の左右方向の省スペース化を図ることができる場合がある。
【０２３１】
（Ａ２）
上記（Ａ１）に記載の遊技台であって、
前記複数の通路のうちの少なくとも一つ（以下、「第三の通路」（例えば、第三の球通路７０３）という。）の一部は、前記第一の通路を通過した遊技球と前記第二の通路を通過した遊技球が合流した後の通路（例えば、球通路７０３ａ、球通路７０３ｂ）である、ことを特徴とする遊技台。
【０２３２】
上記遊技台によれば、セーフ球とアウト球を分けて排出させることができる。
【０２３３】
上記（Ａ２）に記載の遊技台であって、
前記第一の通路は、遊技球検出手段（例えば、球検出センサＳ）が少なくとも設けられた通路であり、
前記第一の通路と前記第二の通路は、第一の位置（例えば、合流位置Ｊ７１２）で遊技球が合流する通路であり、
前記第一の位置は、前記遊技球検出手段が設けられた位置（例えば、開口部Ｙ７１３の上方近傍）よりも少なくとも下流（例えば、開口部Ｙ７１３の下方）となる位置である、ことを特徴とする遊技台。
【０２３４】
（Ａ３）
上記（Ａ２）に記載の遊技台であって、
前記第一の通路は、遊技球検出手段（例えば、球検出センサＳ）が少なくとも設けられた通路であり、
前記遊技球検出手段に遊技球が検出されたことに関連して賞球（例えば、入賞に基づいて遊技者に払い出す球）を少なくとも付与可能な賞球付与手段（例えば、払出装置１５２）を備え、
前記第一の通路は、第一の領域（例えば、一般入賞口２２６）に進入した遊技球が通過可能な通路であり、
前記第二の通路は、第二の領域（例えば、第二のアウト口２４１）に進入した遊技球が通過可能な通路であり、
前記第二の領域に進入した遊技球は、前記遊技球検出手段に検出されることなく前記第三の通路に誘導され、
前記第一の領域に進入した遊技球は、前記遊技球検出手段に検出されたあとで前記第三の通路に誘導される、
ことを特徴とする遊技台。
【０２３５】
上記遊技台によれば、アウト球と球検出センサＳを通過したセーフ球を第三の球通路７０３で合流させることで、セーフ球用の第三の球通路７０３とアウト球用の第三の球通路７０３を別個に設ける必要がない。これにより、第三の球通路７０３の省スペース化を図ることができる場合がある。また、セーフ球は前壁Ｗ１と後壁Ｗ２との間で作られる空間内のみを移動するので、後壁Ｗ２と後壁Ｗ３の間で作られる空間内も移動するアウト球よりも速やかに排出される場合がある。
【０２３６】
（Ａ４）
上記（Ａ３）に記載の遊技台であって、
前記第一の領域は、前記遊技領域に設けられた領域であり、
前記第二の領域は、前記遊技領域に設けられた領域であり、
前記第二の領域は、前記第一の領域よりも上方（例えば、一般入賞口２２６の上方）に設けられた領域である、
ことを特徴とする遊技台。
【０２３７】
上記遊技台によれば、第二のアウト口２４１の方が一般入賞口２２６よりも高い位置にあるので、アウト球を遊技領域１２４の裏側を使用して排出することができる場合がある。
【０２３８】
（Ａ５）
上記（Ａ３）または（Ａ４）に記載の遊技台であって、
前記第一の通路は、複数の領域（例えば、三つの一般入賞口２２６）に進入した遊技球が通過可能な通路であり、
前記複数の領域のうちの少なくとも一つは、前記第一の領域（例えば、開口部７０１Ａに遊技球を誘導する一般入賞口２２６）であり、
前記複数の領域のうちの少なくとも一つは、第三の領域（例えば、開口部７０１Ｂに遊技球を誘導する一般入賞口２２６、開口部７０１Ｃに遊技球を誘導する一般入賞口２２６）であり、
前記第二の領域は前記複数の領域に含まれない領域であり、
前記遊技球検出手段は、前記第一の通路に一つのみ設けられた手段であり、
前記遊技球検出手段は、前記第一の領域に進入した遊技球を少なくとも検出可能な手段であり、
前記遊技球検出手段は、前記第三の領域に進入した遊技球を少なくとも検出可能な手段であり、
前記賞球付与手段は、前記第一の領域に遊技球が進入した場合と前記第三の領域に遊技球が進入した場合で同じ数（例えば、１０個）の賞球を付与可能な手段である、
ことを特徴とする遊技台。
【０２３９】
上記遊技台によれば、複数の一般入賞口２２６に入球された遊技球はすべて賞球数が同じであり、かつ第一の球通路７０１を通過するので、第一の球通路７０１に一つの球検出センサＳを設けるだけで遊技球をまとめて排出できる場合がある。また、球検出センサＳの配置個数を抑えることができるのでコストダウンを図ることができる場合がある。
【０２４０】
（Ａ６）
上記（Ａ２）乃至（Ａ５）のいずれか一項に記載の遊技台であって、
前記第一の通路の断面開口（例えば、断面開口７０１Ｏ）の大きさは、第一の大きさであり、
前記第二の通路の断面開口（例えば、断面開口７０２Ｏ）の大きさは、第二の大きさであり、
前記第三の通路の断面開口（例えば、断面開口７０３Ｏ）の大きさは、第三の大きさであり、
前記第三の大きさは、前記第一の大きさよりも大きく、
前記第三の大きさは、前記第二の大きさよりも大きい、
ことを特徴とする遊技台。
【０２４１】
上記遊技台によれば、第一の球通路７０１や第二の球通路７０２を通過した遊技球が合流した後の第三の球通路７０３の球通路７０３ａや球通路７０３ｂの断面開口７０３Ｏの開口面積の方が、合流前の例えば球通路７０１ａの断面開口７０１Ｏの開口面積や球通路７０２ｃの断面開口７０２Ｏの開口面積よりも大きい。これにより、合流した後の第三の球通路７０３（特に合流位置Ｊ７１２近傍の球通路）で遊技球が詰まってしまうことを防止できる場合がある。
【０２４２】
上記（Ａ６）に記載の遊技台であって、
前記第一の大きさは、最上流の前記複数の領域のうちの一つに進入した遊技球のみが通過可能な領域の前記断面開口の大きさである、
ことを特徴とする遊技台。
【０２４３】
（Ａ７）
上記（Ａ１）乃至（Ａ６）のいずれか一項に記載の遊技台であって、
前記第二の通路は、複数の部位（例えば、球通路７０２ａ、球通路７０２ｂ、球通路７０２ｃ、および球通路７０２ｄ）により構成された通路であり、
前記複数の部位のうちの少なくとも一つ（以下、「第一の部位」（例えば、球通路７０２ａ）という。）は、前後方向の位置が前記第一の通路と同じ位置にある（例えば、前壁Ｗ１と後壁Ｗ２との間で作られる空間内にある）部位であり、
前記複数の部位のうちの少なくとも一つ（以下、「第二の部位」（例えば、球通路７０２ｃ）という。）は、前後方向において前記第一の通路と重なる位置にある（例えば、後壁Ｗ２と後壁Ｗ３との間で作られる空間内にある）部位であり、
前記第二の通路は、前記第一の部位の少なくとも一部（例えば、球通路７０２ａのうち右側壁７０２ａｒが下方向に延びて二手に分岐する分岐点までの球通路区間）において前記第一の通路と側壁同士が共有（例えば、当該区間の右側壁７０２ａｒの部位が球通路７０１ａの左側壁７０１ａｌと同一であり側壁同士が共有）され、
前記第二の通路は、前記第二の部位の少なくとも一部（例えば、球通路７０２ｃのうち第一の球通路７０１の左側壁７０１ｂｌと下側壁７０１ｂｄ´とで画定される球通路区間）において前記第一の通路の後壁（例えば、前壁Ｗ１の後側にある後壁Ｗ２）と該第二の通路の前壁（例えば、後壁Ｗ３の前側にある後壁Ｗ２）が共有される、
ことを特徴とする遊技台。
【０２４４】
上記遊技台によれば、第一の球通路７０１の球通路７０１ａの一部と第二の球通路７０２の球通路７０２ａの一部が隣り合っていて仕切り壁が共有される。左右方向に厚みのある球通路の壁が共有されるので球通路ユニット７００の左右方向の省スペース化を図ることができる場合がある。なお、側壁同士が共有とは、球通路が隣り合っていている部分の仕切り壁が共有されていることをいう。
【０２４５】
また、上記遊技台によれば、透明遊技盤８１０の裏側で第一の球通路７０１と第二の球通路７０２の一部が前後方向に重なるので、球通路に特徴を持った遊技台を提供できる。さらに、前後方向に複数の球通路を設けているので、球通路ユニット７００の左右方向の省スペース化を図ることができる場合がある。
【０２４６】
また、第二の球通路７０２の球通路７０２ｃのうち第一の球通路７０１の左側壁７０１ｂｌと下側壁７０１ｂｄ´とで画定される球通路区間は、前後方向に見て第一の球通路７０１と重なる部位である。当該部位において、第二の球通路７０２の前壁は第一の球通路７０１の後壁と同一である。すなわち、当該部位において、後壁Ｗ２は第一の球通路７０１と第二の球通路７０２とで共有されている。本例のパチンコ機１００によれば、前後方向に厚みのある後壁Ｗ２を共有するので、球通路ユニット７００の左右方向の省スペース化に加えて前後方向の省スペース化を図ることができる場合がある。
【０２４７】
（Ａ８）
上記（Ａ１）乃至（Ａ７）のいずれか一項に記載の遊技台であって、
前記第二の通路は、少なくとも一部（例えば、球通路７０２ｃのうち第一の球通路７０１の左側壁７０１ｂｌと下側壁７０１ｂｄ´とで画定される球通路区間）が前記第一の通路の後側に重なる通路である、
ことを特徴とする遊技台。
【０２４８】
上記遊技台によれば、第二の球通路７０２の一部が第一の球通路７０１の後側にオーバーラップしている。これにより、第一の球通路７０１のレイアウト（配置）は第二の球通路７０２によって邪魔されないので、第一の球通路７０１を通過する遊技球を速やかに排出させる（球検出センサＳに検出させる）ことができる場合がある。
【０２４９】
（Ａ９）
上記（Ａ１）乃至（Ａ８）のいずれか一項に記載の遊技台であって、
前記遊技台は、パチンコ機（例えば、パチンコ機１００）である、
ことを特徴とする遊技台。
【０２５０】
本発明は、上記実施の形態に限らず種々の変形が可能である。
例えば、三つ以上の通路が前後方向に重なる構成であってもよい。
第一の通路と第二の通路は、両方ともセーフ球通路であってもよいし、両方ともアウト球通路であってもよい。
第一の通路と第二の通路の少なくとも一方の通路は、入賞装置や賞球を伴わない進入領域のようなものに搭載される通路であってもよい。
第一の通路が第二の通路の後方側にオーバーラップする構成であってもよいし、両方の通路が互いに前方後方に交互にオーバーラップする構成であってもよい。
第一の通路と第二の通路がともにセーフ球通路であって、入賞したときの賞球数が同じであれば、第三の通路内に遊技球検出手段を備える構成であってもよい。
通路断面における第一の通路および第二の通路の開口面積（断面開口）の大きさの方が、通路断面における第三の通路の開口面積よりも大きい構成であってもよい。こうすることにより、遊技球を第三の通路に速やかに排出した後第三の通路内で遊技球を整列させて誘導できる場合がある。
第三の通路に別の遊技球検出手段を備えていてもよい。例えば、カウントスイッチとして全ての通路を通過した遊技球の合計をカウントする（遊技領域のブドウや、カウントによる演出切替に使う）構成でもよい。
第二のアウト口の方が一般入賞口よりも低い位置にあってもよい。
背後に重なる通路（後側）がセーフ球通路でもよい。
遊技領域から排出された遊技球が少なくとも通過可能な通路とは、遊技台のみならず島設備のように遊技台自体から排出されて再度遊技台の球タンクに供給される部分の通路を含んでいてもよい。つまり遊技台を含む遊技島自体に本発明の球通路ユニットを適用可能とすることで、遊技球の通路のスペース効率を向上させることができる場合がある。
なお、前後方向に重なる場合において、第一の通路と第二の通路とが前後方向に重なるとともに通路が互いに立体的に交差する立体交差の場合を含んでいてもよい。
【０２５１】
なお、上記実施例において「少なくとも・・・可能」と記載された構成は、当該部分を「・・・のみ可能」と置き換えて解釈することもできる。例えば、「第一の入賞領域に進入した遊技球を少なくとも検出可能」と記載された遊技球検出手段は、「第一の入賞領域に進入した遊技球のみ検出可能」な遊技球検出手段と置き換えて解釈することもできる。
【０２５２】
また、上記実施例において「・・・可能」と記載されている構成は、当該部分を「・・・しない場合があってもよいし、または必ず・・・する構成も含む」と置き換えて解釈することもできる。例えば、「第一の入賞領域に進入した遊技球を少なくとも検出可能」と記載されている構成は、「第一の入賞領域に進入した遊技球を検出しない場合があってもよいし、または、必ず検出する構成も含む手段」と置き換えて解釈することもできる。
【０２５３】
上記実施の形態による本発明は以下のようにまとめられる。
（付記ａ１）
遊技領域から排出された遊技球が少なくとも通過可能な複数の通路を備えた遊技台であって、
前記複数の通路のうちの少なくとも一つ（以下、「第二の通路」という。）は、前記複数の通路のうちの前記第二の通路とは別の少なくとも一つ（以下、「第一の通路」という。）と前後方向において少なくとも一部が重なる通路である、
ことを特徴とする遊技台。
（付記ａ２）
付記ａ１に記載の遊技台であって、
前記複数の通路のうちの少なくとも一つ（以下、「第三の通路」という。）の一部は、前記第一の通路を通過した遊技球と前記第二の通路を通過した遊技球が合流した後の通路である、
ことを特徴とする遊技台。
（付記ａ３）
付記ａ２に記載の遊技台であって、
前記第一の通路は、遊技球検出手段が少なくとも設けられた通路であり、
前記遊技球検出手段に遊技球が検出されたことに関連して賞球を少なくとも付与可能な賞球付与手段を備え、
前記第一の通路は、第一の領域に進入した遊技球が通過可能な通路であり、
前記第二の通路は、第二の領域に進入した遊技球が通過可能な通路であり、
前記第二の領域に進入した遊技球は、前記遊技球検出手段に検出されることなく前記第三の通路に誘導され、
前記第一の領域に進入した遊技球は、前記遊技球検出手段に検出されたあとで前記第三の通路に誘導される、
ことを特徴とする遊技台。
（付記ａ４）
付記ａ３に記載の遊技台であって、
前記第一の領域は、前記遊技領域に設けられた領域であり、
前記第二の領域は、前記遊技領域に設けられた領域であり、
前記第二の領域は、前記第一の領域よりも上方に設けられた領域である、
ことを特徴とする遊技台。
（付記ａ５）
付記ａ３またはａ４に記載の遊技台であって、
前記第一の通路は、複数の領域に進入した遊技球が通過可能な通路であり、
前記複数の領域のうちの少なくとも一つは、前記第一の領域であり、
前記複数の領域のうちの少なくとも一つは、第三の領域であり、
前記第二の領域は前記複数の領域に含まれない領域であり、
前記遊技球検出手段は、前記第一の通路に一つのみ設けられた手段であり、
前記遊技球検出手段は、前記第一の領域に進入した遊技球を少なくとも検出可能な手段であり、
前記遊技球検出手段は、前記第三の領域に進入した遊技球を少なくとも検出可能な手段であり、
前記賞球付与手段は、前記第一の領域に遊技球が進入した場合と前記第三の領域に遊技球が進入した場合で同じ数の賞球を付与可能な手段である、
ことを特徴とする遊技台。
（付記ａ６）
付記ａ２乃至ａ５のいずれか一項に記載の遊技台であって、
前記第一の通路の断面開口の大きさは、第一の大きさであり、
前記第二の通路の断面開口の大きさは、第二の大きさであり、
前記第三の通路の断面開口の大きさは、第三の大きさであり、
前記第三の大きさは、前記第一の大きさよりも大きく、
前記第三の大きさは、前記第二の大きさよりも大きい、
ことを特徴とする遊技台。
（付記ａ７）
付記ａ１乃至ａ６のいずれか一項に記載の遊技台であって、
前記第二の通路は、複数の部位により構成された通路であり、
前記複数の部位のうちの少なくとも一つ（以下、「第一の部位」という。）は、前後方向の位置が前記第一の通路と同じ位置にある部位であり、
前記複数の部位のうちの少なくとも一つ（以下、「第二の部位」という。）は、前後方向において前記第一の通路と重なる位置にある部位であり、
前記第二の通路は、前記第一の部位の少なくとも一部において前記第一の通路と側壁同士が共有され、
前記第二の通路は、前記第二の部位の少なくとも一部において前記第一の通路の後壁と該第二の通路の前壁が共有される、
ことを特徴とする遊技台。
（付記ａ８）
付記ａ１乃至ａ７のいずれか一項に記載の遊技台であって、
前記第二の通路は、少なくとも一部が前記第一の通路の後側に重なる通路である、
ことを特徴とする遊技台。
（付記ａ９）
付記ａ１乃至ａ８のいずれか一項に記載の遊技台であって、
前記遊技台は、パチンコ機である、
ことを特徴とする遊技台。
【０２５４】
次に、本実施の形態によるパチンコ機１００で用いられる各種役物について図１６乃至図３８を用いて詳述する。図１６は、役物ユニット８２０を前方側（正面側）から見た外観図である。図１６では、ユニット本体８２２の右上端部８２２ｂ、右下端部８２２ｃ、左下端部８２２ｄ、および左上端部８２２ｅの図示を省略している。
【０２５５】
図１６に示すように、各種役物はユニット本体８２２の開口部８２２ａ周辺に配置されている。開口部８２２ａの上部にはロゴ役物９００が配置されている。また、ロゴ役物９００は上下方向へ移動可能なロゴ可動体９０２を有している。図１６に示す状態では、ロゴ可動体９０２は初期位置に位置している。ロゴ可動体９０２の初期位置は、ユニット本体８２２の裏側に装飾図柄表示装置２０８を設置した場合に、装飾図柄表示装置２０８の長方形状の画像表示領域の上辺より上部となる。なお、ロゴ役物９００は、初期位置に位置する場合、装飾図柄表示装置２０８の画像表示領域に少なくとも一部が前後方向で重なるようになっていてもよいし、全体が装飾図柄表示装置２０８の画像表示領域に前後方向で重ならないようになっていてもよい。ロゴ可動体９０２は、初期位置に位置する場合、少なくとも一部が装飾図柄表示装置２０８よりも高い位置に位置する。また、ロゴ可動体９０２は、初期位置から上方向と下方向に移動可能である。ロゴ可動体９０２は、初期位置から上方向移動した場合、装飾図柄表示装置２０８の画像表示領域から遠ざかる。また、ロゴ可動体９０２は、初期位置から下方向に移動した場合、少なくとも一部が装飾図柄表示装置２０８の画像表示領域と前後方向で重なる。
【０２５６】
ロゴ役物９００の後方には上部前飾り役物１０００が配置され、上部前飾り役物１０００の後方には上部後飾り役物１１００（図１６では不図示、図１７参照）が配置されている。また、上部前飾り役物１０００は上下方向に移動可能な上部前可動体１００２を有し、上部後飾り役物１１００は上下方向に移動可能な上部後可動体１１０２（図２６、図２８参照）を有している。図１６に示す状態では、ロゴ可動体９０２、上部前可動体１００２、上部後可動体１１０２が初期位置に位置している。この状態では、ロゴ可動体９０２、上部前可動体１００２および上部後可動体１１０２は前後方向で重なっており、上部後可動体１１０２がロゴ役物９００および上部前飾り役物１０００で隠されて前方側から視認できない。本実施の形態では、ロゴ可動体９０２が上方に移動した後、上部前可動体１００２、および上部後可動体１１０２が下方に移動するようになっている。上部後可動体１１０２は下方に移動した後、前方側から視認可能となる。
【０２５７】
また、ロゴ役物９００、上部前飾り役物１０００、および上部後飾り役物１１００の前後方向の配置順は、前方から、上部前飾り役物１０００、上部後飾り役物１１００、ロゴ役物９００の順であってもよいし、上部後飾り役物１１００、ロゴ役物９００、上部前飾り役物１０００の順であってもよいし、ロゴ役物９００、上部後飾り役物１１００、上部前飾り役物１０００の順であってもよいし、上部前飾り役物１０００、ロゴ役物９００、上部後飾り物１１００の順であってもよいし、上部後飾り役物１１００、上部前飾り役物１０００、ロゴ役物９００の順であってもよい。
【０２５８】
ロゴ役物９００の右側には上部右サイド役物１２００が配置され、ロゴ役物９００の左側には上部左サイド役物１３００が配置されている。図１６では、上部右サイド役物１２００の上部右サイド可動体１２０１が左下方に移動し、上部左サイド役物１３００の上部左サイド可動体１３０１が初期位置に位置している状態を示している。なお、上部右サイド可動体１２０１および上部左サイド可動体１３０１の初期位置の上下方向の位置は同じである。
【０２５９】
また、開口部８２２ａの右下部には下部右サイド役物１４００が配置され、開口部８２２ａの左下部には下部左サイド役物１５００が配置されている。また、開口部８２２ａの中央下部であって、下部右サイド役物１４００と下部左サイド役物１５００との間には、中央下部役物１６００が配置されている。
【０２６０】
また、ユニット本体８２２の右端部には、装飾部材８３０が配置されている。装飾部材８３０は、樹脂材料で成型され、獣の頭部を模した形状を有しており、例えば、樹脂材料で成型されている。また、ユニット本体８２２の左端部には樹脂材料で成型された装飾部材８３２が配置されている。
【０２６１】
図１７は、図１６に示す役物ユニット８２０の分解斜視図である。図１７は、役物ユニット８２０を前方右上から後方左下に見た状態を示している。なお、図１７では、図１６と同様に、ユニット本体８２２の右上端部８２２ｂ、右下端部８２２ｃ、左下端部８２２ｄ、および左上端部８２２ｅの図示を省略している。
【０２６２】
上部前飾り役物１０００および上部後飾り役物１１００は、共通の上部役物ベース部８５０に取り付けられている。上部役物ベース部８５０は、ユニット本体８２２の上部にネジで固定される。また、上部前飾り役物１０００の前方にロゴ役物９００が配置され、ロゴ役物９００の役物ベース部９６６がユニット本体にネジで固定される。
【０２６３】
上部右サイド役物１２００のベース部１２５４は、下部右サイド役物１４００の前ベース部１４５６および中ベース部１４６０にネジで固定されている。中ベース部１４６０はユニット本体８２２の右端にネジで固定される。これにより、上部右サイド役物１２００および下部右サイド役物１４００がユニット本体８２２に取り付けられる。
【０２６４】
同様に、上部左サイド役物１３００のベース部１３５４は、下部左サイド役物１５００の前ベース部１５５６および中ベース部１５６０にネジで固定されている。中ベース部１５６０はユニット本体８２２の左端にネジで固定される。これにより、上部左サイド役物１３００および下部左サイド役物１５００がユニット本体８２２に取り付けられる。
【０２６５】
また、中央下部役物１６００のベース部１６６２は、ユニット本体８２２の中央下部にネジで固定される。
【０２６６】
ユニット本体８２２の右端部には、装飾部材８３０がネジで固定されている。また、ユニット本体８２２の左端部には装飾部材８３２がネジで固定されている。
【０２６７】
ロゴ役物９００、上部前飾り役物１０００、上部後飾り役物１１００、上部右サイド役物１２００、上部左サイド役物１３００、下部右サイド役物１４００、下部左サイド役物１５００、および中央下部役物１６００は、それぞれ可動体を備えており、各可動体を用いて様々な演出を実行する。各可動体を用いた演出としては、特図変動遊技の演出や普図変動遊技の演出、あるいは大当り遊技の演出やデモ演出等が挙げられる。より具体的には、実行中の特図変動遊技に対する予告演出（当該予告演出）、保留されている特図変動遊技に対する予告演出（先読み予告演出）、リーチ演出、特図１小当り演出、特図２小当り演出、普図当選演出、先読み予告演出、２Ｒの大当り遊技演出、１５Ｒ特別大当り遊技演出、およびチャンスボタン１３６の操作や設定操作部１３７の操作に関連した演出等が挙げられる。以下、図１８乃至図３８を用いて、各種役物について詳細に説明する。
【０２６８】
次に、図１８乃至図２０を用いて、ロゴ役物９００について詳細に説明する。まず、図１８を用いて、ロゴ役物９００の構成について説明する。図１８は、ロゴ役物９００の分解斜視図である。図１８は、ロゴ役物９００を前方右上から後方左下に見た状態を示している。図１８に示すように、ロゴ役物９００は、大別すると、ロゴ可動体９０２、基部９０４、および駆動部９０６で構成されている。
【０２６９】
ロゴ可動体９０２は、文字装飾部９０２ａと回転リンク機構９０２ｂとを有している。文字装飾部９０２ａは、ロゴ役物９００の最前方に配置される。文字装飾部９０２ａは、第一文字部９１０、第二文字部９１２、第三文字部９１４、第四文字部９１６、第五文字部９１８、第六文字部９２０、および第七文字部９２２を有している。第一文字部９１０〜第七文字部９２２は左方からこの順に並んで配置される。
【０２７０】
第一文字部９１０〜第七文字部９２２の構成について、第一文字部９１０を例に挙げて説明する。第一文字部９１０は、文字板９１０ａ、装飾板９１０ｂ、ＬＥＤ基板９１０ｃ、および後側カバー９１０ｄを有している。文字板９１０ａ、装飾板９１０ｂ、ＬＥＤ基板９１０ｃ、および後側カバー９１０ｄは、前方からこの順に配置される。
【０２７１】
文字板９１０ａは、例えば透明樹脂材料で成型され、前面側に所定文字を表す凹凸形状（本例では、文字「Ｃ」を表す文字形状、図１９参照）を有している。文字板９１０ａの後側には装飾板９１０ｂが配置される。装飾板９１０ｂは、例えば透明樹脂材料で成型され、前面側には凹凸による飾り模様が施されている。装飾板９１０ｂの飾り模様は、文字板９１０ａを介して前方側から視認可能であり、文字板９１０ａを装飾している。装飾板９１０ｂの後側にはＬＥＤ基板９１０ｃが配置される。ＬＥＤ基板９１０ｃには、複数のＬＥＤ（不図示）が実装されており、ロゴ可動体９０２は、当該複数のＬＥＤを用いて、第一文字部９１０が発光可能になっている。ＬＥＤ基板９１０ｃのＬＥＤは、図４に示す遊技盤用ランプ５３２に含まれており、遊技盤用ランプ駆動回路５３０により駆動される。ＬＥＤ基板９１０ｃの後側には後側カバー９１０ｄが配置されている。後側カバー９１０ｄは例えば樹脂材料で成型されており、後側カバー９１０ｄには文字板９１０ａ、装飾板９１０ｂ、およびＬＥＤ基板９１０ｃがネジで固定される。
【０２７２】
第二文字部９１２〜第七文字部９２２は、第一文字部９１０と同様に、文字板、装飾板、ＬＥＤ基板、および後側カバーを有している。本例では、第二文字部９１２の文字板には文字「Ｒ」を表す凹凸形状が形成されており、第三文字部９１４の文字板には雷記号を表す凹凸形状が形成されており、第四文字部９１６の文字板には文字「よ」を表す凹凸形状が形成されており、第五文字部９１８の文字板には文字「し」を表す凹凸形状が形成されており、第六文字部９２０の文字板には文字「む」を表す凹凸形状が形成されており、第七文字部９２２の文字板には文字「ね」を表す凹凸形状が形成されている（図１９参照）。
【０２７３】
このように、ロゴ可動体９０２の文字装飾部９０２ａは、本実施形態によるパチンコ機１００の機種名である「ＣＲ（雷記号）よしむね」を表す文字形状を有している。
【０２７４】
また、文字装飾部９０２ａは、上下方向に延びた円柱形状の金属製の案内棒９２４、９２６、９２８、９３０、９３２を有している。案内棒９２４〜９３２は互いに平行に配置される。
【０２７５】
第二文字部９１２の後側カバーの左端には被案内部９１２ｄ１が設けられており、第二文字部９１２の後側カバーは、被案内部９１２ｄ１が案内棒９２４を囲んで摺動可能に取り付けられている。第一文字部９１０の後側カバー９１０ｄの右端上部には案内棒９２４の上端を固定する上端固定部９１０ｄ１が設けられ、後側カバー９１０ｄの右端下部には案内棒９２４の下端を固定する下端固定部９１０ｄ２が設けられている。案内棒９２４の上端は上端固定部９１０ｄ１に固定され、案内棒９２４の下端は下端固定部９１０ｄ２に固定される。これにより、第一文字部９１０と第二文字部９１２とが案内棒９２４を介して連結される。また、上端固定部９１０ｄ１は、第二文字部９１２のメカエンドとして機能する。メカエンドの機能については後述する。
【０２７６】
同様に、第三文字部９１４の後側カバーの左端には被案内部９１４ｄ１が設けられており、第三文字部９１４の後側カバーは、被案内部９１４ｄ１が案内棒９２６を囲んで摺動可能に取り付けられている。第二文字部９１２の後側カバーの右端上部には案内棒９２６の上端を固定する上端固定部９１２ｄ２が設けられ、当該後側カバーの右端下部には案内棒９２６の下端を固定する下端固定部９１２ｄ３が設けられている。案内棒９２６の上端は上端固定部９１２ｄ２に固定され、案内棒９２６の下端は下端固定部９１２ｄ３に固定される。これにより、第二文字部９１２と第三文字部９１４とが案内棒９２６を介して連結される。また、上端固定部９１２ｄ２は、第三文字部９１４のメカエンドとして機能する。
【０２７７】
同様に、第四文字部９１６の後側カバーの左端には被案内部９１６ｄ１が設けられており、第四文字部９１６の後側カバーは、被案内部９１６ｄ１が案内棒９２８を囲んで摺動可能に取り付けられている。第三文字部９１４の後側カバーの右端上部には案内棒９２８の上端を固定する上端固定部９１４ｄ２が設けられ、当該後側カバーの右端下部には案内棒９２８の下端を固定する下端固定部９１４ｄ３が設けられている。案内棒９２８の上端は上端固定部９１４ｄ２に固定され、案内棒９２８の下端は下端固定部９１４ｄ３に固定される。これにより、第三文字部９１４と第四文字部９１６とが案内棒９２８を介して連結される。また、上端固定部９１４ｄ２は、第四文字部９１６のメカエンドとして機能する。
【０２７８】
また、第四文字部９１６の後側カバーの右端には、上下方向（案内棒９２４〜９３２と平行）に延びる長円形状の案内孔部９１６ｄ２が設けられている。また、第五文字部９１８の後側カバーの後側には、円柱形状の被案内部９１８ｄ１が設けられている。被案内部９１８ｄ１が案内孔部９１６ｄ２内を移動可能なように、第五文字部９１８の後側カバーは、第四文字部９１６の後側カバーに取り付けられている。この取り付けには、例えば、座金付ネジが用いられる。座金付ネジの座金部分は、案内孔部９１６ｄ２の幅よりも大きく、当該被案内部が案内孔部９１６ｄ２から離脱するのを防いでいる。
【０２７９】
また、第五文字部９１８の後側カバーの右端には被案内部９１８ｄ２が設けられており、第五文字部９１８の後側カバーは、被案内部９１８ｄ２が案内棒９３０を囲んで摺動可能に取り付けられている。第六文字部９２０の後側カバーの左端上部には案内棒９３０の上端を固定する上端固定部９２０ｄ２が設けられ、当該後側カバーの左端下部には案内棒９３０の下端を固定する下端固定部９２０ｄ３が設けられている。案内棒９３０の上端は上端固定部９２０ｄ２に固定され、案内棒９３０の下端は下端固定部９２０ｄ３に固定される。これにより、第五文字部９１８と第六文字部９２０とが案内棒９３０を介して連結される。また、上端固定部９２０ｄ２は、第五文字部９１８のメカエンドとして機能する。
【０２８０】
同様に、第六文字部９２０の後側カバーの右端には被案内部９２０ｄ１が設けられており、第六文字部９２０の後側カバーは、被案内部９２０ｄ１が案内棒９３２を囲んで摺動可能に取り付けられている。第七文字部９２２の後側カバーの左端上部には案内棒９３２の上端を固定する上端固定部９２２ｄ２が設けられ、当該後側カバーの左端下部には案内棒９３２の下端を固定する下端固定部９２２ｄ３が設けられている。案内棒９３２の上端は上端固定部９２２ｄ２に固定され、案内棒９３２の下端は下端固定部９２２ｄ３に固定される。これにより、第六文字部９２０と第七文字部９２２とが案内棒９３２を介して連結される。また、下端固定部９２２ｄ３は、第六文字部９２０のメカエンドとして機能する。
【０２８１】
このように、文字装飾部９０２ａは、隣り合う文字部同士が連結されている。ロゴ可動体９０２の移動動作時には、第二文字部９１２〜第六文字部９２０が案内棒９２４〜９３２や案内孔部９１６ｄ２に案内されて上下方向に互いに平行に移動することができるようになっている。
【０２８２】
次に、文字装飾部９０２ａの後側に配置される回転リンク機構９０２ｂについて説明する。後述するモータ９７０による回転運動は、回転リンク機構９０２ｂを介して文字装飾部９０２ａに直線運動として伝達される。回転リンク機構９０２ｂは、左クランク９４０と、右クランク９４２と、リンク部材９４４とを有している。
【０２８３】
左クランク９４０は、左クランク基部９４０ａと左クランクカバー９４０ｂとを有している。左クランク基部９４０ａは、例えば透明樹脂材料で成型され、左右方向に文字装飾部９０２ａの半分程度の長さを有している。また、左クランク基部９４０ａの右側端辺は右方に凸となる円弧状に形成されており、当該右側端辺には歯車９４０ａ１が形成されている。また、左クランク基部９４０ａの後側には左クランクカバー９４０ｂがネジで固定されており、左クランク基部９４０ａと左クランクカバー９４０ｂの間には、第二文字部９１２および第三文字部９１４の各ＬＥＤ基板に接続される配線（不図示）を収容できるようになっている。
【０２８４】
左クランク９４０には長円形状の案内孔部（例えば、案内孔部９４０ａ２、図２０参照）が３つ形成されている。第二文字部９１２、第三文字部９１４、および第四文字部９１６の各後側カバーの後側には、円柱形状の被案内部が設けられている。当該被案内部が当該案内孔部内を移動可能なように、第二文字部９１２、第三文字部９１４、および第四文字部９１６の各後側カバーは左クランク９４０に取り付けられている。この取り付けには、例えば、座金付ネジが用いられる。座金付ネジの座金部分は、当該案内孔部の幅よりも大きく、当該被案内部が当該案内孔部から離脱するのを防いでいる。
【０２８５】
右クランク９４２は、右クランク基部９４２ａと右クランクカバー９４２ｂとを有している。右クランク基部９４２ａは、例えば透明樹脂材料で成型され、左右方向に文字装飾部９０２ａの半分程度の長さを有している。また、右クランク基部９４２ａの左側端辺は左方に凸な円弧状に形成されており、当該左側端辺には歯車９４２ａ１が形成されている。また、右クランク基部９４２ａの後側には右クランクカバー９４２ｂがネジで固定されており、右クランク基部９４２ａと右クランクカバー９４２ｂの間には、第四文字部９１６〜第六文字部９２０の各ＬＥＤ基板に接続される配線（不図示）を収容できるようになっている。
【０２８６】
右クランク９４２には長円形状の案内孔部が３つ形成されている。第四文字部９１６、第五文字部９１８、および第六文字部９２０の各後側カバーの後側には、円柱形状の被案内部が設けられている。当該被案内部が当該案内孔部内を移動可能なように、第四文字部９１６、第五文字部９１８、および第六文字部９２０の各後側カバーは右クランク９４２に取り付けられている。この取り付けには、例えば、座金付ネジが用いられる。座金付ネジの座金部分は、当該案内孔部の幅よりも大きく、当該被案内部が当該案内孔部から離脱するのを防いでいる。
【０２８７】
また、左クランク基部９４０ａの歯車９４０ａ１と、右クランク基部９４２ａの歯車９４２ａ１とは、中央部同士で噛み合わされている。また、左クランク９４０と右クランク９４２とは、例えば樹脂材料で成型されて、左右方向に長い細長形状のリンク部材９４４により接続されている。リンク部材９４４の左端には円形の固定孔部が形成されており、当該固定孔部を介してリンク部材９４４は左クランク基部９４０ａにネジ止めされる。また、リンク部材９４４は、右端から左方に向かって左右方向に延びた長円形状の案内孔部が形成されている。右クランク９４２の後側には、円柱形状の被案内部が設けられている。当該被案内部が当該案内孔部内を移動可能なように、リンク部材９４４は右クランク９４２に取り付けられている。この取り付けには、例えば、座金付ネジが用いられる。座金付ネジの座金部分は、当該案内孔部の幅よりも大きく、当該被案内部が当該案内孔部から離脱するのを防いでいる。リンク部材９４４は、左クランク９４０の歯車９４０ａ１と右クランク９４２の歯車９４２ａ１との噛み合わせがずれたり外れたりしないように、左クランク９４０と右クランク９４２とを連結している。これにより、左クランク９４０と右クランク９４２とは、安定した連動動作が可能になっている。
【０２８８】
次に、ロゴ役物９００の基部９０４について説明する。基部９０４は、回転リンク機構９０２ｂの後側に配置され、中央装飾部材９６０、左装飾部材９６２、右装飾部材９６４、および役物ベース部９６６を有している。
【０２８９】
中央装飾部材９６０は、例えば樹脂材料で成型され、全体として上方に凸な曲線形状を有しており、凹凸による所定模様が施されている。左装飾部材９６２および右装飾部材９６４は、例えば樹脂材料で成型され、互いに左右対称となる形状を有している。役物ベース部９６６は、例えば、透明樹脂材料で成型されて、表面に凹凸による所定模様が施されている。中央装飾部材９６０、左装飾部材９６２、および右装飾部材９６４は役物ベース部９６６の前面側にネジで固定される。また、役物ベース部９６６は図１６および図１７に示すユニット本体８２２にネジで固定される。また、役物ベース部９６６の中央下端の端辺は、上方に凹んだ半円形状に形成されている。各種役物をユニット本体８２２に取り付けた場合に、役物ベース部９６６の中央下端の下方には後述する上部前飾り役物１０００が配置されるようになっている。
【０２９０】
また、役物ベース部９６６の左側には、第一文字部９１０がネジで固定され、役物ベース部９６６の右側には、第七文字部９２２がネジで固定される。このため、ロゴ可動体９０２の移動動作時においても、第一文字部９１０、および第七文字部９２２は移動しないようになっている。
【０２９１】
次に、ロゴ可動体９０２を駆動させるための駆動部９０６について説明する。駆動部９０６は基部９０４の役物ベース部９６６の後側に配置される。駆動部９０６は、モータ９７０、ベース部材９７２、平歯車９７４、扇形歯車９７６、左基板９８０、右基板９８２、およびフォトセンサ９８４を有している。
【０２９２】
モータ９７０は、ロゴ可動体９０２の移動動作を実行するための駆動源である。本実施の形態では、モータ９７０にはステッピングモータが用いられる。モータ９７０の回転軸は前後方向に延びており、ベース部材９７２には、モータ９７０の回転軸を通す貫通孔が形成されている。モータ９７０は、回転軸が当該貫通孔を通るようにベース部材９７２の後側にネジで固定される。また、モータ９７０の回転軸には、ベース部材９７２の前側に収容される平歯車９７４が固定される。
【０２９３】
平歯車９７４の下方には扇形歯車９７６が配置され、ベース部材９７２に収容されている。扇形歯車９７６は、モータ９７０の動力を平歯車９７４を介して回転リンク機構９０２ｂに伝達するために用いられる。扇形歯車９７６は、一体的に成型された歯車部９７６ａと取付け部９７６ｂとを有している。歯車部９７６ａは平歯車９７４に噛み合わされている。取付け部９７６ｂは、歯車部９７６ａの下方に配置され、左クランク９４０の左クランク基部９４０ａの左端にネジで固定される。また、取付け部９７６ｂのほぼ中央には円形の貫通孔が形成されている。同様に、左クランク基部９４０ａの左端、および役物ベース部９６６の左下方にも円形の貫通孔が形成されている。取付け部９７６ｂ、左クランク基部９４０ａ、および役物ベース部９６６の貫通孔には、前後方向に延びた円柱状の金属棒９９０が配置される。金属棒９９０は、前側端部が第一文字部９１０の後側カバー９１０ｄに固定され、後側端部が駆動部９０６のベース部材９７２に固定される。左クランク９４０と扇形歯車９７６とは金属棒９９０を回転中心として一体的に回転動作可能になっている。これにより、扇形歯車９７６の回転動作に連動して、左クランク９４０が金属棒９９０を回転中心として前後方向に直交する平面内を所定角度だけ回転動作可能になっている。
【０２９４】
また、右クランク９４２の右クランク基部９４２ａの右端には、円形の貫通孔が形成されている。当該貫通孔には、前後方向に延びた円柱状の金属棒９９２が配置される。金属棒９９２は、前側端部が第七文字部９２２の後側カバーに固定され、後側端部が基部９０４の役物ベース部９６６の右下方に固定される。また、上述のとおり、左クランク基部９４０ａの歯車９４０ａ１と、右クランク基部９４２ａの歯車９４２ａ１が噛み合わされているので、右クランク９４２は、左クランク９４０の回転動作に連動して、金属棒９９２を回転中心とし、前後方向に直交する平面内を所定角度だけ回転動作可能になっている。
【０２９５】
また、右クランク９４２と役物ベース部９６６の間には、ねじりコイルバネ９９４が配置される。ねじりコイルバネ９９４のコイル中心を金属棒９９２が通っている。ねじりコイルバネ９９４の一端は右クランク９４２の右クランクカバー９４２ｂに固定され、他端は役物ベース部９６６に固定される。ねじりコイルバネ９９４には右クランク９４２が左回転する場合にバネを巻き込む方向に力が作用するようになっており、ねじりコイルバネ９９４は、右クランク９４２が右回転する場合に右クランク９４２に右回りのトルクを付与し、右クランク９４２が右回転するのを補助するようになっている。
【０２９６】
また、役物ベース部９６６の左後面には左基板９８０がネジで固定され、役物ベース部９６６の右後面には右基板９８２がネジで固定されている。左基板９８０、および右基板９８２の前面側には複数のＬＥＤが実装されており、当該ＬＥＤを用いて基部９０４が発光可能になっている。また、これらのＬＥＤは、図４に示す遊技盤用ランプ５３２に含まれており、遊技盤用ランプ駆動回路５３０により駆動される。
【０２９７】
また、左基板９８０には、モータ９７０、および第一文字部９１０〜第三文字部９１４の各ＬＥＤ基板が不図示の配線により接続されている。モータ９７０は左基板９８０を介して図４に示す駆動回路５１６に接続され、第一文字部９１０〜第三文字部９１４の各ＬＥＤ基板は左基板９８０を介して図４に示す遊技盤用ランプ駆動回路５３０に接続される。また、右基板９８２には、第四文字部９１６〜第七文字部９２２の各ＬＥＤ基板が不図示の配線により接続されている。第四文字部９１６〜第七文字部９２２の各ＬＥＤ基板は右基板９８２を介して図４に示す遊技盤用ランプ駆動回路５３０に接続される。これにより、ロゴ役物９００のロゴ可動体９０２の移動動作、およびＬＥＤ（発光手段）の発光動作が第２副制御部５００により制御される。また、ロゴ役物９００と第１副制御部４００や第２副制御部５００間での配線を集約することができる。
【０２９８】
また、ベース部材９７２には、フォトセンサ９８４がネジで固定されている。フォトセンサ９８４は、図４に示す各種可動体センサ４３０に含まれており、左基板９８０を介して図４に示すセンサ回路４２８に接続されている。フォトセンサ９８４は、空間部を挟んで上下方向に対向するように配置された発光部と受光部とを有している。また、扇形歯車９７６の歯車部９７６ａの後側には例えば黒色樹脂材料で形成された遮光片（不図示）が設けられている。ロゴ可動体９０２が移動可能な最上方の位置に位置する場合にフォトセンサ９８４の受光部と発光部の間に当該遮光片が進入する。本実施形態では、フォトセンサ９８４で扇形歯車９７６の遮光片の有無を検知し、第１副制御部４００は、フォトセンサ９８４が当該遮光片を検知した場合はロゴ可動体９０２が最上方の位置に位置していると判定し、フォトセンサ９８４が当該遮光片を検知しない場合はロゴ可動体９０２が最上方以外の位置に位置していると判定する。
【０２９９】
次に、図１９および図２０を用いて、ロゴ役物９００のロゴ可動体９０２の動作について説明する。図１９はロゴ役物９００を前側から見た外観図であり、図２０はロゴ役物９００を後側から見た外観図である。
【０３００】
図１９（ａ）および図２０（ａ）は、ロゴ可動体９０２が初期位置に位置している状態を示している。図１９（ａ）に示すように、ロゴ可動体９０２が初期位置に位置する場合に、文字装飾部９０２ａの第一文字部９１０〜第七文字部９２２は左右方向にほぼ一直線上に並んでいる。また、図２０（ａ）に示すように、ロゴ可動体９０２が初期位置に位置する場合に、回転リンク機構９０２ｂの左クランク９４０、右クランク９４２およびリンク部材９４４の長手方向が左右方向を向くようになっている。また、左クランク９４０の歯車９４０ａ１と右クランク９４２の歯車９４２ａ２とが中央同士で噛み合っている。
【０３０１】
図１９（ｂ）および図２０（ｂ）は、ロゴ可動体９０２が初期位置から上方に移動して、移動範囲のうちの最上方の位置に位置した状態を示している。ロゴ可動体９０２は、駆動部９０６のモータ９７０に駆動されて、初期位置から最上方の位置に移動する動作を実行可能である。
【０３０２】
ロゴ可動体９０２を上方に移動動作させる場合には、第２副制御部５００は、モータ９７０を駆動して、モータ９７０の回転軸を図１９の紙面に向かって右回り（図２０の紙面向かって左回り）に回転させる。これにより、モータ９７０の回転軸に固定された平歯車９７４が右回りに回転し、平歯車９７４に噛み合わされている扇形歯車９７６が左回りに回転する。また、扇形歯車９７６と固定されている左クランク９４０が左回りに回転し、左クランク９４０の歯車９４０ａ１に噛み合わされている歯車９４２ａ２を備える右クランク９４２が右回りに回転する。また、図２０（ｂ）に示すように、右クランク９４２の後側に設けられた被案内部が、右クランク９４２の左方向への変位量だけ、リンク部材９４４の長円形状の案内孔部を左方向（図２０の紙面に向かって右方向）に移動する。また、リンク部材９４４も左クランク９４０および右クランク９４２の動作に合わせて上方に移動する。
【０３０３】
次に、ロゴ可動体９０２の上方への移動動作時における文字装飾部９０２ａの第二文字部９１２〜第六文字部９２０の移動動作について、第四文字部９１６を例にとって説明する。図２０に示すように、第四文字部９１６は、第四文字部９１６の後側カバーの後側に設けられた被案内部９１６ｄ４が、左クランク基部９４０ａに設けられた長円形状の案内孔部９４０ａ２を移動可能なように左クランク基部９４０ａに取り付けられている。
【０３０４】
長円形の案内孔部９４０ａ２の長軸を通る仮想直線は左クランク９４０の回転中心を通るようになっている。同様に、左クランク９４０に設けられた２つの長円形の案内孔部の長軸を通る仮想直線は左クランク９４０の回転中心を通るようになっている。同様に、右クランク９４２に設けられた２つの長円形の案内孔部の長軸を通る仮想直線は右クランク９４２の回転中心を通るようになっている。
【０３０５】
図２０（ａ）に示すように、ロゴ可動体９０２が初期位置に位置する場合には、案内孔部９４０ａ２の長手方向が左上方（図２０では紙面に向かって右上方）を向くようになっている。ロゴ可動体９０２の上方への移動動作実行時には、左クランク９４０は左回り（図２０では紙面に向かって右回り）に回転し、案内孔部９４０ａ２は左クランク９４０の回転軸を中心とする円弧状に移動軌跡を描いて左上方（図２０では紙面に向かって右上方）へ移動する。この際、案内孔部９４０ａ２に案内されて、被案内部９１６ｄ４が上方へ移動する。また、第四文字部９１６は、図１８に示す上下方向に延びた案内棒９２８に案内されて上方向に移動する。また、上述のとおり、第三文字部９１４の案内棒９２８の上端固定部９１４ｄ２は、第四文字部９１６のメカエンドとして機能する。案内棒９２８を摺動する第四文字部９１６の被案内部９１６ｄ１が第三文字部９１４の上端固定部９１４ｄ２に接触することで、第四文字部９１６が停止するようになっている。また、図２０（ｂ）に示すように、被案内部９１６ｄ４が案内孔部９４０ａ２の右端（図２０では紙面に向かって左端）と接触する前に第四文字部９１６が停止する。
【０３０６】
このように、モータ９７０の回転運動は左クランク９４０に設けた案内孔部９４０ａ２を介して第四文字部９１６に上下方向の直線運動として伝達される。第二文字部９１２、第三文字部９１４、第五文字部９１８および第六文字部９２０の動作原理は、第四文字部９１６と同様である。モータ９７０の回転運動は、左クランク９４０を介して第二文字部９１２および第三文字部９１４に直線運動として伝達され、右クランク９４２を介して第五文字部９１８および第六文字部９２０に直線運動として伝達される。これにより、第二文字部９１２〜第六文字部９２０は上方に直線的に移動する。また、図２０（ｂ）に示すように、第二文字部９１２〜第六文字部９２０は、互いに平行に配置される案内棒９２４〜９３２に案内されるので、互いに平行に上方へ移動する。また、第一文字部９１０および第七文字部９２２は、上述のとおり、役物ベース部９６６に固定されているので、移動することがない。
【０３０７】
このように、ロゴ可動体９０２の上方への移動動作実行時には、ロゴ可動体９０２の複数の部位である第二文字部９１２〜第六文字部９２０が互いに平行に上方へ移動する。
【０３０８】
また、左クランク９４０は、ロゴ可動体９０２の上方への移動動作実行時には回転動作を実行し、回転中心に近い部分よりも遠い部分の方が動作量が大きくなる。本例では、左クランク９４０の回転中心に近い方から第一文字部９１０〜第四文字部９１６が取り付けられている。このため、図１９（ｂ）に示すように、ロゴ可動体９０２の上方への移動動作実行時の動作量は、第二文字部９１２、第三文字部９１４、第四文字部９１６の順に大きくなっている。
【０３０９】
同様に、右クランク９４２は、ロゴ可動体９０２の上方への移動動作実行時には回転動作を実行し、回転中心に近い部分よりも遠い部分の方が動作量が大きくなる。本例では、右クランク９４２の回転中心に近い方から第六文字部９２０、第五文字部９１８が取り付けられている。このため、図１９（ｂ）に示すように、ロゴ可動体９０２の上方への移動動作実行時の動作量は、第六文字部９２０、第五文字部９１８の順に大きくなっている。
【０３１０】
また、ロゴ可動体９０２の上方への移動動作実行時の左クランク９４０および右クランク９４２の回転角度の絶対値はほぼ等しく、第四文字部９１６の隣に配置される第三文字部９１４と第五文字部９１８の動作量はほぼ等しく、第二文字部９１２と第六文字部９２０の動作量はほぼ等しくなる。また、第四文字部９１６の動作量がロゴ可動体９０２の中で最も大きい。
【０３１１】
次に、ロゴ可動体９０２が初期位置から移動範囲のうちの最下方の位置に移動する動作について説明する。図１９（ｃ）および図２０（ｃ）は、ロゴ可動体９０２が最下方の位置に位置している状態を示している。ロゴ可動体９０２は、駆動部９０６のモータ９７０に駆動されて、初期位置から最下方の位置に移動する動作を実行可能である。
【０３１２】
ロゴ可動体９０２を駆動して下方への移動動作を実行させる場合には、第２副制御部５００は、モータ９７０を駆動して、モータ９７０の回転軸を図１９の紙面に向かって左回り（図２０の紙面に向かって右回り）に回転させる。これにより、モータ９７０の回転軸に固定された平歯車９７４が左回りに回転し、平歯車９７４に噛み合わされている扇形歯車９７６が右回り（図２０の紙面に向かって左回り）に回転する。また、扇形歯車９７６と固定されている左クランク９４０が右回りに回転し、左クランク９４０の歯車９４０ａ１に噛み合わされている歯車９４２ａ２を備える右クランク９４２が左回りに回転する。また、図２０（ｃ）に示すように、右クランク９４２の後側に設けられた被案内部が、右クランク９４２の左方向への変位量だけ、リンク部材９４４の長円形状の案内孔部を右方向（図２０の紙面に向かって左方向）に移動する。また、リンク部材９４４も左クランク９４０および右クランク９４２の動作に合わせて下方に移動する。
【０３１３】
次に、ロゴ可動体９０２の下方への移動動作実行時における文字装飾部９０２ａの第二文字部９１２〜第六文字部９２０の移動動作について、第四文字部９１６を例にとって説明する。ロゴ可動体９０２の下方への移動動作実行時には、左クランク９４０は右回り（図２０では紙面に向かって左回り）に回転し、案内孔部９４０ａ２は左クランク９４０の回転軸を中心とする円弧状に移動軌跡を描いて左下方（図２０では紙面に向かって右下方）へ移動する。この際、案内孔部９４０ａ２に案内されて、被案内部９１６ｄ４が下方へ移動する。また、第四文字部９１６は、図１８に示す上下方向に延びた案内棒９２８に案内されて下方向に移動する。
【０３１４】
ロゴ可動体９０２の下方への移動動作実行時には、案内孔部９４０ａ２が第四文字部９１６のメカエンドとして機能する。第四文字部９１６の被案内部９１６ｄ４が案内孔部９４０ａ２の右端部（図２０では紙面に向かって左端部）に接触することで、第四文字部９１６が停止するようになっている。
【０３１５】
上述のとおり、ロゴ可動体９０２が初期位置に位置する場合には、案内孔部９４０ａ２の長手方向が左上方（図２０では紙面に向かって右上方）を向くようになっている。このため、左クランク９４０が右回り（図２０では紙面に向かって左回り）に回転するロゴ可動体９０２の下方への移動動作実行時には、左クランク９４０が左回り（図２０では紙面に向かって右回り）に回転するロゴ可動体９０２の上方への移動動作実行時よりも被案内部９１６ｄ４の移動距離が小さくなる。したがって、ロゴ可動体９０２の下方への移動動作実行時は上方への移動動作実行時よりも左クランク９４０の回転角度が小さくなり、第四文字部９１６の動作量も小さくなる。
【０３１６】
第二文字部９１２、第三文字部９１４、第五文字部９１８および第六文字部９２０の動作原理は、第四文字部９１６と同様である。図２０（ｃ）に示すように、第二文字部９１２〜第六文字部９２０は、互いに平行に配置される案内棒９２４〜９３２に案内されて、互いに平行に下方へする。また、第一文字部９１０および第七文字部９２２は、上述のとおり、役物ベース部９６６に固定されているので、移動することがない。
【０３１７】
また、左クランク９４０は、ロゴ可動体９０２の下方への移動動作実行時には回転動作を実行するので、図１９（ｃ）に示すように、第二文字部９１２、第三文字部９１４、第四文字部９１６の順に動作量が大きくなる。
【０３１８】
同様に、右クランク９４２は、ロゴ可動体９０２の下方への移動動作実行時には回転動作を実行するので、図１９（ｃ）に示すように、第六文字部９２０、第五文字部９１８の順に動作量が大きくなる。
【０３１９】
また、ロゴ可動体９０２の下方への移動動作実行時の左クランク９４０および右クランク９４２の回転角度の絶対値はほぼ等しく、第四文字部９１６の隣に配置される第三文字部９１４と第五文字部９１８の動作量はほぼ等しく、第二文字部９１２と第六文字部９２０の動作量はほぼ等しくなる。また、第四文字部９１６の動作量がロゴ可動体９０２の中で最も大きい。
【０３２０】
このように、ロゴ可動体９０２の下方への移動動作実行時には、ロゴ可動体９０２の複数の部位である第二文字部９１２〜第六文字部９２０が互いに平行に下方へ移動する。
【０３２１】
ロゴ可動体９０２の初期位置は、パチンコ機１００の電源投入時に、ロゴ可動体９０２の動作確認が行われた後に位置する位置である。パチンコ機１００の電源投入時に、ロゴ可動体９０２は、図１９（ｃ）に示す最下方の位置に移動し、次いで、図１９（ｂ）に示す最上方の位置に移動し、次いで、図１９（ａ）に示す初期位置に移動し停止する。なお、上部前飾り役物１０００、上部後飾り役物１１００、上部右サイド役物１２００、上部左サイド役物１３００、下部右サイド役物１４００、下部左サイド役物１５００、および中央下部役物１６００が備える可動体についてもパチンコ機１００の電源投入時に動作確認が行われ、これらの可動体は動作確認後に初期位置で停止する。
【０３２２】
本実施の形態において、ロゴ可動体９０２は、初期位置から最下方の位置へ移動するまでの移動量よりも、初期位置から最上方へ移動するまでの移動量の方が大きくなっている。より具体的には、ロゴ可動体９０２の複数の可動部である第二文字部９１２〜第六文字部９２０は、初期位置から最下方へ移動するまでの移動量よりも、初期位置から最上方へ移動するまでの移動量の方が大きくなっている。なお、ロゴ可動体９０２の複数の可動部のうちの同じ可動部で比較して、初期位置から最下方へ移動するまでの移動量よりも、初期位置から最上方へ移動するまでの移動量の方が大きくなっていればよい。また、ロゴ可動体９０２の複数の部位である第二文字部９１２〜第六文字部９２０のうち全体が互いに平行に移動可能であってもよいし、複数の可動部である第二文字部９１２〜第六文字部９２０のうちの一部が互いに平行に移動可能であってもよい。
【０３２３】
ロゴ可動体９０２の最上方の位置は装飾図柄表示装置２０８から遠ざかる位置であり、ロゴ可動体９０２の最下方の位置は装飾図柄表示装置２０８と前後方向で重なる位置である。本実施の形態では、ロゴ可動体９０２は、装飾図柄表示装置２０８から遠ざかる最上方への移動量が、装飾図柄表示装置２０８に近づく最下方への移動量よりも大きくなっている。なお、ロゴ可動体９０２は、装飾図柄表示装置２０８から遠ざかる方向への移動量が、装飾図柄表示装置２０８に近づく方向への移動量よりも小さくなっていてもよい。
【０３２４】
また、ロゴ可動体９０２は、装飾図柄表示装置２０８よりも小さいサブ表示装置を備えていてもよい。サブ表示装置には、液晶表示装置、ドットマトリクス表示装置、７セグメント表示装置、有機ＥＬ（ＥｌｅｃｔｒｏＬｕｍｉｎｅｓｃｅｎｃｅ）表示装置、リール（ドラム）式表示装置、リーフ式表示装置、プラズマディスプレイ、プロジェクタを含む他の表示デバイスを用いることができる。また、サブ表示装置は、第１副制御部４００により制御されてもよいし、第２副制御部５００により制御されてもよいし、第１副制御部４００および第２副制御部５００とは別に表示制御部を設けて当該表示制御部により制御されてもよい。
【０３２５】
また、ロゴ可動体９０２は、第一文字部９１０〜第七文字部９２２が回転動作可能であってもよいし、上方への移動動作後に回転動作可能であってもよいし、回転動作後に上方へ移動してもよし、下方への移動動作後に回転動作可能であってもよいし、回転動作実行後に下方へ移動してもよい。
【０３２６】
また、ロゴ可動体９０２は、下方への移動動作により装飾図柄表示装置２０８の画像表示領域下端よりも下方まで移動可能であってもよい。
【０３２７】
また、本実施の形態では、ロゴ可動体９０２は、初期位置に位置している場合に、装飾図柄表示装置２０８の画像表示領域の前後方向で重なる。なお、ロゴ可動体９０２は、初期位置に位置している場合に、装飾図柄表示装置２０８の画像表示領域の前後方向で重ならなくてもよい。ロゴ可動体９０２の全体は、初期位置に位置している場合に、装飾図柄表示装置２０８の画像表示領域の上端よりも上方に位置していてもよい。
【０３２８】
また、ロゴ可動体９０２は、複数の可動部を有する一体的な可動体であってもよい。例えば、サブ表示装置を含む可動部と、当該サブ表示装置の近傍で可動する別の可動部とを一体的な可動体としてしてもよい。
【０３２９】
また、本実施の形態のロゴ可動体９０２は、遊技台の機種名等の少なくとも一部が含まれるタイトルロゴを表す文字の形状を有している。また、ロゴ可動体９０２は、タイトルロゴ以外の文字としては、例えば、遊技台の特徴や遊技台のタイトルやモチーフに関連した特徴的な文字（遊技状態に潜伏確変を有する遊技台であれば「潜」や「怪」など、時代劇をモチーフとした遊技台であれば「戦や「闘」など）が挙げられる。文字数は、一文字であってもよいし、二文字以上であってもよい。
【０３３０】
また、ロゴ可動体９０２は単数色に発光可能であってもよいし、複数色に発光可能であってもよい。また、ロゴ可動体９０２に発光手段が設けられてなくてもよい。また、第一文字部９１０〜第七文字部９２２のうち少なくとも一つの文字部が発光する構成であってもよい。
【０３３１】
また、ロゴ可動体９０２は、は多段階動作を行わない構成であって、単に移動のみを移動可能であってもよい。
【０３３２】
また、ロゴ可動体９０２は、前後方向への移動動作を少なくとも実行可能であってもよい。この場合、ロゴ可動体９０２は、後述する前後駆動部１００４を備えていてもよい。また、ロゴ可動体９０２は、初期位置に位置する場合に前後方向へ移動可能であってもよいし、最上方の位置する場合に前後方向へ移動可能であってもよいし、最下方の位置に位置する場合に前後方向へ移動可能であってもよい。
【０３３３】
また、本実施の形態では、モータ９７０にステッピングモータを用いたがこれに限られない。例えば、ＤＣブラシモータ、ＤＣブラシレスモータ、ＡＣモータ、超音波モータ、サーボモータ等の様々なモータが使用可能である。
【０３３４】
また、本実施の形態では、ロゴ可動体９０２の駆動源にモータを用いたがこれに限られない。例えば、ロゴ可動体９０２の駆動源としてソレノイド等の各種アクチュエータが用いられていてもよい。
【０３３５】
次に、図２１乃至図２５を用いて上部前飾り役物１０００について説明する。まず、図２３を参照しつつ図２１および図２２を用いて、上部前飾り役物１０００の構成について説明する。図２１および図２２は、上部前飾り役物１０００の分解斜視図である。図２１および図２２は、上部前飾り役物１０００を前方右上から後方左下に見た状態を示している。なお、図２２には、後述の上部後飾り役物１１００の一部が示されている。
【０３３６】
図２１および図２２に示すように、上部前飾り役物１０００は、大別すると、上部前可動体１００２、前後駆動部１００４、上下駆動部１００６、および上部前可動体ベース部１００８で構成されている。
【０３３７】
まず、図２３を参照しつつ、図２１を用いて、上部前可動体１００２について説明する。上部前可動体１００２は、レンズ可動体１００２ａと、ベース部１００２ｂとを有している。レンズ可動体１００２ａは、前側装飾部１０１０、外側装飾部１０１２、内側装飾部１０１４、下側装飾部１０１６、およびレンズ１０１８を有し、上部前飾り役物１０００の最前方に配置される。レンズ可動体１００２ａは、ベース部１００２ｂを起点として前方に移動可能である。
【０３３８】
前側装飾部１０１０は、１０個の可動部１０１０ａ〜１０１０ｊを有している。可動部１０１０ａ〜１０１０ｊは、例えば、透明樹脂材料で個別に成型され、同じ大きさおよび同形状を有し、円環状に配置される。また、可動部１０１０ａ〜１０１０ｊの前面側には凹凸による装飾が施されている。
【０３３９】
外側装飾部１０１２は、例えば、透明樹脂材料で成型されて、円形の浅底器形状を有し、底面が前方を向くように配置され、表面に凹凸による装飾が施されている。また、外側装飾部１０１２は、底面中央に円形の開口部１０１２ａを有している。また、外側装飾部１０１２は、後述する内側装飾部１０１４を内部に収容できるようになっている。
【０３４０】
内側装飾部１０１４は、基部１０１４ａ、回転円板１０１４ｂ、および長孔付円板１０１４ｃを有している。基部１０１４ａ、回転円板１０１４ｂ、および長孔付円板１０１４ｃは、例えば樹脂材料で成型されて、薄板円環形状を有し、ほぼ等しい内径および外径を備えている。基部１０１４ａ、回転円板１０１４ｂ、および長孔付円板１０１４ｃは、互いに開口中心が一致するように、後側からこの順に重なって配置される。また、基部１０１４ａ、回転円板１０１４ｂ、および長孔付円板１０１４ｃに囲まれるようにして円形状の開口部１０１４ｄが配置される。
【０３４１】
基部１０１４ａ、回転円板１０１４ｂ、および長孔付円板１０１４ｃは外側装飾部１０１２内に収容される。また、基部１０１４ａおよび長孔付円板１０１４ｃは外側装飾部１０１２にネジで固定され、外側装飾部１０１２は後述する右側移動部材１０３８および左側移動部材１０４４にネジで固定される。このため、基部１０１４ａおよび長孔付円板１０１４ｃは回転不可能である。回転円板１０１４ｂは、基部１０１４ａと長孔付円板１０１４ｃとの間に挟持されてネジ等で固定されておらず、開口部１０１４ｄの中心を回転中心として所定角度の範囲で回転可能になっている。また、回転円板１０１４ｂは、基部１０１４ａおよび長孔付円板１０１４ｃとの接触面積を相対的に小さくして、基部１０１４ａおよび長孔付円板１０１４ｃ間での摩擦力が低減されている。
【０３４２】
また、回転円板１０１４ｂの右側後面には歯車部１０１４ｂ１が設けられている。歯車部１０１４ｂ１は、同形で同じピッチで刻まれた歯が円周状に並んで後方を向くように形成されている。また、基部１０１４ａの外周に歯車部１０１４ｂ１の動作範囲に合わせて切欠き（不図示）が設けられている。これにより、歯車部１０１４ｂ１と基部１０１４ａとが接触して回転円板１０１４ｂの回転動作の妨げになるのを防ぐとともに、歯車部１０１４ｂ１が後方に配置される平歯車１０２４と噛み合わせ可能になっている。
【０３４３】
また、回転円板１０１４ｂは、案内孔部１０１４ｂ２（図２１では不図示、図２３参照）を有している。案内孔部１０１４ｂ２は、回転円板１０１４ｂの内縁と外縁の中間を通る仮想円周に対して左上から右下に斜めに交わるように延びた長円形状を有している。また、回転円板１０１４ｂは、案内孔部１０１４ｂ２と同様の案内孔部（不図示）を９個有している。これらの案内孔部は等間隔に配置される。
【０３４４】
また、長孔付円板１０１４ｃは、長孔付円板１０１４ｃの外周円の半径方向に延びた長円形状の長孔部１０１４ｃ１を有している。また、長孔付円板１０１４ｃは、長孔部１０１４ｃ１と同様の長孔部を９個有している。これらの長孔部は等間隔に配置される。
【０３４５】
回転円板１０１４ｂの案内孔部と長孔付円板１０１４ｃの長孔部とは、下端部が前後方向に重なって配置される。例えば、回転円板１０１４ｂの案内孔部１０１４ｂ２と長孔付円板１０１４ｃの長孔部１０１４ｃ１とは、下端部が前後方向に重なって配置される。
【０３４６】
また、内側装飾部１０１４は、さらに、可動部支持部１０１４ｅを有している。可動部支持部１０１４ｅは、全体として薄板形状を有し、板面が前後方向に直交するように配置される。また、可動部支持部１０１４ｅは、図２３に示すように、例えば樹脂材料で全体が一体的に成型されて、前面側から前方に円柱状に突出した取付部１０１４ｅ１と、後面側から後方に円柱状に突出した被案内部１０１４ｅ２とを有している。また、内側装飾部１０１４は、可動部支持部１０１４ｅと同様の可動部支持部を９個有している。
【０３４７】
取付部１０１４ｅ１は、外側装飾部１０１２の開口部１０１２ａから前方に突出しており、外側装飾部１０１２の前方に配置される可動部１０１０ａの後面下端とネジで固定される。同様に、可動部支持部１０１４ｅ以外の９個の可動部支持部には、可動部１０１４ｂ〜１０１４ｊが１個ずつネジで固定される。
【０３４８】
また、可動部支持部１０１４ｅは、被案内部１０１４ｅ２が回転円板１０１４ｂの案内孔部１０１４ｂ２内、および長孔付円板１０１４ｃの長孔部１０１４ｃ１内を移動可能なように取り付けられる。この取り付けには、例えば、座金付ネジが用いられる。座金付ネジの座金部分は、案内孔部１０１４ｂ２および長孔部１０１４ｃ１の幅よりも大きく、被案内部１０１４ｅ２が案内孔部１０１４ｂ２および長孔部１０１４ｃ１から離脱するのを防いでいる。同様に、可動部支持部１０１４ｅ以外の９個の可動部支持部は、被案内部が回転円板１０１４ｂの案内孔部内、および長孔付円板１０１４ｃの長孔部内を移動可能なように座金付ネジにより取り付けられる。回転円板１０１４ｂ、長孔付円板１０１４ｃおよび可動部支持部１０１４ｅは、可動部１０１０ａ〜可動部１０１０ｊを動作させるために用いられる。
【０３４９】
また、外側装飾部１０１２の下端には、下側装飾部１０１６がネジで固定される。下側装飾部１０１６は、例えば、透明樹脂材料で成型されて凹凸による飾りが施されている。
【０３５０】
また、内側装飾部１０１４の基部１０１４ａの後側には、レンズ１０１８がネジで固定される。レンズ１０１８はほぼ円形状を有し、レンズ１０１８の中心と開口部１０１２ａ、１０１４ｄの中心とが前後方向で重なるようになっている。本実施の形態では、レンズ１０１８には凸レンズが用いられているが、凹レンズが用いられていてもよい。
【０３５１】
また、基部１０１４ａの後側には、複数のＬＥＤが実装されたＬＥＤ基板（不図示）が配置されている。ＬＥＤ基板は、基部１０１４ａと同様の円環形状を有し、中央の開口部が開口部１０１４ｄに重なるように配置されている。レンズ可動体１００２ａは、当該複数のＬＥＤを用いて、発光可能になっている。当該複数のＬＥＤは、図４に示す遊技盤用ランプ５３２に含まれ、遊技盤用ランプ駆動回路５３０により駆動される。
【０３５２】
レンズ可動体１００２ａの後方には、ベース部１００２ｂが配置される。ベース部１００２ｂは、例えば透明樹脂材料により一体的に成型されて、上側基部１００２ｂ１、下側基部１００２ｂ２、右側基部１００２ｂ３、左側基部１００２ｂ４、および開口部１００２ｂ５を有している。上側基部１００２ｂ１はベース部１００２ｂの上部に配置され、下側基部１００２ｂ２はベース部１００２ｂの下部に配置される。上側基部１００２ｂ１と下側基部１００２ｂ２とは前面が前後方向に直交する同一平面内に配置される。
【０３５３】
右側基部１００２ｂ３と左側基部１００２ｂ４とは、上側基部１００２ｂ１および下側基部１００２ｂ２を挟んで左右方向で互いに対向するように配置される。右側基部１００２ｂ３は、上側基部１００２ｂ１および下側基部１００２ｂ２の右側後端から後方に延びて配置される。また、左側基部１００２ｂ４は、上側基部１００２ｂ１および下側基部１００２ｂ２の左側後端から後方に延びて配置される。
【０３５４】
また、上側基部１００２ｂ１の下側端辺はレンズ１０１８の上部輪郭に合わせた形状に形成されており、下側基部１００２ｂ２の上側端辺はレンズ１０１８の下部輪郭に合わせた形状に形成されている。上側基部１００２ｂ１および下側基部１００２ｂ２に囲まれるようにして、レンズ１０１８の輪郭形状と同形状の輪郭を備える開口部１００２ｂ５が配置されている。レンズ可動体１００２ａは、レンズ１０１８と開口部１００２ｂ５とが前後方向で重なるように、ベース部１００２ｂの前方に配置される。開口部１０１２ｂ、１０１４ｄ、レンズ１０１８、および開口部１００２ｂ５により、レンズ可動体１００２ａの後方を視認可能な視認領域が形成され、当該視認領域にレンズ１０１８が配置される。これにより、前方側から開口部１０１２ｂ、１０１４ｄ、レンズ１０１８、および開口部１００２ｂ５を介して上部前可動体１００２の後方が視認可能になっている。
【０３５５】
また、下側基部１００２ｂ２の下側端辺は、下側装飾部１０１６の上側表面に合う形状に形成されている。レンズ可動体１００２ａをベース部１００２ｂに取り付けた場合に、下側基部１００２ｂ２の下方に下側装飾部１０１６が位置するようになっており、レンズ可動体１００２ａの前後方向の動作をベース部１００２ｂが妨げないようになっている。
【０３５６】
次に、前後駆動部１００４について説明する。前後駆動部１００４は、レンズ可動体１００２ａを前後方向に移動動作させるために用いられる。前後駆動部１００４は、駆動源部１００４ａ、右側駆動部１００４ｂ、左側駆動部１００４ｃ、および可動部用駆動部１００４ｄを有している。
【０３５７】
駆動源部１００４ａは、モータ１０２０、取付部材１０２２、平歯車１０２４、シャフト１０２６、平歯車１０２８、１０３０、１０３２を有している。モータ１０２０は、レンズ可動体１００２ａの前後方向の移動動作を実行するための駆動源である。本実施の形態では、モータ１０２０にはステッピングモータが用いられる。モータ１０２０は、回転軸が左右方向に延びて配置される。
【０３５８】
取付部材１０２２は、例えば樹脂材料で成型され、モータ１０２０をベース部１００２ｂの右側基部１００２ｂ３の右側面に取り付けるために用いられる。取付部材１０２２には、モータ１０２０の回転軸を通す貫通孔が形成されている。モータ１０２０は回転軸が当該貫通孔を通るように取付部材１０２２の右側面にネジで固定される。取付部材１０２２は、右側基部１００２ｂ３の右側面にネジで固定される。
【０３５９】
また、モータ１０２０の回転軸には、平歯車１０２４が固定される。平歯車１０２４は、モータ１０２０の左方であって取付部材１０２２と右側基部１００２ｂ３との間に配置される。また、ベース部１００２ｂの上側基部１００２ｂ１には、左右方向に延びた金属製で円柱形状のシャフト１０２６が回転可能に取り付けられている。シャフト１０２６は、上側基部１００２ｂ１の左右方向の長さとほぼ同じ長さを有し、右端には平歯車１０２８が固定される。平歯車１０２８は、モータ１０２０の回転軸の固定された平歯車１０２４と噛み合わされている。また、シャフト１０２６の左端には平歯車１０３２が固定される。
【０３６０】
また、ベース部１００２ｂの左側基部１００２ｂ４の左側面には平歯車１０３２が回転可能に取り付けられている。平歯車１０３２は、シャフト１０２６の左端に固定されている平歯車１０３０と噛み合わされている。平歯車１０３２は、平歯車１０２４と上下方向の位置が同じになるように配置される。
【０３６１】
平歯車１０２４、１０２８、１０３０、１０３２は、回転軸が左右方向を向くように配置される。また、平歯車１０２４と平歯車１０３２とは、同じピッチ円直径、同じ形状、および同じ歯数を有している。また、平歯車１０２８と平歯車１０３０とは、同じピッチ円直径、同じ形状、および同じ歯数を有している。また、平歯車１０２４、１０３２は、平歯車１０２８、１０３０よりもピッチ円直径が大きく、歯数も多くなっている。平歯車１０２４と平歯車１０２８の歯数比と、平歯車１０３０と平歯車１０３２の歯数比とは、等しく、共に１未満である。
【０３６２】
このため、モータ１０２０による回転運動は、平歯車１０２４を介して平歯車１０２８に回転速度が所定比で増速されて伝達される。また、平歯車１０２８と平歯車１０３０とは、シャフト１０２６に固定されているので同方向に同じ回転速度で回転する。また、平歯車１０３０の回転運動は回転速度が所定比で減速されて平歯車１０３２に伝達される。これにより、平歯車１０３２の回転速度は、平歯車１０２４の回転速度と同じになる。また、平歯車１０２４と平歯車１０３２の回転方向は同じである。駆動源部１００４ａは、モータ１０２０による回転運動を平歯車１０２４および平歯車１０３２に同じ回転方向および同じ回転速度で伝達することができる。
【０３６３】
次に、右側駆動部１００４ｂ、および左側駆動部１００４ｃについて説明する。右側駆動部１００４ｂ、左側駆動部１００４ｃは、モータ１０２０の回転運動を直線運動に変換してレンズ可動体１００２ａに伝達するために用いられる。
【０３６４】
右側駆動部１００４ｂは、右側案内棒１０３４、右側案内棒固定部材１０３６、および右側移動部材１０３８を有している。右側案内棒１０３４は、金属製で円柱形状を有し、前後方向に延びて配置される。右側案内棒１０３４の前端はベース部１００２ｂの右側基部１００２ｂ３の右側前部に固定され、後端は右側案内棒固定部材１０３６により右側基部１００２ｂ３の右側後部に固定される。
【０３６５】
右側移動部材１０３８は、右側基部１００２ｂ３の右側であって、平歯車１０２４の下方に配置されている。右側移動部材１０３８は、樹脂材料で成型されて、全体として薄板長方形状を有し、長手方向が前後方向に平行になり、板面が左右方向に直交するように配置される。右側移動部材１０３８の上部端辺には、同形の歯が同じピッチで刻まれて前後方向に並ぶラック部１０３８ａが設けられている。ラック部１０３８ａは、平歯車１０２４に噛み合わされている。また、右側移動部材１０３８の右側面には、円筒形の貫通孔を備えた被案内部１０３８ｂが設けられている。右側移動部材１０３８は、被案内部１０３８ｂが右側案内棒１０３４を囲んで摺動可能に取り付けられている。右側移動部材１０３８は、平歯車１０２４の回転運動をラック部１０３８ａで受けて直線運動に変換し、右側案内棒１０３４に案内されて前後方向に直線運動可能になっている。
【０３６６】
また、右側移動部材１０３８の右側面には、上下方向に延びる前側溝１０３８ｃと後側溝１０３８ｄが設けられている。前側溝１０３８ｃと後側溝１０３８ｄとは、同じ長さで平行に延びている。前側溝１０３８ｃと後側溝１０３８ｄの機能については後述する。
【０３６７】
左側駆動部１００４ｃは、左側案内棒１０４０、左側案内棒固定部材１０４２、および左側移動部材１０４４を有している。左側案内棒１０４０は、金属製で円柱状形状を有し、前後方向に延びて配置される。左側案内棒１０４０は、右側案内棒１０３４と上下方向の位置が同じ位置に、右側案内棒１０３４に平行に配置される。左側案内棒１０４０の前端はベース部１００２ｂの左側基部１００２ｂ４の左側前部に固定され、後端は左側案内棒固定部材１０４２により左側基部１００２ｂ４の左側後部に固定される。
【０３６８】
左側移動部材１０４４は、左側基部１００２ｂ４の左側であって、平歯車１０３２の下方に配置されている。左側移動部材１０４４は、樹脂材料で成型されて、全体として薄板長方形状を有し、長手方向が前後方向に平行になり、板面が左右方向に直交するように配置される。左側移動部材１０４４は、右側移動部材１０３８と上下方向の位置および前後方向の位置が同じになり、右側移動部材１０３８と平行に配置される。左側移動部材１０４４上部端辺には、同形の歯が同じピッチで刻まれて前後方向に並ぶラック部１０４４ａが設けられている。ラック部１０４４ａは、平歯車１０３２に噛み合わされている。また、左側移動部材１０４４の左側面には、被案内部１０３８ｂと同様の被案内部（不図示）が設けられている。左側移動部材１０４４は、当該被案内部が左側案内棒１０４０を囲んで摺動可能に取り付けられている。左側移動部材１０４４は、平歯車１０３２の回転運動をラック部１０４４ａで受けて直線運動に変換し、左側案内棒１０４０に案内されて前後方向に直線移動可能になっている。
【０３６９】
右側移動部材１０３８と左側移動部材１０４４とは同じ大きさを有している。また、ラック部１０３８ａとラック部１０４４ａとは、同じ形状を有し、歯のピッチおよび歯数が等しくなっている。また、モータ１０２０が駆動することにより、平歯車１０２４と平歯車１０３２が同方向に同じ回転速度で回転する。ラック部１０３８ａは平歯車１０２４に噛み合わされており、ラック部１０４４ａは平歯車１０３２に噛み合わされているので、モータ１０２０の駆動時には、右側移動部材１０３８と左側移動部材１０４４とは同方向に同じ速度で前後方向に互いに平行に直線運動するようになっている。
【０３７０】
また、右側移動部材１０３８の前側端辺には、レンズ可動体１００２ａの内側装飾部１０１４の基部１０１４ａの右側後面がネジで固定される。同様に、左側移動部材１０４４の前側端辺には、レンズ可動体１００２ａの内側装飾部１０１４の基部１０１４ａの左側後面がネジで固定される。このため、レンズ可動体１００２ａは、右側移動部材１０３８および左側移動部材１０４４の直線運動に連動して、前後方向に直線運動するようになっている。
【０３７１】
レンズ可動体１００２ａがベース部１００２ｂを起点として前方に移動した場合に、右側移動部材１０３８の被案内部１０３８ｂの前端部がベース部１００２ｂの右側基部１００２ｂ３の前端に接触するようになっている。また同様に、レンズ可動体１００２ａがベース部１００２ｂを起点として前方に移動した場合に、左側移動部材１０４４の被案内部の前端部がベース部１００２ｂの左側基部１００２ｂ４の前端に接触するようになっている。これにより、右側移動部材１０３８の被案内部１０３８ｂおよび左側移動部材１０４４の被案内部（不図示）がレンズ可動体１００２ａのメカエンドとして機能するようになっている。
【０３７２】
次に、可動部用駆動部１００４ｄについて説明する。可動部用駆動部１００４ｄは、レンズ可動体１００２ａが前後方向に移動する場合に、前側装飾部１０１０の可動部１０１０ａ〜１０１０ｊを駆動するために用いられる。
【０３７３】
可動部用駆動部１００４ｄは、ラック付被案内部材１０５０、被案内軸１０５２、すべり軸受１０５４、平歯車１０５６、取付部材１０５８、および案内溝付飾り部材１０６０を有している。
【０３７４】
ラック付被案内部材１０５０は、樹脂材料で一体的に成型されて、取付け部１０５０ａとラック部１０５０ｂとを有している。取付け部１０５０ａは、薄板平板形状を有し、板面が左右方向に直交するように配置される。また、右側移動部材１０３８の右側面には、上下方向に延びる前側溝１０３８ｃと後側溝１０３８ｄとが設けられおり、取付け部１０５０ａの左側面には２つの突起（不図示）が設けられており、ラック付被案内部材１０５０は、一方の突起が前側溝１０３８ｃ内を摺動可能に、他方の被案内部が後側溝１０３８ｄ内を摺動可能に右側移動部材１０３８に取り付けられる。これにより、ラック付被案内部材１０５０は、右側移動部材１０３８の前側溝１０３８ｃおよび後側溝１０３８ｄに沿って上下方向に移動可能になっている。
【０３７５】
また、取付け部１０５０ａの前端部には、ラック部１０５０ｂが配置される。ラック部１０５０ｂには同形の歯が同じピッチで刻まれており、歯先が前方を向いている。
【０３７６】
取付け部１０５０ａの右側側面には、円柱状の金属製で左右方向に延びた被案内軸１０５２の左端が固定されている。被案内軸１０５２の右端には、円柱状の樹脂製のすべり軸受１０５４が取り付けられている。
【０３７７】
また、右側移動部材１０３８の右側面には、前後方向に平行な面内で回転可能に平歯車１０５６が取り付けられている。平歯車１０５６は、回転軸が左右方向を向くようにラック部１０５０ｂの前方に配置され、ラック部１０５０ｂのラックに噛み合わされている。
【０３７８】
ラック付被案内部材１０５０および平歯車１０５６の右側には、取付部材１０５８が配置される。取付部材１０５８は、例えば黒色樹脂材料で遮光片１０５８ａを設けて一体的に成型されている。取付部材１０５８は、平歯車１０５６の中心の円形開口を貫通するネジにより、右側移動部材１０３８に固定される。
【０３７９】
平歯車１０５６は、内側装飾部１０１４の歯車部１０１４ｂ１と噛み合わされている。これにより、平歯車１０５６が回転すると、内側装飾部１０１４の回転円板１０１４ｂが連動して回転するようになっている。
【０３８０】
また、ベース部１００２ｂの右側基部１００２ｂ３の右側面下方には、例えば透明樹脂材料で成型された案内溝付飾り部材１０６０がネジで固定されている。案内溝付き飾り部材１０６０の右側基部１００２ｂ３と対向する面（左側面）には、案内溝１０６０ａ（図２１では不図示、図２３参照）が設けられている。案内溝１０６０ａは、後方下方から前方上方に延びて形成されている。案内溝１０６０ａ内を摺動可能にすべり軸受１０５４が配置される。被案内軸１０５２の一端にはすべり軸受１０５４が固定され、被案内軸１０５２の他端にはラック付被案内部材１０５０が固定されており、案内溝１０６０ａはラック付被案内部材１０５０の移動方向を案内することができるようになっている。
【０３８１】
右側移動部材１０３８が初期位置から前方に移動すると、ラック付被案内部材１０５０は、案内溝１０６０ａに案内され、前側溝１０３８ｃおよび後側溝１０３８ｄに沿って上方に移動する。これにより、ラック付被案内部材１０５０のラック部１０５０ｂのラックに噛み合わされている平歯車１０５６が回転し、平歯車１０５６に噛み合わされている歯車部１０１４ｂ１を備えた内側装飾部１０１４の回転円板１０１４ｂが回転する。回転円板１０１４ｂの回転動作に連動して、可動部１０１０ａ〜１０１０ｊが動作するようになっている。この動作原理については、図２３を用いて後述する。
【０３８２】
また、取付部材１０２２には、フォトセンサ１０６２がネジで固定されている。フォトセンサ１０６２は、レンズ可動体１００２ａの位置を検出するために用いられる。フォトセンサ１０６２は、図４に示す各種可動体センサ４３０に含まれており、図４に示すセンサ回路４２８に接続されている。フォトセンサ１０６２は、空間部を挟んで上下方向に対向するように配置された発光部と受光部とを有している。
【０３８３】
また、レンズ可動体１００２ａと一体的に動作する右側移動部材１０３８に固定される取付部材１０５８には例えば黒色樹脂材料で形成された遮光片１０５８ａが設けられている。なお、取付部材１０５８は全体が黒色樹脂材料で一体的に成型されていてもよい。レンズ可動体１００２ａがベース部１００２ｂを起点とする最後方に位置する場合は、遮光片１０５８ａがフォトセンサ１０６２の受光部と発光部の間に進入する。本実施形態では、フォトセンサ１０６２でレンズ可動体１００２ａと一体的に移動動作する遮光片１０５８ａの有無を検知し、第１副制御部４００は、フォトセンサ１０６２が遮光片１０５８ａを検知したときはレンズ可動体１００２ａが最後方に位置していると判定し、フォトセンサ１０６２が当該遮光片を検知しない場合はレンズ可動体１００２ａが最後方以外の位置に位置していると判定する。
【０３８４】
また、ベース部１００２ｂの左側基部１００２ｂ４の左側面には基板１０６４がネジで固定されている。モータ１０２０、内側装飾部１０１４に備えられたＬＥＤ基板（不図示）、およびフォトセンサ１０６２は不図示の配線により基板１０６４に接続される。モータ１０２０は基板１０６４を介して図４に示す駆動回路５１６に接続され、ＬＥＤ基板は基板１０６４を介して図４に示す遊技盤用ランプ駆動回路５３０に接続され、フォトセンサ１０６２は基板１０６４を介して図４に示すセンサ回路４２８に接続される。これにより、上部前飾り役物１０００と第１副制御部４００や第２副制御部５００とを接続する配線を集約することができる。
【０３８５】
レンズ可動体１００２ａおよびベース部１００２ｂを有する上部前可動体１００２は、上部前可動体ベース部１００８に取り付けられる。上部前可動体ベース部１００８は、金属製で一体的に成型され、左側基部１００８ａと上側基部１００８ｂとを有している。左側基部１００８ａは、上下方向に延びており、ベース部１００２ｂの左方に配置される。上側基部１００８ｂは、左側基部１００８ａの上端から右方に延びて配置される。上側基部１００８ｂは、ベース部１００２ｂの上方に配置される。
【０３８６】
また、左側基部１００８ａには、上下方向に延びた円柱形状の金属製の案内棒１０６６が取り付けられている。左側基部１００８ａの上端には上端固定部１００８ａ１が設けられ、左側基部１００８ａの下端には下端固定部１００８ａ２が設けられている。案内棒１０６６の上端は上端固定部１００８ａ１に固定され、案内棒１０６６の下端は下端固定部１００８ａ２に固定される。下端固定部１００８ａ２は、上部前可動体１００２のメカエンドとして機能する。
【０３８７】
また、ベース部１００２ｂの左側基部１００２ｂ４の左側面には、例えば透明樹脂材料で成型された被案内部付装飾部材１０６８がネジで固定される。被案内部付装飾部材１０６８の上部には被案内部１０６８ａが設けられており、被案内部１０６８ａは案内棒１０６６に摺動可能に取り付けられる。上部前可動体１００２は、後述の上下駆動部１００６に駆動され、案内棒１０６６に案内されて上下方向に移動可能になっている。
【０３８８】
上部前可動体１００２が取り付けられた上部前可動体ベース部１００８は、図２２に示すように、上部役物ベース部８５０にネジで固定される。上部役物ベース部８５０は、上部前飾り役物１０００および後述する上部後飾り役物１１００をユニット本体８２２に取り付けるために用いられる。上部役物ベース部８５０は、例えば樹脂材料で一体的に成型されて、右側基部８５０ａ、中央基部８５０ｂ、および左側基部８５０ｃを有している。具体的には、上部前可動体ベース部１００８の左側基部１００８ａは、上部役物ベース部８５０の左側基部８５０ｃの右端にネジで固定され、上部前可動体ベース部１００８の上側基部１００８ｂは、上部役物ベース部８５０の右側基部８５０ａの上端左側にネジで固定される。
【０３８９】
次に、図２１および図２２を用いて、上下駆動部１００６について説明する。上下駆動部１００６は、上部前可動体１００２を上下方向に移動動作させるために用いられる。上下駆動部１００６は、図２２に示すように、モータ１０７０、平歯車１０７２、動力伝達部１０７４、外レール１０７８、上部フォトセンサ１０８４、および下部フォトセンサ１０８６を有し、図２１に示すように、ラック取付部材１０７６、内レール１０８０、および引っ張りコイルばね１０８２ｒ、１０８２ｌを有している。
【０３９０】
図２２に示すように、モータ１０７０、平歯車１０７２、動力伝達部１０７４、外レール１０７８、上部フォトセンサ１０８４、および下部フォトセンサ１０８６は、上部役物ベース部８５０の右側基部８５０ａに取り付けられる。
【０３９１】
モータ１０７０は、上部前可動体１００２の上下方向の移動動作を実行するための駆動源である。本実施の形態では、モータ１０７０にはステッピングモータが用いられる。モータ１０７０は、回転軸が前後方向に延びて配置され、モータ１０７０の後方にはモータ１０７０の回転軸に固定された平歯車１０７２が配置される。平歯車１０７２は、回転可能に右側基部８５０ａに取り付けられる。
【０３９２】
動力伝達部１０７４は、モータ１０７０の回転運動を直線運動に変換して、上部前可動体１００２に伝達するために用いられる。動力伝達部１０７４は、ラック１０７４ａ、被案内部材１０７４ｂ、ラックカバー１０７４ｃ、および平歯車１０７４ｄ１〜１０７４ｄ３を有している。ラック１０７４ａは、樹脂材料で成型されて細長形状を有し、曲げが可能な柔軟性を有している。また、ラック１０７４ａは、中に長さ方向に延びた鉄芯線（不図示）が埋め込まれており、必要な強度を得ている。本実施の形態では、ラック１０７４ａは、上方に凸な円弧状の曲線を描くように曲げられて用いられる。上方に凸になるように曲げられたラック１０７４ａの内側には同形の歯が同じピッチで刻まれており、ラック１０７４ａは平歯車１０７２に噛み合わされている。
【０３９３】
また、ラック１０７４ａの右下端部には、例えば樹脂材料で成型され、ラック１０７４ａと同形、同ピッチのラックを備えた被案内部材１０７４ｂが取り付けられる。被案内部材１０７４ｂとラック１０７４ａとは噛み合わされており、ラック１０７４ａと被案内部材１０７４ｂは一体的に動作する。
【０３９４】
ラックカバー１０７４ｃは、例えば樹脂材料で成型され、前方から見ると文字「し」を上下左右に反転したような形状を有している。ラックカバー１０７４ｃの後側（中側）にはラックカバー１０７４ｃの形状に沿って延びた案内溝（不図示）が設けられており、当該案内溝内にラック１０７４ａおよび被案内部材１０７４ｂを収容している。被案内部材１０７４ｂは当該案内溝に案内されて移動可能に配置される。ラック１０７４ａは、被案内部材１０７４ｂと連動してラックカバー１０７４ｃの形状に沿って移動可能になっている。また、ラックカバー１０７４ｃは、右側基部８５０ａにネジで固定され、ラック１０７４ａおよび被案内部材１０７４ｂが右側基部８５０ａから離脱しないよう覆っている。
【０３９５】
平歯車１０７４ｄ１、１０７４ｄ２、１０７４ｄ３は、回転可能に右側基部８５０ａに取り付けられており、ラックカバー１０７４ｃに覆われている。平歯車１０７４ｄ１、１０７４ｄ２、１０７４ｄ３は、ラックカバー１０７４ｃ内の案内溝に沿って配置され、ラック１０７４ａに噛み合わされている。平歯車１０７４ｄ１、１０７４ｄ２、１０７４ｄ３は、ラック１０７４ａが案内溝に沿って滑らかに移動できるようにするために用いられる。なお、ラック１０７４ａがラックカバー１０７４ｃ内の案内溝に沿って滑らかに移動できるようにするために、ローラが用いられてもよい。
【０３９６】
また、ラック１０７４ａの左下端は、ラックカバー１０７４ｃから露出しており、図２１に示すラック取付部材１０７６によりベース部１００２ｂの右側基部１００２ｂ３の右側面に固定される。これにより、動力伝達部１０７４は、ラック１０７４ａにより、平歯車１０７２を介して伝達されたモータ１０７０の回転運動を直線運動に変換して上部前可動体１００２のベース部１００２ｂに伝達する。
【０３９７】
また、図２２に示すように、右側基部８５０ａの左端には、上下方向に延びた金属性の外レール１０７８がネジで固定される。また、図２１に示すように、ベース部１００２ｂの右側基部１００２ｂ３の後面には、上下方向に延びた金属製の内レール１０８０がネジで固定される。内レール１０８０は、外レール１０７８に沿って移動可能に外レール１０７８の内側に取り付けられる。外レール１０７８と内レール１０８０のレール接面部には、レール同士の摩擦を低減し内レール１０８０が滑らかにスライドできるように複数のスチールボール（不図示）が配置されている。外レール１０７８および内レール１０８０は、上部前可動体１００２を上下方向に案内するために用いられる。また、外レール１０７８の上端および下端は上部前可動体１００２のメカエンドとして機能する。
【０３９８】
このように、上部前可動体１００２は、モータ１０７０による回転運動が平歯車１０７２およびラック１０７４ａを介して直線運動に変換されて伝達され、案内棒１０６６と、外レール１０７８および内レール１０８０に案内されて、上下方向への直線運動が可能になっている。
【０３９９】
また、図２１に示すように、引っ張りコイルばね１０８２ｒは、上下方向に伸縮可能なように、上端が上部前可動体ベース部１００８の上側基部１００８ｂに固定され、下端がベース部１００２ｂの右側基部１００２ｂ３の後側に固定される。同様に、引っ張りコイルばね１０８２ｌは、上下方向に伸縮可能なように、上端が上部前可動体ベース部１００８の上側基部１００８ｂに固定され、下端がベース部１００２ｂの左側基部１００２ｂ４の後側に固定される。
【０４００】
引っ張りコイルばね１０８２ｒ、１０８２ｌは、上部前可動体１００２が最も上方の位置（初期位置）に位置する場合に自然長となり、上部前可動体１００２が初期位置よりも下方の位置に位置する場合に自然長より伸びた状態になる。引っ張りコイルばね１０８２ｒ、１０８２ｌは、復元力を利用して、上部前可動体１００２が初期位置へ復帰するためのモータ１０７０の動力を補助している。
【０４０１】
また、図２２に示すように、右側基部８５０ａには、外レール１０７８の右側に上部フォトセンサ１０８４および下部フォトセンサ１０８６がネジで固定される。上部フォトセンサ１０８４は外レール１０７８の上端と上下方向の位置がほぼ同じになるように配置され、下部フォトセンサ１０８６は外レール１０７８の下端と上下方向の位置がほぼ同じになるように配置される。上部フォトセンサ１０８４および下部フォトセンサ１０８６は、上部前可動体１００２の位置を検出するために用いられる。上部フォトセンサ１０８４および下部フォトセンサ１０８６は、図４に示す各種可動体センサ４３０に含まれており、図４に示すセンサ回路４２８に接続されている。
【０４０２】
上部フォトセンサ１０８４および下部フォトセンサ１０８６は、空間部を挟んで前後方向に対向するように配置された発光部と受光部とを有している。また、図２１に示すように、上部前可動体１００２のベース部１００２ｂに固定される取付部材１０２２には、光不透過部材で形成された遮光片（不図示）が設けられている。上部前可動体１００２が最上方の位置（初期位置）に位置する場合には、当該遮光片が上部フォトセンサ１０８４の受光部と発光部の間に進入し、上部前可動体１００２が最下方の位置に位置する場合には、当該遮光片が下部フォトセンサ１０８６の受光部と発光部の間に進入する。本実施形態では、上部フォトセンサ１０８４および下部フォトセンサ１０８６で上部前可動体１００２の位置を検出する。第１副制御部４００は、上部フォトセンサ１０８４が取付部材１０２２に設けられた遮光片を検知したときは上部前可動体１００２が初期位置に位置していると判定し、下部フォトセンサ１０８６が当該遮光片を検知した場合は上部前可動体１００２が最下方の位置に位置していると判定する。
【０４０３】
また、右側基部８５０ａには、基板１０８８がネジで固定されている。モータ１０７０、上部フォトセンサ１０８４、および下部フォトセンサ１０８６は、不図示の配線により基板１０８８に接続される。モータ１０７０は基板１０８８を介して図４に示す駆動回路５１６に接続され、上部フォトセンサ１０８４および下部フォトセンサ１０８６は基板１０８８を介して図４に示すセンサ回路４２８に接続される。基板１０８８と第１副制御部４００または第２副制御部５００を接続する配線は、右側基部８５０ａの右端部後側にネジで固定される配線カバー８５０ａ１内に収容される。これにより、上部前飾り役物１０００と第１副制御部４００や第２副制御部５００とを接続する配線を集約することができる。
【０４０４】
次に、図２３を用いて、レンズ可動体１００２ａ、および可動部１０１０ａ〜可動部１０１０ｊの動作について説明する。図２３は、上部前可動体１００２を前方右上から後方左下に見た状態を示している。図２３では、上部前可動体１００２を、レンズ可動体１００２ａと、ベース部１００２ｂに分解し、さらに、レンズ可動体１００２ａを外側装飾部１０１２と内側装飾部１０１４とに分解して図示している。また、図２３では、可動部１０１０ａと可動部支持部１０１４ｅとを内側装飾部１０１４から取り外して図示している。図２３では、可動部１０１０ａと可動部支持部１０１４ｅとを例に挙げて、可動部１０１０ａ〜可動部１０１０ｊの動作原理について説明する。
【０４０５】
図２３（ａ）は、レンズ可動体１００２ａが移動範囲のうちの最後方に位置している状態を示していている。レンズ可動体１００２ａは、初期状態では最後方に位置している。レンズ可動体１００２ａは、前後駆動部１００４により駆動されて最後方の位置から前方に移動可能になっている。また、可動部１０１０ａ〜１０１０ｊは、レンズ可動体１００２ａの移動動作に連動して移動動作可能になっている。レンズ可動体１００２ａが最後方に位置する場合、可動部１０１０ａ〜１０１０ｊは初期位置に位置する。
【０４０６】
また、図２３（ａ）に示すように、レンズ可動体１００２ａが最後方に位置する場合には、右側移動部材１０３８のラック部１０３８ａの前部が平歯車１０２４と噛み合っている。同様に、左側移動部材１０４４のラック部１０４４ａの前部が平歯車１０３２と噛み合っている。また、ラック付被案内部材１０５０は最下端に位置し、ラック部１０５０ｂの上部が平歯車１０５６に噛み合っている。また、回転円板１０１４ｂの案内孔部１０１４ｂ２と、長孔付円板１０１４ｃの長孔部１０１４ｃ１とは下端部同士が前後方向に重なっている。可動部１０１０ａが初期位置に位置している場合、可動部支持部１０１４ｅの被案内部１０１４ｅ２が回転円板１０１４ｂの案内孔部１０１４ｂ２の下端および長孔付円板１０１４ｃの長孔部１０１４ｃ１の下端に接触するようになっている。
【０４０７】
図２３（ｂ）は、レンズ可動体１００２ａが移動範囲のうちの最前方の位置に移動した状態を示している。レンズ可動体１００２ａは、モータ１０２０の回転運動が直線運動に変換されて伝達され前後方向に直線運動可能になっている。
【０４０８】
具体的には、モータ１０２０が駆動して、モータの１０２０の回転軸および当該回転軸に固定された平歯車１０２４が右方から左方に見て右回りに回転する。これにより、平歯車１０２４に噛み合わされているラック部１０３８ａを備えた右側移動部材１０３８が右側案内棒１０３４に案内されて前方に移動する。また、平歯車１０２４に噛み合わされている平歯車１０２８と、シャフト１０２６と平歯車１０３０が左回りに回転する。平歯車１０３０には平歯車１０３２が噛み合わされており、平歯車１０３２には左側移動部材１０４４のラック部１０４４ａが噛み合わされている。このため、左側移動部材１０４４が左側案内棒１０４０に案内されて前方に移動する。
【０４０９】
右側移動部材１０３８と左側移動部材１０４４とは、同じ速度で互いに平行に前方に移動する。また、右側移動部材１０３８および左側移動部材１０４４の前側端部にはレンズ可動体１００２ａが固定されている。このため、レンズ可動体１００２ａは、右側移動部材１０３８および左側移動部材１０４４の前方への移動動作に連動して前方に移動動作可能になっている。
【０４１０】
また、右側移動部材１０３８の前方への移動動作に伴って、右側移動部材１０３８に取付られているラック付被案内部材１０５０が前方に移動しながら上昇する。具体的には、ラック付被案内部材１０５０に被案内軸１０５２を介して取り付けられるすべり軸受１０５４が案内溝付飾り部材１０６０の案内溝１０６０ａに案内されて移動する。案内溝付飾り部材１０６０は、ベース部１００２ｂに固定されているのでレンズ可動体１００２ａの前後方向への移動動作には連動せず移動しない。また、案内溝１０６０ａは後方下方から前方上方に向かって斜めに延びている。このため、すべり軸受１０５４は案内溝１０６０ａに案内されて上方に移動する。この移動動作に伴い、右側移動部材１０３８に設けられ、前後方向に延びた前側溝１０３８ｃおよび後側溝１０３８ｄに沿ってラック付被案内部材１０５０が上方に移動する。ラック付被案内部材１０５０が上方に移動することで、ラック付被案内部材１０５０のラック部１０５０ｂに噛み合わされている平歯車１０５６が右方から左方に見て左回りに回転する。これにより、平歯車１０５６に噛み合わされている歯車部１０１４ｂ１を備える回転円板１０１４ｂが前方から見て右回りに回転する。
【０４１１】
回転円板１０１４ｂの右回りの回転動作に連動して、可動部１０１０ａ〜１０１０ｊが内側装飾部１０１４の外周に向かって直線動作するようになっている。次に、可動部１０１０ａ〜１０１０ｊの動作原理について、可動部１０１０ａを例に挙げて説明する。可動部１０１０ａは、上述の通り、可動部支持部１０１４ｅに固定されている。
【０４１２】
回転円板１０１４ｂの右回りの回転動作により、回転部１０１０ｂの案内孔部１０１４ｂ２が右回りに移動する。回転円板１０１４ｂの内縁と外縁の中間を通る仮想円周に対して左上から右下に斜めに交わる方向に延びた案内孔部１０１４ｂ２に案内されて、被案内部１０１４ｅ２は、案内孔部１０１４ｂ２の右下端から左上端に移動する。この際、外側装飾部１０１２に固定されて回転しない長孔付円板１０１４ｃに設けられ、長孔付円板１０１４ｃの外周の半径方向に延びた長孔部１０１４ｃ１に沿って可動部支持部１０１４ｅは内側装飾部１０１４の内周側から外周側に移動する。これにより、可動部支持部１０１４ｅに固定されている可動部１０１０ａが内側装飾部１０１４の内周側から外周側に移動する。このように、回転円板１０１４ｂの右回りの回転動作に連動して、可動部支持部１０１４ｅが外周に向かって直線動作するようになっている。
【０４１３】
同様に、回転円板１０１４ｂの右回りの回転動作に連動して、可動部１０１０ｂ〜１０１０ｊが内側装飾部１０１４の内周側から外周側に移動するようになっている。このように、レンズ可動体１００２ａの前方への移動に連動して、前側装飾部１０１０が傘を開いたような開く動作を実行可能になっている。なお、前側装飾部１０１０の動作原理は図３０に示し後述する可動体１４２５の動作原理と同じである。
【０４１４】
また、当然に、レンズ可動体１００２ａは、図２３（ｂ）に示す位置から図２３（ａ）に示す位置へ後方に移動することが可能である。この場合には、モータ１０２０、および平歯車１０２４、１０２８、１０３０、１０３２がレンズ可動体１００２ａが前方に移動する場合と逆回転し、右側移動部材１０３８および左側移動部材１０４４が後方に移動する。また、ラック付被案内部材１０５０が下方に移動し、平歯車１０５６および回転円板１０１４ｂがレンズ可動体１００２ａが前方に移動する場合と逆回転に回転する。これにより、可動部１０１０ａ〜１０１０ｊが初期位置に復帰する。
【０４１５】
次に、図２４を用いて、上部前可動体１００２の上下方向の移動動作について説明する。図２４は、上部前飾り役物１０００を前方側から見た外観図である。上部前可動体１００２は、上下駆動部１００６により駆動されて上下方向への移動動作が可能になっている。また、上述のとおり、レンズ可動体１００２ａは上部前可動体１００２に含まれている。
【０４１６】
図２４（ａ）は、上部前可動体１００２が初期位置（上部位置）に位置している状態を示している。上部前可動体１００２の初期位置は、上部前可動体１００２の移動範囲のうち最上方となる位置である。
【０４１７】
図２４（ｂ）は、上部前可動体１００２が最上方の位置と最下方の位置との間の中間位置に移動した状態を示している。上部前可動体１００２が下方に移動する場合には、モータ１０７０の回転軸が前方側から見て左回りに回転する。これにより、モータ１０７０の回転軸に固定されている平歯車１０７２が左回りに回転し、平歯車１０７２に噛み合わされているラック１０７４ａの右側下端が上昇し、左側下端が下降する。この際、ラック１０７４ａは、直線的に案内されて移動する部分と円弧状に案内されて移動する部分とを含む。ラック１０７４ａの左側下端は上部前可動体１００２に固定されているので、ラック１０７４ａの動作に連動して上部前可動体１００２は、案内棒１０６６および外レール１０７８、内レール１０８０に案内されて下方に移動する。
【０４１８】
図２４（ｃ）は、上部前可動体１００２が最下方の位置に移動した状態を示している。案内棒１０６６を固定する下端固定部１００８ａ２がメカエンドとして機能し、上部前可動体１００２が停止している。
【０４１９】
また、当然に、上部前可動体１００２は、図２４（ｃ）に示す最下方の位置から図２４（ａ）に示す最上方の位置（初期位置）に向かって上方に移動可能である。上部前可動体１００２が上方へ移動する場合には、モータ１０７０の回転軸および平歯車が前方側から見て右回りに回転し、ラック１０７４ａの右側下端が下降し、左側下端が上昇する。これに連動して、上部前可動体１００２は、案内棒１０６６および外レール１０７８、内レール１０８０に案内されて上方に移動する。また、上部前可動体１００２が上方に移動する場合、外レール１０７８の上端がメカエンドとして機能するようになっている。
【０４２０】
次に、図２５を用いて、上部前可動体１００２とレンズ可動体１００２ａとの動作について説明する。図２５は、上部前飾り役物１０００を前方側から見た外観図である。
【０４２１】
レンズ可動体１００２ａは、上述のロゴ可動体９０２との接触を避けるために、ロゴ可動体９０２が最上方に位置し、上部前可動体１００２が最下方の位置に位置する場合に、前後方向に移動するようになっている。図２５は、図２３（ｂ）に示す状態と同様に、レンズ可動体１００２ａが前方に移動した状態を示している。レンズ可動体１００２ａが前方に移動に伴い、上述の通り、前側装飾部１０１０の可動部１０１０ａ〜１０１０ｊがレンズ可動体１００２ａの外周方向に移動し、前側装飾部１０１０が開いた状態となる。これにより、レンズ可動体１００２ａが大きくなったように遊技者に見せることができる。
【０４２２】
また、本実施の形態では、モータ１０２０、１０７０にステッピングモータを用いたがこれに限られない。例えば、ＤＣブラシモータ、ＤＣブラシレスモータ、ＡＣモータ、超音波モータ、サーボモータ等の様々なモータが使用可能である。
【０４２３】
また、本実施の形態では、レンズ可動体１００２ａおよび上部前可動体１００２の駆動源にモータを用いたがこれに限られない。例えば、レンズ可動体１００２ａおよび上部前可動体１００２の駆動源としてソレノイド等の各種アクチュエータが用いられていてもよい。
【０４２４】
また、本実施の形態では、レンズ１０１８に凸レンズ（両凸レンズ）を用いたがこれに限られない。例えば、平凸レンズ、正メニスカスレンズ、凹レンズ（両凹レンズ）、平凹レンズ、負メニスカスレンズなど様々なレンズが使用可能できる。
【０４２５】
また、レンズ１０１８に代えて透明樹脂板（例えば、アクリル板）やガラス板が配置されていてもよい。
【０４２６】
また、引っ張りコイルばね１０８２ｒ、１０８２ｌに代えて、渦巻きバネ、板バネ、ゴム等の弾性部材が用いられていてもよい。
【０４２７】
また、上部前可動体１００２は、装飾図柄表示装置２０８よりも小さいサブ表示装置を備えていてもよい。サブ表示装置には、液晶表示装置、ドットマトリクス表示装置、７セグメント表示装置、有機ＥＬ（ＥｌｅｃｔｒｏＬｕｍｉｎｅｓｃｅｎｃｅ）表示装置、リール（ドラム）式表示装置、リーフ式表示装置、プラズマディスプレイ、プロジェクタを含む他の表示デバイスを用いることができる。また、サブ表示装置は、第１副制御部４００により制御されてもよいし、第２副制御部５００により制御されてもよいし、第１副制御部４００および第２副制御部５００とは別に表示制御部を設けて当該表示制御部により制御されてもよい。
【０４２８】
次に、図１９および図２４を用いて、ロゴ可動体９０２および上部前可動体１００２の位置関係について説明する。ロゴ可動体９０２が図１９（ａ）に示す初期位置に位置している場合にロゴ可動体９０２が占める領域を第一の領域とし、図１９（ｂ）に示す最上方の位置に位置している場合にロゴ可動体９０２が占める領域を第三の領域とする。また、上部前可動体１００２が図２４（ａ）に示す初期位置に位置する場合に上部前可動体１００２が占める領域を第二の領域とし、図２４（ｃ）に示す最下方の位置に位置する場合に上部前可動体１００２が占める領域を第四の領域とする。また、レンズ可動体１００２ａが前方に移動して上部前可動体１００２が前方に移動した場合にレンズ可動体１００２ａの占める領域も第四の領域に含まれる。また、第四の領域は、第一の領域の少なくとも一部を含む領域である。このように、上部前可動体１００２は、ロゴ可動体９０２が初期位置に位置していた場合の領域に移動可能である。これにより、ロゴ可動体９０２と上部前可動体１００２とが関連して多彩な動作が可能となる。
【０４２９】
また、ロゴ可動体９０２が初期位置に位置し、上部前可動体１００２が初期位置に位置する場合、ロゴ可動体９０２の後方に上部前可動体１００２が位置し、ロゴ可動体９０２と上部前可動体１００２とは前後方向で重なる。
【０４３０】
また、上部前可動体１００２が最下方の位置に位置した場合に上部前可動体１００２が占める第四の領域は、装飾図柄表示装置２０８の画像表示領域と前後方向で重なる。
【０４３１】
また、ロゴ可動体９０２が図１９（ｃ）に示す最下方の位置に位置する場合にロゴ可動体９０２が占める領域を第五の領域とすると、第五の領域は、少なくとも一部の領域が装飾図柄表示装置２０８の画像表示領域の前方となる領域を含む。また、第五の領域は、第四の領域の少なくとも一部を含む。
【０４３２】
また、パチンコ機１００は、装飾図柄表示装置２０８よりも小さいサブ表示装置を備えていてもよい。サブ表示装置は遊技盤２００に固定されていてもよい。サブ表示装置には、液晶表示装置、ドットマトリクス表示装置、７セグメント表示装置、有機ＥＬ（ＥｌｅｃｔｒｏＬｕｍｉｎｅｓｃｅｎｃｅ）表示装置、リール（ドラム）式表示装置、リーフ式表示装置、プラズマディスプレイ、プロジェクタを含む他の表示デバイスを用いることができる。また、サブ表示装置は、第１副制御部４００により制御されてもよいし、第２副制御部５００により制御されてもよいし、第１副制御部４００および第２副制御部５００とは別に表示制御部を設けて当該表示制御部により制御されてもよい。
【０４３３】
サブ表示装置は、ロゴ可動体９０２が占める第三の領域の後方に配置されていてもよい。言い換えると、第三の領域は、少なくとも一部の領域がサブ表示装置の表示領域の前方となる領域を含む領域である。これにより、ロゴ可動体９０２の上方への移動先にサブ表示装置が存在するので、ロゴ可動体９０２の上方への移動動作にも自然と注目させることができる場合がある。
【０４３４】
また、上部前可動体１００２の後方にロゴ可動体９０２が配置されていてもよい。この場合、上部前可動体１００２は後方に移動可能であってもよい。
【０４３５】
また、上部前可動体１００２は初期位置から上方に移動可能であってもよい。
【０４３６】
次に、図２２および図２６乃至図２８を用いて上部後飾り役物１１００について説明する。まず、図２６および図２２を用いて、上部後飾り役物１１００の構成について説明する。図２６および図２２は、上部後飾り役物１１００の分解斜視図である。図２６および図２２は、上部後飾り役物１１００を前方右上から後方左下に見た状態を示している。なお、図２２には、前述の上部前飾り役物１０００の一部が示されている。
【０４３７】
図２６および図２２に示すように、上部後飾り役物１１００は、大別すると、上部後可動体１１０２、および上下駆動部１１０４で構成されている。
【０４３８】
まず、図２７を参照しつつ、図２６を用いて、上部後可動体１１０２について説明する。図２７は、上部後可動体１１０２を前方右上から後方左下に見た状態を示している。上部後可動体１１０２は、前側カバー１１０２ａ、回転可動部１１０２ｂ、ベース部１１０２ｃ、および回転駆動部１１０２ｄを有している。
【０４３９】
前側カバー１１０２ａは、上部後飾り役物１１００の最前方に配置される。前側カバーは、例えば透明樹脂材料で成型され、前方から見て上下方向に長いほぼ長方形状を有し、中央に円形状の開口部１１０２ａ１が開口されている。
【０４４０】
前側カバー１１０２ａの後方には、回転可動部１１０２ｂが配置される。回転可動部１１０２ｂは、歯車付回転部材１１１０、第一歯車部材１１１４、第二歯車部材１１１６、回転装飾支持部材１１１８、金属棒１１２０、１１２８、１１３２、平歯車１１２２、１１３０、１１３４、回転装飾部１１２４、枠部材１１２６、遮光片１１３６、およびレンズ部材１１３８を有している。
【０４４１】
まず、回転可動部１１０２ｂの機能について簡単に説明する。回転可動部１１０２ｂは、回転装飾部１１２４を回転させて遊技を演出するめに用いられている。歯車付回転部材１１１０は、前側カバー１１０２ａ内に回転可能に収容される。歯車付回転部材１１１０の外周には、歯車部１１１０ｂが設けられている。また、ベース部１１０２ｃに固定されるモータ１１４０の回転軸に固定された平歯車１１４２は、歯車部１１１０ｂに噛み合わされている。このため、モータ１１４０の回転軸が右回りに回転すると、平歯車１１４２が右回りに回転し、歯車付回転部材１１１０が左回りに回転する。
【０４４２】
また、歯車付回転部材１１１０の後方内側には第一歯車部材１１１４および第二歯車部材１１１６が固定されている。第一歯車部材１１１４には金属棒１１２０が取り付けられており、金属棒１１２０の一端には平歯車１１２２が固定されている。歯車付回転部材１１１０と共に第一歯車部材１１１４が回転すると、平歯車１１２２はベース部１１０２ｃの歯車部１１０２ｃ２に沿って回転移動する。平歯車１１２２と歯車部１１０２ｃ２は噛み合っており、平歯車１１２２は回転移動しながら金属棒１１２０の長手方向を回転軸に回転する。また、金属棒１１２０の一端は平歯車１１２２に固定されているので、金属棒１１２０は平歯車１１２２の回転に伴って回転する。
【０４４３】
第一歯車部材１１１４および第二歯車部材１１１６で囲まれたほぼ半球体状の内部空間１１１５（図２７参照）内には回転装飾支持部材１１１８が配置されている。金属棒１１２０の他端は回転装飾支持部材１１１８に固定されているので、回転装飾支持部材１１１８は金属棒１１２０の回転に伴って回転する。
【０４４４】
また、回転装飾支持部材１１１８には金属棒１１２８、１１３２が取り付けられている。金属棒１１２８、１１３２の一端には平歯車１１３０、１１３２が固定され、他端には回転装飾部１１２４が固定されている。回転装飾支持部材１１１８の回転に伴い、平歯車１１３０が第一歯車部１１１４ｅに沿って回転移動し、平歯車１１３４が第二歯車部１１１６ｅに沿って回転移動する。平歯車１１３０は第一歯車部１１１４ｅに噛み合っており、平歯車１１３４は第二歯車部１１１６ｅに噛み合っている。このため、平歯車１１３０は回転移動しながら金属棒１１２８の長手方向を回転軸として回転し、平歯車１１３４は回転移動しながら金属棒１１３２の長手方向を回転軸として回転する。これに伴い、金属棒１１２８、１１３２が回転し、金属棒１１２８、１１３２の回転に伴い回転装飾部１１２４が回転する。
【０４４５】
回転装飾部１１２４は、モータ１１４０を駆動することにより三次元空間内で複雑な回転動作をすることができる。
第一に、回転装飾部１１２４は、回転装飾支持部材１１１８の回転軸（金属棒１１２０の回転軸と一致している）の両支持端間（金属棒１１２８、１１３２間）の中心を回転中心（以下、「回転装飾部１１２４の回転中心」という）とすると、当該回転中心を通り前後方向に平行な軸（以下、「前後軸」という）周りに回転することができる。モータ１１４０を駆動すると、開口部１１１０ａの中心を回転中心（前後方向に見て回転装飾部１１２４の回転中心と一致している）として前後軸周りに歯車付回転部材１１１０が回転し、歯車付回転部材１１１０に固定された第一歯車部材１１１４および第二歯車部材１１１６も前後軸周りに回転する。これにより、第一歯車部材１１１４および第二歯車部材１１１６の内方に収容されている回転装飾部１１２４は前後軸周りに回転する。
第二に、回転装飾部１１２４は、回転装飾部１１２４の回転中心を通り左右方向に平行な軸（以下、「左右軸」という）周りに回転することができる。金属棒１１２０の回転軸は前後方向に直交している。そこで、歯車付回転部材１１１０を前後軸周りに回転させて金属棒１１２０の回転軸が左右方向に平行になるように調整してから、歯車付回転部材１１１０を前後軸周りに回転できないように拘束してモータ１１４０を駆動すると、モータ１１４０が取り付けられたベース部１１０２ｃが前後軸周りに回転して、ベース部１１０２ｃの歯車部１１０２ｃ２が前後軸周りに回転する。歯車部１１０２ｃ２と噛み合う平歯車１１２２の回転により金属棒１１２０が左右軸周りに回転し、金属棒１１２０に接続された回転装飾支持部材１１１８が左右軸周りに回転する。これにより、回転装飾部１１２４は、左右軸周りに回転することができる。
第三に、回転装飾部１１２４は、回転装飾部１１２４の回転中心を通り上下方向に平行な軸（以下、「上下軸」という）周りに回転することができる。金属棒１１２８、１１３２の延伸方向は、金属棒１１２０の回転軸に直交している。つまり、回転装飾支持部材１１１８の回転軸は、金属棒１１２０の回転軸に直交している。そこで、上述のようにして回転装飾部１１２４を左右軸周りに回転させている状態で、ベース部１１０２ｃを左右軸周りに所定の回転速度で回転させると共に金属棒１１２８、１１３２の延伸方向を上下方向に平行になるように調整すれば、回転装飾部１１２４を上下軸周りに回転させることができる。
このように、回転装飾部１１２４は、回転装飾部１１２４の回転中心を原点とする三次元直交座標系において、直交する三つの座標軸の軸周りの回転動作を同時に行うことができる。
【０４４６】
歯車付回転部材１１１０は、前側カバー１１０２ａの内側に配置される。歯車付回転部材１１１０は、円形の浅型器形状を有し、底面が前方を向くように配置され、底面中央にほぼ円形状の開口部１１１０ａが開口されている。開口部１１１０ａは、前側カバー１１０２ａの開口部１１０２ａ１よりも小さく、開口部１１０２ａ１と前後方向で重なって配置される。
【０４４７】
前側カバー１１０２ａの内方には、歯車付回転部材１１１０を収容可能な凹部（不図示）が設けられており、歯車付回転部材１１１０は、当該凹部に配置される。歯車付回転部材１１１０は、開口部１１１０ａの中心を前後方向に通る仮想直線を回転軸として回転可能に前側カバー１１０２ａに取り付けられる。
【０４４８】
歯車付回転部材１１１０の前側カバー１１０２ａへの取り付けには、４個のローラ１１１２ａ〜１１１２ｄが用いられる。ローラ１１１２ａ〜１１１２ｄは、例えば樹脂材料で成型されて円形状を有し、回転可能に前側カバー１１０２ａの後側の四隅に座金付ネジで取り付けられる。ローラ１１１２ａ〜１１１２ｄの回転軸は、歯車付回転部材１１１０の回転軸と平行になっている。また、ローラ１１１２ａ〜１１１２ｄは、歯車付回転部材１１１０の後側縁部と接触し、歯車付回転部材１１１０が前側カバー１１０２ａから離脱するのを防いでいる。
【０４４９】
歯車付回転部材１１１０の外側面には、同形の歯が同じピッチで刻まれ円周状に配置された歯車部１１１０ｂが設けられている。歯車部１１１０ｂの歯すじは、歯車付回転部材１１１０の回転軸に平行である。
【０４５０】
また、歯車付回転部材１１１０の内方には第一歯車部材１１１４、および第二歯車部材１１１６が配置されている。
【０４５１】
第一歯車部材１１１４は、例えば透明樹脂材料で一体的に成型されて、固定部１１１４ａ、位置決め部１１１４ｂ、１１１４ｃ、側面部１１１４ｄ、および第一歯車部１１１４ｅを有している。固定部１１１４ａは、第一歯車部材１１１４の前側に配置される。位置決め部１１１４ｂ、１１１４ｃは固定部１１１４ａの後側に配置される。側面部１１１４ｄは、固定部１１１４ａから後方に延びており、図２６での右方に凸な曲面形状を有している。また、側面部１１１４ｄには円形の貫通孔（不図示）が設けられており、当該貫通孔を中心とする円弧状に同形の歯が同じピッチで刻まれた第一歯車部１１１４ｅが側面部１１１４ｄの内側端辺に配置される。第一歯車部１１１４ｅは、歯先が側面部１１１４ｄの曲面の凸方向と反対を向くように形成されている。また、第一歯車部１１１４ｅのピッチ円の中心は当該貫通孔の中心である。また、円弧状の第一歯車部１１１４ｅの中心角は約２１０度である。
【０４５２】
第二歯車部材１１１６は、例えば透明樹脂材料で一体的に成型されて、固定部１１１６ａ、位置決め部１１１６ｂ、１１１６ｃ、側面部１１１６ｄ、および第二歯車部１１１６ｅを有している。固定部１１１６ａは、第二歯車部材１１１６の前側に配置される。位置決め部１１１６ｂ、１１１６ｃは固定部１１１６ａの後側に配置される。側面部１１１６ｄは、固定部１１１６ａから後方に延びており、図２６での左方に凸な曲面形状を有している。また、側面部１１１６ｄには円形の貫通孔（不図示）が設けられており、当該貫通孔を中心とする円弧状に同形の歯が同じピッチで刻まれた第二歯車部１１１６ｅが側面部１１１６ｄの内側端部に配置される。第二歯車部１１１６ｅは、歯先が側面部１１１６ｄの曲面の凸方向と反対を向くように形成されている。また、第二歯車部１１１６ｅのピッチ円の中心は当該貫通孔の中心である。第二歯車部１１１６ｅの中心角は約２１０度である。第二歯車部１１１６ｅは、第一歯車部１１１４ｅと歯数が一致し、第一歯車部１１１４ｅよりもピッチ円半径が長くなっている。
【０４５３】
また、第一歯車部材１１１４と第二歯車部材１１１６とは、側面部１１１４ｄの曲面の凸方向と側面部１１１６ｄの曲面の凸方向が反対方向を向くように、言い換えると、第一歯車部１１１４ｅの歯先と第二歯車部１１１６ｅの歯先が対向するように、互いに対向して配置される。第一歯車部材１１１４の位置決め部１１１４ｂは第二歯車部材１１１６の位置決め部１１１６ｂに対向して配置され、第一歯車部材１１１４の位置決め部１１１４ｃは第二歯車部材１１１６の位置決め部１１１６ｃに対向して配置される。第一歯車部材１１１４の位置決め部１１１４ｂと第二歯車部材１１１６の位置決め部１１１６ｂとは先端部同士が接触し、互いにネジで固定される。同様に、第一歯車部材１１１４の位置決め部１１１４ｃと第二歯車部材１１１６の位置決め部１１１６ｃとは先端部同士が接触し、互いにネジで固定される。
【０４５４】
これにより、第一歯車部材１１１４と第二歯車部材１１１６との相対位置が決定される。また、第一歯車部材１１１４の側面部１１１４ｄと第二歯車部材１１１６の側面部１１１４ｄとで囲まれるようにしてほぼ半球体状の内部空間１１１５（図２７参照）が形成される。内部空間１１１５は前面部が開口されており、内部空間１１１５の開口端の輪郭形状は、固定部１１１４ａおよび固定部１１１６ａの内側端辺の形状により画定され、歯車付回転部材１１１０の開口部１１１０ａの形状と同じになる。
【０４５５】
互いに取り付けられた第一歯車部材１１１４と第二歯車部材１１１６とは、固定部１１１４ａの前面と第二歯車部材１１１６の固定部１１１６ａの前面とが前後方向に直交する同一平面内に配置される。固定部１１１４ａおよび固定部１１１６ａは、内部空間１１１５の開口端と歯車付回転部材１１１０の開口部１１１０ａとが一致するように、歯車付回転部材１１１０にネジで固定される。第一歯車部材１１１４および第二歯車部材１１１６は、歯車付回転部材１１１０と一体的に回転するようになっている。また、第一歯車部１１１４ｅと第二歯車部１１１６ｅとは、内部空間１１１５の開口端から後方に歯が並ぶように配置される。第一歯車部１１１４ｅと第二歯車部１１１６ｅとは、所定の間隙を設けて、同心円弧状に配置され、当該円弧の中心角が約２１０度である。
【０４５６】
第一歯車部材１１１４と第二歯車部材１１１６との間の内部空間１１１５には、回転装飾支持部材１１１８が配置されている。回転装飾支持部材１１１８は、透明樹脂材料で成型されて環状形状を備えた一対の基部１１１８ａとカバー部１１１８ｂとを有している。基部１１１８ａの前側にカバー部１１１８ｂがネジで固定される。
【０４５７】
また、基部１１１８ａには、外側端辺から外方に延びた円柱状の取付部１１１８ａ１が設けられている。取付部１１１８ａ１は、第二歯車部材１１１６の側面部１１１６ｄに設けられた上述の円形の貫通孔に嵌め込まれている。取付部１１１８ａ１の長手方向に延びる仮想直線は、環状の基部１１１８ａの中心を通る。
【０４５８】
また、第一歯車部材１１１４の側面部１１１４ｄに設けられた上述の円形の貫通孔を金属棒１１２０が貫通しており、金属棒１１２０の一端は、側面部１１１４ｄから内部空間１１１５の外方に露出している。内部空間１１１５から露出した金属棒１１２０の一端には平歯車１１２２が固定されている。平歯車１１２２の回転軸は、金属棒１１２０の長手方向に延びる仮想直線となる。
【０４５９】
また、金属棒１１２０の他端は、内部空間１１１５に配置されて、回転装飾支持部材１１１８の基部１１１８ａに固定されている。金属棒１１２０は取付部１１１８ａ１の反対側に固定されており、金属棒１１２０の長手方向に延びる仮想直線は、環状の基部１１１８ａの中心を通り、取付部１１１８ａ１の長手方向に延びる仮想直線と一致する。回転装飾支持部材１１１８は、取付部１１１８ａ１および金属棒１１２０で支えられ、平歯車１１２２の回転に連動し、金属棒１１２０の長手方向に延びる仮想直線回りに回転可能になっている。
【０４６０】
また、回転装飾支持部材１１１８の内側には、例えば透明樹脂材料で半球体形状に成型された回転装飾部１１２４が配置される。回転装飾部１１２４は、前部が曲面になり、後部が平面になっている。回転装飾部１１２４の前部および後部には所定の装飾が施されている。また、回転装飾部１１２４の後端部には、例えば透明樹脂材料で回転装飾部１１２４とほぼ同径の環状に成型された枠部材１１２６がネジで固定される。
【０４６１】
回転装飾支持部材１１１８の基部１１１８ａには二つの貫通孔（不図示）が設けられている。基部１１１８ａの一方の円形の貫通孔（不図示）には、金属棒１１２８が配置されている。金属棒１１２８の長手方向に延びる仮想直線は、金属棒１１２０の長手方向に延びる仮想直線と直交する。金属棒１１２８の一端は、回転装飾支持部材１１１８の外方に露出しており、平歯車１１３０が固定される。平歯車１１３０の回転軸は、金属棒１１２８の長手方向に延びる仮想直線となる。また、金属棒１１２８の他端は、回転装飾支持部材１１１８の内方に配置され、回転装飾部１１２４が固定されている。金属棒１１２８の長手方向に延びる平歯車１１３０から回転装飾部１１２４の中央までの線分の長さは、第一歯車部１１１４ｅのピッチ円半径とほぼ等しい。このため、平歯車１１３０は、第一歯車部材１１１４の第一歯車部１１１４ｅに噛み合わせ可能である。言い換えると、平歯車１１３０の移動軌跡に沿って第一歯車部１１１４ｅが形成されている。
【０４６２】
また、基部１１１８ａの他方の円形の貫通孔（不図示）には、金属棒１１３２が配置されている。金属棒１１３２の長手方向に延びる仮想直線は、金属棒１１２８の長手方向に延びる仮想直線と一致し、金属棒１１２０の長手方向に延びる仮想直線と直交している。金属棒１１３２の一端は、回転装飾支持部材１１１８の外方に露出しており、平歯車１１３４が固定される。平歯車１１３４の回転軸は、金属棒１１３２の長手方向に延びる仮想直線となる。また、金属棒１１３２の他端は、回転装飾支持部材１１１８の内方に配置され、回転装飾部１１２４が固定されている。金属棒１１３２の長手方向に延びる平歯車１１３４から回転装飾部１１２４の中央までの線分の長さは、第二歯車部１１１６ｅのピッチ円半径とほぼ等しい。このため、平歯車１１３４は、第二歯車部材１１１６の第二歯車部１１１６ｅに噛み合わせ可能である。言い換えると、平歯車１１３４の移動軌跡に沿って第二歯車部１１１６ｅが形成されている。
【０４６３】
回転装飾部１１２４は、金属棒１１２８、１１３２により支えられて、金属棒１１２８、１１３２の長手方向に延びる仮想直線回りに回転可能になっている。また、平歯車１１３０と平歯車１１３４は、同じピッチ半径、同じ形状、および同じ歯数を有している。
【０４６４】
また、第一歯車部材１１１４の後側には、例えば黒色樹脂材料で成型された遮光片１１３６がネジで固定されている。遮光片１１３６は、後述する上部フォトセンサ１１４４および下部フォトセンサ１１４６により検知可能になっている。
【０４６５】
また、回転可動部１１０２ｂの最後方にはレンズ部材１１３８が配置される。レンズ部材１１３８は、中央に円形の凸レンズが配置されており、第一歯車部材１１１４および第二歯車部材１１１６の後側にネジで固定される。
【０４６６】
回転可動部１１０２ｂの後方には、ベース部１１０２ｃが配置される。回転可動部１１０２ｂは前側カバー１１０２ａに取り付けられており、前側カバー１１０２ａはベース部１１０２ｃにネジで固定される。これにより、前側カバー１１０２ａとベース部１１０２ｃとで囲まれる空間内に回転可動部１１０２ｂが収容される。
【０４６７】
ベース部１１０２ｃは、例えば樹脂材料で成型され、前側カバー１１０２ａに合う輪郭形状を有している。ベース部１１０２ｃの中央には、円形の開口部１１０２ｃ１が設けられている。開口部１１０２ｃ１内に、第一歯車部材１１１４および第二歯車部材１１１６が収容される。
【０４６８】
また、ベース部１１０２ｃの前面には、同形で同じピッチで刻まれた歯が円周状に並んで歯先が前方を向くように形成された歯車部１１０２ｃ２が設けられている。歯車部１１０２ｃ２と開口部１１０２ｃ１とは同心円状に配置される。歯車部１１０２ｃ２のピッチ円半径は、金属棒１１２０の長手方向に延びた、回転装飾部１１２４の中央から平歯車１１２２までの仮想線分の長さと等しくなっており、平歯車１１２２と歯車部１１０２ｃ２とが噛み合わされる。
【０４６９】
また、ベース部１１０２ｃの左側上端には、例えば黒色樹脂材料等の光不透過材料で形成された遮光片１１０２ｃ３が設けられている。遮光片１１０２ｃ３は、後述する上部フォトセンサ１１７６および下部フォトセンサ１１７８で検知可能になっている。なお、ベース部１１０２ｃは全体が黒色樹脂材料等で一体的に形成されていてもよい。
【０４７０】
次に、回転駆動部１１０２ｄについて説明する。回転駆動部１１０２ｄは、回転可動部１１０２ｂの回転装飾部１１２４を回転駆動するために用いられる。回転駆動部１１０２ｄは、モータ１１４０、平歯車１１４２、上部フォトセンサ１１４４、および下部フォトセンサ１１４６を有している。
【０４７１】
モータ１１４０は、回転装飾部１１２４の回転駆動を実行するための駆動源である。本実施の形態では、モータ１１４０にはステッピングモータが用いられる。モータ１１４０の回転軸は前後方向に延びており、ベース部１１０２ｃには、モータ１１４０の回転軸を通す貫通孔が形成されている。モータ１１４０は、回転軸が当該貫通孔を通るようにベース部１１０２ｃの後側にネジで固定される。また、モータ１１４０の回転軸には、前側カバー１１０２ａとベース部１１０２ｃとの間に配置される平歯車１１４２が固定される。平歯車１１４２は、歯車付回転部材１１１０の歯車部１１１０ｂに噛み合わされている。
【０４７２】
モータ１１４０が駆動して平歯車１１４２が回転すると、平歯車１１４２に噛み合わされている歯車部１１１０ｂを備えた歯車付回転部材１１１０が回転し、歯車付回転部材１１１０に固定されている第一歯車部材１１１４および第二歯車部材１１１６も回転する。第一歯車部材１１１４が回転すると、金属棒１１２０の一端に固定された平歯車１１２２がベース部１１０２ｃの歯車部１１０２ｃ２に沿って回転移動する。平歯車１１２２は歯車部１１０２ｃ２と噛み合っているので、平歯車１１２２は、歯車部１１０２ｃ２に沿って回転移動しながら金属棒１１２０の長手方向を回転軸として回転する。これにより、平歯車１１２２の一端が固定された金属棒１１２０が回転し、金属棒１１２０の他端が固定された回転装飾支持部材１１１８が回転する。これにより、平歯車１１３０が第一歯車部１１１４ｅに沿って回転移動し、平歯車１１３４が第二歯車部１１１６ｅに沿って回転移動する。平歯車１１３０が内部空間１１１５の開口端から露出して第一歯車部１１１４ｅに噛み合っていない場合には、平歯車１１３４が第二歯車部１１１６ｅに噛み合う。また、平歯車１１３４が内部空間１１１５の開口端から露出して第二歯車部１１１６ｅに噛み合っていない場合には、平歯車１１３０が第一歯車部１１１４ｅに噛み合う。平歯車１１３０は、第一歯車部１１１４ｅに沿って回転移動しながら、金属棒１１２８の長手方向を回転軸として回転する。同様に、平歯車１１３４は、第二歯車部１１１６ｅに沿って回転移動しながら、金属棒１１３２の長手方向を回転軸として回転する。平歯車１１３０の回転により金属棒１１２８が回転し、平歯車１１３４の回転により金属棒１１３２が回転する。金属棒１１２８および金属棒１１３２の他端には回転装飾部１１２４が固定されており、金属棒１１２８および金属棒１１３２の回転に連動して回転装飾部１１２４が回転する。
【０４７３】
また、ベース部１１０２ｃの後方上部には上部フォトセンサ１１４４がネジで固定され、ベース部１１０２ｃの後方下部には下部フォトセンサ１１４６がネジで固定されている。上部フォトセンサ１１４４および下部フォトセンサ１１４６は、回転装飾部１１２４が前面側（曲面側）を前方に向けているか、または後面側（平面側）を前方に向けているのかを検出するために用いられる。上部フォトセンサ１１４４および下部フォトセンサ１１４６は、図４に示す各種可動体センサ４３０に含まれており、図４に示すセンサ回路４２８に接続されている。
【０４７４】
上部フォトセンサ１１４４および下部フォトセンサ１１４６は、空間部を挟んで前後方向に対向するように配置された発光部と受光部とを有している。上部フォトセンサ１１４４および下部フォトセンサ１１４６の発光部および受光部は開口部１１０２ｃ１内に露出して配置される。
【０４７５】
回転装飾部１１２４が前面側を前方に向けて停止している場合には、遮光片１１３６が上部フォトセンサ１１４４の受光部と発光部の間に進入し、回転装飾部１１２４が後面側を後方に向けている場合には、遮光片１１３６が下部フォトセンサ１１４６の受光部と発光部の間に進入する。本実施形態では、上部フォトセンサ１１４４および下部フォトセンサ１１４６で回転装飾部１１２４の向きを検出する。第１副制御部４００は、上部フォトセンサ１１４４が遮光片１１３６を検知したときは回転装飾部１１２４が前面側を前方に向けていると判定し、下部フォトセンサ１１４６が遮光片１１３６を検知した場合は回転装飾部１１２４が後面側を前方に向けていると判定する。
【０４７６】
また、ベース部１１０２ｃの後側には、基板１１４８がネジで固定されている。基板１１４８には、複数のＬＥＤが実装されており、当該複数のＬＥＤは開口部１１０２ｃ１の中心部と前後方向で重なるように配置される。上部後可動体１１０２は、当該複数のＬＥＤを用いて、回転可動部１１０２ｂ、特に、回転装飾部１１２４が発光可能になっている。基板１１４８のＬＥＤは、図４に示す遊技盤用ランプ５３２に含まれており、遊技盤用ランプ駆動回路５３０により駆動される。
【０４７７】
また、基板１１４８には、モータ１１４０、上部フォトセンサ１１４４および下部フォトセンサ１１４６が不図示の配線により接続されている。また、基板１１４８は、図２２に示し後述する基板８５２にフレキシブル基板１１５０により接続され、基板８５２は図２２に示し後述する基板１１８０に不図示の配線により接続されている。モータ１１４０は基板１１４８、８５２、１１８０を介して図４に示す駆動回路５１６に接続され、基板１１４８のＬＥＤは基板８５２、１１８０を介して図４に示す遊技盤用ランプ駆動回路５３０に接続され、上部フォトセンサ１１４４および下部フォトセンサ１１４６は基板１１４８、８５２、１１８０を介して図４に示すセンサ回路４２８に接続される。これにより、上部後飾り役物１１００と第１副制御部４００や第２副制御部５００とを接続する配線を集約することができる。
【０４７８】
次に、図２６および図２２を用いて、上下駆動部１１０４について説明する。上下駆動部１１０４は、上部後可動体１１０２を上下に移動動作させるために用いられる。上下駆動部１１０４は、図２２に示すように、モータ１１５２、平歯車１１５４、外レール１１７０、引っ張りコイルばね１１７４、上部フォトセンサ１１７６、および下部フォトセンサ１１７８を有し、図２６に示すように、クランク機構１１５５を有している。
【０４７９】
まず、図２２を用いて上下駆動部１１０４の駆動源について説明する。上下駆動部１１０４は、上部後可動体１１０２の移動動作を実行するための駆動源としてモータ１１５２を有している。本実施の形態では、モータ１１５２にはステッピングモータが用いられる。モータ１１５２の回転軸は前後方向に延びており、上部役物ベース部８５０の左側基部８５０ｃには、モータ１１５２の回転軸を通す貫通孔が形成されている。モータ１１５２は、回転軸が当該貫通孔を通るように左側基部の前面側にネジで固定される。また、モータ１１５２の回転軸には、左側基部８５０ｃの後側に配置される平歯車１１５４が固定される。
【０４８０】
次に、図２６を用いて、クランク機構１１５５について説明する。クランク機構１１５５は、平歯車１１５４を介して伝達されたモータ１１５２の回転運動を直線運動に変換して上部後可動体１１０２に伝達するために用いられる。図２６に示すように、クランク機構１１５５は、平歯車１１５６、クランク１１５８、金属棒１１６０、すべり軸受１１６２、およびねじりコイルばね１１６８を有している。なお、図２６では図２２と比較して、上部役物ベース部８５０が簡略化して図示されている。
【０４８１】
平歯車１１５６は、左側基部８５０ｃの後側であって、平歯車１１５４の右側に回転可能に取り付けられており、平歯車１１５４と噛み合わされている。平歯車１１５６の後方にはクランク１１５８が配置される。クランク１１５８は、例えば樹脂材料で成型されており、左端には円形の貫通孔が設けられている。当該貫通孔には前後方向に延びた円柱状の金属棒１１６０が配置され、金属棒１１６０の前端は左側基部８５０ｃに固定され、金属棒１１６０の後端は図２２に示す配線固定部８５４に固定される。配線固定部８５４は、後述する基板８５２と基板１１８０とを接続する配線（不図示）を固定して、当該配線が平歯車１１５４やクランク機構１１５５に絡まらないようにするために用いられる。
【０４８２】
クランク１１５８は、金属棒１１６０を回転軸として上下方向に直交する平面内を所定角度の範囲で回転可能になっている。また、クランク１１５８には、長円形状の案内孔部１１５８ａと、長円形状の長孔部１１５８ｂとが左方からこの順に設けられている。
【０４８３】
平歯車１１５６の後面外端部には、後方に突出する円柱形状の被案内軸（不図示）が設けられており、当該被案内軸は、クランク１１５８の案内孔部１１５８ａ内を移動可能になっている。クランク１１５８は、平歯車１１５６の被案内軸を介してモータ１１５２の回転運動が伝達されて、回転可能になっている。また、当該被案内軸には、すべり軸受１１６２が嵌め込まれて後側からネジで取り付けられている。すべり軸受１１６２は、平歯車１１５６の被案内軸が案内孔部１１５８ａ内を滑らかに移動できるように用いられている。すべり軸受１１６２は、例えば樹脂材料で成型されて案内孔部１１５８ａの幅よりも底面の直径が短い円筒形状を有し、後端に円形のフランジが設けられている。すべり軸受１１６２のフランジの直径は案内孔部１１５８ａの幅より大きく、すべり軸受１１６２が案内孔部１１５８ａ内に嵌り込まないようになっている。
【０４８４】
また、上部役物ベース部８５０の中央基部８５０ｂの左端には、上下方向に延びた長円形状の左側案内孔部８５０ｂ１が設けられている。また、上部後可動体１１０２のベース部１１０２ｃの後面の左上端には、当該後面から後方に延びた円柱状の左側被案内軸部１１０２ｃ４が設けられている。上部後可動体１１０２のベース部１１０２ｃは、左側被案内軸部１１０２ｃ４が左側案内孔部８５０ｂ１内を移動可能なように、中央基部８５０ｂに取り付けられる。また、左側被案内軸部１１０２ｃ４の後端部は、左側案内孔部８５０ｂ１の後方に露出してクランク１１５８の長孔部１１５８ｂ内まで到達し、長孔部１１５８ｂ内を移動可能になっている。
【０４８５】
また、左側被案内軸部１１０２ｃ４には、左側すべり軸受部１１６４が嵌め込まれている。左側すべり軸受部１１６４は、前部すべり軸受１１６４ａと後部すべり軸受１１６４ｂとを有している。前部すべり軸受１１６４ａは、左側被案内軸部１１０２ｃ４の左側案内孔部８５０ｂ１内の移動を滑らかにするために用いられる。前部すべり軸受１１６４ａは、左側被案内軸部１１０２ｃ４の前部に嵌め込まれている。前部すべり軸受１１６４ａは、例えば樹脂材料で成型されて左側案内孔部８５０ｂ１の幅よりも底面の直径が短い円筒形状を有し、前端に円形のフランジが設けられている。フランジの直径は左側案内孔部８５０ｂ１の幅より大きく、前部すべり軸受１１６４ａが左側案内孔部８５０ｂ１内に嵌り込まないようになっている。
【０４８６】
後部すべり軸受１１６４ｂは、左側被案内軸部１１０２ｃ４のクランク１１５８の長孔部１１５８ｂ内の移動を滑らかにするために用いられる。後部すべり軸受１１６４ａは、左側被案内軸部１１０２ｃ４の後部に嵌め込まれている。後部すべり軸受１１６４ｂは、前部すべり軸受１１６４ａと同様に、例えば樹脂材料で成型されて長孔部１１５８ｂの幅よりも底面の直径が短い円筒形状を有し、後端に円形のフランジが設けられている。フランジの直径は長孔部１１５８ｂの幅より大きく、後部すべり軸受１１６４ｂが長孔部１１５８ｂに嵌り込まないようになっている。左側すべり軸受部１１６４は、後部すべり軸受１１６４ｂ側から座金付ネジで左側被案内軸部１１０２ｃ４に取り付けられている。
【０４８７】
また、上部役物ベース部８５０の中央基部８５０ｂの右端には前後方向に延びた右側案内孔部８５０ｂ２が設けられている。右側案内孔部８５０ｂ２は、左側案内孔部８５０ｂ１と平行に同じ長さに形成される。
【０４８８】
上部後可動体１１０２のベース部１１０２ｃの後面の右上端には、当該後面から後方に延びた円柱状の右側被案内軸部１１０２ｃ５が設けられている。上部後可動体１１０２のベース部１１０２ｃは、右側被案内軸部１１０２ｃ５が右側案内孔部８５０ｂ２内を移動可能なように、中央基部８５０ｂに取り付けられる。
【０４８９】
また、右側被案内軸部１１０２ｃ５には、右側すべり軸受部１１６６が嵌め込まれている。右側すべり軸受部１１６６は、右側被案内軸部１１０２ｃ５の右側案内孔部８５０ｂ２内の移動を滑らかにするために用いられる。右側すべり軸受部１１６６は、前部すべり軸受１１６６ａと後部すべり軸受１１６６ｂとを有している。前部すべり軸受１１６６ａは右側案内孔部８５０ｂ２の前側に配置され、後部すべり軸受１１６６ｂは右側案内孔部８５０ｂ２に後側に配置される。
【０４９０】
前部すべり軸受１１６６ａは、右側被案内軸部１１０２ｃ５の前部に嵌め込まれている。前部すべり軸受１１６６ａは、例えば樹脂材料で成型されて右側案内孔部８５０ｂ２の幅よりも底面の直径が短い円筒形状を有し、前端に円形のフランジが設けられている。フランジの直径は右側案内孔部８５０ｂ２の幅より大きく、前部すべり軸受１１６６ａが右側案内孔部８５０ｂ２内に嵌り込まないようになっている。
【０４９１】
後部すべり軸受１１６６ｂは、右側被案内軸部１１０２ｃ５の後部に嵌め込まれている。後部すべり軸受１１６６ｂは、例えば樹脂材料で成型されて右側案内孔部８５０ｂ２の幅よりも底面の径が短い円筒形状を有し、後端に円形のフランジが設けられている。フランジの直径は右側案内孔部８５０ｂ２の幅より大きく、前部すべり軸受１１６６ａが右側案内孔部８５０ｂ２内に嵌り込まないようになっている。
【０４９２】
モータ１１５２の回転運動は、平歯車１１５４を介してクランク機構１１５５に伝達される。クランク機構１１５５の平歯車１１５６は、平歯車１１５４に噛み合わされており、平歯車１１５４に連動して回転する。クランク１１５８には、平歯車１１５６の後面外端部から後方に突出する円柱形状の被案内軸を介して平歯車１１５６の回転運動が伝達される。また、クランク１１５８の回転運動が長孔部１１５８ｂを介してベース部１１０２ｃの左側被案内軸部１１０２ｃ４に伝達される。左側被案内軸部１１０２ｃ４は、左側案内孔部８５０ｂ１に案内されて上下方向に直線運動する。この際、クランク１１５８の回転中心と、左側被案内軸部１１０２ｃ４との距離が変化するが、長孔部１１５８ｂが左側被案内軸部１１０２ｃ４の逃げ孔となり、左側被案内軸部１１０２ｃ４はクランク１１５８の回転中心との距離の変化分だけ長孔部１１５８ｂ内を移動する。これにより、左側被案内軸部１１０２ｃ４の上下方向への移動が可能である。
【０４９３】
上部後可動体１１０２のベース部１１０２ｃは、右側被案内軸部１１０２ｃ５が右側案内孔部８５０ｂ２で案内されて上下方向に移動可能になっている。上部後可動体１１０２は、左側案内孔部８５０ｂ１および右側案内孔部８５０ｂ２で案内されて、安定した上下移動が可能である。
【０４９４】
また、クランク１１５８の後側には、ねじりコイルバネ１１６８が配置される。ねじりコイルバネ１１６８のコイル中心を金属棒１１６０が通っている。ねじりコイルバネ１１６８の一端は左側基部８５０ｃの後面に固定され、他端はクランク１１５８の後面に固定される。クランク１１５８は、上部後可動体１１０２が下方に移動する場合に右回転し、上部後可動体１１０２が上方に移動する場合に左回転する。ねじりコイルバネ１１６８にはクランク１１５８が初期位置から右回転する場合にバネを巻き込む方向に力が作用するようになっており、ねじりコイルバネ１１６８は、クランク１１５８が左回転する場合にクランク１１５８に左回りのトルクを付与し、上部後可動体１１０２を上方に移動動作させるモータ１１５２の動力を補助している。
【０４９５】
また、図２２に示すように、中央基部８５０ｂの左側案内孔部８５０ｂ１の右隣には、上下方向に延びた金属性の外レール１１７０がネジで固定される。外レール１１７０は、左側案内孔部８５０ｂ１および右側案内孔部８５０ｂ２に平行に延びている。また、図２６に示すように、上部後可動体１１０２のベース部１１０２ｃの後面には、上下方向に延びた金属製の内レール１１７２がネジで固定される。内レール１１７２は、外レール１１７０に沿って移動可能に外レール１１７０の内側に取り付けられる。外レール１１７０と内レール１１７２のレール接面部には、レール同士の摩擦を低減し内レール１１７２が滑らかにスライドできるように複数のスチールボール（不図示）が配置されている。外レール１１７０および内レール１１７２は、上部後可動体１１０２を上下方向により安定的に案内するために用いられる。
【０４９６】
また、図２２に示すように、引っ張りコイルばね１１７４は、上下方向に伸縮可能なように、上端が中央基部８５０ｂの上方に固定され、下端が上部後可動体１１０２のベース部１１０２ｃの後側に固定される。引っ張りコイルばね１１７４は、上部後可動体１１０２が最上方の位置（初期位置）に位置する場合に自然長となり、上部後可動体１１０２が初期位置よりも下方の位置に位置する場合に自然長より伸びた状態になる。引っ張りコイルばね１１７４は、復元力を利用して、上部後可動体１１０２が初期位置へ復帰するためのモータ１１５２の動力を補助している。
【０４９７】
また、図２２に示すように、左側基部８５０ｃには、上部フォトセンサ１１７６および下部フォトセンサ１１７８がネジで固定される。上部フォトセンサ１１７６および下部フォトセンサ１１７８は、上部後可動体１１０２の位置を検出するために用いられる。上部フォトセンサ１１７６および下部フォトセンサ１１７８は、図４に示す各種可動体センサ４３０に含まれており、図４に示すセンサ回路４２８に接続されている。
【０４９８】
上部フォトセンサ１１７６は、空間部を挟んで前後方向に対向するように配置された発光部と受光部とを有している。また、図２６に示すように、上部後可動体１１０２のベース部１１０２ｃには、光不透過部材で形成された遮光片１１０２ｃ３が設けられている。上部後可動体１１０２が最上方の位置（初期位置）に位置する場合には、遮光片１１０２ｃ３が上部フォトセンサ１１７６受光部と発光部の間に進入する。
【０４９９】
同様に、下部フォトセンサ１１７８は、空間部を挟んで前後方向に対向するように配置された発光部と受光部とを有している。また、図２６に示すように、クランク機構１１５５のクランク１１５８には、光不透過部材で形成された遮光片１１５８ｃが設けられている。上部後可動体１１０２が最下方の位置に位置する場合には、遮光片１１５８ｃが下部フォトセンサ１１７８受光部と発光部の間に進入する。
【０５００】
本実施形態では、上部フォトセンサ１１７６および下部フォトセンサ１１７８で上部後可動体１１０２の位置を検出する。第１副制御部４００は、上部フォトセンサ１１７６が遮光片１１０２ｃ３を検知したときは上部後可動体１１０２が初期位置に位置していると判定し、下部フォトセンサ１１７８が遮光片１１５８ｃ３を検知した場合は上部後可動体１１０２が最下方の位置に位置していると判定する。
【０５０１】
また、図２２に示すように、左側基部８５０ｃには、基板１１８０がネジで固定されている。モータ１１５２、上部フォトセンサ１１７６、および下部フォトセンサ１１７８は、不図示の配線により基板１１８０に接続される。モータ１１５２は基板１１８０を介して図４に示す駆動回路５１６に接続され、上部フォトセンサ１１７６および下部フォトセンサ１１７８は基板１１８０を介して図４に示すセンサ回路４２８に接続される。これにより、上部後飾り役物１１００と第１副制御部４００や第２副制御部５００とを接続する配線を集約することができる。
【０５０２】
次に、図２７を用いて、上部後可動体１１０２の回転可動部１１０２ｂの動作について説明する。図２７は、上部後可動体１１０２を前方右上から後方左下に見た状態を示している。図２７では、前側カバー１１０２ａをベース部１１０２ｃから取り外し、歯車付回転部材１１１０を前側カバー１１０２ａおよび第一歯車部材１１１４、第二歯車部材１１１６から取り外して図示している。また、回転装飾支持部材１１１８、回転装飾部１１２４、枠部材１１２６、金属棒１１２８、および平歯車１１３０を不図示としている。
【０５０３】
上述のとおり、回転可動部１１０２ｂの駆動にはモータ１１４０が用いられる。モータ１１４０が駆動し、モータの回転軸が例えば前方から見て右回りに回転すると、モータ１１４０の回転軸に固定されている平歯車１１４２が右回りに回転し、平歯車１１４２に噛み合わされている歯車部１１１０ｂを備える歯車付回転部材１１１０が左回りに回転する。歯車付回転部材１１１０には、第一歯車部材１１１４および第二歯車部材１１１６が固定されているので、第一歯車部材１１１４および第二歯車部材１１１６も左回りに回転する。また、第一歯車部材１１１４の側面部１１１４ｄの貫通孔に配置される金属棒１１２０の一端には平歯車１１２２が固定されており、第一歯車部材１１１４の回転に伴い平歯車１１２２がベース部１１０２ｃの歯車部１１０２ｃ２に沿って回転移動する。平歯車１１２２は歯車部１１０２ｃ２に噛み合わされており、平歯車１１２２は、歯車部１１０２ｃ２に沿って回転移動しながら、金属棒１１２０の長手方向を回転軸として回転する。また、金属棒１１２０の他端には回転装飾支持部材１１１８が固定されている。回転装飾支持部材１１１８は回転装飾部１１２４とともに、金属棒１１２０の長手方向を通る仮想直線周りに回転する。
【０５０４】
モータ１１４０駆動時には、平歯車１１３０または平歯車１１３４の少なくともいずれか一方が第一歯車部１１１４ｅまたは第二歯車部１１１６ｅに噛み合う。例えば、平歯車１１３０が第一歯車部材１１１４および第二歯車部材１１１６に囲まれて形成された内部空間１１１５から開口部１１０２ａ１、１１１０ａ側に露出している場合には、平歯車１１３４が第二歯車部１１１６ｅに噛み合う。図２７では、平歯車１１３４が第二歯車部１１１６ｅに噛み合っている状態を示している。
【０５０５】
平歯車１１３４は、金属棒１１３２の一端に固定されており、回転装飾支持部材１１１８の回転に伴い、第二歯車部１１１６ｅに沿って回転移動する。平歯車１１３４は、第二歯車部１１１６ｅに噛み合わされており、平歯車１１３４は、第二歯車部１１１６ｅに沿って回転移動しながら、金属棒１１３２の長手方向を回転軸として回転する。また、金属棒１１３２の他端には、回転装飾部１１２４が固定されている。回転装飾部１１２４は、金属棒１１３２の長手方向を通る仮想直線周りに回転する。
【０５０６】
また、平歯車１１３４が第一歯車部材１１１４および第二歯車部材１１１６に囲まれて形成された内部空間１１１５から開口端を介して開口部１１０２ａ１、１１１０ａ側に露出している場合には、平歯車１１３０が第一歯車部１１１４ｅに噛み合う。平歯車１１３０は、金属棒１１２８の一端に固定されており、回転装飾支持部材１１１８の回転に伴い、第一歯車部１１１４ｅに沿って回転移動する。平歯車１１３０は、第一歯車部１１１４ｅに噛み合わされており、平歯車１１３０は、第一歯車部１１１４ｅに沿って回転移動しながら、金属棒１１２８の長手方向を回転軸として回転する。また、金属棒１１２８の他端には、回転装飾部１１２４が固定されている。回転装飾部１１２４は、金属棒１１２８の長手方向を通る仮想直線周りに回転する。
【０５０７】
回転装飾部１１２４の前面側および後面側には所定の装飾が施されている。回転可動部１１０２ｂは回転装飾部１１２４を回転させて遊技者に回転装飾部１１２４の前面側または後面側を見せるようにして遊技を演出する。回転装飾部１１２４は回転装飾支持部材１１１８に取り付けられているので、回転装飾支持部材１１１８の回転に伴い回転する。回転装飾部１１２４は、回転装飾支持部材１１１８の回転に伴い、金属棒１１２０の長手方向に延びた仮想直線を回転軸として回転する。
【０５０８】
また、回転装飾部１１２４は、金属棒１１２８、１１３２に固定されている。平歯車１１３０、１１３４の回転により金属棒１１２８、１１３２が回転し、回転装飾部１１２４も金属棒１１２８、１１３２の長手方向に延びた仮想直線を回転軸として回転する。
【０５０９】
このように、回転装飾部１１２４には、モータ１１４０の駆動により、異なる回転軸による三つの回転運動が与えられる。回転可動部１１０２ｂは、三つの回転運動により回転装飾部１１２４を遊技者に注目させることができる場合がある。
【０５１０】
上部後可動体１１０２は、図２１に示す上部前可動体１００２のベース部１００２ｂの右側基部１００２ｂ３と左側基部１００２ｂ４の間に配置される。上部前可動体１００２のレンズ可動体１００２ａが最後方の位置に位置している場合に、回転可動部１１０２ｂが回転すると、開口部１１０２ａ１から前方に露出した平歯車１１３０または平歯車１１３４が上部前可動体１００２のレンズ１０１８に接触してしまう。このため、回転可動部１１０２ｂは、レンズ可動体１００２ａが最前方の位置に位置する場合に、回転可能である。
【０５１１】
次に、図２８を用いて、上部後可動体１１０２の動作について説明する。図２８は、上部後飾り役物１１００を前方側から見た外観図である。上部後可動体１１０２は、上下駆動部１１０４により駆動されて上下方向への移動動作が可能である。
【０５１２】
図２８（ａ）は、上部後可動体１１０２が初期位置（上部位置）に位置している状態を示している。上部後可動体１１０２の初期位置は、上部後可動体１１０２の移動範囲のうち最上方となる位置である。
【０５１３】
図２８（ｂ）は、上部後可動体１１０２が最上方の位置と最下方の位置との間の中間位置に移動した状態を示している。上部後可動体１１０２が下方に移動する場合には、モータ１１５２の回転軸が前方側から見て左回りに回転する。これにより、モータ１１５２の回転軸に固定されている平歯車１１５４が左回りに回転し、平歯車１１５４に噛み合わされているクランク機構１１５５の平歯車１１５６が右回りに回転する。平歯車１１５６の回転に連動してクランク１１５８が右回りに回転する。上部後可動体１１０２には、モータ１１５２の回転運動がクランク１１５８を介して直線運動に変換されて伝達される。上部後可動体１１０２は、左側案内孔部８５０ｂ１、右側案内孔部８５０ｂ２、外レール１１７０および内レール１１７２に案内されて下方に直線運動する。
【０５１４】
図２８（ｃ）は、上部後可動体１１０２が最下方の位置に移動した状態を示している。左側案内孔部８５０ｂ１、右側案内孔部８５０ｂ２、および外レール１１７０がメカエンドとして機能し、上部後可動体１１０２が停止している。
【０５１５】
また、当然に、上部後可動体１１０２は、図２８（ｃ）に示す最下方の位置から図２８（ａ）に示す最上方の位置（初期位置）に向かって上方に移動可能である。上部後可動体１１０２が上方へ移動する場合には、モータ１１５２の回転軸および平歯車１１５４が前方側から見て右回りに回転し、クランク機構１１５５の平歯車１１５６が左回りに回転し、平歯車１１５６の回転に連動してクランク１１５８が左回りに回転する。上部後可動体１１０２には、モータ１１５２の回転運動がクランク１１５８を介して直線運動に変換されて伝達され、上部後可動体１１０２は、左側案内孔部８５０ｂ１、右側案内孔部８５０ｂ２、外レール１１７０および内レール１１７２に案内されて上方に直線運動する。なお、左側案内孔部８５０ｂ１、右側案内孔部８５０ｂ２、および外レール１１７０がメカエンドとして機能し、上部後可動体１１０２が初期位置で停止する。
【０５１６】
上部後可動体１１０２は、図２１に示す上部前可動体１００２のベース部１００２ｂの右側基部１００２ｂ３と左側基部１００２ｂ４の間に配置される。このため、上部後可動体１１０２が単独で移動すると上部前可動体１００２の下側装飾部１０１６に接触してしまう。これを避けるために、上部後可動体１１０２は、上部前可動体１００２と伴に下方に移動可能であり、また、上部前可動体１００２が初期位置より下方に位置している場合に下方に移動可能である。なお、上部後可動体１１０２は、上部前可動体１００２と接触することがない位置に配置されていてもよい。上部後可動体１１０２は、上部前可動体１００２が初期位置に位置する場合に最下方に移動可能であってもよい。上部前可動体１１０２と上部後可動体１１０２とは単独動作可能であってもよい。
【０５１７】
また、上部後可動体１１０２の上下方向の移動範囲は、図２４に示す上部前可動体１００２の上下方向の移動範囲と同じである。上部後可動体１１０２が図２８（ａ）に示す初期位置に位置し、上部前可動体１００２が図２４（ａ）に示す初期位置に位置している場合、上部前可動体１００２の後方に上部後可動体１１０２が位置し、上部前可動体１００２と上部後可動体１１０２とは前後方向で重なる。また、上部後可動体１１０２が図２８（ｃ）に示す最下方の位置に位置し、上部前可動体１００２が図２４（ｃ）に示す最下方の位置に位置している場合、上部前可動体１００２の後方に上部後可動体１１０２が位置し、上部前可動体１００２と上部後可動体１１０２とは前後方向で重なる。
【０５１８】
上部前可動体１００２と上部後可動体１１０２とが前後方向で重なる場合、上部前可動体１００２のレンズ１０１８を介して、上部後可動体１１０２の回転装飾部１１２４が視認される。レンズ１０１８には凸レンズが用いられており、レンズ１０１８と回転装飾部１１２４との距離はレンズ１０１８の焦点距離より近いので、レンズ１０１８を介して回転装飾部１１２４の正立虚像を遊技者が観察可能である。
【０５１９】
また、レンズ可動体１００２ａは前後方向に移動可能である。レンズ可動体１００２ａは、前後方向に移動することで遊技者に観察される回転装飾部１１２４の正立虚像の大きさを異ならせることができる。
【０５２０】
上部後可動体１１０２は前後方向に移動可能であってもよい。
【０５２１】
また、本実施の形態では、モータ１１４０、１１５２にステッピングモータを用いたがこれに限られない。例えば、ＤＣブラシモータ、ＤＣブラシレスモータ、ＡＣモータ、超音波モータ、サーボモータ等の様々なモータが使用可能である。
【０５２２】
また、本実施の形態では、回転可動部１１０２ｂおよび上部後可動体１１０２の駆動源にモータを用いたがこれに限られない。例えば、回転可動部１１０２ｂおよび上部後可動体１１０２の駆動源としてソレノイド等の各種アクチュエータが用いられていてもよい。
【０５２３】
また、引っ張りコイルばね１１７４に代えて、渦巻きバネ、板バネ、ゴム等の弾性部材が用いられていてもよい。
【０５２４】
また、上部後可動体１１０２は、装飾図柄表示装置２０８よりも小さいサブ表示装置を備えていてもよい。サブ表示装置には、液晶表示装置、ドットマトリクス表示装置、７セグメント表示装置、有機ＥＬ（ＥｌｅｃｔｒｏＬｕｍｉｎｅｓｃｅｎｃｅ）表示装置、リール（ドラム）式表示装置、リーフ式表示装置、プラズマディスプレイ、プロジェクタを含む他の表示デバイスを用いることができる。また、サブ表示装置は、第１副制御部４００により制御されてもよいし、第２副制御部５００により制御されてもよいし、第１副制御部４００および第２副制御部５００とは別に表示制御部を設けて当該表示制御部により制御されてもよい。
【０５２５】
また、上部後可動体１１０２の後方にロゴ可動体９０２が配置されていてもよい。この場合、上部後可動体１１０２は後方に移動可能であってもよい。
【０５２６】
また、上部後可動体１１０２は初期位置から上方に移動可能であってもよい。
【０５２７】
次に、本発明の一実施の形態によるパチンコ機１００の上部右サイド役物１２００、上部左サイド役物１３００、下部右サイド役物１４００、および下部左サイド役物１５００について図２９乃至図３６を用いて説明する。
【０５２８】
上部右サイド役物１２００、上部左サイド役物１３００、下部右サイド役物１４００、および下部左サイド役物１５００は、特図変動遊技の演出や普図変動遊技の演出、あるいは大当り遊技の演出やデモ演出等で用いられる。例えば、リーチ演出、特図１小当り演出、特図２小当り演出、普図当選演出、先読み予告演出、２Ｒの大当り遊技演出、１５Ｒ特別大当り遊技演出、およびチャンスボタン１３６の操作や設定操作部１３７の操作に関連した演出等のその他の様々な演出に用いられる。また、上部左サイド役物１３００は、上部右サイド役物１２００と左右対称の構造である。このため、上部左サイド役物１３００の説明は、上部右サイド役物１２００の説明において、「右」を「左」と読み替えることで説明できる。また、下部左サイド役物１５００も、下部右サイド役物１４００と左右対称の構造である。このため、下部右サイド役物１４００の説明において、「右」を「左」と読み替えることで下部左サイド役物１５００の説明できる。したがって、上部左サイド役物１３００および下部左サイド役物１５００の説明は以下において省略する。
【０５２９】
本実施例の上部右サイド役物１２００の可動体（以下、「上部右サイド可動体」または「可動体」と称する場合がある。）１２０１は、遊技盤２００に平行な面内において、右上方向から左下方向への動作（以下、単に「移動動作」と表す場合がある。）が可能である。また、上部右サイド可動体１２０１の一部（可動装飾部１２０３）は、上部右サイド可動体１２０１の右上方向から左下方向への動作に連動して、遊技盤２００の盤面と平行な面内で回転すること（以下、単に「回転動作」と表す場合がある。）も可能である。
【０５３０】
本実施例の下部右サイド役物１４００の可動体（以下、「下部右サイド可動体」または「可動体」と称する場合がある。）１４０１は、上下方向の動作が可能である。また、下部右サイド可動体１４０１に含まれる可動体（以下、「可動体前部」と称する場合がある）１４０３は、可動体１４０１の上下方向の動作に連動して、可動体１４０３の体勢を変化することも可能である。また、下部右サイド可動体１４０１に含まれる可動体（以下、「可動体中部」と称する場合がある。）１４２５は、可動体中部１４２５の一部が開く動作（外装飾部１４２５ａ（装飾部１４２５ａ１〜１４２５ａ６）が放射線状に移動する動作）と回転する動作（外装飾部１４２５ａ（装飾部１４２５ａ１〜１４２５ａ６）の回転動作および内装飾部１４２５ｂと中装飾部１４２５ｃの回転動作）を実行することも可能である。
【０５３１】
また、上部右サイド役物１２００は、他の可動体の動作に連動して動作する場合もあり、または、他の可動体の動作とは無関係に独立して動作する場合もある。また、下部右サイド役物１４００は、他の可動体の動作に連動して動作する場合もあり、または、他の可動体の動作とは無関係に独立して動作する場合もある。
【０５３２】
図２９および図３０は、本実施の形態によるパチンコ機１００の可動体１２０１および可動体１４０１の実施例であって、可動体１２０１を含む上部右サイド役物１２００および可動体１４０１を含む下部右サイド役物１４００の構成を示す分解斜視図である。また、図２９は、上部右サイド役物１２００および下部右サイド役物１４００の前部分の分解斜視図であり、図３０は下部右サイド役物１４００の後側部分の分解斜視図である。また、図２９および図３０は、上部右サイド役物１２００および下部右サイド役物１４００を前方右上から後方左下に見た状態を示している。
【０５３３】
図２９を用いて、上部右サイド役物１２００の構造を説明する。上部右サイド役物１２００は、主に、上部右サイド可動体１２０１と上部右サイド可動体１２０１を可動させるための上部右サイド可動体支援部１２５０を有している。上部右サイド可動体１２０１は、主に、回転動作が実行可能な可動装飾部１２０３と、装飾部１２０５と、可動装飾部１２０３の回転動作を実行するための動力伝達機構１２１１と、可動装飾部１２０３の体勢を保持するための体勢保持部１２１３と、上部右サイド可動体１２０１と上部右サイド可動体支援部１２５０を連結させる連結部１２１５を有している。
【０５３４】
上部右サイド可動体１２０１の可動装飾部（または、「可動体」と称する場合がある。）１２０３の飾り（または「可動体」と称する場合がある。）１２０３ａは、回転動作が実行可能である。飾り１２０３ａの後壁面の略中央端部には、シャフト１２１１ｄを固定するための略円筒状のシャフト固定部が設けられている。このため、シャフト１２１１ｄがシャフト固定部に固定され、シャフト１２１１ｄが回転することで、飾り１２０３ａの回転動作が実行される。また、可動装飾部１２０３の飾り（または「可動体」と称する場合がある。）１２０３ｂの略中央端部には、飾り１２０３ａのシャフト固定部を貫通させる貫通孔が設けられている。また、飾り１２０３ｂは、飾り１２０３ａの後壁面にネジ止めされる。このため、飾り１２０３ｂは、飾り１２０３ａと一体となることで、飾り１２０３ｂの回転動作が実行可能となる。また、飾り１２０３ａや飾り１２０３ｂは、透明樹脂材料で形成されている。
【０５３５】
上部右サイド可動体１２０１の装飾部１２０５は、上部右サイド可動体１２０１の装飾として用いられる。装飾部１２０５は、透明樹脂製の飾り１２０５ａ、透明樹脂製の飾り１２０５ｂ、透明樹脂製の飾り１２０５ｃを有している。また、飾り１２０５ｂには、飾り１２０３ａのシャフト固定部が回転可能となる貫通孔が設けられている。また、飾り１２０５ａ、飾り１２０５ｂ、飾り１２０５ｃは、ＬＥＤ基板１２０７を介して可動体後カバー部１２０９の前壁面にネジ止めで固定される。
【０５３６】
ＬＥＤ基板１２０７は、可動体後カバー部１２０９の前壁面にネジ止めで固定される。また、ＬＥＤ基板１２０７の実装面には、ＬＥＤ（不図示）やＬＥＤを点灯させるための駆動回路（不図示）が搭載されている。また、ＬＥＤ基板１２０７は、シャフト１２１１ｄに干渉しないように形成されている。
【０５３７】
可動体後カバー部１２０９は、可動装飾部１２０３や装飾部１２０５を支持するために用いられる。また、ＬＥＤ基板１２０７を収納するためにも用いられる。また、動力伝達機構１２１１や体勢保持部１２１３を支持するためにも用いられる。また、上部右サイド可動体１２０１の移動動作を実行するためにも用いられる（詳細は後述する。）。また、可動体後カバー部１２０９には、シャフト１２１１ｄを回転可能とするための貫通孔が設けられている。また、可動体後カバー部１２０９には、フォトセンサ１２５２によって上部右サイド可動体１２０１の初期位置を検出するための、略板状の初期位置検出部が設けられている。
【０５３８】
動力伝達機構１２１１は、モータ１２６０の回転軸の回転により上部右サイド可動体１２０１の可動装飾部１２０３の回転動作を実行するために用いられる。動力伝達機構１２１１は、主に、平歯車１２１１ａ、案内棒付平歯車１２１１ｂ、ストッパー機能部付平歯車１２１１ｃ、およびシャフト１２１１ｄを有している。平歯車１２１１ａは、案内棒付平歯車１２１１ｂの回転をストッパー機能部付平歯車１２１１ｃに伝えるために用いられる。平歯車１２１１ａの歯と案内棒付平歯車１２１１ｂの歯が噛み合うように、平歯車１２１１ａと案内棒付平歯車１２１１ｂは隣接して可動体後カバー部１２０９の後壁面に設置される。また、平歯車１２１１ａの歯とストッパー機能部付平歯車１２１１ｃの歯が噛み合うように、ストッパー機能部付平歯車１２１１ｃが平歯車１２１１ａに隣接して可動体後カバー部１２０９の後壁面に設置される。また、ストッパー機能部付平歯車１２１１ｃの中心部にはシャフト１２１１ｄの後端が固定されている。シャフト１２１１ｄは、可動体後カバー部１２０９や飾り１２０５ｂに設けられている貫通孔を通って、可動装飾部１２０３の飾り１２０３ａのシャフト固定部に固定される。
【０５３９】
案内棒付平歯車１２１１ｂは、孔付平歯車１２５６ｃの回転を平歯車１２１１ａに伝えるために用いられる。案内棒付平歯車１２１１ｂは、主に、案内棒１２１１ｂ１と平歯車１２１１ｂ２を有している。平歯車１２１１ｂ２は、略扇形形状を有しており、平歯車１２１１ｂ２の歯は、略扇形の円弧上に形成されている。案内棒１２１１ｂ１は、略円柱形状を有している。また、案内棒１２１１ｂ１は、平歯車１２１１ｂ２の後面の略扇形の円弧の端付近に、略円柱形状の一端面が後を向くように、案内棒１２１１ｂ１と平歯車１２１１ｂ２が一体となって形成されている。案内棒１２１１ｂ１の一端面に、連結部１２１５ｅが摺動可能（または、転動可能）となるように固定されている。このため、孔付平歯車１２５６ｃの回転が案内棒付平歯車１２１１ｂに伝わることになる（詳細は後述する。）。
【０５４０】
ストッパー機能部付平歯車１２１１ｃは、平歯車１２１１ａの回転をシャフト１２１１ｄに伝えるために用いられる。また、ストッパー機能部付平歯車１２１１ｃは、主に、ストッパー機能部１２１１ｃ１と平歯車１２１１ｃ２を有している。平歯車１２１１ｃ２は、略半円形状を有しており、平歯車１２１１ｃ２の歯は、略半円形状の円弧上に形成されている。また、ストッパー機能部１２１１ｃ１は、略三角板状の形状を有し、当該略三角板状の一頂点部分は略半円柱形状（円柱の端面を半分に垂直に切り取った形状）を有している。また、ストッパー機能部１２１１ｃ１は、平歯車１２１１ｃ２の弦部分（歯がない外周部分）に一体となって形成されている。このため、ストッパー機能部１２１１ｃ１の略半円柱形状部分は、平歯車１２１１ｃ２の回転に合わせて回転することになる。また、平歯車１２１１ｃ２の半径は、モータ１２６０の回転軸に固定される平歯車１２５６ｂの半径よりも小さいため、平歯車１２１１ｃ２はモータ１２６０の回転軸の回転速度よりも増速して回転することになるがこれに限られない。例えば、平歯車１２１１ｃ２の半径を平歯車１２５６ｂの半径よりも大きくすることで、平歯車１２１１ｃ２はモータ１２６０の回転軸の回転速度よりも減速して回転することもできる。
【０５４１】
体勢保持部１２１３は、主に、第一保持部１２１３ａ、第二保持部１２１３ｂ、つるまきバネ１２１３ｃを有している。第一保持部１２１３ａと第二保持部１２１３ｂは、互いに左右対称の形状を有している。第一保持部１２１３ａは、主に、可動装飾部１２０３の回転動作が実行される前の体勢（または姿勢）を保持（または、維持）するために用いられる。また、第二保持部１２１３ｂは、主に、可動装飾部１２０３の回転動作が実行された後の体勢を保持（または、維持）するために用いられる。第一保持部１２１３ａおよび第二保持部１２１３ｂは、互いに左右対称の形状であって、略円弧形状を有している。第一保持部１２１３ａの略円弧形状における下端部を支点として遊技盤２００に平行な面内で第一保持部１２１３ａが回転可能となるように、第一保持部１２１３ａの下端部が可動体後カバー部１２０９の後壁面に取り付けられる。また、同様に、第二保持部１２１３ｂの下端部が可動体後カバー部１２０９の後壁面に取り付けられる。また、第一保持部１２１３ａの上端部には、つるまきバネ１２１３ｃを連結させるバネ係止部が形成されている。同様に、第二保持部１２１３ｂの上端部には、つるまきバネ１２１３ｃを連結させるバネ係止部が形成されている。また、つるまきバネ１２１３ｃの一端は、第一保持部１２１３ａのバネ係止部に連結し、つるまきバネ１２１３ｃの他端は、第二保持部１２１３ｂのバネ係止部に連結している。また、本実施例では、つるまきバネは１本のみ設けられているが、つるまきバネが複数本設けられる構成であってもよい。また、つるまきバネ１２１３ｃに代えて板バネを用いてもよいし、ゴム等の可撓性部材を用いてもよい。また、体勢保持部１２１３の詳細は後述する。
【０５４２】
連結部１２１５は、上部右サイド可動体１２０１と上部右サイド可動体支援部１２５０を、ベース部１２５４の案内孔部（案内孔部１２５４ａや案内孔部１２５４ｂ）や孔付平歯車１２５６ｃの案内孔部（逃げ孔付力作用孔部１２５６ｃ１や逃げ孔付力作用孔部１２５６ｃ２）を介して、連結するために用いられる。連結部１２１５は、連結部１２１５ａ〜１２１５ｅの５個を有し、各々は同一の形状である。連結部１２１５ａ〜１２１５ｅは、略円筒形状のローラ部と略円輪板形状のローラ外部が一体となって形成されている。ローラ外部は、ローラ部の一端部に形成されている。また、ローラ外部の外周円の直径は、ローラ部の外周円の直径よりも長く、さらに、ベース部１２５４の案内孔部や孔付平歯車１２５６ｃの案内孔部の短辺の長さよりも長い。また、ローラ部の外周円の直径は、ベース部１２５４の案内孔部や孔付平歯車１２５６ｃの案内孔部の短辺の長さよりも短い。また、連結部１２１５ａ〜１２１５ｅは、各々に対応した上述の案内孔部において、摺動可能（または、転動可能）となるように、可動体後カバー部１２０９の後壁面の所定の位置や案内棒付平歯車１２１１ｂの案内棒１２１１ｂ１に取り付けられる。また、連結部１２１５ａ〜１２１５ｅのローラ外部が各々に対応した上述の案内孔部の後外側に位置し、連結部１２１５ａ〜１２１５ｅのローラ部が各々に対応した案内孔部の内側に位置することで、連結部１２１５ａ〜１２１５ｅは、各々に対応した案内孔部から容易に脱しないようになっている。また、連結部１２１５ａ〜１２１５ｅは、モータ１２６０の回転軸が回転することで、各々に対応した案内孔部の領域で摺動（または転動）できる。また、連結部１２１５の詳細については後述する。
【０５４３】
次に、上部右サイド可動体支援部１２５０について説明する。上部右サイド可動体支援部１２５０は、主に、上部右サイド可動体１２０１を支持するベース部１２５４と、上部右サイド可動体１２０１を動作させるための動力伝達機構１２５６と、上部右サイド可動体１２０１を動作させるための駆動源となるモータ１２６０を有している。
【０５４４】
フォトセンサ１２５２は、上部右サイド可動体１２０１の初期位置を検出するために用いられる。フォトセンサ１２５２は、図４に示す各種可動体センサ４３０に含まれており、図４に示すセンサ回路４２８に接続されている。また、フォトセンサ１２５２は、発光部と受光部が設けられ、発光部から射出された光を受光部で受光する構成である。また、フォトセンサ１２５２は、発光部と受光部が前後方向に対向し、上方から見るとコの字形状（左側が開口している形状）を有している。また、フォトセンサ１２５２は、上部右サイド可動体１２０１が初期位置に位置する状態において、発光部と受光部の間に可動体後カバー部１２０９の初期位置検出部が位置するように、ベース部１２５４の前壁面の上端部にネジ止めで固定される。
【０５４５】
ベース部１２５４は、略板形状を有している。また、ベース部１２５４は、下部右サイド可動体支援部１４５０の前ベース部１４５６の上端部と中ベース部１４６０の上端部にネジ止めで固定される。また、前ベース部１４５６と中ベース部１４６０は、役物ユニット８２０のユニット本体８２２にネジ止めで固定される。すなわち、ベース部１２５４は、役物ユニット８２０のユニット本体８２２に固定されることになる。
【０５４６】
また、ベース部１２５４は、上部右サイド可動体１２０１の移動動作に関連した部材である。ベース部１２５４は、連結部１２１５ａが摺動可能（または、転動可能）となる案内孔部１２５４ａと、連結部１２１５ｂおよび連結部１２１５ｃが摺動可能（または、転動可能）となる案内孔部１２５４ｂを有している。案内孔部１２５４ａと案内孔部１２５４ｂの詳細については後述する。
【０５４７】
動力伝達機構１２５６は、モータ１２６０の回転軸の回転により、上部右サイド可動体１２０１の移動動作、および上部右サイド可動体１２０１の可動装飾部１２０３の回転動作を実行するための動力源として用いられる。動力伝達機構１２５６は、主に、平歯車１２５６ａ、平歯車１２５６ｂ、孔付平歯車１２５６ｃを有している。平歯車１２５６ａは、２枚の同じ形状の平歯車が前後に貼り合わされて一体形状となっている。また、平歯車１２５６ａは、平歯車１２５６ｂの回転を孔付平歯車１２５６ｃに伝えるために用いられる。平歯車１２５６ａの後側の平歯車の歯と平歯車１２５６ｂの歯が噛み合うように、平歯車１２５６ａと平歯車１２５６ｂはベース部１２５４の後壁面に設置される。また、平歯車１２５６ａの前側の平歯車の歯と孔付平歯車１２５６ｃの平歯車１２５６ｃ３の歯が噛み合うように、平歯車１２５６ａと孔付平歯車１２５６ｃはベース部１２５４の後壁面に設置される。
【０５４８】
平歯車１２５６ｂは、モータ１２６０の回転軸の回転を平歯車１２５６ａに伝えるために用いられ、モータ１２６０の回転軸に固定される。
【０５４９】
孔付平歯車１２５６ｃは、平歯車１２５６ａの回転を略直線運動に変換して連結部１２５１ｄに伝えるために用いられる。また、孔付平歯車１２５６ｃは、平歯車１２５６ａの回転を連結部１２５１ｅに伝えるために用いられる。平歯車１２５６ａの回転が略直線運動に変換され連結部１２５１ｄに伝えられることによって上部右サイド可動体１２０１の移動動作が実行可能となる。また、平歯車１２５６ａの回転が連結部１２５１ｅに伝えられることによって上部右サイド可動体１２０１の可動装飾部１２０３の回転動作が実行可能となる（詳細は後述する。）。孔付平歯車１２５６ｃは、主に、逃げ孔付力作用孔部１２５６ｃ１と逃げ孔付力作用孔部１２５６ｃ２と平歯車１２５６ｃ３を有している。平歯車１２５６ｃ３は、略扇形形状を有し、平歯車１２５６ｃ３の歯は、略扇形の円弧上に形成されている。また、逃げ孔付力作用孔部１２５６ｃ１と逃げ孔付力作用孔部１２５６ｃ２の詳細については後述する。
【０５５０】
モータ１２６０は、上部右サイド可動体１２０１の移動動作、および上部右サイド可動体１２０１の可動装飾部１２０３の回転動作を実行するための駆動源である。モータ１２６０は、モータの回転軸に固定される平歯車１２５６ｂがモータ１２６０の前方に位置するように、モータ取付け部１２５８にネジ止めで固定される。モータ取り付け部１２５８には、モータ１２６０の回転軸を通す貫通孔を有している。また、モータ取り付け部１２５８は、ベース部１２５４の後壁面に取り付けられる。なお、本実施例では、モータ１２６０には、ステッピングモータが使用されているがこれに限られない。例えば、ＤＣブラシモータ、ＤＣブラシレスモータ、ＡＣモータ、超音波モータ、サーボモータ等の様々なモータが使用可能であるがこれらに限られない。また、モータ１２６０は、図４に示す駆動回路５１６に接続され、第２副制御部５００によって制御される。
【０５５１】
次に、図２９および図３０を用いて、下部右サイド役物１４００の構造を説明する。下部右サイド役物１４００は、主に、下部右サイド可動体１４０１と下部右サイド可動体１４０１を動作させるための下部右サイド可動体支援部１４５０を有している。
【０５５２】
先ず、図２９を用いて、下部右サイド可動体支援部１４５０の一部の構成を説明する。誘導部１４５２は、図３０に示す下部右サイド可動体１４０１の可動体１４０３の体勢を変化させるために用いられる。誘導部１４５２は、誘導部１４５２ａと誘導部１４５２ｂを有している。誘導部１４５２ａは、図３０に示す体勢変化機構１４０７のローラ１４０７ｆが転動可能（または、摺動可能）となるように、鉛直上下方向に直線状に延びた溝を有している。また、当該溝の形状は、上方から見るとコの字形状（左側が開口している形状）を有している。また、誘導部１４５２ｂは、上述のローラ１４０７ｆが転動可能（または、摺動可能）となるように、前上方向に所定の角度で傾斜して直線状に延びた溝を有している。また、当該溝の溝形状は、上方から見るとコの字形状（左側が開口している形状）を有している。また、誘導部１４５２ａの案内溝と誘導部１４５２ｂの案内溝は繋がっている。また、誘導部１４５２は、前ベース部１４５６の前壁面にネジ止めで固定される。
【０５５３】
ＬＥＤ基板１４５４は、前ベース部１４５６の前壁面にネジ止めで固定される。また、ＬＥＤ基板１４５４の実装面には、ＬＥＤ（不図示）やＬＥＤを点灯させるための駆動回路（不図示）が搭載されている。
【０５５４】
前ベース部１４５６は、誘導部１４５２やＬＥＤ基板１４５４を支持するために用いられる。また、前ベース部１４５６は、動力伝達機構１４５８を収容するためにも用いられ、動力伝達機構１４５８を収容可能とする収容部が、前ベース部１４５６の後側に備えられている。また、前ベース部１４５６は、中ベース部１４６０の前壁面にネジ止めで固定される。また、中ベース部１４６０は、役物ユニット８２０のユニット本体８２２にネジ止めで固定される。すなわち、誘導部１４５２は、役物ユニット８２０のユニット本体８２２に固定される。
【０５５５】
動力伝達機構１４５８は、図３０に示すモータ１４６２の回転軸の回転により、図３０に示す下部右サイド可動体１４０１の移動動作、および下部右サイド可動体１４０１の可動体（可動体前部）１４０３の体勢変化の動作を実行するために用いられる。動力伝達機構１４５８は、主に、ベルト１４５８ａ、平歯車１４５８ｂ、プーリ付平歯車１４５８ｃ、プーリ１４５８ｄ、軸１４５８ｅ、軸支持部１４５８ｆを有している。
【０５５６】
ベルト１４５８ａは、下部右サイド可動体１４０１の上下方向の移動動作を実行するために用いられる。ベルト１４５８ａは、樹脂製のベルトであり可撓性を有している。また、ベルト１４５８ａは、上端がプーリ付平歯車１４５８ｃのプーリ１４５８ｃ１に掛けられ、下端がプーリ１４５８ｄに掛けられる。このため、ベルト１４５８ａは、プーリ付平歯車１４５８ｃの回転に合わせて回転する。また、ベルト１４５８ａの所定の位置に、図３０に示す可動体支持部１４１３のベルト固定部１４１３ｂが固定される。
【０５５７】
平歯車１４５８ｂは、モータ１４６２の回転軸の回転をプーリ付平歯車１４５８ｃに伝えるために用いられる。平歯車１４５８ｂは、モータ１４６２の回転軸に固定される。また、平歯車１４５８ｂの歯とプーリ付平歯車１４５８ｃの平歯車１４５８ｃ２の歯が噛み合うように、平歯車１４５８ｂとプーリ付平歯車１４５８ｃが隣接して、中ベース部１４６０の前壁面に備え付けられる。
【０５５８】
プーリ付平歯車１４５８ｃとプーリ１４５８ｄは、平歯車１４５８ｂの回転をベルト１４５８ａに伝えるために用いられる。プーリ付平歯車１４５８ｃは、プーリ１４５８ｃ１と平歯車１４５８ｃ２が前後に位置して一体成型されている。また、プーリ付平歯車１４５８ｃとプーリ１４５８ｄは、上下方向に所定の距離を設けて、中ベース部１４６０の前壁面に備え付けられる。
【０５５９】
軸１４５８ｅは、プーリ付平歯車１４５８ｃが回転可能に支持するために用いられる。軸１４５８ｅの後端は、中ベース部１４６０の前壁面上部に固定され、軸１４５８ｅの前端は、プーリ付平歯車１４５８ｃが回転可能となるように、プーリ付平歯車１４５８ｃの中心部に備え付けられる。また、軸１４５８ｅは、プーリ１４５８ｄが回転可能に支持するために用いられる。軸１４５８ｅの後端は、中ベース部１４６０の前壁面下部に固定され、軸１４５８ｅの前端は、プーリ１４５８ｄが回転可能となるように、プーリ１４５８ｄの中心部に備え付けられる。
【０５６０】
中ベース部１４６０は、動力伝達機構１４５８を支持し、収納するために用いられる。また、中ベース部１４６０は、図３０に示す誘導レール１４６４や案内棒１４６６を支持し、収納するために用いられる。
【０５６１】
次に、図３０を用いて、下部右サイド役物１４００の構造を説明する。下部右サイド可動体１４０１は、主に、可動体（可動体前部）１４０３と、可動体（可動体後部）１４０５と、可動体（可動体中部）１４２５と、可動体１４０３の体勢を変化させるための体勢変化機構１４０７と、可動体１４０３や可動体１４０５や可動体１４２５を支持する案内部付モータカバー部１４０９と、可動体１４２５の一部が開く動作と回転する動作を実行するたのモータ１４１１と可動体支持部１４１３と動力伝達機構１４１９を有している。
【０５６２】
可動体１４０３は、上下方向の移動動作に加えて、体勢を変化させる動作を実行可能な可動体である（詳細は後述する。）。可動体１４０３は、略円弧形状の前装飾部１４０３ａと略円弧形状の後装飾部１４０３ｂを有し、前装飾部１４０３ａと前装飾部１４０３ｂがネジ止めで固定されている。前装飾部１４０３ａと前装飾部１４０３ｂは透明樹脂で形成されている。また、可動体１４０３の内部には、ＬＥＤ基板（不図示）が設けられている。ＬＥＤ基板の両面には、ＬＥＤやＬＥＤを点灯させるための駆動回路が搭載されているがこれに限られない。例えば、片面実装のＬＥＤ基板の裏面同士を２枚重ね合わせるようにしてもよいがこれらに限られない。このため、可動体１４０３の体勢変化前（可動体１４０３の初期位置での体勢）は、ＬＥＤ基板の前面に実装されたＬＥＤの光が前装飾部１４０３ａを介して視認可能であり、可動体１４０３の体勢変化後（可動体１４０３の目標位置での体勢）は、ＬＥＤ基板の後面に実装されたＬＥＤの光が後装飾部１４０３ｂを介して視認可能となる。また、円弧上に形成された可動体１４０３の右端部は、体勢変化機構１４０７の軸１４０７ａや軸１４０７ｂを固定するための軸固定部１４０３ｃを有している。
【０５６３】
可動体１４０５は、上下方向の移動動作を実行可能な可動体である（詳細は後述する。）。また、可動体１４０５は、略円弧形状を有している。また、可動体１４０５は、透明樹脂で形成されている。また、可動体１４０５の内部には、ＬＥＤ基板（不図示）が設けられている。ＬＥＤ基板の実装面には、ＬＥＤやＬＥＤを点灯させるための駆動回路が搭載されている。また、可動体１４０５は、可動体１４０３の後方に位置する可動体である。また、可動体１４０３の体勢が変化する前においては、可動体１４０３の一部が可動体１４０５の一部と重なることで、遊技者は可動体１４０５の全体を視認することが困難である。一方、可動体１４０３の体勢が変化した後においては、可動体１４０３が可動体１４０５の一部と重ならないため、遊技者は可動体１４０５の全体を視認可能となる。
【０５６４】
体勢変化機構１４０７は、可動体１４０３の体勢を変化させるために用いられる。体勢変化機構１４０７は、主に、軸１４０７ａ、軸１４０７ｂ、軸支持部１４０７ｃ、ピニオン１４０７ｄ、案内棒付ラック１４０７ｅ、およびローラ１４０７ｆを有している。
【０５６５】
軸１４０７ａと軸１４０７ｂは、可動体１４０３の回転軸を形成するために用いられる。軸１４０７ａの右端部は、可動体１４０３の軸固定部１４０３ｃの左端部に固定される。一方、軸１４０７ａの左端部は、軸支持部１４０７ｃに設けられた軸貫通孔に、軸１４０７ａが回転可能となるように備え付けられる。また、軸１４０７ｂの左端部は、可動体１４０３の軸固定部１４０３ｃの右端部に固定される。一方、軸１４０７ｂの右端部は、軸支持部１４０７ｃに設けられた軸貫通孔を通って、ピニオン１４０７ｄの中心部に固定される。
【０５６６】
軸支持部１４０７ｃは、軸１４０７ａと軸１４０７ｂを支持するために用いられる。また、軸支持部１４０７ｃは、軸１４０７ａと軸１４０７ｂを介して、可動体１４０３を支持することになる。また、軸支持部１４０７ｃの設置方向によって、軸１４０７ａと軸１４０７ｂとで形成される可動体１４０３の回転軸の方向が決まる。本実施例では、可動体１４０３の回転軸の方向は、遊技盤２００に平行な面内で右上から左下に所定の角度で傾斜した方向となるように、軸支持部１４０７ｃは可動体支持部１４１３の前壁面にネジ止めで固定されるがこれに限られない。
【０５６７】
ピニオン１４０７ｄは、案内棒付ラック１４０７ｅの前後方向の運動を回転運動に変換して、軸１４０７ｂを回転させるために用いられる（詳細は後述する。）。ピニオン１４０７ｄは軸１４０７ｂに固定され、軸１４０７ｂは軸支持部１４０７ｃに回転可能となるように備え付けられ、軸支持部１４０７ｃは可動体支持部１４１３に固定されている。すなわち、ピニオン１４０７ｄは、可動体支持部１４１３に回転可能に固定される。また、本実施例では、案内棒付ラック１４０７ｅが初期位置から目標位置まで移動した場合に、ピニオンが約半回転するように、ラックの歯数とピニオンの歯数が決定されているがこれに限られない。例えば、可動体後カバー部１２０９等に可動体１４０３が干渉しないで３６０°回転可能となる孔を設けることで、案内棒付ラック１４０７ｅが初期位置から目標位置まで移動した場合に、ピニオンが約一回転する構成であってもよいし、ピニオンが約一回転以上、回転する構成であってもよい。また、案内棒付ラック１４０７ｅが初期位置から目標位置まで移動した場合に、ピニオンが一回転する場合は、可動体１４０３の初期位置での体勢と可動体１４０３の目標位置での体勢は、同じになる。
【０５６８】
案内棒付ラック１４０７ｅは、図２９に示すベルト１４５８ａの回転による上下方向の運動を変換してピニオン１４０７ｄを回転させるために用いられる（詳細は後述する。）。案内棒付ラック１４０７ｅは、案内棒１４０７ｅ１とラック１４０７ｅ２を有している。案内棒１４０７ｅ１は、略円筒形状を有している。また、案内棒１４０７ｅ１は、ラック１４０７ｅ２の前端面（歯が形成されていない端面）に、案内棒１４０７ｅ１とラック１４０７ｅ２が一体となるように設けられている。また、案内棒付ラック１４０７ｅは、ラック１４０７ｅ２の歯とピニオン１４０７ｄの歯が噛み合うように、可動体支持部１４１３のラック案内部１４１３ａに、摺動可能となるように備え付けられる。また、ラック１４０７ｅ２の壁面（案内部付モータカバー部１４０９のラック案内部１４０９ａに接する壁面）には、不図示の案内部が設けられている。また、案内棒付ラック１４０７ｅの摺動する面に転動可能となるローラ部を設けることもできる。また、本実施例では、ピニオン１４０７ｄは、上述の所定の角度で傾斜した軸１４０７ｂに固定される。このため、ラック１４０７ｅ２の歯先は、上述の所定の角度で傾斜したピニオン１４０７ｄの歯先と平行となるように、ラック１４０７ｅ２の歯の側面が略台形の形状を有しているがこれに限られない。
【０５６９】
ローラ１４０７ｆは、案内棒付ラック１４０７ｅが図２９に示す誘導部１４５２に誘導されるために用いられる。ローラ１４０７ｆは、案内棒付ラック１４０７ｅの案内棒１４０７ｅ１の端面に、転動可能（または、摺動可能）となるように取り付けられる。また、ローラ１４０７ｆが誘導部１４５２の誘導部１４５２ａおよび誘導部１４５２ｂで転動可能（または摺動可能）となるように、案内棒付ラック１４０７ｅが可動体支持部１４１３のラック案内部１４１３ａに備え付けられる。
【０５７０】
案内部付モータカバー部１４０９は、可動体支持部１４１３のラック案内部１４１３ａに備え付けられる案内棒付ラック１４０７ｅの移動を案内するために用いられる。また、案内部付モータカバー部１４０９は、可動体支持部１４１３に固定されるモータ１４１１のカバー部として用いられる。また、案内部付モータカバー部１４０９は、ラック案内部１４０９ａとモータカバー部１４０９ｂを有している。また、案内棒付ラック１４０７ｅが可動体支持部１４１３のラック案内部１４１３ａで前後方向に摺動可能で上下方向および左右方向には移動しないように、案内部付モータカバー部１４０９は、可動体支持部１４１３の前壁面に取り付けられる。また、ラック案内部１４０９ａは略板形状を有しており、案内棒付ラック１４０７ｅが接する面には、前後方向に延びた溝が１本形成されている。また、ラック１４０７ｅ２の壁面に形成されている案内部（不図示）が、ラック案内部１４０９ａに設けられた上側の溝で摺動可能である。また、当該上側の溝の上下方向の幅は、ラック１４０７ｅ２の壁面に形成されている案内部（不図示）の上下の幅に若干の余裕（クリアランス）を加えた程度である。このため、ラック案内部１４０９ａによって、案内棒付ラック１４０７ｅの上下方向の移動が規制される。また、ラック案内部１４０９ａと可動体支持部１４１３に設けられたラック案内部１４１３ａで、案内棒付ラック１４０７ｅを挟み込むことで、案内棒付ラック１４０７ｅの左右方向の移動が規制される。
【０５７１】
モータ１４１１は、可動体中部（または、可動体）１４２５の一部を開く動作と回転する動作（詳細は後述する。）を実行するための駆動源である。モータ１４１１は、モータの回転軸（平歯車１４１９ｃが取り付けられる側）が後を向くように、可動体支持部１４１３の前壁面にネジ止めで固定される。また、可動体支持部１４１３は、モータ１４１１の回転軸を通す貫通孔を有している。また、モータ１４１１は、図４に示す駆動回路５１６に接続され、第２副制御部５００によって制御される。なお、本実施例では、モータ１４１１は、ステッピングモータが使用されているがこれに限られない。例えば、ＤＣブラシモータ、ＤＣブラシレスモータ、ＡＣモータ、超音波モータ、サーボモータ等の様々なモータが使用可能であるがこれらに限られない。
【０５７２】
可動体支持部１４１３は、可動体１４０１（可動体前部１４０３、可動体後部１４０５、および可動体中部１４２５）を支持し動作させるために用いられる。可動体支持部１４１３は、略板形状を有している。また、可動体支持部１４１３は、主に、ラック案内部１４１３ａ、ベルト固定部１４１３ｂ、内レール取り付け部１４１３ｃ、案内棒スライド部１４１３ｄを有している。
【０５７３】
ラック案内部１４１３ａは、略板形状を有している。また、ラック案内部１４１３ａの左壁面（ラック１４０７ｅ２が接触する面）には、所定の間隔で二つの突起部が左右方向に平行に設けられている。このため、ラック１４０７ｅ２とラック案内部１４１３ａの接合する面が小さくなり、ラック１４０７ｅ２とラック案内部１４１３ａの摩擦力が低減される。また、ラック案内部１４１３ａの壁面には、ラック１４０７ｅ２がスムーズに移動可能となるように、ベアリング、スチールボール、またはローラ等が設けられてもよい。
【０５７４】
ベルト固定部１４１３ｂは、図２９に示すベルト１４５８ａに可動体支持部１４１３を固定するために用いられる。ベルト固定部１４１３ｂは、２枚の略板形状の板でベルト１４５８ａの所定の位置のベルト部分を挟み込む構成となっている。
【０５７５】
内レール取り付け部１４１３ｃは、誘導レール１４６４の内レール１４６４ｂの取り付け部であり、ベルト固定部１４１３ｂと案内棒スライド部１４１３ｄの間に設けられている。
【０５７６】
案内棒スライド部１４１３ｄは、可動体支持部１４１３が案内棒１４６６に沿って移動可能となるために用いられる。案内棒スライド部１４１３ｄは、前方が開口した略円筒形状を有している。また、案内棒スライド部１４１３ｄの内径は、案内棒１４６６の外径に若干の余裕（クリアランス）を加えた長さである。また、可動体支持部１４１３には、ＬＥＤ基板１４１５に実装されたＬＥＤの光を通すための貫通孔や動力伝達機構１４１９のシャフト１４１９ｆを通すための貫通孔が設けられている。
【０５７７】
ＬＥＤ基板１４１５は、可動体支持部１４１３の後壁面にネジ止めで固定される。ＬＥＤ基板１４１５の実装面には、ＬＥＤ（不図示）やＬＥＤを点灯させるための駆動回路（不図示）が搭載されている。ＬＥＤ基板カバー部１４１７は、ＬＥＤ基板１４１５を収納するために用いられ、ＬＥＤ基板１４１５の後壁面にネジ止めで固定される。
【０５７８】
動力伝達機構１４１９は、モータ１４１１の回転軸の回転により可動体中部１４２５の一部が開く動作と回転動作を実行するために用いられる機構である。また、動力伝達機構１４１９は、主に、平歯車１４１９ａ、平歯車１４１９ｂ、平歯車１４１９ｃ、つるまきバネ１４１９ｄ、バネ押部１４１９ｅ、およびシャフト１４１９ｆを有している。平歯車１４１９ａは、モータ１４１１の回転軸に固定される。また、平歯車１４１９ａの歯と平歯車１４１９ｂの歯が噛み合うように、平歯車１４１９ｂが平歯車１４１９ａに隣接してＬＥＤ基板カバー部１４１７の後壁面に設置される。また、平歯車１４１９ｂの歯と平歯車１４１９ｃの歯が噛み合うように、平歯車１４１９ｃが平歯車１４１９ｂに隣接してＬＥＤ基板カバー部１４１７の後壁面に設置される。平歯車１４１９ｃの中心部にはシャフト１４１９ｆを貫通させる孔が設けられ、シャフト１４１９ｆが回転可能となるよう通される。また、シャフト１４１９ｆの前端は、内装飾部１４２５ｂの中心部に固定される。また、平歯車１４１９ｃの前壁面の中心部には、孔付後側円板１４２５ｆを回転させるための略四角形状の溝が形成されている。また、平歯車１４１９ｃの後側には、つるまきバネ１４１９ｄが設けられている。また、つるまきバネ１４１９ｄの後側には、バネ押部１４１９ｅが設けられている。このため、平歯車１４１９ｃの中心部に設けられた略四角形状の溝は、つるまきバネ１４１９ｄの弾性力によって、孔付後側円板１４２５ｆの中心部に押さえ付けられることになる。このため、平歯車１４１９ｃの回転による力が、孔付後側円板１４２５ｆに効率よく伝わることになる。また、本実施例では、モータ１４１１の回転軸の位置（遊技盤２００に平行な平面上における位置座標）とシャフト１４１９ｆの位置（遊技盤２００に平行な平面上における位置座標）を異ならせるために、動力伝達機構１４１９が用いられる。これにより、モータ１４１１の設置スペースを任意に設けることが可能となる。また、可動体１４０１の重心を考慮して、モータ１４１１の設置スペースを任意に設けることも可能である。また、平歯車１４１９ａの歯数と平歯車１４１９ｃの歯数の比を変更することで、モータ１４１１の回転軸の回転速度を所定の回転速度に変換してシャフト１４１９ｆを回転させることができる。なお、本実施例では、平歯車１４１９ｃの歯数は平歯車１４１９ｃの歯数よりも多い。このため、動力伝達機構１４１９は、減速機構として用いられている。また、モータ１４１１のトルクが増幅されてシャフト１４１９ｆに伝わる。また、動力伝達機構カバー部１４２１は、動力伝達機構１４１９を収納するために用いられ、可動体支持部１４１３の後壁面にネジ止めで固定される。
【０５７９】
可動体中部１４２５は、上下方向の移動動作に加えて、可動体中部１４２５の一部が開く動作と可動体中部１４２５が回転する動作を実行可能である。可動体中部１４２５は、略円錐台の形状を有している。また、可動体中部１４２５は、可動体中部１４２５の一部が開く動作と可動体中部１４２５が回転する動作を実行可能となるように、可動体支持部１４１３の前壁面の所定の位置に配置される。また、可動体中部１４２５の前表面外側には、外装飾部１４２５ａを有し、外装飾部１４２５ａの内側に、中装飾部１４２５ｃを有し、中装飾部１４２５ｃの内側に、内装飾部１４２５ｂを有している。これらの装飾部は、ＬＥＤ基板１４１５に実装されたＬＥＤの光を透過させるために、透明樹脂で形成されているがこれに限られない。
【０５８０】
外装飾部１４２５ａは、装飾部１４２５ａ１〜１４２５ａ６の６個の装飾部に分割されている。装飾部１４２５ａ１〜１４２５ａ６の各々は、シャフト１４１９ｆを円の中心として放射線状の移動（以下、単に「放射線状の移動」と表す場合がある。）とシャフト１４１９ｆを中心として回転動作（以下、単に「回転動作」と表す場合がある。）が実行可能である。また、装飾部１４２５ａ１〜１４２５ａ６は各々が同一形状で、略円弧形状を有している。また、装飾部１４２５ａ１〜１４２５ａ６は、案内棒付支持部１４２５ｄの支持部１４２５ｄ１〜１４２５６ｅ６の前面に各々がネジ止めで固定される。また、装飾部１４２５ａ１〜１４２５ａ６を並べることで内側が円状に開口しているリング状となるように、装飾部１４２５ａ１〜１４２５ａ６が配置されている。
【０５８１】
内装飾部１４２５ｂは、シャフト１４１９ｆを中心として回転する。また、内装飾部１４２５ｂは、略円板形状を有している。内装飾部１４２５ｂの後面の円中心部には、シャフト１４１９ｆの前端面を固定するための不図示のシャフト固定部が設けられている。内装飾部１４２５ｂの後面の円周付近には、孔付前側円板１４２５ｅの前面にネジ止めするための略円筒形状のネジ止め部が、円の中心を対角として２個設けられている。また、中装飾部１４２５ｃは、略円板形状を有している。中装飾部１４２５ｃの円中心部には、シャフト１４１９ｆを通すための貫通孔が設けられている。また、中装飾部１４２５ｃの前面の円中心部には、内装飾部１４２５ｂをはめ込むための内装飾部１４２５ｂの大きさに合わせた円形状の窪みが設けられている。また、当該窪み部分には、内装飾部１４２５ｂの後面に設けられた略円筒形状のネジ止め部を通すための貫通孔が２個設けられている。すなわち、中装飾部１４２５ｃは、内装飾部１４２５ｂと一体となることで、内装飾部１４２５ｂと一体となって回転する。
【０５８２】
案内棒付支持部１４２５ｄは、外装飾部１４２５ａの装飾部１４２５ａ１〜１４２５ａ６の上述の放射線状の移動と回転移動を実行するために用いられる。案内棒付支持部１４２５ｄは、６個に分割され（支持部１４２５ｄ１〜１４２５ｄ６）、孔付前側円板１４２５ｅの前方に配置される。また、支持部１４２５ｄ１〜１４２５ｄ６は、各々が同一形状であり、外側にある長辺側が円弧形状となる略台形の形状を有している。また、支持部１４２５ｄ１〜１４２５ｄ６を並べることで内側が六角形に開口しているリング状となるように、支持部１４２５ｄ１〜１４２５ｄ６が配置され、当該六角形の開口部において、内装飾部１４２５ｂおよび中装飾部１４２５ｃが回転可能となっている。また、支持部１４２５ｄ１〜１４２５ｄ６の後面には、略円柱形状の案内棒（一部図示）が設けられている。なお、案内棒付支持部１４２５ｄは、透明でない樹脂で形成されているが、透明樹脂で形成されていてもよい。
【０５８３】
孔付前側円板１４２５ｅは、内装飾部１４２５ｂおよび中装飾部１４２５ｃの回転動作のために用いられる。孔付前側円板１４２５ｅは、案内棒付支持部１４２５ｄの後方に配置されている。また、孔付前側円板１４２５ｅは、略円板形状を有している。孔付前側円板１４２５ｅの中心部には、シャフト１４１９ｆが回転可能となる貫通孔が設けられている。また、孔付前側円板１４２５ｅには、所定の長さの長孔が、円の中心付近から半径方向に各々が６０°の間隔で６個設けられている。これら６個の長孔には、各々に対応する支持部１４２５ｄ１〜１４２５ｄ６の案内棒が移動可能に配置されている。また、これらの長孔に沿って、支持部１４２５ｄ１〜１４２５ｄ６の案内棒が放射線状に移動しているときは、支持部１４２５ｄ１〜１４２５ｄ６の案内棒は、孔付前側円板１４２５ｅに力がほとんど作用しないようになっている。また、孔付前側円板１４２５ｅの前面と内装飾部１４２５ｂの２個のネジ止め部がネジ止めで固定される。このため、これらの６個の長孔の端部（上端および下端）で支持部１４２５ｄ１〜１４２５ｄ６の案内棒が停止している場合は、支持部１４２５ｄ１〜１４２５ｄ６の案内棒が回転移動することによって、孔付前側円板１４２５ｅに回転の力が作用し、孔付前側円板１４２５ｅに固定されている内装飾部１４２５ｂおよび中装飾部１４２５ｃが回転することになる。また、孔付前側円板１４２５ｅは、ＬＥＤ基板１４１５に実装されたＬＥＤの光を透過させるために、透明樹脂材料で形成されているがこれに限られない。
【０５８４】
孔付後側円板１４２５ｆは、装飾部１４２５ａ１〜１４２５ａ６の放射線状の移動と回転移動、および内装飾部１４２５ｂと中装飾部１４２５ｃの回転動作を実行するために用いられる。孔付後側円板１４２５ｆは、略円板形状を有している。また、孔付後側円板１４２５ｆは、孔付前側円板１４２５ｅの後方に配置され、可動体支持部１４１３の前表面の所定の位置に、回転可能となるように配置される。また、孔付後側円板１４２５ｆの中心部には、シャフト１４１９ｆを通すための貫通孔が設けられている。また、孔付後側円板１４２５ｆの後面の中心部には、平歯車１４１９ｃに固定するための、略四角形状（不図示）の固定部が形成されている。このため、平歯車１４１９ｃの回転による力が、孔付後側円板１４２５ｆに伝わることになる。また、孔付後側円板１４２５ｆには、所定の長さの略円弧形状の長孔が、円の中心を中心として渦巻状に、各々が６０°の間隔で形成されている。これら６個の長孔には、各々に対応する支持部１４２５ｄ１〜１４２５ｄ６の案内棒が摺動可能（または転動可能）に配置されている。また、支持部１４２５ｄ１〜１４２５ｄ６は、孔付後側円板１４２５ｆが回転することによって、支持部１４２５ｄ１〜１４２５ｄ６の案内棒が各々に対応する長孔によって案内されている。この場合は、上述の放射線状の移動が実行可能となる。また、支持部１４２５ｄ１〜１４２５ｄ６は、孔付後側円板１４２５ｆが回転することによって、支持部１４２５ｄ１〜１４２５ｄ６の案内棒が各々に対応する長孔の端部で停止する。この場合は、上述の回転移動が実行可能となる。すなわち、支持部１４２５ｄ１〜１４２５ｄ６において上述の放射線状の移動が実行されることによって、外装飾部１４２５ａの装飾部１４２５ａ１〜１４２５ａ６も上述の放射線状の移動が実行される。このため、可動体中部１４２５の開く動作が実行されることになる。また、支持部１４２５ｄ１〜１４２５ｄ６の案内棒が上述の回転移動されることによって、外装飾部１４２５ａの装飾部１４２５ａ１〜１４２５ａ６が上述の回転移動が実行される。また、当該回転移動に合わせて、内装飾部１４２５ｂおよび中装飾部１４２５ｃの回転動作が実行されることになる。このため、可動体中部１４２５の回転動作が実行されることになる。また、孔付後側円板１４２５ｆは、ＬＥＤ基板１４１５に実装されたＬＥＤの光を透過させるために、透明樹脂で形成されているがこれに限られない。
【０５８５】
本実施例では、支持部１４２５ｄ１〜１４２５ｄ６に設けられた各案内棒が孔付後側円板１４２５ｆに設けられた各々に対応する長孔に案内されて移動している場合は、支持部１４２５ｄ１〜１４２５ｄ６に設けられた各案内棒は、孔付前側円板１４２５ｅに力がほとんど作用しない構成となっている。このため、モータ１４１１の回転軸を後から見て反時計回りに回転させた場合は、最初に可動体中部１４２５の一部が開く動作（装飾部１４２５ａ１〜１４２５ａ６が放射線状に移動する動作）が実行され、可動体中部１４２５の一部が開く動作が完了した後に、可動体中部１４２５の前から見て時計回りの回転動作（外装飾部１４２５ａの回転移動、内装飾部１４２５ｂおよび中装飾部１４２５ｃの回転動作）が実行されるがこれに限られない。例えば、支持部１４２５ｄ１〜１４２５ｄ６の案内棒が孔付後側円板１４２５ｆに設けられた各々に対応する長孔に案内されて移動している場合は、支持部１４２５ｄ１〜１４２５ｄ６の各案内棒が、孔付前側円板１４２５ｅに力が大きく作用する構成（例えば、所定の長さの長孔が、円の中心から外周に向けて渦巻直線状に、各々が６０°の間隔で６個設けられている構成）となっていてもよい。この場合は、可動体中部１４２５の開く動作と回転動作が同時に実行されることになる。なお、可動体中部１４２５の一部が開く動作が完了した後（またはその途中）に、モータ１４１１の回転軸を後から見て時計回りに回転させることで、可動体中部１４２５の一部が閉じる動作が実行可能となる。また、モータ１４１１の回転軸を後から見て時計回りに回転させることで、可動体中部１４２５は前から見て反時計回りの回転動作が実行される。また、モータ１４１１の回転軸の回転数を制御することで、可動体中部１４２５の一部が開く動作のみ実行するようにもできる。
【０５８６】
次に、図３０を用いて、下部右サイド可動体支援部１４５０の残りの構成を説明する。モータ１４６２は、下部右サイド可動体１４０１の移動動作、および下部右サイド可動体１４０１の可動体１４０３の体勢変化の動作を実行するための駆動源である。モータ１４６２は、モータの回転軸に固定されるプーリ付平歯車１４５８ｃ（図３０参照）がモータの前方に位置するように、中ベース部１４６０の後壁面にネジ止めで固定される。中ベース部１４６０は、モータ１４６２の回転軸を通す貫通孔を有している。なお、本実施例では、モータ１４６２は、ステッピングモータが使用されているがこれに限られない。例えば、ＤＣブラシモータ、ＤＣブラシレスモータ、ＡＣモータ、超音波モータ、サーボモータ等の様々なモータが使用可能であるがこれらに限られない。また、モータ１４６２は、図４に示す駆動回路５１６に接続され、第２副制御部５００によって制御される。
【０５８７】
誘導レール１４６４は、可動体１４０１の移動の方向を誘導するために用いられる。誘導レール１４６４は、外レール１４６４ａと内レール１４６４ｂを有している。内レール１４６４ｂは、可動体支持部１４１３の内レール取り付け部１４１３ｃに可動体１４０１が上下方向に移動可能となるように上下方向にネジ止めで固定される。また、外レール１４６４ａは、中ベース部１４６０の後壁面中央に可動体１４０１が上下方向に移動可能となるように上下方向にネジ止めで固定される。また、内レール１４６４ｂと外レール１４６４ａのレール接面部には、レール同士の摩擦を低減しレールが滑らかにスライドできるように複数のスチールボール（不図示）が配置されている。また、誘導レール１４６４の構成によって、可動体支持部１４１３は、中ベース部１４６０に固定される外レール１４６４ａの設置方向、すなわち、上下方向に動作可能となる。また、外レール１４６４ａの下端部には、内レール１４６４ｂを停止させるレール停止部（不図示）が設けられている。
【０５８８】
案内棒１４６６は、可動体１４０１が案内棒１４６６に沿って全体が平行移動可能となるために用いられる。また、可動体１４０１の移動による力のモーメントを軽減するためにも用いられる。案内棒１４６６は鉄製の棒で構成されている。また、案内棒１４６６は、誘導レール１４６４の設置方向と上下方向に平行となるように中ベース部１４６０の後壁面に固定される。
【０５８９】
つるまきバネ１４６８は、可動体１４０１の上方向の移動を支援するために用いられる。本実施例では、つるまきバネ１４６８は、圧縮バネが使用されている。つるまきバネ１４６８は、案内棒１４６６に巻きつくように、案内棒１４６６に備え付けられる。また、バネ押部１４７０は、案内棒１４６６でスライド可能であり、つるまきバネ１４６８の上方からつるまきバネ１４６８を押さえるように、案内棒１４６６に備え付けられる。また、バネ押部１４７０の上方に、可動体支持部１４１３の案内棒スライド部１４１３ｄが案内棒１４６６に備え付けられる。この構成によって、可動体１４０１が下方に位置する場合は、つるまきバネ１４６８が弾性変形して圧縮されることになる。このため、可動体１４０１の初期位置（下端）から上方への移動動作がスムーズに行われる場合がある。
【０５９０】
フォトセンサ１４７２は、可動体１４０１の初期位置を検出するために用いられる。フォトセンサ１４７２は、図４に示す各種可動体センサ４３０に含まれており、図４に示すセンサ回路４２８に接続されている。また、フォトセンサ１４７２は、発光部と受光部が設けられ、発光部から射出された光を受光部で受光する構成である。また、フォトセンサ１４７２は、発光部と受光部が前後方向に対向し、右側面から見るとコの字形状（左側が開口している形状）を有している。また、可動体１４０１が初期位置に位置する場合に、発光部と受光部の間に可動体支持部１４１３の下端部分が位置するように、後ベース部１４７４の前壁面にネジ止めで固定される。
【０５９１】
次に、本実施例の上部右サイド役物１２００の可動体１２０１の移動動作と可動体１２０１の可動装飾部１２０３の回転動作について、図３１および図３２を用いて説明する。
【０５９２】
図３１（ａ）は、可動体１２０１が初期位置に位置している状態の上部右サイド役物１２００を前から見た略示正面図である。図３１（ａ’）は、図３１（ａ）に示す状態の上部右サイド役物１２００を後から見た略示背面図である。図３１（ｂ）は、可動体１２０１が目標位置に位置した状態の上部右サイド役物１２００を前から見た略示正面図である。また、図３１（ｂ）は、可動体１２０１の可動装飾部１２０３の回転動作が実行される直前の状態を示している。図３１（ｂ’）は、図３１（ｂ）に示す状態の上部右サイド役物１２００を後から見た略示背面図である。図３１（ｃ）は、可動体１２０１が目標位置に到達後に可動装飾部１２０３の回転動作が実行された後の状態の上部右サイド役物１２００を前から見た略示正面図である。図３１（ｃ’）は、図３１（ｃ）に示す状態の上部右サイド役物１２００を後から見た略示背面図である。
【０５９３】
図３１（ａ）は、可動体１２０１が初期位置に位置している状態を示している。また、可動体１２０３の回転動作は実行されていない状態である。また、可動体１２０１は、初期位置から目標位置まで移動する動作と目標位置から初期位置に移動する動作が可能である。また、可動体１２０１の移動可能となる範囲において、上端の位置を可動体１２０１の初期位置とし、下端の位置を可動体１２０１の目標位置としている。
【０５９４】
続いて、可動体１２０１が初期位置に位置している状態からの移動動作について、図３１（ａ’）を用いて説明する。ベース部１２５４には、後から見て略直線状に左上から右下に向けて傾斜した貫通孔が所定の間隔で２本、平行に設けられている。後から見た場合の右側の孔は案内孔部１２５４ａであり、後から見た場合の左側の孔は案内孔部１２５４ｂである。案内孔部１２５４ａには、可動体１２０１の後側のカバー部の可動体後カバー部１２０９の後壁面に固定されている連結部１２１５ａが転動可能（または、摺動可能）に配置されている。また、案内孔部１２５４ｂには、可動体後カバー部１２０９の後壁面に固定されている連結部１２１５ｂと連結部１２１５ｃが転動可能（または、摺動可能）に配置されている。また、ベース部１２５４は、役物ユニット８２０のユニット本体８２２にネジ止めで固定されることから、案内孔部１２５４ａと案内孔部１２５４ｂは固定されて動かない。このため、可動体１２０１は、案内孔部１２５４ａおよび案内孔部１２５４ｂに案内されて平行移動が可能となる。
【０５９５】
動力伝達機構１２５６（１２５６ａ〜１２５６ｃ）は、モータ１２６０の回転軸の回転の力を可動体後カバー部１２０９の後壁面に固定されている連結部１２１５ｄに伝えるための機構を有している。モータ１２６０の回転軸の回転により平歯車１２５６ｂが回転し、平歯車１２５６ｂが回転することにより平歯車１２５６ａが回転し、平歯車１２５６ａが回転することにより、孔付平歯車１２５６ｃが回転する。孔付平歯車１２５６ｃは、主に、逃げ孔付力作用孔部１２５６ｃ１と逃げ孔付力作用孔部１２５６ｃ２と平歯車１２５６ｃ３を有している。逃げ孔付力作用孔部１２５６ｃ１は、可動体１２０１が初期位置に位置している状態では、後から見てひらがなの「く」状の形状の長孔を有し、後から見て約４５°反時計回りに回転している。「く」状の形状の下部分の長孔（以下、力作用孔と称する場合がある。）は、平歯車１２５６ｃ３の回転軸方向に延び、「く」状の形状の上部分の長孔（以下、逃げ孔と称する場合がある。）は、平歯車１２５６ｃ３の後から見て時計回りの円周方向に延びている。また、逃げ孔付力作用孔部１２５６ｃ２は、可動体１２０１が初期位置に位置している状態では、後から見てひらがなの「へ」状の形状の長孔を有し、約１８０°回転している。「へ」状の形状の長孔は、連結部１２１５ｅの移動の軌跡に倣って形成されている。また、モータ１２６０の回転軸を後から見て反時計回りに回転させると、孔付平歯車１２５６ｃは後から見て反時計回りに回転する。この場合において、逃げ孔付力作用孔部１２５６ｃ１は、平歯車１２５６ｃ３の回転軸を中心として、後から見て反時計回りに回転することになる。また、孔付平歯車１２５６ｃは、孔付平歯車１２５６ｃの回転によって可動体１２０１が移動しても、孔付平歯車１２５６ｃが可動体１２０１に常に隠れるような形状となっているため、遊技者側から視認することが困難である。
【０５９６】
逃げ孔付力作用孔部１２５６ｃ１には、可動体後カバー部１２０９の後壁面に固定されている連結部１２１５ｄが転動可能（または、摺動可能）に配置されている。可動体１２０１が初期位置に位置する状態では、連結部１２１５ｄは、逃げ孔付力作用孔部１２５６ｃ１の力作用孔の上側または下側の壁面と接触する（なお、連結部１２１５ｄは、逃げ孔付力作用孔部１２５６ｃ１の左右の壁面とは接触しない。）。このため、孔付平歯車１２５６ｃが後から見て反時計回りに回転することで、連結部１２１５ｄには、逃げ孔付力作用孔部１２５６ｃ１の力作用孔の上側壁面（可動体１２０１が初期位置に位置する状態において、連結部１２１５ｄの上方にある壁面）から、後から見て反時計回りの回転による力が、連結部１２１５ｄと逃げ孔付力作用孔部１２５６ｃ１の接面の移動の軌跡の接線方向に作用する。また、連結部１２１５ｄは、連結部１２１５ａ〜１２１５ｃと同じ可動体後カバー部１２０９の後壁面に固定されている。このため、連結部１２１５ｄに当該力が作用することで、連結部１２１５ａ〜１２１５ｄは移動することになる。
【０５９７】
可動体１２０１が初期位置に位置している状態では、逃げ孔付力作用孔部１２５６ｃ１は、孔付平歯車１２５６ｃの平歯車１２５６ｃ３の回転軸の後から見てほぼ水平左方向に位置している。このため、可動体１２０１が初期位置に位置している状態から、平歯車１２５６ｃ３が後から見て反時計回りに約４５°回転する場合は、連結部１２１５ｄは下方向への移動が可能となる。また、可動体１２０１が初期位置に位置している状態から、平歯車１２５６ｃ３が後から見て反時計回りに約９０°回転する場合は、逃げ孔付力作用孔部１２５６ｃ１の力作用孔によって、連結部１２１５ｄは後から見て右方向への移動が可能となる。すなわち、連結部１２１５ｄは、可動体１２０１が初期位置から目標位置に移動する場合においては、孔付平歯車１２５６ｃによって、後から見て略右下方向への移動が可能となる。
【０５９８】
また、逃げ孔付力作用孔部１２５６ｃ２は、可動体１２０１が初期位置から目標位置の直前の位置までに移動する場合において、孔付平歯車１２５６ｃの回転による力が逃げ孔付力作用孔部１２５６ｃ２に配置される連結部１２１５ｅに伝わらないように、上述の「へ」状の長孔が形成されている。また、連結部１２１５ｅは、ベース部１２５４の後壁面に固定されている案内棒付平歯車１２１１ｂに固定されている。このため、可動体１２０１が初期位置から目標位置の直前の位置までに移動する場合において、連結部１２１５ｅは、連結部１２１５ａ〜１２１５ｄの移動と共に移動することになる。
【０５９９】
図３１（ｂ）は、可動体１２０１が目標位置に移動した状態を示している。可動体１２０１の移動可能となる範囲において、下端位置を可動体１２０１の目標位置としている。また、図３１（ｂ）は、可動体１２０１の可動装飾部１２０３の回転動作が実行される直前の状態を示している。
【０６００】
次に、図３１（ｂ’）を用いて可動体１２０１の移動動作と可動体１２０１の可動装飾部１２０３の回転動作を説明する。可動体１２０１が目標位置に位置する状態では、連結部１２１５ｃがベース部１２５４の案内孔部１２５４ｂの下端壁面に当って停止している。また、同様に、連結部１２１５ａ（不図示）がベース部１２５４の案内孔部１２５４ａの下端（不図示）に当って停止している。このため、モータ１２６０の回転軸が後から見て反時計回りに回転しても、可動体１２０１が移動できない。
【０６０１】
また、可動体１２０１が目標位置に位置した状態において、連結部１２１５ｄに孔付平歯車１２５６ｃの後から見た反時計回りの回転による力が伝わらないように、逃げ孔付力作用孔部１２５６ｃ１の「く」状の形状のうちの上半分の長孔（逃げ孔）部分が設けられている。このため、可動体１２０１が目標位置に位置した状態から、さらに、案内棒付平歯車１２１１ｂが後から見て反時計回りに回転可能となっている。また、可動体１２０１が目標位置に位置した状態において、連結部１２１５ｅに孔付平歯車１２５６ｃの後から見た反時計回りの回転による力が伝わるように、逃げ孔付力作用孔部１２５６ｃ２の「へ」状の形状の一方の端部の壁面（連結部１２１５ｅが接する壁面）が設けられている。このため、可動体１２０１が目標位置に位置した状態から、モータ１２６０を後から見て反時計回りに回転させることで、連結部１２１５ｅには、後から見て反時計回りに回転の力が作用することになる。また、連結部１２１５ｅは、可動体後カバー部１２０９の後壁面で回転可能な案内棒付平歯車１２１１ｂに固定されている。このため、可動体１２０１が目標位置に位置した状態から、モータ１２６０を後から見て反時計回りに回転させることで、案内棒付平歯車１２１１ｂが後から見て反時計回りに回転することになる。また、案内棒付平歯車１２１１ｂが後から見て反時計回りに回転することで平歯車１２１１ａが後から見て時計回りに回転し、ストッパー機能部付平歯車１２１１ｃが後から見て反時計回りに回転することになる。また、ストッパー機能部付平歯車１２１１ｃの回転軸にはシャフト１２１１ｄ（図２９参照）が固定され、シャフト１２１１ｄの回転によって、可動装飾部１２０３が前から見て時計回りに回転することになる。
【０６０２】
図３１（ｃ）は、可動体１２０１が目標位置に到達後に可動装飾部１２０３の回転動作が実行された後の状態を示している。可動装飾部１２０３が、図３１（ｂ）の状態から、前から見て約１８０°時計回りに回転している。
【０６０３】
図３１（ｃ’）は、図３１（ｂ’）からモータ１２６０が後から見て所定の角度、反時計回りに回転したことで、ストッパー機能部付平歯車１２１１ｃが後から見て約１８０°反時計回りに回転した状態を示している。また、可動体後カバー部１２０９に固定されている連結部１２１５ｄが、孔付平歯車１２５６ｃの逃げ孔付力作用孔部１２５６ｃ１の「く」状の形状のうちの上半分の長孔部分の端壁面に当って停止している。このため、孔付平歯車１２５６ｃは、この状態から、後から見て反時計回りに回転できない。このため、モータ１２６０を後から見て反時計回りに回転するように駆動し続けたとしても、ストッパー機能部付平歯車１２１１ｃは回転できないため、可動装飾部１２０３は回転動作実行後の体勢が維持される。
【０６０４】
また、本実施例の動力伝達機構１２１１のストッパー機能部付平歯車１２１１ｃの回転速度は、モータ１２６０の回転軸に固定されている平歯車１２５６ａの回転速度に比して増速される。また、ストッパー機能部付平歯車１２１１ｃのトルクは、回転速度の増速分に反比例して減少する。このため、装飾部１２０３は、比較的小さいトルクで回転可能となるようにシャフト１２１１ｄに固定される。一方、ストッパー機能部付平歯車１２１１ｃの回転速度を増速したことから、ストッパー機能部付平歯車１２１１ｃの少しの回転や歯車同士の噛み合いの隙間（バックラッシュ）による揺れ程度でも、可動装飾部１２０３が回転したり揺れたりして体勢の保持が困難となる場合がある。このため、可動装飾部１２０３の体勢を保持する体勢保持部１２１３が設けられている。体勢保持部１２１３は、装飾部１２０３の回転動作の実行前においては、回転動作の実行前の体勢を維持するために用いられ、また、装飾部１２０３の回転動作の実行後においては、回転動作の実行後の体勢を維持するために用いられる。
【０６０５】
次に、図３２を用いて、図２９および図３１に示している体勢保持部１２１３を説明する。図３２は、可動体後カバー部１２０９の後壁面に体勢保持部１２１３が設置された状態を示している。また、装飾部１２０３の回転動作が実行される前の状態で、回転動作の実行前の体勢が保持されている状態を示している。
【０６０６】
第一保持部１２１３ａと第二保持部１２１３ｂは、平歯車１２１１ａの回転軸と平歯車１２１１ｃ２の回転軸を通る直線に対して線対称の形状であり、略円弧形状を有している。また、第一保持部１２１３ａの略円弧形状の一端にある支点１２１３ａ１が、可動体後カバー部１２０９の後壁面に平行な面内での回転の支点になるように、可動体後カバー部１２０９の後壁面に、回転可能にネジ止めされている。また、同様に、第二保持部１２１３ｂの略円弧形状の一端にある支点１２１３ｂ１が、可動体後カバー部１２０９の後壁面に平行な面内での回転の支点になるように、可動体後カバー部１２０９の後壁面に、回転可能にネジ止めされている。また、バネ係止部１２１３ａ２の後から見て右下に１個、バネ係止部１２１３ｂ２の後から見て左上に１個ずつ、位置決め壁（不図示）が設けられている。また、第一保持部１２１３ａの他端にあるバネ係止部１２１３ａ２は、つるまきバネ１２１３ｃの収縮方向に力が作用している。また、同様に、第二保持部１２１３ｂの他端にあるバネ係止部１２１３ｂ２は、つるまきバネ１２１３ｃの収縮方向に力が作用している。このため、つるまきバネ１２１３ｃの所定の弾性力によって、第一保持部１２１３ａの他端と第二保持部１２１３ｂの他端が、各々の位置決め壁に押さえ付けられることになるため、第一保持部１２１３ａと第二保持部１２１３ｂは、回転しないで静止した状態が保たれる。
【０６０７】
また、第一保持部１２１３ａの略円弧形状の内側には、ストッパー機能部付平歯車１２１１ｃのストッパー機能部１２１１ｃ１が容易に動かないようにする保持部１２１３ａ３が設けられている。保持部１２１３ａ３は、ストッパー機能部１２１１ｃ１の略半円柱形状の外表面に合わせた略半円の円弧形状の窪みを有している。また、可動装飾部１２０３の回転動作が実行される前は、保持部１２１３ａ３にストッパー機能部１２１１ｃ１が位置することになる。このため、つるまきバネ１２１３ｃの弾性力によって、ストッパー機能部付平歯車１２１１ｃの回転が抑制される。このため、可動装飾部１２０３の回転動作実行前において、回転動作実行前の体勢が保たれる。
【０６０８】
また、同様に、可動装飾部１２０３の回転動作の実行後は、ストッパー機能部１２１１ｃ１は、第二保持部１２１３ｂの略円弧形状の内側の保持部１２１３ｂ３に位置することになる。このため、つるまきバネ１２１３ｃの弾性力によって、ストッパー機能部１２１１ｃ１の動きが規制されることになり、ストッパー機能部付平歯車１２１１ｃの回転が抑制される。このため、可動装飾部１２０３の回転動作実行後において、回転動作実行後の体勢が保たれる。
【０６０９】
また、本実施例による上部右サイド役物１２００は、上部右サイド可動体１２０１の移動範囲の下端位置を目標位置としているがこれに限られない。モータ１２６０の回転軸の回転角を任意に設定することで、上部右サイド可動体１２０１の目標位置を任意に設定してもよいし、上部右サイド可動体１２０１の可動装飾部１２０３の回転動作の実行の有無を決定してもよい。例えば、リーチ演出における大当りの信頼度に対応させて、上部右サイド可動体１２０１の目標位置を設定してもよいし、各種の大当り遊技や小当り遊技等における遊技者の有利度に対応させて、上部右サイド可動体１２０１の目標位置を設定してもよい。また、リーチ演出における大当りの信頼度に対応させて、可動装飾部１２０３の回転動作の実行の有無を決定してもよいし、各種の大当り遊技や小当り遊技等における遊技者の有利度に対応させて、可動装飾部１２０３の回転動作の実行の有無を決定してもよい。また、上部右サイド役物１２００の上部右サイド可動体１２０１の動作を、上部左サイド役物１３００の上部左サイド可動体１３０１の動作と左右対称になるように制御してもよいし、上部左サイド役物１３００の上部左サイド可動体１３０１の動作と左右対称にならないように制御してもよい。
【０６１０】
また、本実施例による上部右サイド役物１２００によれば、一の駆動源によって、可動体１２０１の移動動作と可動体１２０１の可動装飾部１２０３の回転動作が連続して実行可能となる場合がある。また、本実施例よる上部右サイド役物１２００によれば、可動装飾部１２０３の回転動作に用いられる歯車によって可動装飾部１２０３の回転が増速可能となる場合がある。このため、可動体１２０１の移動動作速度に比して、可動装飾部１２０３の回転動作の回転速度を速めることができるため、これらの動作が一連に行われることで、遊技者に意外性を付与できる場合がある。また、本実施例の上部右サイド役物１２００は、可動装飾部１２０３の体勢を保持する体勢保持部を有している。このため、歯車比によって増速される可動体であっても、確実に可動体の体勢を保持して可動体の動作制御を実行可能となる場合がある。
【０６１１】
また、本実施例における可動体１２０１は、遊技盤２００に平行な面内において、右上方向から左下方向への動作が可能であるがこれに限られない。例えば、可動体１２０１は、上部右サイド役物１２００の上部右サイド可動体支援部１２５０の設置方向を様々な方向に設置することで、可動体１２０１は、様々な方向の移動動作が実行可能なる。また、上部右サイド可動体支援部１２５０を別の駆動手段等（例えば、モータや歯車等）を用いて、上部右サイド可動体支援部１２５０の設置方向を任意に変更可能とすることもできる。
【０６１２】
次に、本実施例の下部右サイド役物１４００の可動体１４０１の動作について、図３３および図３４を用いて説明する。
【０６１３】
図３３（ａ）〜（ｃ）は、可動体１４０１が初期位置から目標位置までの移動の状態を段階的に表した下部右サイド役物１４００の右側面の略示図である。図３３（ａ）は、可動体１４０１が初期位置に位置している状態を示している。図３３（ｂ）は、可動体１４０１が初期位置から所定の距離だけ上方に移動した状態を示している。図３３（ｃ）は、可動体１４０３が図３３（ｂ）の位置から上方に移動し、目標位置に到達した状態を示している。また、本実施例の可動体１４０１は、可動体（可動体前部）１４０３、可動体（可動体後部）１４０５、および可動体（可動体中部）１４２５を有している。また、可動体１４０１は、図３０に示すモータ１４６２を駆動することによって、上下方向に移動する。
【０６１４】
図３３（ａ）に示す状態の可動体１４０１は、体勢変化機構１４０７のローラ１４０７ｆが、誘導部１４５２の誘導部１４５２ａの下端付近に位置している。また、可動体１４０３は、略円弧形状の円弧が下に凸となるような体勢である。
【０６１５】
図３３（ｂ）に示す状態の可動体１４０１は、体勢変化機構１４０７のローラ１４０７ｆが、誘導部１４５２の誘導部１４５２ａの上端付近に位置している状態である。また、誘導部１４５２ａは、前後方向に傾斜していないため、誘導部１４５２ａの区間においては、案内棒付ラック１４０７ｅが前後方向に移動することはない。このため、可動体１４０３の体勢を変化させる回転軸となる軸１４０７ｂ（図３０参照）に固定されているピニオン１４０７ｄは回転しない。このため、可動体１４０３は、略円弧形状の円弧が下に凸となるような体勢が維持されている。
【０６１６】
図３３（ｃ）に示す状態の可動体１４０１は、体勢変化機構１４０７のローラ１４０７ｆが、誘導部１４５２の誘導部１４５２ｂの上端付近に位置している状態である。また、誘導部１４５２ｂは、前上方向に所定の角度で傾斜しているため、誘導部１４５２ｂの区間においては、案内棒付ラック１４０７ｅが前方向に移動する。このため、ピニオン１４０７ｄは、案内棒付ラック１４０７ｅの前方向の移動量に比例して、右から見て時計回りに所定の角度、回転する。このため、可動体１４０３は、軸１４０７ｂ（図３０参照）を回転軸として、右から見て時計回りに所定の角度、回転する。すなわち、可動体１４０３は、誘導部１４５２ｂの区間において誘導されている状態では、上下方向の移動動作と体勢が徐々に変化する回転動作が同時に実行されることになる。また、誘導部１４５２ａと誘導部１４５２ｂは繋がっているため、可動体１４０３が誘導部１４５２ａに誘導される状態の可動体１４０３の動作と可動体１４０３が誘導部１４５２ｂに誘導される状態の可動体１４０３の動作は、連続して実行されることになる。また、誘導部１４５２ｂの傾斜角を変更することによって、可動体１４０３の回転速度と回転角度を変更することができる。例えば、誘導部１４５２ｂの傾斜角を小さくすると、可動体１４０３の回転速度は遅くなり、回転角度は小さくなり、反対に、誘導部１４５２ｂの傾斜角を大きくすると、可動体１４０３の回転速度は速くなり、回転角度は大きくなる。このため、誘導部１４５２ａを比較的長めに設けて誘導部１４５２ｂの傾斜角を大きくすると、可動体１４０３は目標位置の直前で急激に体勢が変化することになる。なお、ピニオン１４０７ｄの歯数を変更することで、可動体１４０３の回転速度と回転角度を変更することもできる。例えば、ピニオン１４０７ｄの歯数を多くすると、可動体１４０３の回転速度は遅くなり、回転角度も小さくなる。また、ピニオン１４０７ｄの歯数を少なくすると、可動体１４０３の回転速度は速くなり、回転角度も大きくなる。
【０６１７】
また、可動体１４０１が目標位置（図３３（ｃ））から初期位置（図３３（ａ））への移動は、可動体１４０１の上方向への移動とは逆方向（本実施例では、前から見て時計回りの方向）に、図３０に示すモータ１６５２の回転軸の回転させることで実行される。また、可動体１４０１の初期位置の設定は、図３０に示すフォトセンサ１４７２を用いて実行される。また、本実施例による可動体１４０１の初期位置は、可動体１４０１が移動できる領域の下端付近を初期位置とし、可動体１４０１が移動できる領域の上端付近を目標位置としているがこれに限られない。例えば、可動体１４０１が移動できる領域の上端付近を初期位置とし、可動体１４０１が移動できる領域の下端付近を目標位置としてもよい。
【０６１８】
また、本実施例に用いられる誘導部１４５２は、鉛直上下方向に直線状に延びた溝を有する誘導部１４５２ａと前上方向に所定の角度で傾斜して直線状に延びた溝を有する誘導部１４５２ｂとを有しているがこれに限られない。例えば、誘導部１４５２は、前上方向に所定の角度で傾斜して直線状に延びた溝を有する誘導部１４５２ｂのみで構成されていても、可動体１４０３は、上下方向の移動動作と体勢を変化させる動作が実行される。また、誘導部１４５２は、誘導部１４５２ａと誘導部１４５２ｂに加えて、別の誘導部を備える構成であってもよいし、さらに、複数の誘導部を加える構成であってもよい。
【０６１９】
図３４（ａ）〜（ｄ）は、可動体１４０１が初期位置から目標位置までの移動の状態を段階的に表した下部右サイド役物１４００を前方右上から後方左下に見た斜視図である。
【０６２０】
図３４（ａ）は、可動体１４０１が初期位置に位置している状態を表している。この場合、可動体１４０３の体勢（姿勢）は、可動体１４０３の一方の外表面を構成する前装飾部１４０３ａが前を向いている状態であり、可動体１４０３の他方の外表面を構成する後装飾部１４０３ｂが後を向いている状態である。このため、前装飾部１４０３ａが視認可能な状態であり、可動体１４０３の他方の外表面となる後装飾部１４０３ｂの視認が困難な状態である。また、可動体１４０３の少なくとも一部が可動体１４０５の前方の少なくとも一部を遮蔽しているため、遊技者から可動体１４０５の全体を視認することが困難な状態である。また、本実施例では、可動体１４０１の前方には、図３および図１０に示すレール飾り部材８００や透明遊技盤８１０が位置することになる。このため、可動体１４０３の体勢が変化すると、可動体１４０３とレール飾り部材８００や透明遊技盤８１０の少なくとも一部に干渉することになる。このため、可動体１４０３は初期位置に位置している状態においては、可動体１４０３は、レール飾り部材８００（例えば、前面ステージ２４４の部分）や透明遊技盤８１０の少なくとも一部に干渉しない体勢が維持されている。また、本実施例では、遊技者は、可動体１４０１の少なくとも一部が透明遊技盤を介して視認可能となっているが、可動体１４０１が視認困難な状態であってもよい。
【０６２１】
図３４（ｂ）は、可動体１４０１が初期位置から所定の距離、上方に全体が平行移動した状態を表している。可動体１４０１の上方への移動は、プーリ付平歯車１４５８ｃとプーリ１４５８ｄに掛けられているベルト１４５８ａの回転によって実行される。また、図３４（ｂ）に示す状態の可動体１４０１は、体勢変化機構１４０７のローラ１４０７ｆが、誘導部１４５２の誘導部１４５２ａの上端付近に位置している状態である。この場合、可動体１４０３は体勢が変化する前の状態であるため、可動体１４０３が初期位置に位置している体勢が維持されている。また、本実施例では、誘導部１４５２ａが設けられた区間においては、可動体１４０１の前方には、図３および図１０に示すレール飾り部材８００や透明遊技盤８１０が位置することになる。このため、可動体１４０３の体勢が変化すると、可動体１４０３とレール飾り部材８００や透明遊技盤８１０の少なくとも一部に干渉することになる。このため、可動体１４０３が誘導部１４５２ａに誘導されている状態においては、可動体１４０３はレール飾り部材８００や透明遊技盤８１０の少なくとも一部に干渉しない体勢が維持されている。
【０６２２】
図３４（ｃ）は、可動体１４０１が図３４（ｂ）に示す状態の可動体１４０１の位置から所定の距離、上方に全体が平行移動した状態を表している。可動体１４０１の上方への移動は、プーリ付平歯車１４５８ｃとプーリ１４５８ｄに掛けられているベルト１４５８ａの回転によって実行される。また、図３４（ｃ）に示す状態の可動体１４０１は、体勢変化機構１４０７のローラ１４０７ｆが、誘導部１４５２の誘導部１４５２ｂの上端と下端の中頃に位置している状態である。この場合、可動体１４０３は、図３０に示す体勢変化機構１４０７の軸１４０７ａと軸１４０７ｂを回転軸として、右から見て時計回りに約９０°回転している。このため、可動体１４０３の一方の外表面を構成する前装飾部１４０３ａは上を向いている状態であり、可動体１４０３の他方の外表面を構成する後装飾部１４０３ｂは下を向いている状態である。また、可動体１４０３の体勢の変化によって、可動体１４０５の視認可能となる領域が徐々に増えている。また、可動体１４０３の体勢の変化によって、可動体１４０３の少なくとも一部が可動体１４２５の前方の少なくとも一部を遮蔽して、可動体１４２５の少なくとも一部が視認困難となっている。また、本実施例では、誘導部１４５２ｂが設けられた区間においては、可動体１４０１の前方に、図３および図１０に示すレール飾り部材８００や透明遊技盤８１０が位置していない。このため、可動体１４０３の体勢が変化しても、可動体１４０３とレール飾り部材８００や透明遊技盤８１０の少なくとも一部が干渉することはない。
【０６２３】
図３４（ｄ）は、可動体１４０１が図３４（ｃ）に示す状態の可動体１４０１の位置から所定の距離、上方に移動し、目標位置に到達した状態を表している。可動体１４０１の上方への移動は、プーリ付平歯車１４５８ｃとプーリ１４５８ｄに掛けられているベルト１４５８ａの回転によって実行される。また、図３４（ｄ）に示す状態の可動体１４０１は、体勢変化機構１４０７のローラ１４０７ｆが、誘導部１４５２の誘導部１４５２ｂの上端付近に位置している状態である。この場合、可動体１４０３は、図３０に示す体勢変化機構１４０７の軸１４０７ａと軸１４０７ｂを回転軸として、右から見て時計回りに約１８０°回転している。このため、可動体１４０３の一方の外表面を構成する前装飾部１４０３ａは後を向いている状態であり、可動体１４０３の他方の外表面を構成する後装飾部１４０３ｂは前を向いている状態である。したがって、可動体１４０３の体勢の変化によって、可動体１４０３の体勢変化前の可動体１４０３の視認が困難となる部分が、可動体１４０３の体勢変化後においては視認可能となっている。また、可動体１４０３が体勢変化することで、可動体１４０３の少なくとも一部が、可動体１４０５や可動体１４２５の前方を遮蔽していない状態となる。
【０６２４】
また、図３４（ｄ）は、可動体１４２５の一部が開く動作と可動体１４２５の回転する動作が実行されている状態を表している。また、本実施例では、可動体１４２５の上述の動作は、可動体１４０１が目標位置に到達した状態から開始されているがこれに限られない。例えば、可動体１４０１が初期位置に位置する状態から、可動体１４２５の上述の動作が実行開始されてもよいし、可動体１４０３が誘導部１４５２ａに誘導されている状態において可動体１４２５の上述の動作が実行開始されてもよいし、可動体１４０３の体勢変化の動作の開始に合わせて可動体１４２５の上述の動作が実行開始されてもよい。また、可動体１４０３の体勢変化の動作の途中（可動体１４０３が誘導部１４５２ｂに誘導されている状態）に可動体１４２５の上述の動作が実行開始されてもよい。また、可動体１４０１の移動動作とは無関係に、可動体１４２５の上述の動作が実行されてもよいが、これらに限られない。
【０６２５】
図３５は、下部右サイド役物１４００の可動体１４０１を後方左下から後方右上に見た状態を示している。ただし、動力伝達機構カバー部１４２１は説明を容易にするために記載を省略している。
【０６２６】
可動体中部１４２５は、前後の方向の位置座標においては、可動体前部１４０３と可動体後部１４０５の間に位置している。また、可動体中部１４２５の上述の動作を実行するための駆動源となるモータ１４１１が、案内部付モータカバー部１４０９に取り付けられている。また、モータ１４１１の回転軸が後から見て反時計回りに回転すると、ＬＥＤ基板カバー部１４１７の後壁面に取り付けられている平歯車１４１９ａもモータ１４１１の回転軸に合わせて後から見て反時計回りに回転する。また、平歯車１４１９ａの当該回転によって、平歯車１４１９ｂが後から見て時計回りに回転する。また、平歯車１４１９ｂの当該回転によって、平歯車１４１９ｃが、所定の回転速度に減速されて、後から見て、反時計回りに回転し、可動体中部１４２５の上述の動作が実行されることになる。このように、本実施例の可動体中部１４２５は、可動体１４０１の移動動作や可動体前部１４０３の体勢が変化する動作に用いられる動力源（モータ１４６２）とは、別の動力源（モータ１４１１）が用いられているがこれに限られない。例えば、所定の位置に固定され動かない歯竿を設けることで、可動体１４０１の上下方向の移動によって、平歯車１４１９ａを回転させる構造であってもよい。この場合は、可動体１４０１の移動動作や可動体前部１４０３の体勢が変化する動作に用いられる動力源（モータ１４６２）によって、可動体中部１４２５の上述の動作が実行されることになる。
【０６２７】
次に、図３６（ａ）〜（ｆ）を用いて、本実施例の下部右サイド役物１４００の可動体１４０３の体勢を変化させるための、誘導部１４５２（図２９、図３３等参照）の変形例を説明する。
【０６２８】
図３６（ａ）〜（ｆ）は、誘導部１４５２の形状を右側面から見た略示図である。また、図３６（ａ）〜（ｆ）に示す誘導部１４５２は、図２９に示す溝と同様の溝を有している。
【０６２９】
図３６（ａ）に示す誘導部１４５２は、前上方向に所定の角度で傾斜して直線状に延びた溝を有する誘導部ａ１に、鉛直上下方向に直線状に延びた溝を有する誘導部ａ２が繋がっている。このため、図３０に示す体勢変化機構１４０７のローラ１４０７ｆが図３６（ａ）に示す誘導部１４５２を上方向に移動することで、可動体１４０３は、初期位置からの移動開始と同時に体勢を変化する動作が開始され、体勢変化が終了した体勢でさらに上方への移動が実行されることになる。
【０６３０】
図３６（ｂ）に示す誘導部１４５２は、鉛直上下方向に直線状に延びた溝を有する誘導部ｂ１に前上方向に所定の角度で傾斜して直線状に延びた溝を有する誘導部ｂ２が繋がり、さらに、誘導部ｂ２に鉛直上下方向に直線状に延びた溝を有する誘導部ｂ３が繋がっている。このため、ローラ１４０７ｆが誘導部ｂ１を上方向に移動している場合は、可動体１４０３は、初期位置の体勢で上方向の移動が実行される。また、ローラ１４０７ｆが誘導部ｂ２を上方向に移動している場合は、可動体１４０３は、体勢を変化する動作と上方向の移動が同時に実行される。また、ローラ１４０７ｆが誘導部ｂ３を上方向に移動している場合は、可動体１４０３は、体勢変化が終了した体勢で上方向の移動が実行される。
【０６３１】
図３６（ｃ）に示す誘導部１４５２は、鉛直上下方向に直線状に延びた溝を有する誘導部ｃ１に前上方向に急激にカーブした略円弧状の溝を有する誘導部ｃ２が繋がっている。このため、ローラ１４０７ｆが誘導部ｃ２を上方向に移動している場合は、可動体１４０３の上方向の移動距離は比較的小さくなる。このため、ローラ１４０７ｆが誘導部ｃ１と誘導部ｃ２を移動する場合は、可動体１４０３は目標の位置に到達する直前で急激に体勢が変化することになる。
【０６３２】
図３６（ｄ）に示す誘導部１４５２は、前上方向に鉛直上下方向を基準に所定の角度（例えば、３０°）で傾斜して直線状に延びた溝を有する誘導部ｄ１に、誘導部ｄ１の所定の角度以上に前上方向に鉛直上下方向を基準に所定の角度（例えば、４５°）で傾斜して直線状に延びた溝を有する誘導部ｄ２が繋がっている。このため、ローラ１４０７ｆが誘導部ｄ１を上方向に移動する場合は、可動体１４０３は、体勢が比較的ゆっくり変化して上方向に移動する。また、ローラ１４０７ｆが誘導部ｄ２を上方向に移動する場合は、可動体１４０３は、体勢が比較的速く変化して上方向に移動することになる。
【０６３３】
図３６（ｅ）に示す誘導部１４５２は、前上方向に所定の角度で傾斜して直線状に延びた溝を有する誘導部ｅ１に、後上方向に所定の角度で傾斜して直線状に延びた溝を有する誘導部ｅ２が繋がっている。このため、ローラ１４０７ｆが誘導部ｅ１を上方向に移動する場合は、可動体１４０３は、体勢を変化する動作と上方向の移動が同時に実行される。また、ローラ１４０７ｆが誘導部ｅ２を上方向に移動する場合は、可動体１４０３は、体勢変化後の体勢が初期位置での体勢に戻る体勢変化の動作が実行されるのと同時に上方向に移動することになる。また、図３６（ｅ）に示す誘導部１４５２の誘導部ｅ２の上部に更に誘導部ｅ１を繋げる構成であってもよい。
【０６３４】
図３６（ｆ）に示す誘導部１４５２は、鉛直上下方向に直線状に延びた溝を有する誘導部ｆ２と前上方向に所定の角度で傾斜して直線状に延びた溝を有する誘導部ｆ３とが並列して、鉛直上下方向に直線状に延びた溝を有する誘導部ｆ１に繋がっている。誘導部ｆ３は、誘導部ｆ２の前方に位置している。また、誘導部ｆ２の前壁面と誘導部ｆ３の後壁面がぶつかる箇所を支点として回転可能な壁ｆ４が設けられている。このため、壁ｆ４を右から見て時計回りに回転させて所定の位置で保持することによって、壁ｆ４は、誘導部ｆ２の前壁面として機能し、壁ｆ４を右から見て反時計回りに回転させて所定の位置で保持することによって、壁ｆ４は、誘導部ｆ３の後壁面として機能することになる。このため、壁ｆ４が誘導部ｆ２の前壁面として機能する場合は、ローラ１４０７ｆは、誘導部ｆ１から誘導部ｆ２（以下、経路１と称する。）に移動することになる。一方、壁ｆ４が誘導部ｆ３の後壁面として機能する場合は、ローラ１４０７ｆは、誘導部ｆ１から誘導部ｆ３（以下、経路２と称する。）に移動することになる。このため、ローラ１４０７ｆが経路１を移動する場合は、可動体１４０３の体勢変化の動作は実行されず、ローラ１４０７ｆが経路２を移動する場合は、可動体１４０３の体勢変化の動作が実行されることになる。このため、壁ｆ４の回転を制御することによって、可動体１４０３の体勢変化の動作の有無を決めることができる。
【０６３５】
また、本実施例の下部右サイド役物１４００は、図３６（ａ）〜（ｆ）に示す誘導部１４５２の各誘導部（誘導部ａ１〜ｆ３）と図２９に示す誘導部１４５２ａや１４５２ｂとを含めて、どのように組み合わせることもできる。例えば、図３６（ｅ）に示す誘導部１４５２の上部に図２９に示す誘導部１４５２ｂの下部を繋げることもできる。また、図２９に示す誘導部１４５２ａの上部に図３６（ｅ）に示す誘導部１４５２の下部を繋げることもできる。これらの場合、可動体１４０３が図３６（ｅ）に示す誘導部１４５２に誘導されることで、可動体１４０３は、初期位置での体勢から変化して初期位置での体勢に戻ることになる。
【０６３６】
また、本実施例における可動体１４０１は、上下方向の動作が可能であるがこれに限られない。例えば、可動体１４０１は、下部右サイド役物１４００の下部右サイド可動体支援部１４５０の設置方向を様々な方向に設置することで、可動体１４０１は、様々な方向の移動動作が実行可能なる。
【０６３７】
次に、以上説明した一実施の形態によるパチンコ機１００の特徴的構成について再度図１乃至図３６を参照しつつ説明する。
（Ｂ１）
複数の動作を少なくとも実行可能な可動体（例えば、可動体１４０３）を備えた遊技台（例えば、パチンコ機１００）であって、
前記複数の動作のうちの少なくとも一つは、前記可動体が第一の体勢（例えば、可動体１４０３の初期位置での体勢）で動作する動作を少なくとも含む動作（以下、「第一の動作」という。）であり（例えば、図３４（ａ）、（ｂ）参照）、
前記複数の動作のうちの少なくとも一つは、前記可動体が前記第一の体勢から第二の体勢（例えば、可動体１４０３の目標位置での体勢）に変化する動作を少なくとも含む動作（以下、「第二の動作」という。）であり（例えば、図３４（ｃ）、（ｄ）参照）、
前記第一の動作と前記第二の動作は、前記可動体の一連の動作（例えば、誘導部１４５２ａと誘導部１４５２ｂが連結することに関連する動作）である（例えば、図３３参照）、
ことを特徴とする遊技台。
【０６３８】
上記遊技台によれば、可動体の動作の途中で可動体の体勢が変化する場合がある。また、可動体の一連の動作の実行中に可動体の体勢を変化させることができる場合もあり、可動体の動作に特徴を持った遊技台を提供できる。
【０６３９】
（Ｂ２）
上記（Ｂ１）に記載の遊技台であって、
前記可動体の動作を少なくとも誘導可能な複数の誘導部（例えば、誘導部１４５２ａや誘導部１４５２ｂ）を備え、
前記可動体は、前記複数の誘導部のうちの少なくとも一つ（以下、「第一の誘導部（例えば、誘導部１４５２ａ）」という。）により誘導されている状態では前記第一の動作を実行可能な可動体であり（例えば、図３４（ａ）、（ｂ）参照）、
前記可動体は、前記複数の誘導部のうちの少なくとも一つ（以下、「第二の誘導部（例えば、誘導部１４５２ｂ）」という。）により誘導されている状態では前記第二の動作を実行可能な可動体であり（例えば、図３４（ｃ）、（ｄ）参照）、
前記可動体は、前記第二の誘導部により誘導されることに関連して前記第一の体勢から前記第二の体勢へと変化可能な可動体である（例えば、図３４（ｃ）、（ｄ）参照）、ことを特徴とする遊技台。
【０６４０】
上記遊技台によれば、誘導部や可動体の動作に関連して可動体の体勢を変化させることができる場合がある。
【０６４１】
（Ｂ３）
上記（Ｂ２）に記載の遊技台であって、
前記第一の誘導部は、前記可動体を第一の方向（例えば、上下方向）に誘導可能な誘導部であり（例えば、図３３参照）、
前記第二の誘導部は、前記可動体を第二の方向（例えば、上下方向と左右方向を軸とする回転方向）に誘導可能な誘導部であり（例えば、図３３参照）、
前記可動体は、前記第一の誘導部によって前記第一の体勢を維持した状態で前記第一の方向に少なくとも誘導される可動体であり（例えば、図３４（ａ）〜（ｂ）参照）、
前記可動体は、前記第二の誘導部によって前記第一の体勢から前記第二の体勢へと変化しながら前記第二の方向に少なくとも誘導される可動体である（例えば、図３４（ｃ）〜（ｄ）参照）、
ことを特徴とする遊技台。
【０６４２】
上記遊技台によれば、誘導部による誘導方向への動きと可動体の体勢に関連性があるため、可動体の動作に幅を持たせることができる場合がある。
【０６４３】
（Ｂ４）
上記（Ｂ２）または（Ｂ３）に記載の遊技台であって、
前記可動体の周辺に位置する周辺部材（例えば、透明遊技盤８１０）を備え（例えば、図３、図１０参照）、
前記第一の誘導部は、前記可動体を第一の位置（例えば、誘導部１４５２ａの下端付近の上下方向の座標位置）から第二の位置（例えば、誘導部１４５２aの上端付近の上下方向の座標位置）へと誘導可能な誘導部であり（例えば、図３４（ａ）、（ｂ）参照）、
前記可動体は、前記第一の位置から前記第二の位置の間の少なくとも一部の区間（以下、「第一の区間」という。）において前記第二の体勢を取ることが困難であり（例えば、図３４（ａ）、（ｂ）参照）、
前記第一の区間は、前記可動体が前記第二の体勢を取る場合に前記周辺部材と干渉する区間である（例えば、図３、図１０参照）、
ことを特徴とする遊技台。
【０６４４】
上記遊技台によれば、空きスペースを利用しつつ可動体の多彩な動きを実現できる場合がある。
【０６４５】
（Ｂ５）
上記（Ｂ４）に記載の遊技台であって、
前記可動体は、前記第一の位置において遊技者から少なくとも視認可能（例えば、透明遊技盤８１０を介して視認可能）な可動体であり（例えば、図３、図１０参照）、
前記可動体は、前記第二の位置において遊技者から少なくとも視認可能な可動体である（例えば、図３、図１０参照）、
ことを特徴とする遊技台。
【０６４６】
上記遊技台によれば、第一の体勢での動作も確実に遊技者に見せることができる場合がある。
【０６４７】
（Ｂ６）
上記（Ｂ１）乃至（Ｂ５）のいずれか一項に記載の遊技台であって、
前記第一の動作と前記第二の動作を少なくとも実行可能な一の駆動手段（例えば、図３０に示すモータ１４６２）を備えた、
ことを特徴とする遊技台。
【０６４８】
上記遊技台によれば、一の駆動手段で可動体の多彩な動作を実現できる場合がある。
【０６４９】
（Ｂ７）
複数の可動部を含む可動体を備えた遊技台であって、
前記複数の可動部のうちの少なくとも一つは、第一の可動部（例えば、可動体前部１４０３）であり、
前記複数の可動部のうちの少なくとも一つは、第二の可動部（例えば、可動体中部１４２５）であり、
前記第一の可動部は、第一の動作を少なくとも実行可能な可動部であり、
前記第一の可動部は、第二の動作を少なくとも実行可能な可動部であり、
前記第一の動作と前記第二の動作は、前記第一の可動部の一連の動作（例えば、誘導部１４５２ａと誘導部１４５２ｂが連結することに関連する動作）であり（例えば、図３３参照）、
前記第一の動作は、前記第一の可動部が第一の体勢（例えば、初期位置での体勢）で動作する動作を少なくとも含む動作であり（例えば、図３４（ａ）、（ｂ）参照）、
前記第二の動作は、前記第一の可動部が前記第一の体勢から第二の体勢（例えば、目標位置での体勢）に変化する動作を少なくとも含む動作であり（例えば、図３４（ｃ）、（ｄ）参照）、
前記第二の可動部は、第三の動作（例えば、可動部１４２５の一部が開く動作（外装飾部１４２５ａ（装飾部１４２５ａ１〜１４２５ａ６）が放射線状に移動する動作）と回転する動作（外装飾部１４２５ａ（装飾部１４２５ａ１〜１４２５ａ６）の回転動作および内装飾部１４２５ｂと中装飾部１４２５ｃの回転動作））を少なくとも実行可能な可動部であり（例えば、図３４（ｄ）参照）、
前記第三の動作は、前記第一の動作の実行中に少なくとも開始可能な動作であり、
前記第三の動作は、前記第二の動作の実行中に少なくとも開始可能な動作である、
ことを特徴とする遊技台。
【０６５０】
上記遊技台によれば、第一の可動部で多彩な動きをしながら、第二の可動部がいつでも動作可能であり、可動体全体の動きを多彩にすることができる場合がある。
【０６５１】
（Ｂ８）
上記（Ｂ７）に記載の遊技台であって、
前記第一の可動部は、第一の駆動源（例えば、図３０に示すモータ１４６２）により動作が可能とされ、
前記第二の可動部は、第二の駆動源（例えば、図３０に示すモータ１４１１）により動作が可能とされる、
ことを特徴とする遊技台。
【０６５２】
（Ｂ９）
上記（Ｂ１）乃至（Ｂ８）のいずれか一項に記載の遊技台であって、
前記遊技台は、パチンコ機（例えば、パチンコ機１００）である、
ことを特徴とする遊技台。
（Ｂ１０）
上記（Ｂ１）乃至（Ｂ９）のいずれか一項に記載の遊技台であって、
前記遊技台は、スロットマシン（例えば、スロットマシン２０００）である、
ことを特徴とする遊技台。
【０６５３】
（Ｂ１１）
上記（Ｂ１）乃至（Ｂ１０）のいずれか一項に記載の遊技台であって、
前記第二の体勢は、前記第一の体勢から前記可動体の少なくとも一部が回転動作を行うことで形成される体勢である（例えば、図３４（ｃ）、（ｄ）参照）、
ことを特徴とする遊技台。
（Ｂ１２）
上記（Ｂ１）乃至（Ｂ１１）のいずれか一項に記載の遊技台であって、
前記第一の動作は、前記可動体が第一の体勢から体勢が変化した後で該第一の体勢に戻る動作を少なくとも含む動作である（例えば、図３６（ｅ）に示す誘導部１４５２の上部に図２９に示す誘導部１４５２ｂの下部を繋げた場合の動作）、
ことを特徴とする遊技台。
（Ｂ１３）
上記（Ｂ１）乃至（Ｂ１２）のいずれか一項に記載の遊技台であって、
前記第二の動作は、前記可動体が第一の体勢から体勢が変化した後で該第一の体勢に戻る動作を少なくとも含む動作である（例えば、図２９に示す誘導部１４５２ａの上部に図３６（ｅ）に示す誘導部１４５２の下部を繋げた場合の動作）、
ことを特徴とする遊技台。
（Ｂ１４）
上記（Ｂ１）乃至（Ｂ１３）のいずれか一項に記載の遊技台であって、
前記第二の動作は、前記第一の動作の後に実行される場合がある（例えば、図３３参照）、
ことを特徴とする遊技台。
（Ｂ１５）
上記（Ｂ１）乃至（Ｂ１４）のいずれか一項に記載の遊技台であって、
前記第一の動作は、前記第二の動作の後に実行される場合がある（例えば、図３６（ａ）参照）、
ことを特徴とする遊技台。
【０６５４】
本発明は、上記実施の形態に限らず種々の変形が可能である。
可動体の第一の体勢、第二の体勢は必ずしも一つの体勢でなくてもよい。例えば、第一の体勢は第三の体勢を含んでいてもよい。また、第一の誘導部の区間における可動体の体勢と第二の誘導部の区間における可動体の体勢が異なり、その間の区間における可動体の体勢は第一の体勢や第三の体勢等の第二の体勢以外の体勢をとってもよい。
また、可動体は、第二の誘導部の少なくとも一部の区間で第一の体勢を取ってもよいし、第一の誘導部の少なくとも一部の区間で第二の体勢を取ってもよい。
また、可動体は、本実施例においては動きながら体勢を変える構成であるが、所定の地点において一気に第一の体勢から第二の体勢に変わる構成であってもよい。
また、可動体は、第一の体勢から変化して第一の体勢に体勢が戻る構成であってもよい（体勢が３６０°回転して元の体勢に戻る構成）。
また、可動体は、第一の位置から第二の位置の間の区間で周辺部材と干渉しない構成であってもよい。第一の誘導部の区間で単純な移動動作を見せつつ、いきなり第二の体勢に変化させることで遊技者に驚きを与えることができる場合がある。
また、誘導部と可動体の体勢の関係が維持されていれば、可動体を動作させる駆動手段は複数であってもよい。
また、可動体が誘導部を戻る際に元通りの体勢に戻らなくてもよい。例えば、第一の誘導部および第二の誘導部と対称的な構造が連なって、さらに第二の誘導部および第一の誘導部と連なって初期と同じ体勢に戻った場合に初期位置と異なる位置に移動する構成であってもよい（液晶下部から液晶上部へと移動し、別の動作条件が成立した場合に液晶上部から液晶下部に戻ってくるような構成）。
【０６５５】
上記実施の形態による本発明は以下のようにまとめられる。
（付記ｂ１）
複数の動作を少なくとも実行可能な可動体を備えた遊技台であって、
前記複数の動作のうちの少なくとも一つは、前記可動体が第一の体勢で動作する動作を少なくとも含む動作（以下、「第一の動作」という。）であり、
前記複数の動作のうちの少なくとも一つは、前記可動体が前記第一の体勢から第二の体勢に変化する動作を少なくとも含む動作（以下、「第二の動作」という。）であり、
前記第一の動作と前記第二の動作は、前記可動体の一連の動作である、
ことを特徴とする遊技台。
（付記ｂ２）
付記ｂ１に記載の遊技台であって、
前記可動体の動作を少なくとも誘導可能な複数の誘導部を備え、
前記可動体は、前記複数の誘導部のうちの少なくとも一つ（以下、「第一の誘導部」という。）により誘導されている状態では前記第一の動作を実行可能な可動体であり、
前記可動体は、前記複数の誘導部のうちの少なくとも一つ（以下、「第二の誘導部」という。）により誘導されている状態では前記第二の動作を実行可能な可動体であり、
前記可動体は、前記第二の誘導部により誘導されることに関連して前記第一の体勢から前記第二の体勢へと変化可能な可動体である、
ことを特徴とする遊技台。
（付記ｂ３）
付記ｂ２に記載の遊技台であって、
前記第一の誘導部は、前記可動体を第一の方向に誘導可能な誘導部であり、
前記第二の誘導部は、前記可動体を第二の方向に誘導可能な誘導部であり、
前記可動体は、前記第一の誘導部によって前記第一の体勢を維持した状態で前記第一の方向に誘導される可動体であり、
前記可動体は、前記第二の誘導部によって前記第一の体勢から前記第二の体勢へと変化しながら前記第二の方向に誘導される可動体である、
ことを特徴とする遊技台。
（付記ｂ４）
付記ｂ２またはｂ３に記載の遊技台であって、
前記可動体の周辺に位置する周辺部材を備え、
前記第一の誘導部は、前記可動体を第一の位置から第二の位置へと誘導可能な誘導部であり、
前記可動体は、前記第一の位置から前記第二の位置の間の少なくとも一部の区間（以下、「第一の区間」という。）において前記第二の体勢を取ることが困難であり、
前記第一の区間は、前記可動体が前記第二の体勢を取る場合に前記周辺部材と干渉する区間である、
ことを特徴とする遊技台。
（付記ｂ５）
付記ｂ４に記載の遊技台であって、
前記可動体は、前記第一の位置において遊技者から少なくとも視認可能な可動体であり、
前記可動体は、前記第二の位置において遊技者から少なくとも視認可能な可動体である、
ことを特徴とする遊技台。
（付記ｂ６）
付記ｂ１乃至ｂ５のいずれか一項に記載の遊技台であって、
前記第一の動作と前記第二の動作を少なくとも実行可能な一の駆動手段を備えた、
ことを特徴とする遊技台。
（付記ｂ７）
複数の可動部を含む可動体を備えた遊技台であって、
前記複数の可動部のうちの少なくとも一つは、第一の可動部であり、
前記複数の可動部のうちの少なくとも一つは、第二の可動部であり、
前記第一の可動部は、第一の動作を少なくとも実行可能な可動部であり、
前記第一の可動部は、第二の動作を少なくとも実行可能な可動部であり、
前記第一の動作と前記第二の動作は、前記第一の可動部の一連の動作であり、
前記第一の動作は、前記第一の可動部が第一の体勢で動作する動作を少なくとも含む動作であり、
前記第二の動作は、前記第一の可動部が前記第一の体勢から第二の体勢に変化する動作を少なくとも含む動作であり、
前記第二の可動部は、第三の動作を少なくとも実行可能な可動部であり、
前記第三の動作は、前記第一の動作の実行中に少なくとも開始可能な動作であり、
前記第三の動作は、前記第二の動作の実行中に少なくとも開始可能な動作である、
ことを特徴とする遊技台。
（付記ｂ８）
付記ｂ１乃至ｂ７のいずれか一項に記載の遊技台であって、
前記遊技台は、パチンコ機である、
ことを特徴とする遊技台。
（付記ｂ９）
付記ｂ１乃至ｂ７のいずれか一項に記載の遊技台であって、
前記遊技台は、スロットマシンである、
ことを特徴とする遊技台。
【０６５６】
続いて、本発明の一実施の形態によるパチンコ機１００の中央下部役物１６００について図３７および図３８を用いて説明する。
【０６５７】
中央下部役物１６００は、特図変動遊技の演出や普図変動遊技の演出、あるいは大当り遊技の演出やデモ演出等で用いられる。例えば、リーチ演出、特図１小当り演出、特図２小当り演出、普図当選演出、先読み予告演出、２Ｒの大当り遊技演出、１５Ｒ特別大当り遊技演出、およびチャンスボタン１３６の操作や設定操作部１３７の操作に関連した演出等のその他の様々な演出に用いられる。また、本実施例の中央下部役物１６００の可動体（以下、「中央下部可動体」または「可動体」と称する場合がある。）１６０１は、上下方向の動作が可能であり、中央下部可動体１６０１の一部は、遊技盤２００の盤面と平行な面内で回転すること（以下、「回転動作」と称する場合がある。）も可能である。また、中央下部可動体１６０１は、他の可動体の動作に連動して動作する場合もあり、または、他の可動体の動作とは無関係に独立して動作する場合もある。
【０６５８】
図３７は、本実施の形態によるパチンコ機１００の可動体１６０１の実施例であって、可動体１６０１を含む中央下部役物１６００の構成を示す分解斜視図である。図３７は、中央下部役物１６００を前方右上から後方左下に見た状態を示している。
【０６５９】
中央下部役物１６００は、主に、中央下部可動体１６０１と中央下部可動体１６０１を可動させるための可動体支援部１６５０を有している。また、中央下部可動体１６０１は、主に、前部１６０１ａと可動体１６０１の上下方向の動作に関連する後部１６０１ｂを有している。前部１６０１ａは、装飾部１６０１ａ１と円形表示部１６０１ａ２を有している。
【０６６０】
先ず、中央下部可動体１６０１の前部１６０１ａの装飾部１６０１ａ１について説明する。可動体前側装飾部１６０３ａは、中央下部可動体１６０１の前側の装飾部である。また、可動体前側装飾部１６０３ａには、円形フィルム１６０５が遊技者から視認可能となるように開口部が形成されている。また、可動体前側装飾部１６０３ａは、後部１６０１ｂにある可動体後側カバー部１６０３ｂの前壁面にネジ止めで固定されている。また、可動体上側装飾部１６０３ｄは、中央下部可動体１６０１の上側の装飾部である。可動体上側装飾部１６０３ｄは、可動体後側カバー部１６０３ｂの後壁面上部にネジ止めで固定されている。
【０６６１】
次に、円形表示部１６０１ａ２について説明する。円形フィルム１６０５は、回転動作を実行するフィルム状の円形の表示部として用いられる。円形フィルム１６０５は、円形物１６０７の前側表面に貼付される。円形物１６０７は、透明樹脂製の円板であり、円の中心部には、シャフト１６１５ｄの一端を固定するための固定孔を有している。このため、円形物１６０７とシャフト１６１５ｄが固定され、シャフト１６１５ｄが回転することで、円形物１６０７が回転する。また、本実施例では、中央下部可動体１６０１が後述する目標位置に到達した後に円形物１６０７が回転するように制御するがこれに限られない。例えば、中央下部可動体１６０１が後述する初期位置に位置している状態から円形物１６０７が回転するように制御してもよいし、中央下部可動体１６０１が初期位置から目標位置の間の任意の位置に位置した状態から円形物１６０７が回転するように制御してもよい。また、中央下部可動体１６０１が目標位置に到達した後に円形物１６０７の回転を停止するように制御してもよい。
【０６６２】
円形物カバー部１６０９は、円形フィルム１６０５が貼付された円形物１６０７を収容するために用いられる。また、円形物カバー部１６０９は、可動体前側装飾部１６０３ａの後壁面にネジ止めで固定される。また、円形物カバー部１６０９の中心部には、前後方向にシャフト１６１５ｄを通す貫通孔が形成されている。また、可動体前側装飾部１６０３ａ、円形フィルム１６０５、円形物１６０７、および円形物カバー部１６０９は、ＬＥＤ基板１６１１に実装されるＬＥＤ（不図示）の光を透過させるために、光透過率の高い部材で構成されている。
【０６６３】
ＬＥＤ基板１６１１は、円形物カバー部１６０９の後壁面と可動体前側装飾部１６０３ａの後壁面と円形物カバー部１６０９の後壁面にネジ止めで固定される。ＬＥＤ基板１６１１の実装面には、ＬＥＤ（不図示）やＬＥＤを点灯させるための駆動回路（不図示）が搭載されている。また、ＬＥＤ基板１６１１には、シャフト１６１５ｄを通すための貫通孔とモータ１６１３を前部１６０１ａに収容するスペースを確保するための開口部を有している。
【０６６４】
モータ１６１３は、円形物１６０７の回転動作を実行するための駆動源である。モータ１６１３は、モータの回転軸（平歯車１６１５ａが取り付けられる側）が後を向くように、円形物カバー部１６０９の下側の前壁面にネジ止めで固定される。円形物カバー部１６０９は、モータ１６１３の回転軸を通す貫通孔を有している。また、モータ１６１３は、図４に示す駆動回路５１６に接続され、第２副制御部５００によって制御される。なお、本実施例では、モータ１６１３は、ステッピングモータが使用されているがこれに限られない。例えば、ＤＣブラシモータ、ＤＣブラシレスモータ、ＡＣモータ、超音波モータ、サーボモータ等の様々なモータが使用可能であるがこれらに限られない。
【０６６５】
動力伝達機構１６１５は、モータ１６１３の回転軸の回転により円形物１６０７を回転させるために用いられる機構で、主に、平歯車１６１５ａ、平歯車１６１５ｂ、平歯車付円板１６１５ｃ、およびシャフト１６１５ｄを有している。平歯車１６１５ａは、モータ１６１３の回転軸に固定される。また、平歯車１６１５ａの歯と平歯車１６１５ｂの歯が噛み合うように、平歯車１６１５ｂが平歯車１６１５ａに隣接して設置される。また、平歯車１６１５ｂの歯と平歯車付円板１６１５ｃの平歯車１６１５ｃ１（不図示）の歯が噛み合うように、平歯車１６１５ｂが平歯車付円板１６１５ｃに隣接して設置される。平歯車付円板１６１５ｃの中心部にはシャフト１６１５ｄが固定される。また、平歯車付円板１６１５ｃは、外周の一部に切欠き部１６１５ｃ３が形成されている円板１６１５ｃ２と平歯車１６１５ｃ１（不図示）が一体となっている。
【０６６６】
本実施例では、モータ１６１３の回転軸の位置（遊技盤２００に平行な平面上における位置座標）と円形物１６０７の回転軸の位置（遊技盤２００に平行な平面上における位置座標）を異ならせるために、動力伝達機構１６１５が用いられる。これにより、モータ１６１３の設置スペースを任意に設けることが可能となる。また、中央下部可動体１６０１の重心を考慮して、モータ１６１３の設置スペースを任意に設けることも可能である。また、平歯車１６１５ａの歯数と平歯車１６１５ｃ１の歯数の比を変更することで、モータ１６１３の回転軸の回転速度を所定の回転速度に変換して円形物１６０７を回転させることができる。なお、本実施例では、平歯車１６１５ａの歯数と平歯車１６１５ｃ１の歯数は同一となっている。このため、モータ１６１３の回転軸の回転速度と円形物１６０７の回転速度は同程度である。また、平歯車１６１５ａと平歯車付円板１６１５ｃの間に平歯車１６１５ｂがあるため、モータ１６１３の回転軸の回転方向と円形物１６０７の回転方向は同じとなる。また、動力伝達機構１６１５は、モータ１６１３の回転軸のトルクを円形物１６０７に伝えるためにも用いられる。
【０６６７】
フォトセンサ１６１７は、円形物１６０７の初期位置を検出するために用いられる。フォトセンサ１６１７は、図４に示す各種可動体センサ４３０に含まれており、図４に示すセンサ回路４２８に接続されている。また、フォトセンサ１６１７は、発光部と受光部が設けられ、発光部から射出された光を受光部で受光する構成である。また、フォトセンサ１６１７は、発光部と受光部が前後方向に対向し、右側面から見るとコの字形状（下側が開口している形状）を有している。また、フォトセンサ１６１７は、発光部と受光部の間に平歯車付円板１６１５ｃの平歯車１６１５ｃ１の外周部分が位置するように、円形物カバー部１６０９の後壁面にネジ止めで固定される。また、平歯車付円板１６１５ｃの円板１６１５ｃ２の切欠き部１６１５ｃ３がフォトセンサ１６１７の発光部と受光部の間の位置に位置する場合は、発光部から射出された光が平歯車付円板１６１５ｃの円板１６１５ｃ２で遮光されない。このため、当該位置が、円形フィルム１６０５の初期位置として設定される。
【０６６８】
次に、中央下部可動体１６０１の後部１６０１ｂについて説明する。可動体後側カバー部１６０３ｂは、中央下部可動体１６０１の上下方向の移動に関連する部材である。可動体後側カバー部１６０３ｂが、上下方向に移動することで、可動体後側カバー部１６０３ｂにネジ止めされる前部１６０１ａが上下方向に移動する。また、可動体後側カバー部１６０３ｂの後壁面中央部には、可動体支援部１６５０の誘導レール１６６０の内レール１６６０ａが上下方向にネジ止めで固定される。
【０６６９】
可動体下部１６０３ｃは、中央下部可動体１６０１の上下方向の移動に関連する部材である。可動体下部１６０３ｃは、略長方形の案内孔部１６０３ｃ１（不図示）を有している。案内孔部１６０３ｃ１は、左右方向に貫通し、貫通孔は前後方向に長細く形成されている。案内孔部１６０３ｃ１の短辺の長さは連結部１６５８のローラ部１６５８ａの外周円の直径に若干の余裕（クリアランス）を加えた長さである。長辺の長さはモータ１６５２の回転軸の中心から連結部１６５８の中心を通って連結部１６５８のローラ部の円周端部までの直線の長さに若干の余裕を加えた長さである。また、案内孔部１６０３ｃ１の前後の両端は、連結部１６５８のローラ部の円周部に合わせて、半円の円弧形状となっている。案内孔部１６０３ｃ１の前端部は、中央下部可動体１６０１を初期位置に規制（または、拘束）させる規制部（または、拘束部）として機能する場合があり、また、中央下部可動体１６０１の目標位置のメカエンドとして機能する場合がある（詳細は後述する。）。また、案内孔部１６０３ｃ１の左右方向の位置座標と中央下部可動体１６０１の中央部の左右方向の位置座標が同じとなるように、可動体下部１６０３ｃは、可動体後側カバー部１６０３ｂの前壁面下部にネジ止めで固定される。また、本実施例の規制部は、剛性の比較的高い部材（例えば、樹脂製や金属製やセラミックス製の部材）が壁として用いられているがこれに限られない。例えば、メカエンドとの接触を和らげるような緩衝部材（例えば、軟性樹脂、ゴム、綿、布、発泡スチロール、気泡緩衝材）のようなものでも規制部として機能する場合がある。
【０６７０】
また、可動体下部１６０３ｃには、つるまきバネ１６６４の下側の一端を係止するバネ係止部１６０３ｃ２が、案内孔部１６０３ｃ１の後端部の上部に形成されている。また、本実施例では、可動体下部１６０３ｃにはバネ係止部が１箇所のみ形成されているが、バネ係止部を複数箇所形成する構成であってもよい。また、可動体下部１６０３ｃには、中央下部可動体１６０１の初期位置の検出に用いられる板状の遮光部１６０３ｃ３が形成されている。
【０６７１】
次に、中央下部可動体１６０１を可動させるための可動体支援部１６５０について説明する。モータ１６５２は、中央下部可動体１６０１を上下方向に可動させるための駆動源であり、本実施例ではステッピングモータが使用されているがこれに限られない。例えば、ＤＣブラシモータ、ＤＣブラシレスモータ、ＡＣモータ、超音波モータ、サーボモータ等の様々なモータが使用可能であるがこれらに限られない。
【０６７２】
モータ１６５２は、モータの回転軸のクランク１６５６が固定される側が右に向くように、モータ取付け部１６５４にネジ止めで固定される。また、モータ取付け部１６５４は、ベース部１６６２の前方壁面にネジ止めで固定される。ベース部１６６２は、役物ユニット８２０のユニット本体８２２にネジ止めで固定される。すなわち、モータ１６５２は、役物ユニット８２０のユニット本体８２２に固定される。また、モータ１６５２は、図４に示す駆動回路５１６に接続され、第２副制御部５００によって制御される。
【０６７３】
クランク１６５６は、モータ１６５２の回転軸と可動体下部１６０３ｃを連結するリンク機構として用いられる。クランク１６５６の一端は、モータ１６５２の回転軸に固定され、クランク１６５６の他端は、連結部１６５８が転動可能となるように連結部１６５８に固定される。また、本実施例ではモータ１６５２の回転軸にクランク１６５６が固定されているが、複数の平歯車等を用いて、モータ１６５２の回転軸とは別の回転軸（シャフト）にクランク１６５６が固定されていてもよい。これにより、モータ１６５２の回転軸の回転速度やトルクを所定の回転速度やトルクに変換して、クランク１６５６を回転させることができる場合がある。
【０６７４】
連結部１６５８は、クランク１６５６の他端と可動体下部１６０３ｃとを案内孔部１６０３ｃ１を介して連結するために用いられる。連結部１６５８は、略円筒形状のローラ部１６５８ａと略円輪板形状のローラ外部１６５８ｂが一体となって形成されている。ローラ外部１６５８ｂは、ローラ部１６５８ａの一端部に形成されている。また、ローラ外部１６５８ｂの外周円の直径は、ローラ部１６５８ａの外周円の直径よりも長く、さらに、案内孔部１６０３ｃ１の短辺の長さよりも長い。また、ローラ部１６５８ａの外周円の直径は、案内孔部１６０３ｃ１の短辺の長さよりも短い。このため、ローラ外部１６５８ｂが案内孔部１６０３ｃ１の右外側に位置し、ローラ部１６５８ａが案内孔部１６０３ｃ１内に位置するように連結部１６５８をクランク１６５６に取り付けることで、連結部１６５８が案内孔部１６０３ｃ１から容易に脱しないようになっている。また、連結部１６５８は、クランク１６５６が回転することで案内孔部１６０３ｃ１の領域で転動（または可動）できる（詳細は後述する。）。
【０６７５】
誘導レール１６６０は、中央下部可動体１６０１の移動の方向を誘導するために用いられる。誘導レール１６６０は、内レール１６６０ａ、中レール１６６０ｂ、外レール１６６０ｃを有している。内レール１６６０ａは、可動体後側カバー部１６０３ｂの後壁面中央部に可動体１６０１が上下方向に移動可能となるように上下方向にネジ止めで固定される。また、外レール１６６０ｃは、ベース部１６６２の前壁面中央上部に可動体１６０１が上下方向に移動可能となるように上下方向にネジ止めで固定される。また、中レール１６６０ｂは、外レール１６６０ｃのレールに沿って移動可能となるように外レール１６６０ｃの内側に備え付けられている。中レール１６６０ｂの内側に、中レール１６６０ｂのレールに沿って移動可能となるように内レール１６６０ａが備え付けられる。また、内レール１６６０ａと中レール１６６０ｂのレール接面部には、レール同士の摩擦を低減しレールが滑らかにスライドできるように複数のスチールボール（不図示）が配置されている。また、中レール１６６０ｂと外レール１６６０ｃのレール接面部にも、レール同士の摩擦を低減しレールが滑らかにスライドできるように複数のスチールボール（不図示）が配置されている。誘導レール１６６０の構成によって、可動体後側カバー部１６０３ｂは、ベース部１６６２に固定される外レール１６３０ｃの設置方向、すなわち、上下方向に動作可能となる。また、外レール１６６０ｃの下端部には、中レール１６６０ｂと内レール１６６０ａとを停止させるレール停止部１６６０ｃ１が設けられている。また、外レール１６６０ｃは、上下方向以外の方向に設けられてもよい。例えば、後下方向から前上方向であってもよいし、前下方向から後上方向であってもよい。また、外レール１６６０ｃは、上下方向のレールや後下方向から前上方向のレールや前下方向から後上方向のレールや前上方向に湾曲したレールや後上方向に湾曲したレール等を組み合わせる構成であってもよい。この場合、可動体１６０１は、上下方向の移動のみならず、前後方向にも移動可能となる。
【０６７６】
ベース部１６６２は、可動体１６０１を上下方向に動作させる支持部として用いられる。ベース部１６６２は略板形状を有し、後壁面上部にはつるまきバネ１６６４の上側の一端を係止するバネ係止部１６６２ａが設けられている。バネ係止部１６６２ａに、つるまきバネ１６６４の一端（上側）を連結し、可動体下部１６０３ｃのバネ係止部１６０３ｃ２に、つるまきバネ１６６４の他端（下側）が連結される。また、つるまきバネ１６６４の設置方向と誘導レール１６３０の設置方向は同一方向（上下方向）、かつ、つるまきバネ１６６４の設置位置の左右方向の位置座標と誘導レール１６６０の設置位置の左右方向の位置座標は同じとなるように、ベース部１６６２のバネ係止部１６６２ａと可動体下部１６０３ｃのバネ係止部１６０３ｃ２が形成されている。この構造により、中央下部可動体１６０１の可動方向とつるまきバネ１６６４の伸縮方向が同じになる。また、つるまきバネ１６６４の設置位置の左右方向の位置座標と誘導レール１６６０の設置位置の左右方向の位置座標は同じとなるため、中央下部可動体１６０１には、左右方向の力のモーメントは生じにくい構成であり、効率的に中央下部可動体１６０１を可動することができる場合がある。また、本実施例ではベース部１６６２にバネ係止部は１箇所のみ形成されているが、バネ係止部が複数箇所形成されてもよい。
【０６７７】
本実施例では、つるまきバネ１６６４には、引張りバネが用いられている。可動体１６０１が下端（初期位置）に位置する場合には、つるまきバネ１６６４は弾性変形して伸張し、可動体１６０１が上端（目標位置）に位置する場合には、つるまきバネ１６６４は伸張した状態から縮んで弾性変形していない状態になる（詳細は後述する。）がこれに限られない。例えば、可動体１６０１が上端（目標位置）に位置する場合にも、つるまきバネ１６６４は弾性変形して伸張する状態であってもよく、または、つるまきバネ１６６４は弾性変形して縮小する状態であってもよい。また、本実施例では、つるまきバネは１本のみ設けられているが、つるまきバネが複数本設けられる構成であってもよい。また、つるまきバネ１６６４に代えて板バネを用いてもよいし、ゴム等の可撓性部材を用いてもよい。また、つるまきバネ１６６４に代えて直線往復式のソレノイドやその他のリニアアクチュエータを用いてもよい。
【０６７８】
フォトセンサ１６６６は、可動体１６０１が初期位置付近に位置していることを検出するために用いられる（可動体１６０１の初期位置の詳細については後述する。）。フォトセンサ１６６６は、図４に示す各種可動体センサ４３０に含まれており、図４に示すセンサ回路４２８に接続されている。フォトセンサ１６６６は、発光部と受光部が設けられ、発光部から射出された光を受光部で受光する構成である。また、フォトセンサ１６６６は、発光部と受光部が前後方向に対向し上から見るとコの字形状（左側が開口している形状）を有している。また、フォトセンサ１６６６は、発光部と受光部の間に可動体下部１６０３ｃの遮光部１６０３ｃ３が位置するように、ベース部１６６２の前壁面下部にネジ止めで固定される。
【０６７９】
フレキシブル基板１６６８は、ＬＥＤ基板１６１１と遊技盤用ランプ駆動回路５３０とを電気的に接続するために用いられる。フレキシブル基板１６６８の一端は、ＬＥＤ基板１６１１に接続され、フレキシブル基板１６６８の他端は、ベース部１６６２を通って、遊技盤用ランプ駆動回路５３０に接続される。
【０６８０】
次に、中央下部役物１６００の中央下部可動体１６０１の動作について、図３８を用いて説明する。図３８（ａ）〜（ｄ）は、中央下部可動体１６０１が初期位置から目標位置までの移動を段階的に表した中央下部役物１６００の右側面図である。図３８（ａ）は、中央下部可動体１６０１が初期位置に位置している状態を示している。図３８（ｂ）は、中央下部可動体１６０１が初期位置から移動を開始した直後の状態を示している。図３８（ｃ）は、中央下部可動体１６０１が図３８（ｂ）の位置から上方に移動した状態を示している。図３８（ｄ）は、中央下部可動体１６０１が図３８（ｃ）の位置からさらに上方に移動し目標位置に到達した状態を示している。また、図３８での説明において、連結部１６５８の中心がモータ１６５２の回転軸の直下方向にある状態（連結部１６５８の中心の前後方向の位置座標とモータ１６５２の回転軸の前後方向の位置座標が同じである状態）のクランク１６５６の回転角を０°と規定する。また、クランク１６５６が、上方、後方、下方の順に回転する方向を時計回り（または、右回り）と表し、その反対の方向を反時計回り（または、左回り）と表す。また、クランク１６５６の時計回りの回転角を負の数で表し、反時計回りの回転角を正の数で表す。例えば、クランク１６５６が０°から時計回りに１０°回転した回転角を−１０°と表し、０°から反時計回りに例えば１０°回転した角度を＋１０°と表す。
【０６８１】
先ず、図３８（ａ）〜（ｄ）に示す中央下部可動体１６０１の動作に共通する事項について説明する。モータ１６５２の回転軸のトルクの一部は、クランク１６５６と連結部１６５８とで、可動体下部１６０３ｃの案内孔部１６０３ｃ１を介して、中央下部可動体１６０１に伝えられる。すなわち、連結部１６５８には、モータ１６５２の駆動（回転）によって力が加えられ、中央下部可動体１６０１には、連結部１６５８によってモータ１６５２の駆動（回転）の力が加えられる構成である。また、モータ１６５２の回転軸とクランク１６５６の結合部が力の力点であり、連結部１６５８と案内孔部１６０３ｃ１の接触部が力の作用点となる。連結部１６５８が、案内孔部１６０３ｃ１の前後の端部に位置しない場合は、連結部１６５８と案内孔部１６０３ｃ１の接触部は、連結部１６５８の上部または下部であり、前後方向にはモータ１６５２の力が作用しない。なお、クランク１６５６の回転角が０°から＋１８０°まで反時計回りに回転する場合においては、連結部１６５８は案内孔部１６０３ｃ１の前後の端部と接触しない（詳細は後述する。）。このため、クランク１６５６の回転角が０°から＋１８０°までの間において反時計回りに回転する場合は、可動体１６０１にはモータ１６５２の駆動（回転）による鉛直上向きの力が作用し、反対に、クランク１６５６が＋１８０°から０°まで時計回りに回転する場合は、可動体１６０１にはモータ１６５２の駆動（回転）による鉛直下向きの力が作用する。また、モータ１６５２の駆動による中央下部可動体１６０１に作用する鉛直上向きの力は、力の作用点となる連結部１６５８の上記接触部（上部）の移動の軌跡における接線の鉛直上向き成分に比例する。すなわち、クランク１６５６の回転角をｘ°とすると、モータ１６５２の駆動による中央下部可動体１６０１に作用する鉛直上向きの力は、ｓｉｎ（ｘ°）に比例することになる。例えば、クランク１６５６の回転角が０°の場合は、上記接触部（上部）の移動の軌跡における接線は前後方向に平行となるため、鉛直上向きの成分は０（＝ｓｉｎ（０°））である。このため、クランク１６５６の回転角が０°の場合は、中央下部可動体１６０１には、モータ１６５２の駆動による鉛直上向きの力が作用しない。また、クランク１６５６の回転角が＋９０°の場合は、連結部１６５８の力の作用点となる上記接触部（上部）の移動の軌跡における接線の鉛直上向き成分は最大値の＋１（＝ｓｉｎ（＋９０°））となる。このため、モータ１６５２のトルクが一定であると仮定すると、クランク１６５６の回転角が＋９０°の場合に、中央下部可動体１６０１には、モータ１６５２の駆動による鉛直上向きの力が最大に作用する。
【０６８２】
モータ１６５２は、役物ユニット８２０のユニット本体８２２に固定される。このため、モータ１６５２の回転軸の中心は、固定され移動しない支点として機能する。一方、連結部１６５８は、モータ１６５２の回転軸に固定されているクランク１６５６の回転によって、モータ１６５２の回転軸の中心を支点として前後方向および上下方向に変位する。また、中央下部可動体１６０１は誘導レール１６６０の設置方向となる上下方向に移動可能であり、中央下部可動体１６０１は連結部１６５８と案内孔部１６０３ｃ１を介して連結している。このことから、中央下部可動体１６０１は、連結部１６５８の上下方向の変位によって上下方向に変位する。
【０６８３】
ベース部１６６２のバネ係止部１６６２ａは、つるまきバネ１６６４の支点（バネの先端が動かない方）として機能し、可動体下部１６０３ｃのバネ係止部１６０３ｃ２は、つるまきバネ１６６４の作用点（バネの先端が動く方）として機能する。バネ係止部１６０３ｃ２は、連結部１６５８の上下方向の変位によって変位することになるため、クランク１６５６の回転角が０°の場合は、つるまきバネ１６６４が最大に伸張した状態となる。一方、クランク１６５６の回転角が＋１８０°の場合は、つるまきバネ１６６４が自然長となるように構成されている。このため、クランク１６５６の回転角が０°の場合は、中央下部可動体１６０１には、つるまきバネ１６６４による鉛直上向きの力が最大に作用し、クランク１６５６の回転角が＋１８０°の場合は、中央下部可動体１６０１には、つるまきバネ１６６４による鉛直上向きの力は作用しない。
【０６８４】
次に、図３８（ａ）に示す中央下部可動体１６０１の状態について説明する。図３８（ａ）は、中央下部可動体１６０１が初期位置に位置している状態を示している。中央下部可動体１６０１が初期位置に位置している場合は、連結部１６５８が、案内孔部１６０３ｃ１の前端部（以下、「規制部」または「拘束部」と称する場合がある。）１６０３ｃ４の半円の円弧形状の壁面に当って停止している。また、この場合のクランク１６５６は、０°から時計回りに所定の角度、回転して停止するように、モータ１６５２と可動体下部１６０３ｃの取り付け位置を調整している。
【０６８５】
中央下部可動体１６０１が初期位置に位置している状態では、モータ１６５２は駆動していない。このため、連結部１６５８には、モータ１６５２の力は作用していない状態である。一方、つるまきバネ１６６４が弾性変形して伸張した状態であるため、可動体１６０１には、つるまきバネ１６６４の弾性力によって鉛直上向きの力が作用している。また、力のモーメントを無視すると、つるまきバネ１６６４の弾性力による鉛直上向きの力から中央下部可動体１６０１の重さを減じた力（ｆ１）が、連結部１６５８に作用する。本実施例では、中央下部可動体１６０１が初期位置に位置する状態では、つるまきバネ１６６４の弾性力が中央下部可動体１６０１の重さよりも大きくなるように、つるまきバネのバネ係数と中央下部可動体１６０１の初期位置が設定されているがこれに限られない。また、連結部１６５８は、モータ１６５２の回転軸にクランク１６５６を介して連結しているため、連結部１６５８の移動の軌跡は、モータ１６５２の回転軸の中心を回転軸とした円弧を描く。このため、上述の上向きの力ｆ１は、連結部１６５８の移動の軌跡の接線方向の力（ｆ２）と連結部１６５８の移動の軌跡の円弧の中心方向の力（ｆ３）に分解できる。クランク１６５６の回転角がｘ°とすると、ｆ２は、ｆ２＝ｆ１×ｓｉｎ（ｘ°）で表される。
【０６８６】
本実施例では、中央下部可動体１６０１の初期位置におけるクランク１６５６の回転角は負の角度であることから、連結部１６５８はｆ２の力を規制部１６０３ｃ４に作用させる。一方、規制部１６０３ｃ４を備える可動体下部１６０３ｃは、可動体後側カバー部１６０３ｂに固定され、可動体後側カバー部１６０３ｂは、誘導レール１６６０を介して、ベース部１６６２に備え付けられる。この構成により、規制部１６０３ｃ４は、前後方向に可動できない。このため、連結部１６５８はｆ２の力で規制部１６０３ｃ４に押さえ付けられることになり、連結部１６５８は、規制部１６０３ｃ４に当って停止した状態が維持される。なお、クランク１６５６の回転角が負の角度である場合のｆ２の力の方向は、モータ１６５２の回転軸が反時計回りに回転した場合に連結部１６５８に作用する力の方向の反対方向となる。このように、モータ１６５２が駆動しない状態でも、つるまきバネ１６６４によって、効果的に中央下部可動体１６０１を初期位置に抑制できる場合がある。また、モータ１６５２の励磁によっても、連結部１６５８が規制部１６０３ｃ４に当って停止した状態を維持することもできる場合がある。また、モータ１６５２の励磁がない場合でも、つるまきバネ１６６４によって、効果的に中央下部可動体１６０１を初期位置に抑制できる場合がある。このため、中央下部可動体１６０１の初期位置におけるクランク１６５６の回転角を０°にしてもよいし、正の角度にしてもよい場合がある。
【０６８７】
また、中央下部可動体１６０１の初期位置の設定方法について説明する。本実施例では、連結部１６５８が規制部１６０３ｃ４に当って停止している状態を中央下部可動体１６０１の初期位置として設定する。初期位置の設定は、連結部１６５８が規制部１６０３ｃ４に当って停止するまで、モータ１６５２の回転軸を時計回りに回転させることで行う。この場合、可動体下部１６０３ｃの遮光部１６０３ｃ３とフォトセンサ１６６６（図３７参照）で、中央下部可動体１６０１が初期位置付近に位置していることを検出し、その後に、モータ１６５２の回転軸を所定の角度、時計回りに回転させることで、中央下部可動体１６０１の初期位置の設定を行っている。また、案内孔部１６０３ｃ１の短辺の長さは、連結部１６５８のローラ部の直径に若干の余裕（クリアランス）を加えた長さであり、中央下部可動体１６０１の初期位置に位置している状態で、内レール１６６０ａが外レール１６６０ｃのレール停止部１６６０ｃ１に当って停止するようにレール停止部１６６０ｃ１を設けてもよい。この場合は、中央下部可動体１６０１は、初期位置よりも下方に位置することはない。また、中央下部可動体１６０１が初期位置に位置している状態で、内レール１６６０ａが外レール１６６０ｃのレール停止部１６６０ｃ１に当らないように、レール停止部１６６０ｃ１を設けてもよい。この場合は、中央下部可動体１６０１が初期位置よりも下方に位置する場合がある。
【０６８８】
次に、図３８（ｂ）に示す中央下部可動体１６０１の状態について説明する。中央下部可動体１６０１が初期位置から移動を開始した直後の状態を示している。クランク１６５６の回転角は、ほぼ０°であるが、僅かに正の角度を示している。このため、つるまきバネ１６６４の弾性力によって連結部１６５８に作用する力の方向とモータ１６５２の駆動（回転）によって連結部１６５８に作用する力の方向が一致することになる。
【０６８９】
また、クランク１６５６の回転角がほぼ０°であることから、モータ１６５２の駆動による中央下部可動体１６０１に作用する上向きの力は小さい。一方、つるまきバネ１６６４は弾性変形して伸張していることから、つるまきバネ１６６４による中央下部可動体１６０１に作用する上向きの力は大きくなる。このため、つるまきバネ１６６４の弾性力によって、中央下部可動体１６０１の上方向への動作が促進されることになり、中央下部可動体１６０１の初動においてスムーズに移動動作が行われる場合がある。また、モータ１６５２の駆動によるトルクが小さい場合でも、つるまきバネ１６６４の弾性力によって、可動体１６０１を上方向に移動可能となる場合がある
【０６９０】
次に、図３８（ｃ）に示す中央下部可動体１６０１の状態について説明する。図３８（ｃ）は、図３８（ｂ）の状態から、中央下部可動体１６０１が上方に移動し、クランク１６５６が約＋９０°回転した状態を示している。案内孔部１６０３ｃ１の長辺の長さは、モータ１６５２の回転軸の中心から連結部１６５８の中心を通って連結部１６５８のローラ部の円周端部までの直線の長さに若干の余裕を加えた長さであるため、連結部１６５８が、案内孔部１６０３ｃ１の後端部１６０３ｃ５に接触しない。このため、クランク１６５６は、少なくとも１８０°回転することが可能である。また、可動体下部１６０３ｃのバネ係止部１６０３ｃ２が上方に移動した分だけ、つるまきバネ１６６４の弾性力が小さくなっている。一方で、クランク１６５６が約＋９０°回転した状態であるため、モータ１６５２の駆動による上向きの力が中央下部可動体１６０１に大きく作用することになる。
【０６９１】
次に、図３８（ｄ）に示す中央下部可動体１６０１の状態について説明する。図３８（ｄ）は、図３８（ｃ）の状態から、中央下部可動体１６０１が上方に移動し目標位置に到達した状態を示している。連結部１６５８は、可動体下部１６０３ｃの規制部１６０３ｃ４に当って停止している。この場合のクランク１６５６の角度は、中央下部可動体１６０１の初期位置におけるクランクの角度に＋１８０°を足した角度となる。また、規制部１６０３ｃ４は、連結部１６５８のメカエンドとして機能するため、モータ１６５２が駆動し続けた場合でも、連結部１６５８は規制部１６０３ｃ４に当って停止することになる。一方、クランク１６５６は、モータの回転軸に対してほぼ垂直に位置するため、中央下部可動体１６０１の重力による連結部１６５８の後方向への力はほとんど作用しない。このため、モータ１６５２の励磁によって中央下部可動体１６０１を目標位置で保持できる場合がある。また、モータ１６５２への通電を止めて、モータ１６５２の励磁がない状態でも、モータ１６５２の回転軸の摩擦やつるまきバネ１６６４による弾性力等で、中央下部可動体１６０１を目標位置で保持できる場合がある。
【０６９２】
中央下部可動体１６０１が目標位置（図３８（ｄ））から初期位置（図３８（ａ））に移動する場合は、モータ１６５２の回転軸を時計回りに回転させる。なお、中央下部可動体１６０１の初期位置の設定方法は、上述のとおりである。
【０６９３】
中央下部可動体１６０１は、上部前可動体１００２および上部後可動体１１０２が初期位置に位置している場合に、上方へ移動可能である。これは、中央下部可動体１６０１と、上部前可動体１００２および上部後可動体１１０２との動作範囲は重複していないが、モータ１０７０、１１５２、１６５２が脱調した場合の備えのためである。第２副制御部５００は、第１副制御部４００から送信されたコマンドに基づいて、図２２に示す、上部フォトセンサ１０８４がオン状態であり上部前可動体１００２が初期位置に位置し、上部フォトセンサ１１７６がオン状態であり上部後可動体１１０２が初期位置に位置していることを確認してから、モータ１６５２を駆動して、中央下部駆動体１６０１を上方に移動動作させる。なお、中央下部可動体１６０１は、上部前可動体１００２および上部後可動体１１０２が最下方に位置する場合、または、最下方に移動している途中に、初期位置から上方に移動動作してもよい（図４１（ｈ）参照）。
【０６９４】
また、本実施例では、中央下部可動体１６０１を初期位置から目標位置まで移動させるのに、モータ１６５２を駆動し続ける制御を実行しているがこれに限られない。例えば、中央下部可動体１６０１が初期位置からの移動開始時に駆動させ、クランク１６５６が０°から所定の角度反時計に回転すると、モータ１６５２への電力の供給を停止し、つるまきバネ１６６４の弾性力のみで中央下部可動体１６０１を目標位置まで移動させる制御を実行してもよい。また、中央下部可動体１６０１が目標位置付近に到達したことをフォトセンサ等で検出すると、モータ１６５２への電力の供給を開始し、モータ１６５２の駆動力や励磁力で、中央下部可動体１６０１を目標位置で停止させる制御を実行してもよいし、中央下部可動体１６０１が目標位置付近に到達しても、モータ１６５２への電力の供給を開始しない制御を実行してもよい。
【０６９５】
また、本実施例では、クランク１６５６が、中央下部可動体１６０１の初期位置に位置している状態から＋１８０°反時計回りに回転させた状態の中央下部可動体１６０１の位置を、中央下部可動体１６０１の目標位置としているがこれに限られない。例えば、クランク１６５６が中央下部可動体１６０１の初期位置に位置している状態から＋９０°反時計回りに回転させた状態の中央下部可動体１６０１の位置を目標位置としてもよい。また、クランク１６５６の回転角を任意に設定することで、中央下部可動体１６０１の目標位置を任意に設定してもよい。例えば、リーチ演出における大当りの信頼度に対応させて、中央下部可動体１６０１の目標位置を設定してもよいし、各種の大当り遊技や小当り遊技等における遊技者の有利度に対応させて、中央下部可動体１６０１の目標位置を設定してもよい。
【０６９６】
また、本実施例における可動体１６０１は、上下方向の移動動作が実行可能であるがこれに限られない。例えば、可動体１６０１は、中央下部役物１６００の可動体支援部１６５０の設置方向を様々な方向に設置することで、可動体１６０１は、様々な方向の移動動作が実行可能なる。
【０６９７】
次に、以上説明した一実施の形態によるパチンコ機１００の特徴的構成について再度図１乃至図３８を参照しつつ説明する。
（Ｃ１）
可動体（例えば、可動体１６０１）と、
前記可動体の動作に関連する第一の部材（例えば、図３７に示すつるまきバネ１６６４）と、
を備えた遊技台（例えば、パチンコ機１００）であって、
前記可動体は、第一の位置から第二の位置（例えば、目標位置（図３８（ｄ）参照））へ少なくとも可動可能な可動体であり（例えば、図３８（ａ）〜（ｄ）参照）、
前記第一の位置は、前記可動体の初期位置であり（例えば、図３８（ａ）参照）、
前記第一の部材は、前記第一の位置に位置する前記可動体の動作を少なくとも規制可能（例えば、モータ１６５２の回転軸に取り付けられたクランク１６５６の端部にある連結部１６５８が、モータの回転軸に対して斜め前下方向に位置して案内孔部１６０３ｃ１の規制部１６０３ｃ４に当って動かないようにすることが可能）な部材であり（例えば、図３８（ａ）参照）、
前記第一の部材は、前記第一の位置から前記可動体が可動を開始した場合（例えば、クランク１６５６が、鉛直下方向を基準に後方向へ０°以上回転した場合）に該可動体の可動を促進可能（例えば、可動体１６０１の上方への移動を促進する）な部材である（例えば、図３７、図３８参照）、
ことを特徴とする遊技台。
【０６９８】
上記遊技台によれば、第一の部材が、可動体が初期位置に位置する場合は可動体の動作を規制し、可動体が動き出した後は可動体の動作を促進するため、可動体が勢いよく飛び出すことができる場合がある。また、第一の部材は、可動体が初期位置に位置する状態では、可動体の初期位置を維持し、可動体が動作を開始した後は可動体の動作を補助するため、可動体の動作がスムーズに行われる場合がある。
【０６９９】
（Ｃ２）
上記（Ｃ１）に記載の遊技台であって、
前記可動体を駆動させることが可能な駆動手段（例えば、図３７に示すモータ１６５２）と、
前記駆動手段と前記可動体を連繋させる第二の部材（例えば、図３７に示すクランク１６５６や連結部１６５８）を備え、
前記可動体は、該可動体が前記第一の位置に位置する状態（以下、「第一の状態」という。）において、前記駆動手段により前記第二の部材が第一の方向（例えば、右から見て反時計回りの回転方向）に力を加えられた場合に、可動を開始可能な可動体であり（例えば、図３８（ａ）〜（ｄ）参照）、
前記可動体は、前記第一の状態において、前記第二の部材が第二の方向（例えば、右から見て時計回りの回転方向）に力を加えられた場合に、可動を開始しない可動体であり（例えば、図３８（ａ）参照）、
前記第一の部材は、前記第一の状態において、前記第二の部材が前記第二の方向に力が加えられるように作用する部材である（例えば、図３８（ａ）参照）、
ことを特徴とする遊技台。
【０７００】
上記遊技台によれば、駆動手段が駆動されない状態で可動体の動作を効果的に抑制できる場合がある。
【０７０１】
（Ｃ３）
上記（Ｃ２）に記載の遊技台であって、
前記可動体は、前記第二の部材の動きを規制する規制部（例えば、図３８に示す案内孔部１６０３ｃ１の規制部１６０３ｃ４）が設けられた可動体であり、
前記規制部は、前記第一の状態において、前記第二の部材が前記第二の方向に動くことを規制する（例えば、図３８（ａ）参照）、
ことを特徴とする遊技台。
（Ｃ４）
上記（Ｃ３）に記載の遊技台であって、
前記可動体が前記第一の位置に位置している場合には、前記第二の部材に前記第一の部材の力が前記第二の方向に加えられ該第二の部材が前記規制部に接触することによって、該可動体の動作が規制される（例えば、図３８（ａ）参照）、
ことを特徴とする遊技台。
【０７０２】
上記遊技台によれば、第二の部材が第二の方向に力が加わったとしても規制部の構成により確実に可動体の動作を規制することができる場合がある。
【０７０３】
（Ｃ５）
上記（Ｃ２）乃至（Ｃ４）に記載の遊技台であって、
前記駆動手段は、モータ（例えば、図３７に示すモータ１６５２）であり、
前記第二の部材は、前記モータの回転によって力が加えられる部材であり、
前記第一の方向は、一方の回転方向（例えば、右から見て反時計回りの回転方向）であり、
前記第二の方向は、他方の回転方向（例えば、右から見て時計回りの回転方向）である（例えば、図３８参照）、
ことを特徴とする遊技台。
【０７０４】
上記遊技台によれば、第二の部材は、第一の部材により第二の方向へ力が加えられた場合に、動きが規制部で規制されつつ、モータの励磁によっても動きが規制されるため、可動体を確実に初期位置にとどまらせることができる場合がある。
【０７０５】
（Ｃ６）
上記（Ｃ２）乃至（Ｃ５）のいずれか一項に記載の遊技台であって、
前記可動体は、上下方向に可動可能な可動体であり、
前記可動体は、前記第二の部材における前記可動体との連繋部（例えば、図３７に示す連結部１６５８）が前記上下方向へ変位することにより高さが変わる可動体（例えば、スコッチヨーク機構によって高さが変位する可動体１６０１）であり（例えば、図３８参照）、
前記第一の部材は、弾性部材（例えば、図３７に示すつるまきバネ１６６４）であり、
前記可動体は、前記第一の部材の弾性力により前記上下方向への可動が促進される場合がある可動体である（例えば、図３８（ｂ）〜（ｄ）参照）、
ことを特徴とする遊技台。
【０７０６】
（Ｃ７）
上記（Ｃ１）乃至（Ｃ６）のいずれか一項に記載の遊技台であって、
前記第一の部材は、前記可動体が前記第一の位置に位置する場合に少なくとも弾性変形している状態（例えば、つるまきバネ１６６４が自然長から伸ばされて変形している状態）であり（例えば、図３８（ａ）参照）、
前記可動体は、弾性変形している前記第一の部材が元に戻る力で可動が促進される場合がある可動体である（例えば、図３８（ｂ）〜（ｄ）参照）、
ことを特徴とする遊技台。
（Ｃ８）
上記（Ｃ１）乃至（Ｃ７）のいずれか一項に記載の遊技台であって、
前記第一の部材が弾性変形した状態から元に戻る方向は、前記可動体が前記第一の位置から前記第二の位置へ可動する方向と同じである（例えば、図３８参照）、
ことを特徴とする遊技台。
【０７０７】
上記遊技台によれば、第一の部材の力を可動体の動作方向に最大限利用できる場合がある。また、第一の部材の弾性力によっては、第一の部材の方が駆動手段よりも可動体の動きに貢献できる場合がある。
【０７０８】
（Ｃ９）
上記（Ｃ１）乃至（Ｃ８）のいずれか一項に記載の遊技台であって、
前記遊技台は、パチンコ機（例えば、パチンコ機１００）である、
ことを特徴とする遊技台。
（Ｃ１０）
上記（Ｃ１）乃至（Ｃ８）のいずれか一項に記載の遊技台であって、
前記遊技台は、スロットマシン（例えば、スロットマシン２０００）である、
ことを特徴とする遊技台。
【０７０９】
本発明は、上記実施の形態に限らず種々の変形が可能である。
本実施例では、可動体の動作方向は上下方向で第一の方向と第二の方向は回転方向で方向が異なっているが、同じ方向であってもよい。例えば、第二の部材が複数に構成されていてモータの回転動作を直線運動に変換（例えば円周上形成された第一のギアに長方形の長辺等に形成された直線上のギアをかみ合わせて変換する）し、駆動手段の動作方向を可動体の動作方向に合わせる構成であってもよい。
また、駆動手段は、モータ以外の物も採用しうる。例えば直線往復式のソレノイド等であってもよい。
また、可動体は、第一の位置（初期位置）が上部で、下方に移動する構成であってもよいし、第一の位置（初期位置）が後部で、前方に移動する構成であってもよいし、第一の位置（初期位置）が前部で、後方に移動する構成であってもよいし、第一の位置（初期位置）が右部で、左方に移動する構成であってもよいし、第一の位置（初期位置）が左部で、右方に移動する構成であってもよい。
また、第一の部材は、弾性部材以外も採用し得る。例えば、直線往復式のソレノイドやリニアアクチュエータを用いてもよい。
また、可動体の第一の位置（初期位置）は常に一定の位置でなくてもよい。
【０７１０】
上記実施の形態による本発明は以下のようにまとめられる。
（付記ｃ１）
可動体と、
前記可動体の動作に関連する第一の部材と、
を備えた遊技台であって、
前記可動体は、第一の位置から第二の位置へ少なくとも可動可能な可動体であり、
前記第一の位置は、前記可動体の初期位置であり、
前記第一の部材は、前記第一の位置に位置する前記可動体の動作を少なくとも規制可能な部材であり、
前記第一の部材は、前記第一の位置から前記可動体が可動を開始した場合に該可動体の可動を促進可能な部材である、
ことを特徴とする遊技台。
（付記ｃ２）
付記ｃ１に記載の遊技台であって、
請求項１に記載の遊技台であって、
前記可動体を駆動させることが可能な駆動手段と、
前記駆動手段と前記可動体を連繋させる第二の部材を備え、
前記可動体は、該可動体が前記第一の位置に位置する状態（以下、「第一の状態」という。）において、前記駆動手段により前記第二の部材が第一の方向に力を加えられた場合に、可動を開始可能な可動体であり、
前記可動体は、前記第一の状態において、前記第二の部材が第二の方向に力を加えられた場合に、可動を開始しない可動体であり、
前記第一の部材は、前記第一の状態において、前記第二の部材が前記第二の方向に力が加えられるように作用する部材である、
ことを特徴とする遊技台。
（付記ｃ３）
付記ｃ２に記載の遊技台であって、
前記可動体は、前記第二の部材の動きを規制する規制部が設けられた可動体であり、
前記規制部は、前記第一の状態において、前記第二の部材が前記第二の方向に動くことを規制する、
ことを特徴とする遊技台。
（付記ｃ４）
付記ｃ２またはｃ３に記載の遊技台であって、
前記駆動手段は、モータであり、
前記第二の部材は、前記モータの回転によって力が加えられる部材であり、
前記第一の方向は、一方の回転方向であり、
前記第二の方向は、他方の回転方向である、
ことを特徴とする遊技台。
（付記ｃ５）
付記ｃ２乃至ｃ４のいずれか一項に記載の遊技台であって、
前記可動体は、上下方向に可動可能な可動体であり、
前記可動体は、前記第二の部材における前記可動体との連繋部が前記上下方向へ変位することにより高さが変わる可動体であり、
前記第一の部材は、弾性部材であり、
前記可動体は、前記第一の部材の弾性力により前記上下方向への可動が促進される場合がある可動体である、
ことを特徴とする遊技台。
（付記ｃ６）
付記ｃ１乃至ｃ５のいずれか一項に記載の遊技台であって、
前記第一の部材は、前記可動体が前記第一の位置に位置する場合に少なくとも弾性変形している状態であり、
前記可動体は、弾性変形している前記第一の部材が元に戻る力で可動が促進される場合がある可動体である、
ことを特徴とする遊技台。
（付記ｃ７）
付記ｃ１乃至ｃ６のいずれか一項に記載の遊技台であって、
前記遊技台は、パチンコ機である、
ことを特徴とする遊技台。
（付記ｃ８）
付記ｃ１乃至ｃ６のいずれか一項に記載の遊技台であって、
前記遊技台は、スロットマシンである、
ことを特徴とする遊技台。
【０７１１】
次に、図３９乃至図４１を用いて本実施の形態によるパチンコ機１００の演出例１について説明する。図３９（ａ）乃至図４１（ｌ）はこの順にパチンコ機１００の演出例１を時系列で示している。まず始めに、図３９乃至図４４において図示された構成のうち共通に用いられる構成について図３９（ａ）を例にとって説明する。図３９（ａ）には、図３に示す装飾図柄表示装置２０８、特図１表示装置２１２、特図２表示装置２１４、特図１保留ランプ２１８、特図２保留ランプ２２０、ロゴ役物９００のロゴ可動体９０２、上部前飾り役物１０００の上部前可動体１００２、上部右サイド役物１２００の上部右サイド可動体１２０１、上部左サイド役物１３００の上部左サイド可動体１３０１、下部右サイド役物１４００の下部右サイド可動体１４０１、下部左サイド役物１５００の下部左サイド可動体１５０１、および中央下部役物１６００の中央下部可動体１６０１が模式的に示されている。
【０７１２】
特図１表示装置２１２、特図２表示装置２１４、特図１保留ランプ２１８、および特図２保留ランプ２２０は装飾図柄表示装置２０８の右下方に示され、特図２表示装置２１４は特図１表示装置２１２の右側に示されている。特図１保留ランプ２１８は特図１表示装置２１２の上側に示され、特図２保留ランプ２２０は特図２表示装置２１４の上側に示されている。また、特図１表示装置２１２、特図２表示装置２１４、特図１保留ランプ２１８、および特図２保留ランプ２２０の消灯部分は白抜きで表し、点灯部分は黒塗りで表している。また、本実施形態における特図１および特図２の保留は最大４個まで溜めることができるので、特図１保留ランプ２１８および特図２保留ランプ２２０のＬＥＤは各４個設けられている。
【０７１３】
また、図３９（ａ）に示す状態では、ロゴ可動体９０２、上部前可動体１００２、上部右サイド可動体１２０１、上部左サイド可動体１３０１、下部右サイド可動体１４０１、下部左サイド可動体１５０１、および中央下部可動体１６０１は、初期位置に位置している。下部右サイド可動体１４０１、下部左サイド可動体１５０１、および中央下部可動体１６０１は、初期位置に位置している場合、センタ装飾部材８０６や遊技盤装飾部材８０８に隠れており、これらの可動体の全体を遊技者が視認することが困難な状態である。図３９乃至図４１では、説明のために、本来、初期位置に位置している場合に遊技者が視認困難である下部右サイド可動体１４０１、下部左サイド可動体１５０１、および中央下部可動体１６０１を図示している。
【０７１４】
また、図３９（ａ）に示すように、装飾図柄表示装置２０８の画像表示領域の中央部には装飾図柄の変動表示および停止表示を行う図柄表示領域２０８ａ〜２０８ｃが割り当てられている。演出表示領域２０８ｄを拡大して所定の演出を実行するような場合には、必要に応じて図柄表示領域２０８ａ〜２０８ｃが画像表示領域の中央部以外の領域、例えば左下角部に縮小表示される場合もある。
【０７１５】
演出表示領域２０８ｄ内の下方右寄りには第四図柄表示領域が設けられている。第四図柄表示領域内の左側は特図１用第四図柄表示領域ｔ１であり、右側は特図２用第四図柄表示領域ｔ２である。特図１変動遊技が非作動中は、直前の特図１の変動遊技の結果がはずれであった場合は、特図１第四図柄として「×」を表す画像が特図１用第四図柄表示領域ｔ１に表示される。また、特図１変動遊技が非作動中は、直前の特図１の変動遊技の結果が当りであった場合は、特図１第四図柄として「Ａ」を表す画像が特図１用第四図柄表示領域ｔ１に表示される。特図２変動遊技が非作動中は、直前の特図２の変動遊技の結果がはずれであった場合は、特図２第四図柄として「×」を表す画像が特図２用第四図柄表示領域ｔ２に表示される。また、特図２変動遊技が非作動中は、直前の特図２の変動遊技の結果が当りであった場合は、特図２第四図柄として「Ａ」を表す画像が特図２用第四図柄表示領域ｔ２に表示される。また、特図１変動遊技の実行中には第四図柄として「−」を表す画像が第四図柄表示領域ｔ１に表示され、特図２変動遊技の実行中には第四図柄として「−」を表す画像が第四図柄表示領域ｔ２に表示される。
【０７１６】
演出表示領域２０８ｄ内の下方左寄りで横長状の特図１保留アイコン表示領域Ａが設けられている。特図１保留アイコン表示領域Ａには特図１の保留数に応じた数の特図１保留アイコンａ１、ａ２等が表示される。また、特図１保留アイコンの表示態様により当該保留に係る特図１変動遊技の結果の当否を所定の信頼度で報知（先読み予告）できるようになっている。本例では、最も信頼度の低い表示態様として白色円形の保留アイコンが表示され（図３９（ａ）の特図１保留アイコンａ１参照）、信頼度の比較的高い表示態様として、キャラクタの番長の顔を表す保留アイコンが表示される（図３９（ｃ）の特図１保留アイコンａ３参照）。本実施例では特図１保留アイコン表示領域Ａに最大４つの特図１保留アイコンが表示可能である。複数の特図１保留アイコンは、保留順位が低くなるに従って特図１保留アイコン表示領域内で右から左に向かって順に整列して表示される。
【０７１７】
また、特図２の保留数に応じた数の特図２保留アイコンが表示される特図２保留アイコン表示領域が設けられていてもよい。その場合には、例えば演出表示領域２０８ｄの右側面に隣接して縦長状の特図２保留アイコン表示領域が設けられる。特図２保留アイコン表示領域は、特図２の保留がない場合は設けられずに特図２の保留が溜まった場合にだけに設けられるようにしているが、常時設けられていてもよい。また、特図２保留アイコン表示領域は特図１保留アイコン表示領域Ａの右方に配置されてもよいし、特図１保留アイコン表示領域Ａの上方に配置されてもよい。なお、確変電サポ中は、特図２始動口２３２に遊技球が入球し易くなるため、遊技者が特図２保留アイコン表示領域に表示される特図２保留アイコンを容易に視認できるように、上記の特図１保留アイコン表示領域Ａの表示位置と特図２保留アイコン表示領域の表示位置が入れ替えられてもよい。
【０７１８】
また、特図１表示装置２１２において全てのセグメントが白抜きで表された状態は、特図１変動表示が行われていることを示している（図３９（ｂ）参照）。特図２表示装置２１４についても同様である。また、特図変動遊技の実行中における図柄表示領域２０８ａ〜２０８ｃでの各装飾図柄の変動表示はそれぞれ下向きの矢印で表している（図３９（ｂ）参照）。
【０７１９】
図３９（ａ）は、特図１および特図２の変動遊技が非作動中である状態を示している。特図１表示装置２１２には第１はずれ図柄の「特図Ｉ」が停止表示されている。特図２表示装置２１４には第１はずれ図柄の「特図Ｉ」が停止表示されている。装飾図柄表示装置２０８の画像表示領域の第四図柄表示領域ｔ１、ｔ２は第四図柄として「×」が表示されている。図柄表示領域２０８ａ〜２０８ｃには装飾図柄の組合せとして「装飾３−装飾２−装飾８」が停止表示しており、直前の特図変動遊技の当否判定結果がはずれであったことが報知されている。
【０７２０】
特図１保留ランプ２１８では特図１の保留が２個あることが報知されている。特図２保留ランプ２２０では特図２の保留がないことが報知されている。装飾図柄表示装置２０８の特図１保留アイコン表示領域Ａには白色円形の表示態様で２つの特図１保留アイコンａ１、ａ２が表示されている。
【０７２１】
また、ロゴ可動体９０２は白色に発光している。ロゴ可動体９０２は予告等を行っていない通常時には白色に発光する。
【０７２２】
図３９（ｂ）は、特図１変動遊技が開始された状態を示している。特図１変動遊技の開始順序は、本例では特図１保留ランプ２１８のＬＥＤが１つ消灯するとともに特図１表示装置２１２が変動表示を開始し、さらに特図１用第四図柄表示領域ｔ１の第四図柄が変動表示を開始し、次いで、特図１保留アイコンの減少アニメーションの表示が実行され、次いで、装飾図柄の変動表示が開始される。なお、これらの動作の開始時点の順序は入れ替えてもよい。
【０７２３】
また、図３９（ｂ）に示す特図１変動遊技の開始に先立ち、主制御部３００は特図１関連抽選処理（ステップＳ２３１、図７参照）内で当否判定テーブル（不図示）を用いて当否判定し、当該特図変動遊技の結果がはずれになることを決定する。次いで特図１図柄決定用テーブル（不図示）を参照して抽選処理を行った結果、「特図Ｉ」を選択する。次いで特図１変動表示時間決定テーブル（不図示）を参照して抽選処理を行った結果、変動時間を決定する。また、主制御部３００は、これらの抽選結果の情報を含む図柄変動開始コマンドをコマンド設定送信処理（ステップＳ２３３、図７参照）で第１副制御部４００に送信する。
【０７２４】
また、第１副制御部４００は、主制御部３００から図柄変動開始コマンドを受信し、演出制御処理（ステップＳ３０９、図８参照）内で所定の演出抽選処理を行い、当該特図１変動遊技の予告演出を実行しないことを決定する。
【０７２５】
特図１保留アイコンの減少アニメーションの表示では、保留順位が第一位の特図１保留アイコンａ１が消去され、残りの特図１保留アイコンａ２が右方向に移動する。なお、保留順位が第一位の特図１保留アイコンａ１は、変動アイコンとして表示されてもよい。変動アイコンは、実行中の特図変動遊技の予告演出として表示される。
【０７２６】
図３９（ｃ）は、当該特図１変動遊技中に特図１始動口２３０に遊技球が１個だけ入球して特図１の保留数が２個に増加した状態を示している。特図１保留ランプ２１８の左から２番目のＬＥＤが点灯され、特図１の保留数が１から２に増加したことが表示されている。また、主制御部３００は、増加した特図１の保留に係る始動情報を先読みして、特図１変動遊技の停止図柄等を特図関連抽選処理での当否判定より前に事前判定する特図先読み処理（ステップＳ２２４、図７参照）を実行し、当該事前判定の結果を含む先読み結果情報コマンドをコマンド設定送信処理（ステップＳ２３３、図７参照）で第１副制御部４００に送信する。本例では事前判定の結果は「特図Ａ」の大当りとなる。
【０７２７】
第１副制御部４００は、主制御部３００から先読み結果情報コマンドを受信し、演出制御処理（ステップＳ３０９、図８参照）内で所定の演出抽選処理を行い、増加した特図１の保留を示す特図１保留イコンの表示態様をキャラクタの番長の顔を表す態様に決定する。これにより、特図１保留アイコン表示領域Ａにはキャラクタの番長の顔を表す特図１保留アイコンａ３が新たに表示される。装飾図柄表示装置２０８は、特図１保留アイコンａ３で保留順位が二位の特図１変動遊技の当否判定結果を相対的に高い信頼度で先読み予告を行う。
【０７２８】
図３９（ｄ）は、左図柄表示領域２０８ａに「装飾２」が揺れ変動状態で仮停止表示された状態を示している。図３９（ｅ）は、右図柄表示領域２０８ｃに「装飾３」が揺れ変動状態で仮停止表示された状態を示している。図３９（ｆ）は、中図柄表示領域２０８ｂに「装飾３」が揺れ変動状態で仮停止表示された状態を示している。これにより、図柄表示領域２０８ａ〜２０８ｃには「装飾２−装飾３−装飾３」が揺れ変動状態で仮停止表示される。このように、装飾図柄の変動表示は、左図柄（第一図柄）、右図柄（第二図柄）、中図柄（第三図柄）の順に仮停止表示される。
【０７２９】
図３９（ｇ）は、特図１変動遊技が終了した状態を示している。特図１表示装置２１２には第１はずれ図柄の「特図Ｉ」が停止表示されている。装飾図柄表示装置２０８では、特図１用第四図柄表示領域ｔ１に特図１変動遊技がはずれであることを示す「×」の第四図柄が停止表示され、図柄表示領域２０８ａ〜２０８ｃには装飾図柄の組合せとしてはずれを示す「装飾２−装飾３−装飾３」が停止表示されている。これにより、終了した特図１変動遊技の当否判定結果がはずれであることが報知される。
【０７３０】
図３９（ｈ）は、次の特図１変動遊技が開始された状態を示している。図３９（ｈ）に示す特図１変動遊技の開始に先立ち、主制御部３００は特図１関連抽選処理（ステップＳ２３１、図７参照）内で当否判定テーブル（不図示）を用いて当否判定し、当該特図変動遊技の結果がはずれになることを決定する。次いで特図１図柄決定用テーブル（不図示）を参照して抽選処理を行った結果、「特図Ｉ」を選択する。次いで特図１変動表示時間決定テーブル（不図示）を参照して抽選処理を行った結果、変動時間を決定する。また、主制御部３００は、これらの抽選結果の情報を含む図柄変動開始コマンドをコマンド設定送信処理（ステップＳ２３３、図７参照）で第１副制御部４００に送信する。
【０７３１】
また、第１副制御部４００は、主制御部３００から図柄変動開始コマンドを受信し、演出制御処理（ステップＳ３０９、図８参照）内で所定の演出抽選処理を行い、特図１の保留順位が第二位の特図１変動遊技に対してロゴ可動体９０２を用いた先読み予告演出を実行することを決定する。なお、当該先読み予告は、先読み予告対象の特図１変動遊技の保留開始時点で予め実行されることが決定されていてもよい。
【０７３２】
また、当該特図１変動遊技の開始に伴い、特図１保留アイコンの減少アニメーションが実行され、保留順位が第一位の特図１保留アイコンａ２が消去され、残りの特図１保留アイコンａ３が右方向に移動する。
【０７３３】
図３９（ｉ）は、当該特図１変動遊技中にロゴ可動体９０２を用いた先読み予告が開始された状態を示している。ロゴ可動体９０２は、上下に微小に繰り返し移動する上下振動を実行して先読み予告を行う。図３９（ｉ）では、ロゴ可動体９０２が初期位置から下降した状態を示している。また、ロゴ可動体９０２は、白色から青色に発光態様が変化する。本例では、ロゴ可動体９０２は、予告等を実行していない通常時には白色に発光し、先読み予告等を実行する場合には青色等に発光色が変化する。また、この先読み予告は、先読み予告対象の特図変動遊技がはずれとなるガセ予告（偽予告）であってもよい。
【０７３４】
図３９（ｊ）は、ロゴ可動体９０２が上下に振動している状態を示している。図３９（ｊ）では、ロゴ可動体９０２が図３９（ｉ）に示す位置から上昇して、初期位置付近に戻っている。
【０７３５】
図３９（ｋ）は、ロゴ可動体９０２が再度下降した状態を示している。この下降をもってロゴ可動体９０２の上下振動が終了する。また、ロゴ可動体９０２は、振動停止後も青色に発光し続け、先読み予告を実行する。
【０７３６】
図３９（ｌ）は、ロゴ可動体９０２が最上方の位置に移動した状態を示している。上述したように、ロゴ可動体９０２が最上方の位置に位置する場合に図１８に示すフォトセンサ９８４が扇形歯車９７６の遮光片（不図示）を検知するので、第１副制御部４００はロゴ可動体９０２が最上方の位置に位置していると判定することができる。ロゴ可動体９０２は最上方の位置から所定ステップ数だけ下降動作されて初期位置に復帰する。また、ロゴ可動体９０２が最上方の位置に移動すると、上部後可動体１１０２の回転装飾部１１２４が視認可能になる。このように、上部後可動体１１０２が動作していない場合であっても、回転装飾部１１２４が遊技者から見える場合がある。
【０７３７】
図３９（ｌ）から引き続く図４０（ａ）は、ロゴ可動体９０２が初期位置に復帰した状態を示している。
【０７３８】
図４０（ｂ）は、左図柄表示領域２０８ａに「装飾３」が揺れ変動状態で仮停止表示された状態を示している。図４０（ｃ）は、右図柄表示領域２０８ｃに「装飾２」が揺れ変動状態で仮停止表示された状態を示している。図４０（ｄ）は、中図柄表示領域２０８ｂに「装飾３」が揺れ変動状態で仮停止表示された状態を示している。これにより、図柄表示領域２０８ａ〜２０８ｃには「装飾３−装飾３−装飾２」が揺れ変動状態で仮停止表示される。
【０７３９】
図４０（ｅ）は、特図１変動遊技が終了した状態を示している。特図１表示装置２１２には第１はずれ図柄の「特図Ｉ」が停止表示されている。装飾図柄表示装置２０８では、特図１用第四図柄表示領域ｔ１に特図１変動遊技がはずれであることを示す「×」の第四図柄が停止表示され、図柄表示領域２０８ａ〜２０８ｃには装飾図柄の組合せとしてはずれを示す「装飾３−装飾３−装飾２」が停止表示されている。これにより、終了した特図１変動遊技の当否判定結果がはずれであることが報知される。
【０７４０】
図４０（ｆ）は、次の特図１変動遊技が開始された状態を示している。図４０（ｆ）に示す特図１変動遊技の開始に先立ち、主制御部３００は特図１関連抽選処理（ステップＳ２３１、図７参照）内で当否判定テーブル（不図示）を用いて当否判定し、当該特図変動遊技の結果が大当りになることを決定する。次いで特図１図柄決定用テーブル（不図示）を参照して抽選処理を行った結果、「特図Ａ」を選択する。次いで特図１変動表示時間決定テーブル（不図示）を参照して抽選処理を行った結果、変動時間を決定する。また、主制御部３００は、これらの抽選結果の情報を含む図柄変動開始コマンドをコマンド設定送信処理（ステップＳ２３３、図７参照）で第１副制御部４００に送信する。
【０７４１】
また、第１副制御部４００は、主制御部３００から図柄変動開始コマンドを受信し、演出制御処理（ステップＳ３０９、図８参照）内で所定の演出抽選処理を行い、実行中の特図変動遊技の予告として、ステップアップ予告、番長のキャラクタ画像を用いた予告、およびスーパーリーチ演出を実行することを決定する。
【０７４２】
また、当該特図１変動遊技の開始に伴い、特図１保留アイコンの減少アニメーションが実行され、特図１保留アイコンａ３が消去される。
【０７４３】
図４０（ｇ）は、ロゴ可動体９０２が上下振動を開始した状態を示している。図４０（ｇ）はロゴ可動体９０２が初期位置から下降した状態を示している。また、ロゴ可動体９０２は、振動開始に伴い、発光色が青色から赤色に変化する。図３９（ｉ）でロゴ可動体９０２は一回目の振動を開始し、図４０（ｇ）でロゴ可動体９０２は二回目の振動を開始している。ロゴ可動体９０２は、振動の開始毎に発光色を変化させて、予告対象の期待度を高める。また、ロゴ可動体９０２は特図変動遊技毎に発光色を変化させて連続予告を実行する。発光色の変化は連続予告の期待度が高くなることとしても機能する。また、ロゴ可動体９０２が下降した場合、上部後可動体１１０２の一部（例えば、回転装飾部１１２４）が遊技者に視認可能となる場合がある。
【０７４４】
図４０（ｈ）は、上部左サイド可動体１３０１が初期位置から右斜め下方向に移動して停止した状態を示している。本例では、上部左サイド可動体１３０１が初期位置から右斜め下方向に移動することで、ステップアップ予告の第一段階が実行される。また、ロゴ可動体９０２の上下振動は継続中であり、図４０（ｈ）では、ロゴ可動体９０２が、上昇して初期位置付近に戻っている。また、図柄表示領域２０８ａ〜２０８ｃが画像表示領域の左下角部に縮小表示されている。
【０７４５】
図４０（ｉ）は、上部右サイド可動体１２０１が初期位置から左斜め下方向に移動して停止した状態を示している。上部右サイド可動体１２０１が初期位置から左斜め下方向に移動することで、ステップアップ予告の第二段階が実行されている。また、ロゴ可動体９０２の上下振動が継続中であり、ロゴ可動体９０２が初期位置から下方に移動している。また、左図柄表示領域２０８ａに「装飾３」が揺れ変動状態で仮停止表示される。また、表示領域中央に拡大された演出表示領域２０８ｄにキャラクタの番長が服を破り脱いだアニメーションと「チャンス」の文字列が表示され、当該変動の予告が実行される。
【０７４６】
図４０（ｊ）は、上部右サイド可動体１２０１の可動体前部１２０３の回転動作と上部左サイド可動体１３０１の可動体前部１３０３の回転動作が実行された状態を示している。可動体前部１２０３の左回りの回転動作と可動体前部１３０３の右回りの回転動作により、ステップアップ予告の第三段階が実行されている。
【０７４７】
また、ロゴ可動体９０２の上下振動が終了して、ロゴ可動体９０２が最上方の位置に移動している。ロゴ可動体９０２は最上方の位置に移動した後、所定ステップ数駆動されて初期位置に復帰する。また、右図柄表示領域２０８ｃに「装飾３」が揺れ変動状態で仮停止表示され、演出表示領域２０８ｄは、キャラクタの番長が服を破り脱いだアニメーションと「チャンス」の文字列が消去され、代わって「リーチ」の文字列が表示され、リーチの開始演出が実行される。
【０７４８】
図４０（ｋ）は、図柄表示領域２０８ａ〜２０８ｃが表示領域中央に拡大された図柄表示領域２０８ａ、２０８ｃに「装飾３」が揺れ変動状態で仮停止表示された状態を示している。リーチ演出の開始時には、図柄表示領域２０８ａ〜２０８ｃが表示領域中央に拡大されて表示され、図柄表示領域２０８ａ、２０８ｃで装飾図柄が揃ったことが報知される。
【０７４９】
また、ロゴ可動体９０２が下方に移動して、初期位置に復帰している。また、上部右サイド可動体１２０１の可動体前部１２０３が右回りに回転し、上部左サイド可動体１３０１の可動体前部１３０３が左回りに回転し、可動体前部１２０３と可動体前部１３０３が初期位置の体勢に戻っている。また、上部右サイド可動体１２０１の一部と上部左サイド可動体１３０１の一部とで図柄表示領域２０８ａ、２０８ｃの「装飾３」の一部が隠される。
【０７５０】
図４０（ｌ）は、上部右サイド可動体１２０１が右斜め上方向に移動して初期位置に戻り、上部左サイド可動体１３０１が左斜め上方向に移動して初期位置に戻った状態を示している。リーチ演出開始時には各可動体の全てが初期位置に一旦復帰する。
【０７５１】
図４０（ｌ）から引き続く図４１（ａ）は、下部右サイド可動体１４０１、下部左サイド可動体１５０１、および中央下部可動体１６０１が初期位置から上方に移動して、装飾図柄表示装置２０８の前方に位置している状態を示している。また、下部右サイド可動体１４０１の可動体１４０３、および下部左サイド可動体１５０１の可動体１５０３は、初期位置の体勢から左右方向を回転軸として回転し、体勢が変化している。また、演出表示領域２０８ｄに、エフェクトのアニメーションが表示され、スーパーリーチ演出への発展演出が実行されている。
【０７５２】
図４１（ｂ）は、下部右サイド可動体１４０１、下部左サイド可動体１５０１、および中央下部可動体１６０１が下方に移動して、初期位置に戻った状態を示している。また、下部右サイド可動体１４０１の可動体１４０３、および下部左サイド可動体１５０１の可動体１５０３の体勢が元に戻っている。また、図柄表示領域２０８ａ〜２０８ｃが画像表示領域の左下角部に縮小表示され、スーパーリーチ演出が開始される。また、演出表示領域２０８ｄにはエフェクトのアニメーションが継続して表示されている。
【０７５３】
図４１（ｃ）は、スーパーリーチ演出が開始された状態を示している。演出表示領域２０８ｄが画像表示領域中央に拡大して表示され、演出表示領域２０８ｄの左側に主人公キャラクタの画像が表示され、右側に敵キャラクタの画像が表示され、中央に「討伐リーチ」の文字列が表示されている。本例のスーパーリーチ演出は、主人公キャラクタと敵キャラクタとが斬り合うシーンのアニメーションが演出表示領域２０８ｄに表示される。
【０７５４】
図４１（ｄ）は、スーパーリーチ演出が継続している状態を示している。演出表示領域２０８ｄには、「討伐リーチ」の文字列が消去されて、代わりに「一撃！」の文字列が表示され、斬り合いが開始されることが示唆される。
【０７５５】
図４１（ｅ）は、スーパーリーチ演出が継続している状態を示している。演出表示領域２０８ｄには、「一撃！」の文字列の上方に、チャンスボタン１３６を模した画像が表示されている。チャンスボタン１３６を模した画像は、チャンスボタン１３６の操作有効期間が開始された場合にチャンスボタン１３６の操作を遊技者に促すために表示される。なお、チャンスボタン１３６の操作有効期間中には操作有効期間の残り時間を表す画像（例えば、メータ画像や残り秒数を示す数字等）を表示してもよい。
【０７５６】
図４１（ｆ）は、チャンスボタン１３６の操作有効期間中に遊技者がチャンスボタン１３６の操作を実行した状態を示している。図４１（ｆ）の右側に、チャンスボタン１３６とそれを操作する遊技者の手を模式的に図示している。チャンスボタン１３６の操作により、斬り合いのアニメーションが開始される。
【０７５７】
図４１（ｇ）は、ロゴ可動体９０２が初期位置から最上方の位置まで移動した状態を示している。このロゴ可動体９０２の最上方への移動動作は、ロゴ可動体９０２の後方に配置されている上部前可動体１００２および上部後可動体１１０２を装飾図柄表示装置２０８の前方に出現させるための動作である。このため、ロゴ可動体９０２の上方への移動動作は上部前可動体１００２および上部後可動体１１０２が下方へ移動する前兆とすることもできる。ロゴ可動体９０２が最上方へ移動することで、上部前可動体１００２および上部後可動体１１０２が下方に移動して、さらに演出が発展することを期待させることができる場合がある。
【０７５８】
図４１（ｈ）は、ロゴ可動体９０２以外の可動体の移動動作が実行された状態を示している。下部右サイド可動体１４０１、下部左サイド可動体１５０１、および中央下部可動体１６０１は、初期位置から上方に移動して装飾図柄表示装置２０８の前方で停止している。下部右サイド可動体１４０１と下部左サイド可動体１５０１とは体勢が変化している。また、上部右サイド可動体１２０１が初期位置から左斜め下方向に移動して停止し、可動体前部１２０３が回転動作を実行して停止している。また、同様に、上部左サイド可動体１３０１が初期位置から右斜め下方向に移動して停止し、可動体前部１３０３が回転動作を実行して停止している。また、上部前可動体１００２と上部後可動体１１０２とが下方に移動して最下方の位置で停止している。また、上部前可動体１００２は、最下方に移動した後、レンズ可動体１００２ａが前方に移動する。また、上部前可動体１００２のレンズ１０１８を介して、回転動作している回転装飾部１１２４が拡大されて視認されている。
【０７５９】
また、演出表示領域２０８ｄには、主人公キャラクタの画像と敵キャラクタの画像が消去され、ほぼ全面にエフェクトのアニメーションが表示される。
【０７６０】
図４１（ｉ）は、スーパーリーチ演出中に、当該特図１変動遊技の大当り確定を報知する演出（プレミア演出）が実行された状態を示している。下部右サイド可動体１４０１の可動体１４２５の装飾部が開いて回転する動作が実行され、下部左サイド可動体１５０１の可動体１５２５の装飾部が開いて回転する動作が実行されている。また、中央下部可動体１６０１の円形フィルム１６０５の回転動作が実行されている。また、上部後可動体１１０２の回転装飾部１１２４の回転動作が実行されている。また、演出表示領域２０８ｄのほぼ全面には七色のエフェクト（レインボーエフェクト）が表示されている。
【０７６１】
図４１（ｊ）は、斬り合いの結果を報知するアニメーションが表示された状態を示している。演出表示領域２０８ｄでは、七色のエフェクトのアニメーションが消去されて、右側に斬り合いに勝利した主人公キャラクタの画像と、左側に斬られて倒れた敵キャラクタの画像が表示され、中央に「勝ち」の文字列が表示されている。また、「勝ち」の文字列の下には「装飾３」が表示されており、中図柄表示領域２０８ｂに「装飾３」が停止表示されることが示唆され、スーパーリーチ演出が終了する。
【０７６２】
スーパーリーチ演出の終了に伴い、各可動体が初期位置に復帰する。上部前可動体１００２のレンズ可動体１００２ａが最後方に移動した後、上部前可動体１００２および上部後可動体１１０２が上方に移動して初期位置に復帰し、その後、ロゴ可動体９０２が下方に移動して初期位置に復帰する。その他の可動体の初期位置への移動順序は同時でもよいし、任意の順番に設定されていてもよい。
【０７６３】
図４１（ｋ）は、図柄表示領域２０８ａ〜２０８ｃが画像表示領域の中央の元の位置に拡大されて、装飾図柄の組合せとして「装飾３−装飾３−装飾３」が揺れ変動状態で仮停止表示された状態を示している。また、ロゴ可動体９０２が下方に移動して初期位置に戻っている。
【０７６４】
図４１（ｌ）は、特図１変動遊技が終了した状態を示している。特図１表示装置２１２には１５Ｒ特別大当り図柄の「特図Ａ」が停止表示されている。装飾図柄表示装置２０８では、特図１用第四図柄表示領域ｔ１に特図１変動遊技が大当りであることを示す「Ａ」の第四図柄が停止表示され、図柄表示領域２０８ａ〜２０８ｃには装飾図柄の組合せとして特別大当りであることを示す「装飾３−装飾３−装飾３」が停止表示されている。これにより、終了した特図１変動遊技の当否判定結果が特別大当り（確変大当り）であることが報知される。
【０７６５】
次に、図４２を用いて本実施の形態によるパチンコ機１００の演出例２について説明する。なお、図４２、並びに後述する図４３および図４４では、特図１表示装置２１２、特図２表示装置２１４、特図１保留ランプ２１８、特図２保留ランプ２２０、上部右サイド役物１２００、上部左サイド役物１３００、下部右サイド役物１４００、下部左サイド役物１５００、および中央下部役物１６００の図示を省略している。
【０７６６】
図４２（ａ）は、ロゴ可動体９０２、上部前可動体１００２、および上部後可動体１１０２が初期位置に位置している状態を示している。上部前可動体１００２は、最下方に移動した後にレンズ可動体１００２ａが前方に移動する場合、レンズ可動体１００２ａとロゴ可動体９０２との接触を避けるために、ロゴ可動体９０２が最上方へ移動した後に最下方へ移動し、レンズ可動体１００２ａが前方に移動する。しかしながら、レンズ可動体１００２ａが前方に移動しない場合には、レンズ可動体１００２ａとロゴ可動体９０２とが接触することがないので、図４２（ｂ）に示すように、ロゴ可動体９０２が初期位置に位置しているままの状態で、上部前可動体１００２が下方に移動してもよい。また、上部前可動体１００２とともに上部後可動体１１０２が下方に移動してもよいし、移動しなくてもよい。
【０７６７】
また、上部右サイド役物１２００の上部右サイド可動体１２０１、上部左サイド役物１３００の上部左サイド可動体１３０１、下部右サイド役物１４００の下部右サイド可動体１４０１、下部左サイド役物１５００の下部左サイド可動体１５０１、および中央下部役物１６００の中央下部可動体１６０１は、他の可動体同士と接触することがないので、任意のタイミングで移動動作可能である。
【０７６８】
図４２（ｃ）は、ロゴ可動体９０２、上部前可動体１００２、および上部後可動体１１０２が初期位置に位置している状態を示している。図４２（ｃ）から引き続く図４２（ｄ）は、ロゴ可動体９０２が最上方の位置に移動した状態を示している。図４２（ｄ）から引き続く図４２（ｅ）は、上部前可動体１００２が最下方に移動した状態を示している。このように、上部前可動体１００２および上部後可動体１１０２のうち上部前可動体１００２のみを下方に移動させてもよい。これにより、上部前可動体１００２のレンズ１０１８を介して装飾図柄表示装置２０８に表示されている画像を遊技者に見せることができる。
【０７６９】
レンズ可動体１００２ａが最前方の位置に位置している場合においても、レンズ１０１８と装飾図柄表示装置２０８の表示面との距離は、レンズ１０１８の焦点距離よりも短い。このため、レンズ１０１８を介して装飾図柄表示装置２０８に表示される様々な表示（例えば、保留アイコン、変動アイコン、カットイン画像、キャラクタ画像、会話画像、装飾図柄、第四図柄、普図装飾図柄、エフェクト画像、演出を説明するチュートリアル表示、操作を説明するチュートリアル表示、ボタン画像、メータ画像、エラー表示（例えば、下皿満タンエラー）、注意喚起報知（例えば、プリペイドカードの忘れ防止の注意喚起報知）の正立虚像を遊技者に観察させることができる。これにより、所定倍率で拡大された表示の正立虚像を遊技者に観察させて、表示を目立たせることができる場合がある。
【０７７０】
次に、図４３を用いて本実施の形態によるパチンコ機１００の演出例３について説明する。図４３（ａ）は、ロゴ可動体９０２が最上方の位置に位置し、上部前可動体１００２および上部後可動体１１０２が最下方の位置に位置している状態を示している。レンズ１０１８を介して回転装飾部１１２４の正立虚像が視認される。
【０７７１】
図４３（ａ）から引き続く図４３（ｂ）は、上部前可動体１００２のレンズ可動体１００２ａが最前方に移動した状態を示している。レンズ可動体１００２ａの前方への移動により、レンズ１０１８と回転装飾部１１２４との距離がレンズ１０１８の焦点距離に近づくので、図４３（ｂ）では図４３（ａ）と比較して、より拡大された回転装飾部１１２４の正立虚像が観察可能となる。これにより、回転装飾部１１２４を拡大して見せて、回転装飾部１１２４の回転動作を目立たせることができる場合がある。
【０７７２】
図４３（ｃ）は、ロゴ可動体９０２、上部前可動体１００２、および上部後可動体１１０２が初期位置に位置し、図柄表示領域２０８ａ、２０８ｃでは「装飾３」が揺れ変動状態で仮停止表示され、中図柄表示領域２０８ｂでは相対的に遅い速度で装飾図柄の変動表示が実行されている状態を示している。図柄表示領域２０８ａ、２０８ｃで「装飾３」が揃っており、リーチ演出（ノーマルリーチ演出）が実行されている。図４３（ｃ）では、中図柄表示領域２０８ｂに「装飾２」が表示されている。
【０７７３】
図４３（ｃ）から引き続く図４３（ｄ）は、中図柄表示領域２０８ｂで相対的に遅い速度で装飾図柄の変動表示が継続されており、中図柄表示領域２０８ｂに「装飾３」が表示された状態を示している。
【０７７４】
図４３（ｄ）から引き続く図４３（ｅ）は、中図柄表示領域２０８ｂで相対的に遅い速度で装飾図柄の変動表示が継続されており、中図柄表示領域２０８ｂに「装飾４」が表示された状態を示している。
【０７７５】
本例では、レンズ１０１８を介して装飾図柄を遊技者に見せていない。例えば、特図変動遊技の結果がはずれの場合には、上部前可動体１００２が初期位置から移動せず、装飾図柄をレンズ１０１８により拡大して遊技者に見せなくてもよい。
【０７７６】
図４３（ｆ）は、ロゴ可動体９０２が最上方の位置に位置し、上部前可動体１００２が最下方の位置に位置し、レンズ可動体１００２ａが最前方の位置に位置し、上部後可動体１１０２が初期位置に位置している状態を示している。上部後可動体１１０２の一部（回転装飾部１１２４）が視認されている。また、図柄表示領域２０８ａ、２０８ｃでは「装飾３」が揺れ変動状態で仮停止表示され、中図柄表示領域２０８ｂでは相対的に遅い速度で装飾図柄の変動表示が実行されて、リーチ演出（ノーマルリーチ演出）が実行されている。図４３（ｆ）に示すように、レンズ１０１８を介して、中図柄表示領域２０８ｂに表示されている「装飾２」の拡大された正立虚像が観察される。
【０７７７】
図４３（ｆ）から引き続く図４３（ｇ）は、中図柄表示領域２０８ｂに「装飾３」が揺れ変動状態で仮停止表示された状態を示している。レンズ１０１８を介して、中図柄表示領域２０８ｂに表示されている「装飾３」の拡大された正立虚像が観察される。これにより、例えば、大当り時において、リーチ演出の最後に揃う中図柄を拡大して見せて、期待度を高めることができる場合がある。
【０７７８】
図４３（ｇ）から引き続く図４３（ｈ）は、ロゴ可動体９０２、上部前可動体１００２が初期位置に復帰した状態を示している。各可動体の初期位置への復帰順序は、レンズ可動体１００２ａが最後方に移動した後、上部前可動体１００２が上方に移動して初期位置に復帰し、その後、ロゴ可動体９０２が下方に移動して初期位置に復帰する。
【０７７９】
このように、はずれ時のリーチ演出では上部前可動体１００２を用いず、大当り時のリーチ演出では上部前可動体１００２を用いることで、遊技演出にメリハリをつけることができる場合がある。
【０７８０】
次に、図４４を用いて本実施の形態によるパチンコ機１００の演出例４について説明する。
【０７８１】
図４４（ａ）は、ロゴ可動体９０２が最上方の位置に位置し、上部前可動体１００２が最下方の位置に位置し、レンズ可動体１００２ａが最前方の位置に位置し、上部後可動体１１０２が初期位置に位置している状態を示している。また、特図変動遊技の実行中であり、図柄表示領域２０８ａ〜２０８ｃでは装飾図柄の変動表示が実行されおり、装飾図柄の変動表示がレンズ１０１８を介して視認されている。また、現時点での遊技状態が確変中（確変電サポ中）であり、演出表示領域２０８ｄの下方では「確変中」の文字列が表示されている。また、演出表示領域２０８ｄの左側には主人公キャラクタの画像が表示され、右側には敵キャラクタの画像が表示され確変時の演出が実行されている。
【０７８２】
このように、確変状態中では、レンズ１０１８を介して装飾図柄を視認させることで、装飾図柄の変動表示を強調することができる場合がある。なお、レンズ１０１８を介して装飾図柄を視認させる遊技状態は、潜伏状態（特図高確普図低確率状態）でもよいし、時短状態（特図低確普図高確率状態）でもよい。
【０７８３】
図４４（ｂ）は、ロゴ可動体９０２が最上方の位置に位置し、上部前可動体１００２が最下方の位置に位置し、レンズ可動体１００２ａが最前方の位置に位置し、上部後可動体１１０２が初期位置に位置している状態を示している。また、特図変動遊技の非実行中（図柄停止表示中）であり、図柄表示領域２０８ａ〜２０８ｃでは「装飾２−装飾３−装飾５」が停止表示されて、停止表示中の装飾図柄がレンズ１０１８を介して視認されている。また、現時点での遊技状態が確変中（確変電サポ中）であり、演出表示領域２０８ｄの下方では「確変中」の文字列が表示されている。なお、潜伏状態中には「潜伏」や「潜」や「怪」等の文字列が表示されてもよい。また、現在の演出モードを表す文字列が表示されてもよい。また、演出表示領域２０８ｄの左側には主人公キャラクタの画像が表示され、右側には敵キャラクタの画像が表示され確変時の演出が実行されている。
【０７８４】
このように、確変状態中では、レンズ１０１８を介して装飾図柄を視認させることで、装飾図柄の停止表示を強調することができる場合がある。なお、レンズ１０１８を介して装飾図柄を視認させる遊技状態は、潜伏状態（特図高確普図低確状態）でもよいし、時短状態（特図低確普図高確状態）でもよい。
【０７８５】
図４４（ｃ）は、ロゴ可動体９０２が最上方の位置に位置し、上部前可動体１００２が最下方の位置に位置し、レンズ可動体１００２ａが最前方の位置に位置し、上部後可動体１１０２が初期位置に位置している状態を示している。また、特図変動遊技の実行中である。また、現時点での遊技状態が確変中（確変電サポ中）であり、演出表示領域２０８ｄの下方では「確変中」の文字列が表示されている。また、演出表示領域２０８ｄの左側には主人公キャラクタの画像が表示され、右側には敵キャラクタの画像が表示され確変時の演出が実行されている。
【０７８６】
また、演出表示領域２０８ｄが画像表示領域の全面に拡大されており、演出表示領域２０８ｄの中央に「熱」の文字が表示されて予告演出（当該変動の予告または先読み予告）が実行されている。「熱」の文字がレンズ１０１８を介して拡大して視認される。これにより、予告演出を目立たせることができる場合がある。
【０７８７】
図４４（ｄ）は、ロゴ可動体９０２が最上方の位置に位置し、上部前可動体１００２および上部後可動体１１０２が初期位置から若干下方に移動し、レンズ可動体１００２ａが最後方の位置に位置している状態を示している。また、特図変動遊技の実行中である。また、現時点での遊技状態が確変中（確変電サポ中）であり、演出表示領域２０８ｄの下方では「確変中」の文字列が表示されている。また、演出表示領域２０８ｄの左側には主人公キャラクタの画像が表示され、右側には敵キャラクタの画像が表示され確変時の演出が実行されている。また、演出表示領域２０８ｄが画像表示領域の全面に拡大されており、演出表示領域２０８ｄの中央に「熱」の文字が表示されて予告演出（当該変動の予告または先読み予告）が実行されている。
【０７８８】
図４４（ｄ）では、レンズ１０１８を介して、回転装飾部１１２４の一部が視認されている。これにより、上部前可動体１００２の後に何かが隠れていることを遊技者に気づかせて、上部後可動体１１０２に注目させることができる場合がある。
【０７８９】
図４４（ｅ）は、ロゴ可動体９０２、上部前可動体１００２および上部後可動体１１０２が初期位置に位置している状態を示している。また、特図変動遊技の実行中であり、演出表示領域２０８ｄが画像表示領域の全面に拡大されており、演出表示領域２０８ｄの左側に主人公キャラクタの画像が表示され、右側に敵キャラクタの画像が表示され、中央に「討伐リーチ」の文字列が表示されてリーチ演出が実行されている。
【０７９０】
このように、リーチ演出の実行時には、ロゴ可動体９０２、上部前可動体１００２および上部後可動体１１０２が初期位置で停止していてもよい。これにより、装飾図柄表示装置２０８の画像表示領域を広く使用してアニメーション等を表示しリーチ演出を実行することができる。
【０７９１】
本実施の形態によるパチンコ機１００は、装飾図柄表示装置２０８に表示される様々な表示を上部前可動体１００２のレンズ１０１８を介して遊技者に視認させることができる。レンズ１０１８を介して遊技者に視認させる表示としては、再抽選の演出表示、昇格の演出表示、確変報知の演出表示、保留アイコンや変動アイコン等のアイコン表示、遊技状態の報知表示、各種情報の報知表示等が挙げられる。パチンコ機１００は、これらの表示をレンズ１０１８を介して拡大して遊技者に視認させて、これらの表示を強調することができる場合がある。
【０７９２】
次に、以上説明した一実施の形態によるパチンコ機１００の特徴的構成について再度図１６乃至図４４を参照しつつ説明する。
【０７９３】
（Ｄ１）
表示を少なくとも表示可能な第一の表示手段（例えば、装飾図柄表示装置２０８）と、
第一の動作を少なくとも実行可能な可動体（例えば、ロゴ可動体９０２）と、
を備えた遊技台であって、
前記第一の動作は、前記可動体が第一の位置（例えば、初期位置）から上方へ可動する動作を少なくとも含む動作であり（例えば、図１９（ｂ）参照）、
前記第一の位置に位置する前記可動体は、少なくとも一部が前記第一の表示手段よりも高い位置となる可動体である（例えば、図３９（ａ）参照）、
ことを特徴とする遊技台。
【０７９４】
上記遊技台によれば、可動体に特徴を持った遊技台を提供できる場合がある。また、可動体の動作を目立たせつつ、第一の表示手段の表示領域を大きく使用して遊技者に見せることができる場合がある。
【０７９５】
（Ｄ２）
（Ｄ１）に記載の遊技台であって、
前記可動体は、第二の動作を少なくとも実行可能な可動体であり（例えば、図１９（ｃ）参照）、
前記第二の動作は、前記第一の位置から下方へ可動する動作であり（例えば、図１９（ｃ）参照）、
前記第二の動作が行われた後は、前記可動体の少なくとも一部が前記第一の表示手段の前方側に位置する（例えば、図３９（ｉ）参照）、
ことを特徴とする遊技台。
【０７９６】
上記遊技台によれば、可動体が第一の表示手段に前後方向で重なる位置に移動可能であり、可動体と第一の表示手段との関係においてバリエーションを増やすことができる場合がある。
【０７９７】
（Ｄ３）
（Ｄ２）に記載の遊技台であって、
前記第一の動作は、前記第一の位置から第二の位置（例えば、最上方の位置）へ可動する動作であり（例えば、図１９（ｂ）参照）、
前記第二の動作は、前記第一の位置から第三の位置（例えば、最下方の位置）へ可動する動作であり（例えば、図１９（ｃ）参照）、
前記第一の動作における可動量は、前記第二の動作における可動量よりも大きい（例えば、図１９参照）、
ことを特徴とする遊技台。
【０７９８】
上記遊技台によれば、可動体の移動動作を大きく見せつつ第一の表示手段の表示領域を広く使って演出を行うことができる場合がある。また、可動体が第二の位置に位置して第一の表示手段から離れた場合でも可動体に注目させることができる場合がある。また、可動体が第三の位置に位置して第一の表示手段と前後方向で重なっている状態でも第三の動作により可動体に注目させることができる場合がある。
【０７９９】
（Ｄ４）
（Ｄ３）に記載の遊技台であって、
前記可動体の位置を少なくとも検出可能な検出手段（例えば、フォトセンサ９８４）を備え、
前記検出手段は、前記可動体が前記第二の位置に位置する場合に少なくとも該可動体の位置を検出可能な手段であり、
前記可動体は、前記第二の動作が行われた後で前記第一の位置に戻る場合は、前記第三の位置から前記第二の位置まで可動した後で前記第一の位置に戻る（例えば、図３９（ｉ）〜図４０（ａ）参照）、
ことを特徴とする遊技台。
【０８００】
上記遊技台によれば、第一の表示手段に表示されている表示を可動体で隠さずに可動体を第一の位置に復帰させて、当該表示に注目している遊技者を邪魔しないようにすることができる場合がある。例えば、図柄変動表示の実行中に可動体が第三の位置に移動して予告が実行され、当該図柄変動表示の終了時に予告が終了する場合、可動体が第二の位置に移動してから第一の位置に復帰するので、可動体が当該図柄変動表示の次の図柄変動表示に注目する遊技者を邪魔するのを防ぐことができる場合がある。
【０８０１】
（Ｄ５）
（Ｄ１）乃至（Ｄ４）のいずれか一項に記載の遊技台であって、
前記可動体は、回転動作を実行可能な回転機構（例えば、回転リンク機構９０２ｂ）を少なくとも含む可動体であり、
前記第一の動作は、前記回転動作が行われることに関連して前記可動体が上方へ可動する動作であり（例えば、図２０（ｂ）参照）、
前記可動体は、複数の可動部（例えば、第二文字部９１２〜第六文字部９２０）によって少なくとも構成された可動体であり、
前記複数の可動部のうちの少なくとも一つ（以下、「第二の可動部」という。（例えば、第四文字部９１６））は、前記複数の可動部のうちの前記第二の可動部とは別の少なくとも一つ（以下、「第一の可動部」という。（例えば、第二文字部９１２））よりも前記回転動作における回転中心から遠い位置に設けられた可動部であり、
前記第一の動作は、前記第二の可動部の上方への可動量が前記第一の可動部の上方への可動量よりも大きくなる動作である（例えば、図１９（ｂ）参照）、
ことを特徴とする遊技台。
【０８０２】
上記遊技台によれば、可動体の複数の部位を規則的に移動させることができる場合がある。また、モータによる回転運動を回転機構により直線運動に変換して可動体の複数の部位に伝達することができる。
【０８０３】
（Ｄ６）
（Ｄ５）に記載の遊技台であって、
前記第一の動作は、前記複数の可動部のうちの少なくとも一の可動部（例えば、第四文字部９１６）が上方へ移動する動作である、
ことを特徴とする遊技台。
【０８０４】
上記遊技台によれば、可動体の特に移動した部位に遊技者を注目させることができる場合がある。
【０８０５】
（Ｄ７）
（Ｄ１）乃至（Ｄ６）のいずれか一項に記載の遊技台であって、
前記第一の位置は、前記可動体の少なくとも一部が前記第一の表示手段の前方側に位置する位置である、
ことを特徴とする遊技台。
【０８０６】
上記遊技台によれば、遊技者が普段注目する第一の表示手段に可動体が重なっているので可動体の第一の動作を見逃さないようにすることができる場合がある。
【０８０７】
（Ｄ８）
（Ｄ１）乃至（Ｄ７）のいずれか一項に記載の遊技台であって、
前記可動体は、表示を少なくとも表示可能な第二の表示手段（例えば、サブ表示装置）を含む可動体である、
ことを特徴とする遊技台。
【０８０８】
上記遊技台によれば、可動体が第二の表示手段を含むため、動作後の可動体にも注目させることができる場合がある
【０８０９】
（Ｄ９）
（Ｄ１）乃至（Ｄ８）のいずれか一項に記載の遊技台であって、
前記可動体は、文字形状を備える文字部（例えば、第一文字部９１０〜第七文字部９２２）を少なくとも含む可動体であり、
前記可動体は、発光手段（例えば、ＬＥＤ基板９１０ｃ等に実装されたＬＥＤ）により前記文字部が発光可能な可動体である、
ことを特徴とする遊技台。
【０８１０】
上記遊技台によれば、可動体の文字部を目立たせることができる場合がある。
【０８１１】
（Ｄ１０）
（Ｄ１）乃至（Ｄ９）のいずれか一項に記載の遊技台であって、
前記遊技台は、パチンコ機（例えば、パチンコ機１００）である、
ことを特徴とする遊技台。
【０８１２】
（Ｄ１１）
（Ｄ１）乃至（Ｄ９）のいずれか一項に記載の遊技台であって、
前記遊技台は、スロットマシン（例えば、スロットマシン２０００）である、
ことを特徴とする遊技台。
【０８１３】
可動体は、第一の位置に位置している場合、少なくとも一部が第一の表示手段と前後方向で重なってもよいし、全体が第一の表示手段と前後方向で重ならなくてもよい。
【０８１４】
第一の表示手段および第二の表示手段には、液晶表示装置、ドットマトリクス表示装置、７セグメント表示装置、有機ＥＬ（ＥｌｅｃｔｒｏＬｕｍｉｎｅｓｃｅｎｃｅ）表示装置、リール（ドラム）式表示装置、リーフ式表示装置、プラズマディスプレイ、プロジェクタを含む他の表示デバイスを用いることができる。
【０８１５】
可動体は、平行移動、回転移動以外の移動動作が可能に構成されていてもよいし、複数の動作態様から第一の動作、第二の動作、または第三の動作が実行可能に構成されていてもよい。
【０８１６】
第二の動作は、第一の表示手段の下限位置を通り越した位置まで移動する動作であってもよい。
【０８１７】
可動体は、第一の表示手段から遠ざかる方向への移動量が、第一の表示手段に重なる方向への移動量よりも小さくてもよい。
【０８１８】
可動体の初期位置は第一の表示手段の前方でなくてもよい。
【０８１９】
可動体が複数の可動部を有する一体的な可動体であってもよい。例えば、可動するサブ液晶と当該サブ液晶の近傍で可動する別の可動体を一体的な可動体としてもよい。
【０８２０】
文字形状が表す文字には、遊技台の機種名等の少なくとも一部が含まれるタイトルロゴの文字や、遊技台の特徴や遊技台のタイトルやモチーフに関連した特徴的な文字（例えば、潜伏確変を有する遊技台であれば「潜」や「怪」等、時代劇をモチーフにしていれば「戦」、「闘」等）が挙げられる。なお、文字数は二文字以上であってもよい。
【０８２１】
可動体は発光手段を備えていなくもよい。また、複数の文字部のうち少なくとも一つの文字部が発光する構成であってもよい。
【０８２２】
可動体は多段階動作を実行しない構成であって、単に移動動作のみ実行可能であってもよい。
【０８２３】
本例では、検出手段は、可動体が第二の位置に位置する場合に可動体の位置を検出可能である。可動体は、一旦、検出手段により位置を検出された後に、初期位置に復帰する。本例では、検出手段が可動体が第二の位置に位置する場合に可動体の位置を検出可能である場合には可動体が第一の表示手段の上方の位置である第二の位置に移動した後に初期値位置に復帰する。また、例えば、検出手段が可動体が第三の位置に位置する場合に可動体の位置を検出可能である場合には可動体が第一の表示手段の前方の位置である第三の位置に移動した後に初期値位置に復帰する。このため、検出手段が可動体が第二の位置に位置する場合に可動体の位置を検出可能である場合は、検出手段が可動体が第三の位置に位置する場合に可動体の位置を検出可能である場合よりも、可動体が第一の表示手段の表示を隠すことなく初期位置に復帰することができる。なお、検出手段は、可動体が第三の位置に位置する場合に可動体の位置を検出可能であってもよいし、可動体が第一の位置に位置する場合に可動体の位置を検出可能であってもよい。
【０８２４】
（Ｅ１）
複数の可動体を備えた遊技台であって、
前記複数の可動体のうちの少なくとも一つは、第一の領域（例えば、図１９（ａ）参照）から第三の領域（例えば、図１９（ｂ）参照）へ少なくとも可動可能な可動体（以下、「第一の可動体」という。）（例えば、ロゴ可動体９０２）であり、
前記複数の可動体のうちの少なくとも一つは、第二の領域（例えば、図２４（ａ）、図２８（ａ）参照）から第四の領域（例えば、図２４（ｃ）、図２８（ｃ）参照）へ少なくとも可動可能な可動体（以下、「第二の可動体」という。）（例えば、上部前可動体１００２、レンズ可動体１００２ａ、上部後可動体１１０２）であり、
前記第四の領域は、前記第一の領域の少なくとも一部の領域を含む領域であり、
前記第一の領域は、前記第一の可動体が可動する前の状態（例えば、初期位置に位置する状態）において該第一の可動体が占める領域であり、
前記第四の領域は、前記第二の可動体が可動した後の状態（例えば、最下方の位置に移動した後の状態）において該第二の可動体が占める領域である、
ことを特徴とする遊技台。
【０８２５】
上記遊技台によれば、可動体に特徴を持った遊技台を提供できる場合がある。また、複数の可動体が関連して多彩な動作が可能となる場合がある。
【０８２６】
（Ｅ２）
（Ｅ１）に記載の遊技台であって、
前記第二の可動体は、前記第一の可動体に対して前後方向に少なくとも位置する可動体であり（例えば、図１６、図１７参照）、
前記第二の可動体は、前記第四の領域に可動する場合に、前後方向に少なくとも可動可能な可動体である（例えば、図２５参照）、
ことを特徴とする遊技台。
【０８２７】
上記遊技台によれば、前方に移動する第二の可動体が遊技者にインパクトを与えることができる場合がある。
【０８２８】
（Ｅ３）
（Ｅ１）または（Ｅ２）に記載の遊技台であって、
前記第二の領域は、前記第二の可動体が可動する前の状態（例えば、初期位置に位置する状態）において該第二の可動体が占める領域であり（例えば、図２４（ａ）参照）、
前記第二の領域は、少なくとも一部の領域が前記第一の領域の前後方向となる領域である（例えば、図１６、図１７参照）、
ことを特徴とする遊技台。
【０８２９】
上記遊技台によれば、通常時に複数の可動体が遊技者側から見えることで可動体の動作を遊技者に期待させることができる場合がある。
【０８３０】
（Ｅ４）
（Ｅ１）乃至（Ｅ３）のいずれか一項に記載の遊技台であって、
表示を少なくとも表示可能な第一の表示手段（例えば、装飾図柄表示装置２０８）を備え、
前記第四の領域は、少なくとも一部の領域が前記第一の表示手段の前方となる領域を含む領域である（例えば、図４１（ｈ）参照）、
ことを特徴とする遊技台。
【０８３１】
上記遊技台によれば、第一の表示手段の表示に関連して第二の可動体を動作させることができる場合がある。
【０８３２】
（Ｅ５）
（Ｅ４）に記載の遊技台であって、
前記第一の可動体は、前記第一の領域から第五の領域（例えば、図１９（ｃ）参照）へ少なくとも可動可能な可動体であり、
前記第五の領域は、少なくとも一部の領域が前記第一の表示手段の前方となる領域を含む領域であり（例えば、図３９（ｉ）参照）、
前記第五の領域は、前記第四の領域の少なくとも一部を含む領域である（例えば、図３９（ｉ）参照）、
ことを特徴とする遊技台。
【０８３３】
上記遊技台によれば、第一の可動体が第二の可動体の動作の前兆となる動作以外の動作を行うことができる場合がある。
【０８３４】
（Ｅ６）
（Ｅ５）に記載の遊技台であって、
前記第三の領域は、前記第一の領域から上方向にずれた領域であり、
前記第五の領域は、前記第一の領域から下方向にずれた領域である、
ことを特徴とする遊技台。
【０８３５】
上記遊技台によれば、第一の可動体が第一の表示手段の表示領域から遠ざかる上方向に移動することで意外性のある動作を行うことができる場合がある。また、第二の可動体が第一の表示手段の表示領域の前方へ出現する期待を高めることができる場合がある。
【０８３６】
（Ｅ７）
（Ｅ４）乃至（Ｅ６）のいずれか一項に記載の遊技台であって、
前記第一の領域は、少なくとも一部の領域が前記第一の表示手段の前方となる領域を含む領域である、
ことを特徴とする遊技台。
【０８３７】
上記遊技台によれば、初期状態において第一の可動体が表示領域の前方に位置することで、表示領域から遠ざかる方向への第一の可動体の動作を見逃さないようにすることができる場合がある。
【０８３８】
（Ｅ８）
（Ｅ１）乃至（Ｅ７）のいずれか一項に記載の遊技台であって、
表示を少なくとも表示可能な第二の表示手段（例えば、サブ表示装置）を備え、
前記第一の可動体および前記第二の可動体のうちの一方の可動体は、前記第二の表示手段を含む可動体である、
ことを特徴とする遊技台。
【０８３９】
上記遊技台によれば、第二の表示手段の表示内容に注目させることで、第二の表示手段を備える可動体の動作自体にも注目させることができる場合がある。
【０８４０】
（Ｅ９）
（Ｅ１）乃至（Ｅ７）のいずれか一項に記載の遊技台であって、
表示を少なくとも表示可能な第二の表示手段（例えば、サブ表示装置）を備え、
前記第三の領域は、少なくとも一部の領域が前記第二の表示手段の前方となる領域を含む領域である、
ことを特徴とする遊技台。
【０８４１】
上記遊技台によれば、第一の可動体の移動先にも第二の表示手段があることにより第一の可動体の動作にも自然と注目させることができる場合がある。
【０８４２】
（Ｅ１０）
（Ｅ１）乃至（Ｅ９）のいずれか一項に記載の遊技台であって、
前記遊技台は、パチンコ機（例えば、パチンコ機１００）である、
ことを特徴とする遊技台。
【０８４３】
（Ｅ１１）
（Ｅ１）乃至（Ｅ９）のいずれか一項に記載の遊技台であって、
前記遊技台は、スロットマシン（例えば、スロットマシン２０００）である、
ことを特徴とする遊技台。
【０８４４】
前記第一の領域は、前記第一の可動体が第一の位置に位置する場合において該第一の可動体が占める領域であり、
前記第一の位置は、前記第一の可動体の初期位置である。
【０８４５】
第二の可動体は、第一の可動体の初期位置を含む位置に移動可能である。
第一の可動体は、例えば、ロゴ可動体９０２である。また、第二の可動体は、上部前可動体１００２、レンズ可動体１００２ａ、または上部後可動体１１０２である。
【０８４６】
第一の領域と第二の領域は、共通の領域を有さず、前後方向で重なっていてもよい。
また、第一の領域と第四の領域は、共通の領域を有さず、前後方向で重なっていてもよい。
【０８４７】
第二の可動体の後方に第一の可動体が配置されており、第二の可動体が後方に移動可能であってもよい。
【０８４８】
上記遊技台は、
前記第一の可動体は、初期位置に位置する状態で遊技者から視認可能な可動体であり、
前記第二の可動体は、初期位置に位置する状態で遊技者から視認可能な可動体である、ことを特徴とする。
【０８４９】
上記遊技台は、
図柄変動表示を少なくとも実行可能な図柄表示手段（例えば、特図１表示装置２１２、特図２表示装置２１４）と、
前記図柄変動表示の開始を少なくとも保留可能な保留手段（例えば、ＲＡＭ３０８）と、
を備え、
実行中の図柄変動表示に対する予告（以下、「第一の予告」という。）が少なくとも実行可能に構成され、
保留中の図柄変動表示に対する予告（以下、「第二の予告」という。）が少なくとも実行可能に構成され、
前記第一の可動体および前記第二の可動体のうちの少なくとも一方の可動体は、前記第一の予告の実行に使用可能な可動体であり、
前記第一の可動体および前記第二の可動体のうちの少なくとも一方の可動体は、前記第二の予告の実行に使用可能な可動体である、
ことを特徴とする。
【０８５０】
上記遊技台であって、
前記第一の可動体は、前記第一の領域から第五の領域へ少なくとも移動可能な可動体であり、
前記第五の領域は、少なくとも一部の領域が前記第一の表示手段の前方となる領域を含まない領域であり、
前記第五の領域は、前記第四の領域の少なくとも一部を含まない領域である、
ことを特徴とする。
【０８５１】
第五の領域は、第一の表示手段の下方の領域である。
【０８５２】
第一の可動体および第二の可動体の一方または両方がフ第二の表示手段を少なくともふくんでいてもよい。
・第二の可動体は、第一の可動体に対して前後方向以外の方向、例えば、左右方向にずれた位置に配置されていてもよい。第二の可動体が第一の可動体に対して前後方向に位置する場合には、可動体の収納がコンパクトにできる場合がある。
【０８５３】
第四の領域は、第一の表示手段の前方となる領域を含まない領域であってもよいし、第四の領域の全てが第一の表示手段の前方となる領域であってもよい。
【０８５４】
第一の可動体は、第二の可動体の動作範囲外（例えば、第六の領域）に移動動作が可能であってもよい。
【０８５５】
第一の可動体は、第一の表示手段に近づく方向に移動可能な構成であってもよい。
第二の可動体は、第一の可動体よりも第一の表示手段から遠い位置で移動動作可能であってもよい。
【０８５６】
第一の可動体は、初期位置に位置する場合、第一の表示手段の表示領域に前後方向で重ならずに、当該表示領域を隠さない構成であってもよい。
【０８５７】
初期状態において、複数の可動体が前後方向に重ならない構成であってもよい。例えば、第一の可動体および第二の可動体のうち一方の可動体は第一の表示手段の上部に位置し、他方の可動体は第一の表示装置の下部に位置し、一方の可動体の動作範囲が他方の可動体の動作範囲に移動するために他方の可動体を待避させる動作を行う構成であってもよい。
【０８５８】
第一の可動体は、メインの表示装置（例えば、装飾図柄表示装置２０８）を備えていてもよい。
第一の可動体は、サブの表示装置（例えば、サブ表示装置）を備えていてもよい。
第二の可動体は、メインの表示装置（例えば、装飾図柄表示装置２０８）を備えていてもよい。
第二の可動体は、サブの表示装置（例えば、サブ表示装置）を備えていてもよい。
メインの表示装置、およびサブの表示装置により第一の可動体と第二の可動体が構成されてもよい。
メインの表示装置、およびサブの表示装置に表示される演出表示は、装飾図柄変動表示、保留アイコン等の保留表示（先読み予告の一例）、変動アイコン（予告の一例）、第四の図柄、遊技状態等の情報表示等であるが、いずれの表示装置に何を表示してもよいし、両方の表示装置で同じ情報を表示してもよいし、所定条件の成立等でメインの表示装置とサブの表示装置での表示を入れ替える構成であってもよい。
【０８５９】
複数の可動体を備えた遊技台であって、
前記複数の可動体のうちの少なくとも一の可動体は、第一の可動体であり、
前記複数の可動体のうちの少なくとも一の可動体は、第二の可動体であり、
前記第一の可動体は、第一の位置から第三の位置に移動可能であり、
前記第二の可動体は、第二の位置から第四の位置に移動可能であり、
前記第一の位置は、前記第一の可動体の初期位置であり、
前記第二の位置は、前記第二の可動体の初期位置であり、
前記第三の位置は、前記第一の位置の上方の位置であり、
前記第四の位置は、前記第二の位置の下方の位置である、
ことを特徴とする遊技台。
【０８６０】
複数の可動体を備えた遊技台であって、
前記複数の可動体のうちの少なくとも一の可動体は、第一の可動体であり、
前記複数の可動体のうちの少なくとも一の可動体は、第二の可動体であり、
前記第一の可動体は、第一の位置から第三の位置に移動可能であり、
前記第二の可動体は、第二の位置から第四の位置に移動可能であり、
前記第一の位置は、前記第一の可動体の初期位置であり、
前記第二の位置は、前記第二の可動体の初期位置であり、
前記第三の位置は、前記第一の位置の下方の位置であり、
前記第四の位置は、前記第二の位置の上方の位置である、
ことを特徴とする遊技台。
【０８６１】
（Ｆ１）
複数の可動体を備えた遊技台であって、
前記複数の可動体のうちの少なくとも一つ（以下、「第一の可動体」という。（例えば、上部前可動体１００２、レンズ可動体１００２ａ））は、第一の位置（例えば、初期位置、最上方の位置、図２４（ａ）参照）から第三の位置（例えば、最下方の位置、図２４（ｃ）参照）へ少なくとも可動可能な可動体であり、
前記複数の可動体のうちの少なくとも一つ（以下、「第二の可動体」という。（例えば、上部後可動体１１０２））は、第二の位置（例えば、初期位置、最上方の位置、図２８（ａ）参照）から第四の位置（例えば、最下方の位置、図２８（ｃ）参照）へ少なくとも可動可能な可動体であり、
前記第二の位置に位置する前記第二の可動体は、前記第一の位置に位置する前記第一の可動体と少なくとも一部が前後方向に重なる可動体であり（例えば、図１６、図１７参照）、
前記第四の位置に位置する前記第二の可動体は、前記第三の位置に位置する前記第一の可動体と少なくとも一部が前後方向に重なる可動体である（例えば、図４１（ｈ）参照）、
ことを特徴とする遊技台。
【０８６２】
上記遊技台によれば、可動体に特徴を持った遊技台を提供できる。また、複数の可動体の位置関係を維持して動作させることができる場合がある。
【０８６３】
（Ｆ２）
（Ｆ１）に記載の遊技台であって、
前記第一の可動体は、前記第二の可動体の前方に位置する可動体であり（例えば、図１６、図１７参照）、
前記第一の可動体は、該第一の可動体の後方を視認可能な視認領域（例えば、開口部１０１２ａ、１０１４ｄ、１００２ｂ５）が少なくとも設けられた可動体であり、
前記第二の位置に位置する前記第二の可動体の少なくとも一部は、前記第一の位置に位置する前記第一の可動体の前記視認領域から視認可能とされるものであり（例えば、図４０（ｊ）参照）、
前記第四の位置に位置する前記第二の可動体の少なくとも一部は、前記第三の位置に位置する前記第一の可動体の前記視認領域から視認可能とされるものである（例えば、図４１（ｈ）参照）、
ことを特徴とする遊技台。
【０８６４】
上記遊技台によれば、第二の可動体を第一の可動体の視認領域から見せることができるので、第二の可動体が第一の可動体と前後方向で重なる位置に移動しても演出効果を高めることができる場合がある。
【０８６５】
（Ｆ３）
（Ｆ２）に記載の遊技台であって、
前記第一の可動体（例えば、レンズ可動体１００２ａ）は、前記第三の位置（例えば、最後方の位置、図２３（ａ）、図２４（ｃ）参照）から第五の位置（例えば、最前方の位置、図２３（ｂ）、図２５参照）へ少なくとも移動可能な可動体であり、
前記第五の位置は、前記第三の位置の前方となる位置であり（例えば、図２５参照）、
前記視認領域は、レンズ（例えば、レンズ１０１８）を含む領域であり、
前記第四の位置に位置する前記第二の可動体の少なくとも一部は、前記第三の位置に位置する前記第一の可動体の前記視認領域から視認可能とされるものであり（例えば、図４３（ａ）参照）、
前記第二の可動体は、前記第一の可動体が前記第三の位置に位置する場合よりも前記第五の位置に位置する場合の方が前記視認領域により大きく視認可能とされる可動体である（例えば、図４３（ｂ）参照）、
ことを特徴とする遊技台。
【０８６６】
上記遊技台によれば、第一の可動体と第二の可動体の相対的な位置関係を変化させて可動体の見え方を変化させることができる場合がある。また、第二の可動体を拡大して遊技者に見せることができる場合がある。
【０８６７】
（Ｆ４）
（Ｆ１）乃至（Ｆ３）のいずれか一項に記載の遊技台であって、
表示を少なくとも表示可能な表示手段（例えば、装飾図柄表示装置２０８）を備え、
前記第三の位置は、前記第一の可動体の少なくとも一部が前記表示手段の前方となる位置であり（例えば、図４３（ａ）参照）、
前記第四の位置は、前記第二の可動体の少なくとも一部が前記表示手段の前方となる位置である（例えば、図４３（ａ）参照）、
ことを特徴とする遊技台。
【０８６８】
上記遊技台によれば、表示手段の前方で可動体が多彩な動作を行うことができる場合がある。
【０８６９】
（Ｆ５）
（Ｆ１）乃至（Ｆ４）のいずれか一項に記載の遊技台であって、
前記第一の可動体は、第一の駆動手段（例えば、モータ１０７０）により可動可能な可動体であり、
前記第二の可動体は、第二の駆動手段（例えば、モータ１１５２）により可動可能な可動体であり、
前記第二の可動体は、前記第一の可動体が前記第一の位置に位置する場合に、前記第二の位置に位置しない場合がある可動体であり、
前記第二の可動体は、前記第一の可動体が前記第三の位置に位置する場合に、前記第四の位置に位置しない場合がある可動体である、
ことを特徴とする遊技台。
【０８７０】
上記遊技台によれば、第一の可動体と第二の可動体が上下方向に同じ位置で動作可能でもあり、第一の可動体と第二の可動体が独立して動作可能でもあるため、可動体の動作のバリエーションを増加させることができる場合がある。
【０８７１】
（Ｆ６）
（Ｆ１）乃至（Ｆ５）のいずれか一項に記載の遊技台であって、
前記第一の可動体は、上下方向に動作可能な可動体であり（例えば、図２４参照）、
前記第二の可動体は、上下方向に動作可能な可動体である（例えば、図２８参照）、ことを特徴とする遊技台。
【０８７２】
（Ｆ７）
（Ｆ１）乃至（Ｆ６）のいずれか一項に記載の遊技台であって、
前記遊技台は、パチンコ機（例えば、パチンコ機１００）である、
ことを特徴とする遊技台。
【０８７３】
（Ｆ８）
（Ｆ１）乃至（Ｆ６）のいずれか一項に記載の遊技台であって、
前記遊技台は、スロットマシン（例えば、スロットマシン２０００）である、
ことを特徴とする遊技台。
（Ｆ９）
複数の可動体を備えた遊技台であって、
前記複数の可動体のうちの一つ（以下、「第一の可動体」という。（例えば、上部前可動体１００２、レンズ可動体１００２ａ））は、第一の位置（例えば、初期位置、最上方の位置、図２４（ａ）参照）から第三の位置（例えば、最下方の位置、図２４（ｃ）参照）へ移動可能な可動体であり、
前記複数の可動体のうちの一つ（以下、「第二の可動体」という。（例えば、上部後可動体１１０２））は、第二の位置（例えば、初期位置、最上方の位置、図２８（ａ）参照）から第四の位置（例えば、最下方の位置、図２８（ｃ）参照）へ移動可能な可動体であり、
前記第二の位置に位置する前記第二の可動体は、前記第一の位置に位置する前記第一の可動体と少なくとも一部が前後方向に重なる可動体であり（例えば、図１６、図１７参照）、
前記第四の位置に位置する前記第二の可動体は、前記第三の位置に位置する前記第一の可動体と少なくとも一部が前後方向に重なる可動体であり（例えば、図４３（ａ）参照）、
前記第一の可動体（例えば、レンズ可動体１００２ａ）は、前記第三の位置（例えば、最後方の位置、図２３（ａ）、図２４（ｃ）参照）から第五の位置（例えば、最前方の位置、図２３（ｂ）、図２５参照）へ移動可能な可動体であり、
前記第五の位置は、前記第三の位置の前方となる位置であり（例えば、図２５参照）、
前記第一の可動体は、前記第二の可動体の前方に位置する可動体であり（例えば、図１６、図１７参照）、
前記第一の可動体は、該第一の可動体の後方を視認可能な視認領域（例えば、開口部１０１２ａ、１０１４ｄ、１００２ｂ５）が設けられた可動体であり、
前記第二の位置に位置する前記第二の可動体の少なくとも一部は、前記第一の位置に位置する前記第一の可動体の前記視認領域から視認可能とされるものであり（例えば、図４０（ｊ）参照）、
前記第四の位置に位置する前記第二の可動体の少なくとも一部は、前記第三の位置に位置する前記第一の可動体の前記視認領域から視認可能とされるものであり（例えば、図４３（ａ）参照）、
前記第四の位置に位置する前記第二の可動体の少なくとも一部は、前記第五の位置に位置する前記第一の可動体の前記視認領域から視認可能とされるものである（例えば、図４１（ｈ）参照）、
ことを特徴とする遊技台。
（Ｆ１０）
（Ｆ９）に記載の遊技台であって、
前記視認領域は、レンズ（例えば、レンズ１０１８）を含む領域であり、
前記第二の可動体は、前記第一の可動体が前記第三の位置に位置する場合よりも前記第五の位置に位置する場合の方が前記視認領域により大きく視認可能とされる可動体である（例えば、図４３（ｂ）参照）、
ことを特徴とする遊技台。
（Ｆ１１）
（Ｆ９）または（Ｆ１０）に記載の遊技台であって、
前記第一の可動体は、前記第三の位置から前記第五の位置に移動する場合に、一部（例えば、前側装飾部１０１０の可動部１０１０ａ〜１０１０ｊ）が変形（例えば、前側装飾部１０１０の可動部１０１０ａ〜１０１０ｊがレンズ可動体１００２ａの外周方向に移動し、前側装飾部１０１０が開いた状態に変形）可能な可動体である、
ことを特徴とする遊技台。
（Ｆ１２）
（Ｆ９）乃至（Ｆ１１）のいずれか一項に記載の遊技台であって、
表示を表示可能な表示手段（例えば、装飾図柄表示装置２０８）を備え、
前記第三の位置は、前記第一の可動体の少なくとも一部が前記表示手段の前方となる位置であり（例えば、図４３（ａ）参照）、
前記第四の位置は、前記第二の可動体の少なくとも一部が前記表示手段の前方となる位置である（例えば、図４３（ａ）参照）、
ことを特徴とする遊技台。
（Ｆ１３）
（Ｆ９）乃至（Ｆ１２）のいずれか一項に記載の遊技台であって、
前記第一の可動体は、第一の駆動手段（例えば、モータ１０７０）により移動可能な可動体であり、
前記第二の可動体は、第二の駆動手段（例えば、モータ１１５２）により移動可能な可動体であり、
前記第二の可動体は、前記第一の可動体が前記第一の位置に位置する場合に、前記第二の位置に位置しない場合がある可動体であり、
前記第二の可動体は、前記第一の可動体が前記第三の位置に位置する場合に、前記第四の位置に位置しない場合がある可動体である（例えば、図４２（ｅ）参照）、
ことを特徴とする遊技台。
（Ｆ１４）
（Ｆ９）乃至（Ｆ１３）のいずれか一項に記載の遊技台であって、
前記第一の可動体は、上下方向に移動可能な可動体であり（例えば、図２４参照）、
前記第二の可動体は、上下方向に移動可能な可動体である（例えば、図２８参照）、
ことを特徴とする遊技台。
（Ｆ１５）
（Ｆ９）乃至（Ｆ１４）のいずれか一項に記載の遊技台であって、
前記遊技台は、パチンコ機（例えば、パチンコ機１００）である、
ことを特徴とする遊技台。
（Ｆ１６）
（Ｆ９）乃至（Ｆ１４）のいずれか一項に記載の遊技台であって、
前記遊技台は、スロットマシン（例えば、スロットマシン２０００）である、
ことを特徴とする遊技台。
（Ｆ１７）
複数の可動体を備えた遊技台であって、
前記複数の可動体のうちの一つ（以下、「第一の可動体」（例えば、上部前可動体１００２、レンズ可動体１００２ａ）という。）は、第一の位置（例えば、初期位置、最上方の位置、図２４（ａ）参照）から第三の位置（例えば、最下方の位置、図２４（ｃ）参照）へ移動可能な可動体であり、
前記複数の可動体のうちの一つ（以下、「第二の可動体」（例えば、上部後可動体１１０２）という。）は、第二の位置（例えば、初期位置、最上方の位置、図２８（ａ）参照）から第四の位置（例えば、最下方の位置、図２８（ｃ）参照）へ移動可能な可動体であり、
前記第一の可動体（例えば、レンズ可動体１００２ａ）は、前記第三の位置（例えば、最後方の位置、図２３（ａ）、図２４（ｃ）参照）から第五の位置（例えば、最前方の位置、図２３（ｂ）、図２５参照）へ移動可能な可動体であり、
前記第五の位置は、前記第三の位置の前方となる位置であり（例えば、図２５参照）、
前記第四の位置に位置する前記第二の可動体は、前記第三の位置に位置する前記第一の可動体と少なくとも一部が前後方向に重なる可動体であり（例えば、図４３（ａ）参照）、
前記第一の可動体は、後方を視認可能な視認領域（例えば、開口部１０１２ａ、１０１４ｄ、１００２ｂ５）が設けられた可動体であり、
前記第四の位置に位置する前記第二の可動体の少なくとも一部は、前記第三の位置に位置する前記第一の可動体の前記視認領域を通して視認可能とされるものであり（例えば、図４３（ａ）参照）、
前記第四の位置に位置する前記第二の可動体の少なくとも一部は、前記第五の位置に位置する前記第一の可動体の前記視認領域を通して視認可能とされるものである（例えば、図４１（ｈ）、図４３（ｂ）参照）、
ことを特徴とする遊技台。
（Ｆ１８）
（Ｆ１７）に記載の遊技台であって、
前記第二の位置に位置する前記第二の可動体は、前記第一の位置に位置する前記第一の可動体と少なくとも一部が前後方向に重なる可動体であり（例えば、図１６、図１７参照）、
前記第二の位置に位置する前記第二の可動体の少なくとも一部は、前記第一の位置に位置する前記第一の可動体の前記視認領域を通して視認可能とされるものである（例えば、図４０（ｊ）参照）、
ことを特徴とする遊技台。
（Ｆ１９）
（Ｆ１７）または（Ｆ１８）に記載の遊技台であって、
前記第一の可動体は、第一の形状（例えば、前側装飾部１０１０が閉じた状態の形状）で前記第三の位置に位置する可動体であり、
前記第一の可動体は、前記第三の位置から前記第五の位置に移動する動作に関連して前記第一の形状から第二の形状（例えば、前側装飾部１０１０が開いた状態の形状）に変化する可動体である、
ことを特徴とする遊技台。
（Ｆ２０）
（Ｆ１７）または（Ｆ１８）に記載の遊技台であって、
前記第一の可動体は、第一の形状（例えば、前側装飾部１０１０が閉じた状態の形状）で前記第三の位置に位置する可動体であり、
前記第一の可動体は、前記第一の形状とは異なる第二の形状（例えば、前側装飾部１０１０が開いた状態の形状）で前記第五の位置に位置する可動体である、
ことを特徴とする遊技台。
（Ｆ２１）
（Ｆ１７）乃至（Ｆ２０）のいずれか一項に記載の遊技台であって、
前記第一の可動体は、第一の駆動手段（例えば、モータ１０７０）により移動可能な可動体であり、
前記第二の可動体は、第二の駆動手段（例えば、モータ１１５２）により移動可能な可動体である、
ことを特徴とする遊技台。
（Ｆ２２）
（Ｆ１７）乃至（Ｆ２１）のいずれか一項に記載の遊技台であって、
表示手段（例えば、装飾図柄表示装置２０８）を備え、
前記第三の位置に位置する前記第一の可動体は、前記表示手段の前方側で該表示手段と重なる可動体であり（例えば、図４２（ｂ）、（ｅ）参照）、
前記第四の位置に位置する前記第二の可動体は、前記表示手段の前方側で該表示手段と重なる可動体であり（例えば、図４２（ｂ）参照）、
前記第五の位置に位置する前記第一の可動体は、前記表示手段の前方側で該表示手段と重なる可動体である（例えば、図４４（ａ）参照）、
ことを特徴とする遊技台。
（Ｆ２３）
（Ｆ１７）乃至（Ｆ２２）のいずれか一項に記載の遊技台であって、
前記遊技台は、パチンコ機（例えば、パチンコ機１００）である、
ことを特徴とする遊技台。
（Ｆ２４）
（Ｆ１７）乃至（Ｆ２２）のいずれか一項に記載の遊技台であって、
前記遊技台は、スロットマシン（例えば、スロットマシン２０００）である、
ことを特徴とする遊技台。
（Ｆａ１）
複数の可動体を備えた遊技台であって、
前記複数の可動体のうちの一つ（以下、「第一の可動体」（例えば、上部前可動体１００２、レンズ可動体１００２ａ）という。）は、第一の位置（例えば、初期位置、最上方の位置、図２４（ａ）参照）から第三の位置（例えば、最下方の位置、図２４（ｃ）参照）へ移動可能な可動体であり、
前記複数の可動体のうちの一つ（以下、「第二の可動体」（例えば、上部後可動体１１０２）という。）は、第二の位置（例えば、初期位置、最上方の位置、図２８（ａ）参照）から第四の位置（例えば、最下方の位置、図２８（ｃ）参照）へ移動可能な可動体であり、
前記第一の可動体（例えば、レンズ可動体１００２ａ）は、前記第三の位置（例えば、最後方の位置、図２３（ａ）、図２４（ｃ）参照）から第五の位置（例えば、最前方の位置、図２３（ｂ）、図２５参照）へ移動可能な可動体であり、
前記第五の位置は、前記第三の位置の前方となる位置であり（例えば、図２５参照）、
前記第四の位置に位置する前記第二の可動体は、前記第三の位置に位置する前記第一の可動体と少なくとも一部が前後方向に重なる可動体であり（例えば、図４３（ａ）参照）、
前記第一の可動体は、後方を視認可能な視認領域（例えば、開口部１０１２ａ、１０１４ｄ、１００２ｂ５）が設けられた可動体であり、
前記第四の位置に位置する前記第二の可動体の少なくとも一部は、前記第三の位置に位置する前記第一の可動体の前記視認領域を通して視認可能とされるものであり（例えば、図４３（ａ）参照）、
前記第四の位置に位置する前記第二の可動体の少なくとも一部は、前記第五の位置に位置する前記第一の可動体の前記視認領域を通して視認可能とされるものであり（例えば、図４１（ｈ）、図４３（ｂ）参照）、
前記第一の可動体は、第一の形状（例えば、前側装飾部１０１０が閉じた状態の形状）で前記第三の位置に位置する可動体であり、
前記第一の可動体は、前記第三の位置から前記第五の位置に移動する動作に関連して前記第一の形状から第二の形状（例えば、前側装飾部１０１０が開いた状態の形状）に変化する可動体である、
ことを特徴とする遊技台。
（Ｆａ２）
上記Ｆａ１に記載の遊技台であって、
前記第二の位置に位置する前記第二の可動体は、前記第一の位置に位置する前記第一の可動体と少なくとも一部が前後方向に重なる可動体であり（例えば、図１６、図１７参照）、
前記第二の位置に位置する前記第二の可動体の少なくとも一部は、前記第一の位置に位置する前記第一の可動体の前記視認領域を通して視認可能とされるものである（例えば、図４０（ｊ）参照）、
ことを特徴とする遊技台。
（Ｆａ３）
上記Ｆａ１またはＦａ２に記載の遊技台であって、
前記第一の可動体は、第一の駆動手段（例えば、モータ１０７０）により移動可能な可動体であり、
前記第二の可動体は、第二の駆動手段（例えば、モータ１１５２）により移動可能な可動体である、
ことを特徴とする遊技台。
（Ｆａ４）
複数の可動体を備えた遊技台であって、
前記複数の可動体のうちの一つ（以下、「第一の可動体」（例えば、上部前可動体１００２、レンズ可動体１００２ａ）という。）は、第一の位置（例えば、初期位置、最上方の位置、図２４（ａ）参照）から第三の位置（例えば、最下方の位置、図２４（ｃ）参照）へ移動可能な可動体であり、
前記複数の可動体のうちの一つ（以下、「第二の可動体」（例えば、上部後可動体１１０２）という。）は、第二の位置（例えば、初期位置、最上方の位置、図２８（ａ）参照）から第四の位置（例えば、最下方の位置、図２８（ｃ）参照）へ移動可能な可動体であり、
前記第一の可動体（例えば、レンズ可動体１００２ａ）は、前記第三の位置（例えば、最後方の位置、図２３（ａ）、図２４（ｃ）参照）から第五の位置（例えば、最前方の位置、図２３（ｂ）、図２５参照）へ移動可能な可動体であり、
前記第五の位置は、前記第三の位置の前方となる位置であり（例えば、図２５参照）、
前記第四の位置に位置する前記第二の可動体は、前記第三の位置に位置する前記第一の可動体と少なくとも一部が前後方向に重なる可動体であり（例えば、図４３（ａ）参照）、
前記第一の可動体は、後方を視認可能な視認領域（例えば、開口部１０１２ａ、１０１４ｄ、１００２ｂ５）が設けられた可動体であり、
前記第四の位置に位置する前記第二の可動体の少なくとも一部は、前記第三の位置に位置する前記第一の可動体の前記視認領域を通して視認可能とされるものであり（例えば、図４３（ａ）参照）、
前記第四の位置に位置する前記第二の可動体の少なくとも一部は、前記第五の位置に位置する前記第一の可動体の前記視認領域を通して視認可能とされるものであり（例えば、図４１（ｈ）、図４３（ｂ）参照）、
前記第一の可動体は、第一の形状（例えば、前側装飾部１０１０が閉じた状態の形状）で前記第三の位置に位置する可動体であり、
前記第一の可動体は、前記第一の形状とは異なる第二の形状（例えば、前側装飾部１０１０が開いた状態の形状）で前記第五の位置に位置する可動体である、
ことを特徴とする遊技台。
（Ｆａ５）
上記Ｆａ４に記載の遊技台であって、
前記第二の位置に位置する前記第二の可動体は、前記第一の位置に位置する前記第一の可動体と少なくとも一部が前後方向に重なる可動体であり（例えば、図１６、図１７参照）、
前記第二の位置に位置する前記第二の可動体の少なくとも一部は、前記第一の位置に位置する前記第一の可動体の前記視認領域を通して視認可能とされるものである（例えば、図４０（ｊ）参照）、
ことを特徴とする遊技台。
（Ｆａ６）
上記Ｆａ４またはＦａ５に記載の遊技台であって、
前記第一の可動体は、第一の駆動手段（例えば、モータ１０７０）により移動可能な可動体であり、
前記第二の可動体は、第二の駆動手段（例えば、モータ１１５２）により移動可能な可動体である、
ことを特徴とする遊技台。
（Ｆａ７）
複数の可動体を備えた遊技台であって、
前記複数の可動体のうちの一つ（以下、「第一の可動体」（例えば、上部前可動体１００２、レンズ可動体１００２ａ）という。）は、第一の位置（例えば、初期位置、最上方の位置、図２４（ａ）参照）から第三の位置（例えば、最下方の位置、図２４（ｃ）参照）へ移動可能な可動体であり、
前記複数の可動体のうちの一つ（以下、「第二の可動体」（例えば、上部後可動体１１０２）という。）は、第二の位置（例えば、初期位置、最上方の位置、図２８（ａ）参照）から第四の位置（例えば、最下方の位置、図２８（ｃ）参照）へ移動可能な可動体であり、
前記第一の可動体（例えば、レンズ可動体１００２ａ）は、前記第三の位置（例えば、最後方の位置、図２３（ａ）、図２４（ｃ）参照）から第五の位置（例えば、最前方の位置、図２３（ｂ）、図２５参照）へ移動可能な可動体であり、
前記第五の位置は、前記第三の位置の前方となる位置であり（例えば、図２５参照）、
前記第四の位置に位置する前記第二の可動体は、前記第三の位置に位置する前記第一の可動体と少なくとも一部が前後方向に重なる可動体であり（例えば、図４３（ａ）参照）、
前記第一の可動体は、後方を視認可能な視認領域（例えば、開口部１０１２ａ、１０１４ｄ、１００２ｂ５）が設けられた可動体であり、
前記第四の位置に位置する前記第二の可動体の少なくとも一部は、前記第三の位置に位置する前記第一の可動体の前記視認領域を通して視認可能とされるものであり（例えば、図４３（ａ）参照）、
前記第四の位置に位置する前記第二の可動体の少なくとも一部は、前記第五の位置に位置する前記第一の可動体の前記視認領域を通して視認可能とされるものであり（例えば、図４１（ｈ）、図４３（ｂ）参照）、
前記第一の可動体は、第一の駆動手段（例えば、モータ１０７０）により移動可能な可動体であり、
前記第二の可動体は、第二の駆動手段（例えば、モータ１１５２）により移動可能な可動体である、
ことを特徴とする遊技台。
（Ｆａ８）
上記Ｆａ７に記載の遊技台であって、
前記第二の位置に位置する前記第二の可動体は、前記第一の位置に位置する前記第一の可動体と少なくとも一部が前後方向に重なる可動体であり（例えば、図１６、図１７参照）、
前記第二の位置に位置する前記第二の可動体の少なくとも一部は、前記第一の位置に位置する前記第一の可動体の前記視認領域を通して視認可能とされるものである（例えば、図４０（ｊ）参照）、
ことを特徴とする遊技台。
（Ｆａ９）
上記Ｆａ１乃至Ｆａ８のいずれか一項に記載の遊技台であって、
表示手段（例えば、装飾図柄表示装置２０８）を備え、
前記第三の位置に位置する前記第一の可動体は、前記表示手段の前方側で該表示手段と重なる可動体であり（例えば、図４２（ｂ）、（ｅ）参照）、
前記第四の位置に位置する前記第二の可動体は、前記表示手段の前方側で該表示手段と重なる可動体であり（例えば、図４２（ｂ）参照）、
前記第五の位置に位置する前記第一の可動体は、前記表示手段の前方側で該表示手段と重なる可動体である（例えば、図４４（ａ）参照）、
ことを特徴とする遊技台。
（Ｆａ１０）
上記Ｆａ１乃至Ｆａ９のいずれか一項に記載の遊技台であって、
前記遊技台は、パチンコ機（例えば、パチンコ機１００）である、
ことを特徴とする遊技台。
（Ｆａ１１）
上記Ｆａ１乃至Ｆａ９のいずれか一項に記載の遊技台であって、
前記遊技台は、スロットマシン（例えば、スロットマシン２０００）である、
ことを特徴とする遊技台。
（Ｆａ１２）
複数の可動体を備えた遊技台であって、
前記遊技台は、スロットマシン（例えば、スロットマシン２０００）であり、
前記複数の可動体のうちの一つ（以下、「第一の可動体」（例えば、上部前可動体１００２、レンズ可動体１００２ａ）という。）は、第一の位置（例えば、初期位置、最上方の位置、図２４（ａ）参照）から第三の位置（例えば、最下方の位置、図２４（ｃ）参照）へ移動可能な可動体であり、
前記複数の可動体のうちの一つ（以下、「第二の可動体」（例えば、上部後可動体１１０２）という。）は、第二の位置（例えば、初期位置、最上方の位置、図２８（ａ）参照）から第四の位置（例えば、最下方の位置、図２８（ｃ）参照）へ移動可能な可動体であり、
前記第一の可動体（例えば、レンズ可動体１００２ａ）は、前記第三の位置（例えば、最後方の位置、図２３（ａ）、図２４（ｃ）参照）から第五の位置（例えば、最前方の位置、図２３（ｂ）、図２５参照）へ移動可能な可動体であり、
前記第五の位置は、前記第三の位置の前方となる位置であり（例えば、図２５参照）、
前記第四の位置に位置する前記第二の可動体は、前記第三の位置に位置する前記第一の可動体と少なくとも一部が前後方向に重なる可動体であり（例えば、図４３（ａ）参照）、
前記第一の可動体は、後方を視認可能な視認領域（例えば、開口部１０１２ａ、１０１４ｄ、１００２ｂ５）が設けられた可動体であり、
前記第四の位置に位置する前記第二の可動体の少なくとも一部は、前記第三の位置に位置する前記第一の可動体の前記視認領域を通して視認可能とされるものであり（例えば、図４３（ａ）参照）、
前記第四の位置に位置する前記第二の可動体の少なくとも一部は、前記第五の位置に位置する前記第一の可動体の前記視認領域を通して視認可能とされるものである（例えば、図４１（ｈ）、図４３（ｂ）参照）、
ことを特徴とする遊技台。
（Ｆａ１３）
上記Ｆａ１２に記載の遊技台であって、
表示手段（例えば、装飾図柄表示装置２０８）を備え、
前記第三の位置に位置する前記第一の可動体は、前記表示手段の前方側で該表示手段と重なる可動体であり（例えば、図４２（ｂ）、（ｅ）参照）、
前記第四の位置に位置する前記第二の可動体は、前記表示手段の前方側で該表示手段と重なる可動体であり（例えば、図４２（ｂ）参照）、
前記第五の位置に位置する前記第一の可動体は、前記表示手段の前方側で該表示手段と重なる可動体である（例えば、図４４（ａ）参照）、
ことを特徴とする遊技台。
【０８７４】
第一の可動体と第二の可動体は、上下方向において動作範囲がほぼ同じであるが、異なる範囲に動作可能な構成であってもよく、第二の可動体の回転動作（例えば、回転装飾部１１２４の回転動作）も異なる範囲への移動を伴う動作に置き換えることも可能である。
【０８７５】
第一の可動体の駆動源と第二の可動体の駆動源が同じであってもよく、リンク機構等により、第一の可動体と第二の可動体の動作開始タイミングや相対的な位置関係に変化を与え、第一の可動体と第二の可動体があたかも個別の駆動源により独立して動作可能な構成に見せてもよい。
【０８７６】
第二の位置および第四の位置は表示手段の前方とならない位置であってもよい。この場合、第一の可動体と第二の可動体の動作に加えて表示領域を広く使用して演出を行うことができる場合がある。
【０８７７】
第一の位置および第三の位置は表示手段の前方側の位置であってもよいし、表示手段の前方側の位置でなくてもよい。また、第一の位置および第三の位置の少なくとも一方の位置が表示手段の前方となれば好ましいが、必ずしもその必要はない。
【０８７８】
第一の可動体は、第二の可動体を視認可能な視認領域を備えていなくてもよい。第一の可動体と第二の可動体の駆動源が別であれば、第一の可動体と第二の可動体を個別に動作させることができるため、第三の位置から外れた位置まで第二の可動体を動作させれば第二の可動体を遊技者に見せることができる場合がある。
【０８７９】
本実施の形態では、第五の位置は第三の位置の前方側であるが、第五の位置は第三の位置の後方側であってもよい。第一の可動体と第二の可動体との間が詰まる方向の位置が第六の位置であり、第一の可動体は第六の位置へ移動可動であってもよい。これにより、第一の可動体と第二の可動体の相対的な位置関係を変化させて可動体の見え方を変化させることができる場合がある。
【０８８０】
視認領域は、レンズ以外の構成も採用しうる。例えば、レンズの機能を有さない単なる透明板でもよいし、何もない開口部や切欠部等も上記の視認領域に採用可能である。
【０８８１】
第二の可動体は、第二の位置において第一の可動体の視認領域から視認可能な状態となっている場合に少なくとも回転可能であるが、第二の可動体を視認領域外で回転させてもよい。また、第二の可動体の回転動作は、第二の可動体を第二の位置から第四の位置へ移動させるための駆動源と異なる駆動源であってもよいし、同じ駆動源であってもよい。
【０８８２】
また、第一の表示としては、保留アイコン、変動アイコン、カットイン画像、キャラクタ画像、会話画像、装飾図柄、第四図柄、普図装飾図柄、エフェクト画像、演出を説明するチュートリアル表示、操作を説明するチュートリアル表示、ボタン画像、メータ画像、エラー表示（例えば、下皿満タンエラー）、注意喚起報知（例えば、プリペイドカードの忘れ防止の注意喚起報知）等が挙げられる。
【０８８３】
また、表示手段は、第二の領域で第二の表示を少なくとも表示可能な手段である。第二の領域は、第一の領域と同じであってもよいし、異なっていてもよいし、少なくとも一部が重なっていてもよい。また、第二の表示としては、保留アイコン、変動アイコン、カットイン画像、キャラクタ画像、会話画像、装飾図柄、第四図柄、普図装飾図柄、エフェクト画像、演出を説明するチュートリアル表示、操作を説明するチュートリアル表示、ボタン画像、メータ画像、エラー表示（例えば、下皿満タンエラー）、注意喚起報知（例えば、プリペイドカードの忘れ防止の注意喚起報知）等が挙げられる。第二の表示は、第一の表示と同じであってもよいし、異なっていてもよい。
【０８８４】
なお、上記において「少なくとも・・・可能」と記載された構成は、当該部分を「・・・のみ可能」と置き換えて解釈することもできる。例えば、「第一の動作を少なくとも実行可能」と記載された可動体は、「第一の動作のみを実行可能」な可動体と置き換えて解釈することもできる。
【０８８５】
また、上記において「・・・可能」と記載されている構成は、当該部分を「・・・しない場合があってもよいし、または必ず・・・する構成も含む」と置き換えて解釈することもできる。例えば、「第一の動作を少なくとも実行可能」と記載されている構成は、「第一の動作を実行しない場合があってもよいし、または、必ず第一の動作を実行する構成も含む手段」と置き換えて解釈することもできる。
【０８８６】
上記実施の形態による本発明は以下のようにまとめられる。
【０８８７】
（付記ｄ１）
表示を少なくとも表示可能な第一の表示手段と、
第一の動作を少なくとも実行可能な可動体と、
を備えた遊技台であって、
前記第一の動作は、前記可動体が第一の位置から上方へ可動する動作を少なくとも含む動作であり、
前記第一の位置に位置する前記可動体は、少なくとも一部が前記第一の表示手段よりも高い位置となる可動体である、
ことを特徴とする遊技台。
（付記ｄ２）
付記ｄ１に記載の遊技台であって、
前記可動体は、第二の動作を少なくとも実行可能な可動体であり、
前記第二の動作は、前記第一の位置から下方へ可動する動作であり、
前記第二の動作が行われた後は、前記可動体の少なくとも一部が前記第一の表示手段の前方側に位置する、
ことを特徴とする遊技台。
（付記ｄ３）
付記ｄ２に記載の遊技台であって、
前記第一の動作は、前記第一の位置から第二の位置へ可動する動作であり、
前記第二の動作は、前記第一の位置から第三の位置へ可動する動作であり、
前記第一の動作における可動量は、前記第二の動作における可動量よりも大きい、
ことを特徴とする遊技台。
（付記ｄ４）
付記ｄ３に記載の遊技台であって、
前記可動体の位置を少なくとも検出可能な検出手段を備え、
前記検出手段は、前記可動体が前記第二の位置に位置する場合に少なくとも該可動体の位置を検出可能な手段であり、
前記可動体は、前記第二の動作が行われた後で前記第一の位置に戻る場合は、前記第三の位置から前記第二の位置まで可動した後で前記第一の位置に戻る、
ことを特徴とする遊技台。
（付記ｄ５）
付記ｄ１乃至ｄ４のいずれか一項に記載の遊技台であって、
前記可動体は、回転動作を実行可能な回転機構を少なくとも含む可動体であり、
前記第一の動作は、前記回転動作が行われることに関連して前記可動体が上方へ可動する動作であり、
前記可動体は、複数の可動部によって少なくとも構成された可動体であり、
前記複数の可動部のうちの少なくとも一つ（以下、「第二の可動部」という。）は、前記複数の可動部のうちの前記第二の可動部とは別の少なくとも一つ（以下、「第一の可動部」という。）よりも前記回転動作における回転中心から遠い位置に設けられた可動部であり、
前記第一の動作は、前記第二の可動部の上方への可動量が前記第一の可動部の上方への可動量よりも大きくなる動作である、
ことを特徴とする遊技台。
（付記ｄ６）
付記ｄ５に記載の遊技台であって、
前記第一の動作は、前記複数の可動部のうちの少なくとも一の可動部が上方へ移動する動作である、
ことを特徴とする遊技台。
（付記ｄ７）
付記ｄ１乃至ｄ６のいずれか一項に記載の遊技台であって、
前記第一の位置は、前記可動体の少なくとも一部が前記第一の表示手段の前方側に位置する位置である、
ことを特徴とする遊技台。
（付記ｄ８）
付記ｄ１乃至ｄ７のいずれか一項に記載の遊技台であって、
前記可動体は、表示を少なくとも表示可能な第二の表示手段を含む可動体である、
ことを特徴とする遊技台。
（付記ｄ９）
付記ｄ１乃至ｄ８のいずれか一項に記載の遊技台であって、
前記可動体は、文字形状を備える文字部を少なくとも含む可動体であり、
前記可動体は、発光手段により前記文字部が発光可能な可動体である、
ことを特徴とする遊技台。
（付記ｄ１０）
付記ｄ１乃至ｄ９のいずれか一項に記載の遊技台であって、
前記遊技台は、パチンコ機である、
ことを特徴とする遊技台。
（付記ｄ１１）
付記ｄ１乃至ｄ９のいずれか一項に記載の遊技台であって、
前記遊技台は、スロットマシンである、
ことを特徴とする遊技台。
【０８８８】
（付記ｅ１）
複数の可動体を備えた遊技台であって、
前記複数の可動体のうちの少なくとも一つは、第一の領域から第三の領域へ少なくとも可動可能な可動体（以下、「第一の可動体」という。）であり、
前記複数の可動体のうちの少なくとも一つは、第二の領域から第四の領域へ少なくとも可動可能な可動体（以下、「第二の可動体」という。）であり、
前記第四の領域は、前記第一の領域の少なくとも一部の領域を含む領域であり、
前記第一の領域は、前記第一の可動体が可動する前の状態において該第一の可動体が占める領域であり、
前記第四の領域は、前記第二の可動体が可動した後の状態において該第二の可動体が占める領域である、
ことを特徴とする遊技台。
（付記ｅ２）
付記ｅ１に記載の遊技台であって、
前記第二の可動体は、前記第一の可動体に対して前後方向に少なくとも位置する可動体であり、
前記第二の可動体は、前記第四の領域に可動する場合に、前後方向に少なくとも可動可能な可動体である、
ことを特徴とする遊技台。
（付記ｅ３）
付記ｅ１またはｅ２に記載の遊技台であって、
前記第二の領域は、前記第二の可動体が可動する前の状態において該第二の可動体が占める領域であり、
前記第二の領域は、少なくとも一部の領域が前記第一の領域の前後方向となる領域である、
ことを特徴とする遊技台。
（付記ｅ４）
付記ｅ１乃至ｅ３のいずれか一項に記載の遊技台であって、
表示を少なくとも表示可能な第一の表示手段を備え、
前記第四の領域は、少なくとも一部の領域が前記第一の表示手段の前方となる領域を含む領域である、
ことを特徴とする遊技台。
（付記ｅ５）
付記ｅ４に記載の遊技台であって、
前記第一の可動体は、前記第一の領域から第五の領域へ少なくとも可動可能な可動体であり、
前記第五の領域は、少なくとも一部の領域が前記第一の表示手段の前方となる領域を含む領域であり、
前記第五の領域は、前記第四の領域の少なくとも一部を含む領域である、
ことを特徴とする遊技台。
（付記ｅ６）
付記ｅ５に記載の遊技台であって、
前記第三の領域は、前記第一の領域から上方向にずれた領域であり、
前記第五の領域は、前記第一の領域から下方向にずれた領域である、
ことを特徴とする遊技台。
（付記ｅ７）
付記ｅ４乃至ｅ６のいずれか一項に記載の遊技台であって、
前記第一の領域は、少なくとも一部の領域が前記第一の表示手段の前方となる領域を含む領域である、
ことを特徴とする遊技台。
（付記ｅ８）
付記ｅ１乃至ｅ７のいずれか一項に記載の遊技台であって、
表示を少なくとも表示可能な第二の表示手段を備え、
前記第一の可動体および前記第二の可動体のうちの一方の可動体は、前記第二の表示手段を含む可動体である、
ことを特徴とする遊技台。
（付記ｅ９）
付記ｅ１乃至ｅ７のいずれか一項に記載の遊技台であって、
表示を少なくとも表示可能な第二の表示手段を備え、
前記第三の領域は、少なくとも一部の領域が前記第二の表示手段の前方となる領域を含む領域である、
ことを特徴とする遊技台。
（付記ｅ１０）
付記ｅ１乃至ｅ９のいずれか一項に記載の遊技台であって、
前記遊技台は、パチンコ機である、
ことを特徴とする遊技台。
（付記ｅ１１）
付記ｅ１乃至ｅ９のいずれか一項に記載の遊技台であって、
前記遊技台は、スロットマシンである、
ことを特徴とする遊技台。
【０８８９】
（付記ｆ１）
複数の可動体を備えた遊技台であって、
前記複数の可動体のうちの少なくとも一つ（以下、「第一の可動体」という。）は、第一の位置から第三の位置へ少なくとも可動可能な可動体であり、
前記複数の可動体のうちの少なくとも一つ（以下、「第二の可動体」という。）は、第二の位置から第四の位置へ少なくとも可動可能な可動体であり、
前記第二の位置に位置する前記第二の可動体は、前記第一の位置に位置する前記第一の可動体と少なくとも一部が前後方向に重なる可動体であり、
前記第四の位置に位置する前記第二の可動体は、前記第三の位置に位置する前記第一の可動体と少なくとも一部が前後方向に重なる可動体である、
ことを特徴とする遊技台。
（付記ｆ２）
付記ｆ１に記載の遊技台であって、
前記第一の可動体は、前記第二の可動体の前方に位置する可動体であり、
前記第一の可動体は、該第一の可動体の後方を視認可能な視認領域が少なくとも設けられた可動体であり、
前記第二の位置に位置する前記第二の可動体の少なくとも一部は、前記第一の位置に位置する前記第一の可動体の前記視認領域から視認可能とされるものであり、
前記第四の位置に位置する前記第二の可動体の少なくとも一部は、前記第三の位置に位置する前記第一の可動体の前記視認領域から視認可能とされるものである、
ことを特徴とする遊技台。
（付記ｆ３）
付記ｆ２に記載の遊技台であって、
前記第一の可動体は、前記第三の位置から第五の位置へ少なくとも移動可能な可動体であり、
前記第五の位置は、前記第三の位置の前方となる位置であり、
前記視認領域は、レンズを含む領域であり、
前記第四の位置に位置する前記第二の可動体の少なくとも一部は、前記第三の位置に位置する前記第一の可動体の前記視認領域から視認可能とされるものであり、
前記第二の可動体は、前記第一の可動体が前記第三の位置に位置する場合よりも前記第五の位置に位置する場合の方が前記視認領域により大きく視認可能とされる可動体である、
ことを特徴とする遊技台。
（付記ｆ４）
付記ｆ１乃至ｆ３のいずれか一項に記載の遊技台であって、
表示を少なくとも表示可能な表示手段を備え、
前記第三の位置は、前記第一の可動体の少なくとも一部が前記表示手段の前方となる位置であり、
前記第四の位置は、前記第二の可動体の少なくとも一部が前記表示手段の前方となる位置である、
ことを特徴とする遊技台。
（付記ｆ５）
付記ｆ１乃至ｆ４のいずれか一項に記載の遊技台であって、
前記第一の可動体は、第一の駆動手段により可動可能な可動体であり、
前記第二の可動体は、第二の駆動手段により可動可能な可動体であり、
前記第二の可動体は、前記第一の可動体が前記第一の位置に位置する場合に、前記第二の位置に位置しない場合がある可動体であり、
前記第二の可動体は、前記第一の可動体が前記第三の位置に位置する場合に、前記第四の位置に位置しない場合がある可動体である、
ことを特徴とする遊技台。
（付記ｆ６）
付記ｆ１乃至ｆ５のいずれか一項に記載の遊技台であって、
前記第一の可動体は、上下方向に動作可能な可動体であり、
前記第二の可動体は、上下方向に動作可能な可動体である、
ことを特徴とする遊技台。
（付記ｆ７）
付記ｆ１乃至ｆ６のいずれか一項に記載の遊技台であって、
前記遊技台は、パチンコ機である、
ことを特徴とする遊技台。
（付記ｆ８）
付記ｆ１乃至ｆ６のいずれか一項に記載の遊技台であって、
前記遊技台は、スロットマシンである、
ことを特徴とする遊技台。
（付記ｆ９）
複数の可動体を備えた遊技台であって、
前記複数の可動体のうちの一つ（以下、「第一の可動体」という。）は、第一の位置から第三の位置へ移動可能な可動体であり、
前記複数の可動体のうちの一つ（以下、「第二の可動体」という。）は、第二の位置から第四の位置へ移動可能な可動体であり、
前記第二の位置に位置する前記第二の可動体は、前記第一の位置に位置する前記第一の可動体と少なくとも一部が前後方向に重なる可動体であり、
前記第四の位置に位置する前記第二の可動体は、前記第三の位置に位置する前記第一の可動体と少なくとも一部が前後方向に重なる可動体であり、
前記第一の可動体は、前記第三の位置から第五の位置へ移動可能な可動体であり、
前記第五の位置は、前記第三の位置の前方となる位置であり、
前記第一の可動体は、前記第二の可動体の前方に位置する可動体であり、
前記第一の可動体は、該第一の可動体の後方を視認可能な視認領域が設けられた可動体であり、
前記第二の位置に位置する前記第二の可動体の少なくとも一部は、前記第一の位置に位置する前記第一の可動体の前記視認領域から視認可能とされるものであり、
前記第四の位置に位置する前記第二の可動体の少なくとも一部は、前記第三の位置に位置する前記第一の可動体の前記視認領域から視認可能とされるものであり、
前記第四の位置に位置する前記第二の可動体の少なくとも一部は、前記第五の位置に位置する前記第一の可動体の前記視認領域から視認可能とされるものである、
ことを特徴とする遊技台。
（付記ｆ１０）
付記ｆ９に記載の遊技台であって、
前記視認領域は、レンズを含む領域であり、
前記第二の可動体は、前記第一の可動体が前記第三の位置に位置する場合よりも前記第五の位置に位置する場合の方が前記視認領域により大きく視認可能とされる可動体である、
ことを特徴とする遊技台。
（付記ｆ１１）
付記ｆ９またはｆ１０に記載の遊技台であって、
前記第一の可動体は、前記第三の位置から前記第五の位置に移動する場合に、一部が変形可能な可動体である、
ことを特徴とする遊技台。
（付記ｆ１２）
付記ｆ９乃至ｆ１１のいずれか一項に記載の遊技台であって、
表示を表示可能な表示手段を備え、
前記第三の位置は、前記第一の可動体の少なくとも一部が前記表示手段の前方となる位置であり、
前記第四の位置は、前記第二の可動体の少なくとも一部が前記表示手段の前方となる位置である、
ことを特徴とする遊技台。
（付記ｆ１３）
付記ｆ９乃至ｆ１２のいずれか一項に記載の遊技台であって、
前記第一の可動体は、第一の駆動手段により移動可能な可動体であり、
前記第二の可動体は、第二の駆動手段により移動可能な可動体であり、
前記第二の可動体は、前記第一の可動体が前記第一の位置に位置する場合に、前記第二の位置に位置しない場合がある可動体であり、
前記第二の可動体は、前記第一の可動体が前記第三の位置に位置する場合に、前記第四の位置に位置しない場合がある可動体である、
ことを特徴とする遊技台。
（付記ｆ１４）
付記ｆ９乃至ｆ１３のいずれか一項に記載の遊技台であって、
前記第一の可動体は、上下方向に移動可能な可動体であり、
前記第二の可動体は、上下方向に移動可能な可動体である、
ことを特徴とする遊技台。
（付記ｆ１５）
付記ｆ９乃至ｆ１４のいずれか一項に記載の遊技台であって、
前記遊技台は、パチンコ機である、
ことを特徴とする遊技台。
（付記ｆ１６）
付記ｆ９乃至ｆ１４のいずれか一項に記載の遊技台であって、
前記遊技台は、スロットマシンである、
ことを特徴とする遊技台。
（付記ｆ１７）
複数の可動体を備えた遊技台であって、
前記複数の可動体のうちの一つ（以下、「第一の可動体」という。）は、第一の位置から第三の位置へ移動可能な可動体であり、
前記複数の可動体のうちの一つ（以下、「第二の可動体」という。）は、第二の位置から第四の位置へ移動可能な可動体であり、
前記第一の可動体は、前記第三の位置から第五の位置へ移動可能な可動体であり、
前記第五の位置は、前記第三の位置の前方となる位置であり、
前記第四の位置に位置する前記第二の可動体は、前記第三の位置に位置する前記第一の可動体と少なくとも一部が前後方向に重なる可動体であり、
前記第一の可動体は、後方を視認可能な視認領域が設けられた可動体であり、
前記第四の位置に位置する前記第二の可動体の少なくとも一部は、前記第三の位置に位置する前記第一の可動体の前記視認領域を通して視認可能とされるものであり、
前記第四の位置に位置する前記第二の可動体の少なくとも一部は、前記第五の位置に位置する前記第一の可動体の前記視認領域を通して視認可能とされるものである、
ことを特徴とする遊技台。
（付記ｆ１８）
付記ｆ１７に記載の遊技台であって、
前記第二の位置に位置する前記第二の可動体は、前記第一の位置に位置する前記第一の可動体と少なくとも一部が前後方向に重なる可動体であり、
前記第二の位置に位置する前記第二の可動体の少なくとも一部は、前記第一の位置に位置する前記第一の可動体の前記視認領域を通して視認可能とされるものである、
ことを特徴とする遊技台。
（付記ｆ１９）
付記ｆ１７またはｆ１８に記載の遊技台であって、
前記第一の可動体は、第一の形状で前記第三の位置に位置する可動体であり、
前記第一の可動体は、前記第三の位置から前記第五の位置に移動する動作に関連して前記第一の形状から第二の形状に変化する可動体である、
ことを特徴とする遊技台。
（付記ｆ２０）
付記ｆ１７またはｆ１８に記載の遊技台であって、
前記第一の可動体は、第一の形状で前記第三の位置に位置する可動体であり、
前記第一の可動体は、前記第一の形状とは異なる第二の形状で前記第五の位置に位置する可動体である、
ことを特徴とする遊技台。
（付記ｆ２１）
付記ｆ１７乃至ｆ１８のいずれか一項に記載の遊技台であって、
前記第一の可動体は、第一の駆動手段により移動可能な可動体であり、
前記第二の可動体は、第二の駆動手段により移動可能な可動体である、
ことを特徴とする遊技台。
（付記ｆ２２）
付記ｆ１７乃至ｆ２１のいずれか一項に記載の遊技台であって、
表示手段を備え、
前記第三の位置に位置する前記第一の可動体は、前記表示手段の前方側で該表示手段と重なる可動体であり、
前記第四の位置に位置する前記第二の可動体は、前記表示手段の前方側で該表示手段と重なる可動体であり、
前記第五の位置に位置する前記第一の可動体は、前記表示手段の前方側で該表示手段と重なる可動体である、
ことを特徴とする遊技台。
（付記ｆ２３）
付記ｆ１７乃至ｆ２２のいずれか一項に記載の遊技台であって、
前記遊技台は、パチンコ機である、
ことを特徴とする遊技台。
（付記ｆ２４）
付記ｆ１７乃至ｆ２２のいずれか一項に記載の遊技台であって、
前記遊技台は、スロットマシンである、
ことを特徴とする遊技台。
（付記ｆａ１）
複数の可動体を備えた遊技台であって、
前記複数の可動体のうちの一つ（以下、「第一の可動体」という。）は、第一の位置から第三の位置へ移動可能な可動体であり、
前記複数の可動体のうちの一つ（以下、「第二の可動体」という。）は、第二の位置から第四の位置へ移動可能な可動体であり、
前記第一の可動体は、前記第三の位置から第五の位置へ移動可能な可動体であり、
前記第五の位置は、前記第三の位置の前方となる位置であり、
前記第四の位置に位置する前記第二の可動体は、前記第三の位置に位置する前記第一の可動体と少なくとも一部が前後方向に重なる可動体であり、
前記第一の可動体は、後方を視認可能な視認領域が設けられた可動体であり、
前記第四の位置に位置する前記第二の可動体の少なくとも一部は、前記第三の位置に位置する前記第一の可動体の前記視認領域を通して視認可能とされるものであり、
前記第四の位置に位置する前記第二の可動体の少なくとも一部は、前記第五の位置に位置する前記第一の可動体の前記視認領域を通して視認可能とされるものであり、
前記第一の可動体は、第一の形状で前記第三の位置に位置する可動体であり、
前記第一の可動体は、前記第三の位置から前記第五の位置に移動する動作に関連して前記第一の形状から第二の形状に変化する可動体である、
ことを特徴とする遊技台。
（付記ｆａ２）
付記ｆａ１に記載の遊技台であって、
前記第二の位置に位置する前記第二の可動体は、前記第一の位置に位置する前記第一の可動体と少なくとも一部が前後方向に重なる可動体であり、
前記第二の位置に位置する前記第二の可動体の少なくとも一部は、前記第一の位置に位置する前記第一の可動体の前記視認領域を通して視認可能とされるものである、
ことを特徴とする遊技台。
（付記ｆａ３）
付記ｆａ１またはｆａ２に記載の遊技台であって、
前記第一の可動体は、第一の駆動手段により移動可能な可動体であり、
前記第二の可動体は、第二の駆動手段により移動可能な可動体である、
ことを特徴とする遊技台。
（付記ｆａ４）
複数の可動体を備えた遊技台であって、
前記複数の可動体のうちの一つ（以下、「第一の可動体」という。）は、第一の位置から第三の位置へ移動可能な可動体であり、
前記複数の可動体のうちの一つ（以下、「第二の可動体」という。）は、第二の位置から第四の位置へ移動可能な可動体であり、
前記第一の可動体は、前記第三の位置から第五の位置へ移動可能な可動体であり、
前記第五の位置は、前記第三の位置の前方となる位置であり、
前記第四の位置に位置する前記第二の可動体は、前記第三の位置に位置する前記第一の可動体と少なくとも一部が前後方向に重なる可動体であり、
前記第一の可動体は、後方を視認可能な視認領域が設けられた可動体であり、
前記第四の位置に位置する前記第二の可動体の少なくとも一部は、前記第三の位置に位置する前記第一の可動体の前記視認領域を通して視認可能とされるものであり、
前記第四の位置に位置する前記第二の可動体の少なくとも一部は、前記第五の位置に位置する前記第一の可動体の前記視認領域を通して視認可能とされるものであり、
前記第一の可動体は、第一の形状で前記第三の位置に位置する可動体であり、
前記第一の可動体は、前記第一の形状とは異なる第二の形状で前記第五の位置に位置する可動体である、
ことを特徴とする遊技台。
（付記ｆａ５）
付記ｆａ４に記載の遊技台であって、
前記第二の位置に位置する前記第二の可動体は、前記第一の位置に位置する前記第一の可動体と少なくとも一部が前後方向に重なる可動体であり、
前記第二の位置に位置する前記第二の可動体の少なくとも一部は、前記第一の位置に位置する前記第一の可動体の前記視認領域を通して視認可能とされるものである、
ことを特徴とする遊技台。
（付記ｆａ６）
付記ｆａ４またはｆａ５に記載の遊技台であって、
前記第一の可動体は、第一の駆動手段により移動可能な可動体であり、
前記第二の可動体は、第二の駆動手段により移動可能な可動体である、
ことを特徴とする遊技台。
（付記ｆａ７）
複数の可動体を備えた遊技台であって、
前記複数の可動体のうちの一つ（以下、「第一の可動体」という。）は、第一の位置から第三の位置へ移動可能な可動体であり、
前記複数の可動体のうちの一つ（以下、「第二の可動体」という。）は、第二の位置から第四の位置へ移動可能な可動体であり、
前記第一の可動体は、前記第三の位置から第五の位置へ移動可能な可動体であり、
前記第五の位置は、前記第三の位置の前方となる位置であり、
前記第四の位置に位置する前記第二の可動体は、前記第三の位置に位置する前記第一の可動体と少なくとも一部が前後方向に重なる可動体であり、
前記第一の可動体は、後方を視認可能な視認領域が設けられた可動体であり、
前記第四の位置に位置する前記第二の可動体の少なくとも一部は、前記第三の位置に位置する前記第一の可動体の前記視認領域を通して視認可能とされるものであり、
前記第四の位置に位置する前記第二の可動体の少なくとも一部は、前記第五の位置に位置する前記第一の可動体の前記視認領域を通して視認可能とされるものであり、
前記第一の可動体は、第一の駆動手段により移動可能な可動体であり、
前記第二の可動体は、第二の駆動手段により移動可能な可動体である、
ことを特徴とする遊技台。
（付記ｆａ８）
付記ｆａ７に記載の遊技台であって、
前記第二の位置に位置する前記第二の可動体は、前記第一の位置に位置する前記第一の可動体と少なくとも一部が前後方向に重なる可動体であり、
前記第二の位置に位置する前記第二の可動体の少なくとも一部は、前記第一の位置に位置する前記第一の可動体の前記視認領域を通して視認可能とされるものである、
ことを特徴とする遊技台。
（付記ｆａ９）
付記ｆａ１乃至ｆａ８のいずれか一項に記載の遊技台であって、
表示手段を備え、
前記第三の位置に位置する前記第一の可動体は、前記表示手段の前方側で該表示手段と重なる可動体であり、
前記第四の位置に位置する前記第二の可動体は、前記表示手段の前方側で該表示手段と重なる可動体であり、
前記第五の位置に位置する前記第一の可動体は、前記表示手段の前方側で該表示手段と重なる可動体である、
ことを特徴とする遊技台。
（付記ｆａ１０）
付記ｆａ１乃至ｆａ９のいずれか一項に記載の遊技台であって、
前記遊技台は、パチンコ機である、
ことを特徴とする遊技台。
（付記ｆａ１１）
付記ｆａ１乃至ｆａ９のいずれか一項に記載の遊技台であって、
前記遊技台は、スロットマシンである、
ことを特徴とする遊技台。
（付記ｆａ１２）
複数の可動体を備えた遊技台であって、
前記遊技台は、スロットマシンであり、
前記複数の可動体のうちの一つ（以下、「第一の可動体」という。）は、第一の位置から第三の位置へ移動可能な可動体であり、
前記複数の可動体のうちの一つ（以下、「第二の可動体」という。）は、第二の位置から第四の位置へ移動可能な可動体であり、
前記第一の可動体は、前記第三の位置から第五の位置へ移動可能な可動体であり、
前記第五の位置は、前記第三の位置の前方となる位置であり、
前記第四の位置に位置する前記第二の可動体は、前記第三の位置に位置する前記第一の可動体と少なくとも一部が前後方向に重なる可動体であり、
前記第一の可動体は、後方を視認可能な視認領域が設けられた可動体であり、
前記第四の位置に位置する前記第二の可動体の少なくとも一部は、前記第三の位置に位置する前記第一の可動体の前記視認領域を通して視認可能とされるものであり、
前記第四の位置に位置する前記第二の可動体の少なくとも一部は、前記第五の位置に位置する前記第一の可動体の前記視認領域を通して視認可能とされるものである、
ことを特徴とする遊技台。
（付記ｆａ１３）
付記ｆａ１２に記載の遊技台であって、
表示手段を備え、
前記第三の位置に位置する前記第一の可動体は、前記表示手段の前方側で該表示手段と重なる可動体であり、
前記第四の位置に位置する前記第二の可動体は、前記表示手段の前方側で該表示手段と重なる可動体であり、
前記第五の位置に位置する前記第一の可動体は、前記表示手段の前方側で該表示手段と重なる可動体である、
ことを特徴とする遊技台。
【０８９０】
なお、これまでランプと称したものは、発光手段の一例であり、ランプは、ＬＥＤ、冷陰極管等の光を発するものであれば置換可能である。
【０８９１】
例えば、上記実施の形態は、遊技機内に封入された遊技球を循環使用する封入式遊技機にも適用可能である。例えば、ぱちんこ機は、球を封入し、封入した球をぱちんこ機内で循環させて使用する封入式ぱちんこ機であってもよく、この封入式ぱちんこ機は、封入した球を発射球として使用し、球の払出は電子的な表示によって実行されるものであってもよい。
【０８９２】
なお、上記詳細な説明で説明した事項は組み合わせることが可能である。
【０８９３】
上記実施の形態では、遊技台の例としてパチンコ機を用いたが本発明はこれに限られない。本発明は、図４５に示すようなスロットマシン２０００にも適用可能である。図４５はスロットマシン２０００を正面側（遊技者側）から見た外観斜視図である。
【０８９４】
図４５に示すスロットマシン２０００は、本体２００１と、本体２００１の正面に取付けられ、本体２００１に対して開閉可能な前面扉２００２と、を備える。本体２００１の中央内部には、外周面に複数種類の図柄が配置されたリールが３個（左リール２０１０、中リール２０１１、右リール２０１２）収納され、スロットマシン２０００の内部で回転できるように構成されている。これらのリール２０１０〜２０１２はステッピングモータ等の駆動手段により回転駆動される。
【０８９５】
スロットマシン２０００において、各図柄は帯状部材に等間隔で適当数印刷され、この帯状部材が所定の円形筒状の枠材に貼り付けられて各リール２０１０〜２０１２が構成されている。リール２０１０〜２０１２上の図柄は、遊技者から見ると、図柄表示窓２０１３から縦方向に概ね３つ表示され、合計９つの図柄が見えるようになっている。そして、各リール２０１０〜２０１２を回転させることにより、遊技者から見える図柄の組み合せが変動することとなる。つまり、各リール２０１０〜２０１２は複数種類の図柄の組合せを変動可能に表示する表示手段として機能する。なお、このような表示手段としてはリール以外にも液晶表示装置等の電子画像表示装置も採用できる。また、スロットマシン２０００では、３個のリールをスロットマシン２０００の中央内部に備えているが、リールの数やリールの設置位置はこれに限定されるものではない。
【０８９６】
各々のリール２０１０〜２０１２の背面には、図柄表示窓２０１３に表示される個々の図柄を照明するためのリールバックライト（図示省略）が配置されている。リールバックライトは、各々の図柄ごとに遮蔽されて個々の図柄を均等に照射できるようにすることが望ましい。なお、スロットマシン２０００内部において各々のリール２０１０〜２０１２の近傍には、投光部と受光部から成る光学式センサ（図示省略）が設けられており、この光学式センサの投光部と受光部の間をリールに設けられた一定の長さの遮光片が通過するように構成されている。このセンサの検出結果に基づいてリール上の図柄の回転方向の位置を判断し、目的とする図柄が入賞ライン上に表示されるようにリール２０１０〜２０１２を停止させる。
【０８９７】
入賞ライン表示ランプ２０２０は、有効となる入賞ライン２０１４を示すランプである。有効となる入賞ラインは、遊技媒体としてベットされたメダルの数によって予め定まっている。入賞ライン２０１４は５ラインあり、例えば、メダルが１枚ベットされた場合、中段の水平入賞ラインが有効となり、メダルが２枚ベットされた場合、上段水平入賞ラインと下段水平入賞ラインが追加された３本が有効となり、メダルが３枚ベットされた場合、右下り入賞ラインと右上り入賞ラインが追加された５ラインが入賞ラインとして有効になる。なお、入賞ライン２０１４の数については５ラインに限定されるものではなく、また、例えば、メダルが１枚ベットされた場合に、中段の水平入賞ライン、上段水平入賞ライン、下段水平入賞ライン、右下り入賞ラインおよび右上り入賞ラインの５ラインを入賞ラインとして有効としてもよい。以下、有効となる入賞ラインを有効ラインと呼ぶ場合がある。
【０８９８】
告知ランプ２０２３は、例えば、後述する内部抽選において特定の入賞役（具体的には、ボーナス）に内部当選していること、または、ボーナス遊技中であることを遊技者に知らせるランプである。遊技メダル投入可能ランプ２０２４は、遊技者が遊技メダルを投入可能であることを知らせるためのランプである。再遊技ランプ２０２２は、前回の遊技において入賞役の一つである再遊技に入賞した場合に、今回の遊技が再遊技可能であること（メダルの投入が不要であること）を遊技者に知らせるランプである。リールパネルランプ２０２８は演出用のランプである。
【０８９９】
メダル投入ボタン２０３０〜２０３２は、スロットマシン２０００に電子的に貯留されているメダル（クレジットと言う）を所定の枚数分投入するためのボタンである。スロットマシン２０００においては、メダル投入ボタン２０３０が押下される毎に１枚ずつ最大３枚まで投入され、メダル投入ボタン２０３１が押下されると２枚投入され、メダル投入ボタン２０３２が押下されると３枚投入されるようになっている。以下、メダル投入ボタン２０３２はＭＡＸメダル投入ボタンとも言う。なお、遊技メダル投入ランプ２０２９は、投入されたメダル数に応じた数のランプを点灯させ、規定枚数のメダルの投入があった場合、遊技の開始操作が可能な状態であることを知らせる遊技開始ランプ２０２１が点灯する。
【０９００】
メダル投入口２０４１は、遊技を開始するに当たって遊技者がメダルを投入するための投入口である。すなわち、メダルの投入は、メダル投入ボタン２０３０〜２０３２により電子的に投入することもできるし、メダル投入口２０４１から実際のメダルを投入（投入操作）することもでき、投入とは両者を含む意味である。貯留枚数表示器２０２５は、スロットマシン２０００に電子的に貯留されているメダルの枚数を表示するための表示器である。遊技情報表示器２０２６は、各種の内部情報（例えば、ボーナス遊技中のメダル払出枚数）を数値で表示するための表示器である。払出枚数表示器２０２７は、何らかの入賞役に入賞した結果、遊技者に払出されるメダルの枚数を表示するための表示器である。本実施形態においては、貯留枚数表示器２０２５、遊技情報表示器２０２６、および払出枚数表示器２０２７は７セグメント（ＳＥＧ）表示器で構成されている。
【０９０１】
スタートレバー２０３５は、リール２０１０〜２０１２の回転を開始させるためのレバー型のスイッチである。即ち、メダル投入口２０４１に所望するメダル枚数を投入するか、メダル投入ボタン２０３０〜２０３２を操作して、スタートレバー２０３５を操作すると、リール２０１０〜２０１２が回転を開始することとなる。スタートレバー２０３５に対する操作を遊技の開始操作と言う。
【０９０２】
ストップボタンユニット２０３６には、ストップボタン２０３７〜２０３９が設けられている。ストップボタン２０３７〜２０３９は、スタートレバー２０３５の操作によって回転を開始したリール２０１０〜２０１２を個別に停止させるためのボタン型のスイッチであり、各リール２０１０〜２０１２に対応づけられている。以下、ストップボタン２０３７〜２０３９に対する操作を停止操作と言い、最初の停止操作を第１停止操作、次の停止操作を第２停止操作、最後の停止操作を第３停止操作という。また、第１停止操作の対象となるリールを第１停止リール、第２停止操作の対象となるリールを第２停止リール、第３停止操作の対象となるリールを第３停止リールという。なお、各ストップボタン２０３７〜２０３９の内部に発光体を設けてもよく、ストップボタン２０３７〜２０３９の操作が可能である場合、該発光体を点灯させて遊技者に知らせることもできる。
【０９０３】
メダル返却ボタン２０３３は、投入されたメダルが詰まった場合に押下してメダルを取り除くためのボタンである。精算ボタン２０３４は、スロットマシン２０００に電子的に貯留されたメダル、ベットされたメダルを精算し、メダル払出口２０５５から排出するためのボタンである。ドアキー孔２０４０は、スロットマシン２０００の前面扉２００２のロックを解除するためのキーを挿入する孔である。メダル払出口２０５５は、メダルを払出すための払出口である。
【０９０４】
メダル投入ボタン２０３２の右側には、チャンスボタン２１００が設けられている。チャンスボタン２１００は、リール２０１０〜２０１２の動作に関連する操作が可能であったり、液晶表示装置２０５７の表示に関連する操作が可能であったりする。また、チャンスボタン２１００は、上記実施形態によるパチンコ機１００と同様に複数の状態（例えば、発光状態、回転状態、振動状態またはこれらの組み合わせ）を取ることが可能であり、チャンスボタン２１００の操作有効期間中に状態変化可能であってもよい。
【０９０５】
情報表示ボタンユニット２０５０には、情報表示ボタン２０４６が設けられている。情報表示ボタン２０４６は、ユーザメニュー（例えば、遊技者個人の遊技履歴情報を設定するためのメニュー）を呼び出すための操作ボタンであり、複数のボタンから構成されている。情報表示ボタン２０４６の構成及び作用については後述する。
【０９０６】
ストップボタンユニット２０３６の下部には、機種名の表示と各種証紙の貼付とを行うタイトルパネル２０６２が設けられており、タイトルパネルランプ２０６４は、タイトルパネル２０６２を点灯するランプである。タイトルパネル２０６２の下部には、メダル払出口２０５５、メダルの受皿２０６１が設けられている。
【０９０７】
音孔２０８１はスロットマシン２０００内部に設けられているスピーカの音を外部に出力するための孔である。前面扉２００２の左右各部に設けられたサイドランプ２０４４は遊技を盛り上げるための装飾用のランプである。前面扉２００２の上部には演出装置２０６０が配設されており、演出装置２０６０の上部には音孔２０４３が設けられている。この演出装置２０６０は、水平方向に開閉自在な２枚の右シャッタ２０６３ａ、左シャッタ２０６３ｂからなるシャッタ（遮蔽装置）２０６３と、このシャッタ２０６３の奥側に配設された液晶表示装置２０５７（図示省略、演出画像表示装置）を備えており、右シャッタ２０６３ａ、左シャッタ２０６３ｂが液晶表示装置２０５７の手前で水平方向外側に開くと液晶表示装置２０５７（図示省略）の表示画面がスロットマシン２０００正面（遊技者側）に出現する構造となっている。
【０９０８】
なお、液晶表示装置でなくとも、種々の演出画像や種々の遊技情報を表示可能に構成されていればよく、例えば、複数セグメントディスプレイ（７セグディスプレイ）、ドットマトリクスディスプレイ、有機ＥＬディスプレイ、プラズマディスプレイ、リール（ドラム）、或いは、プロジェクタとスクリーンとからなる表示装置等でもよい。また、表示画面は、方形をなし、その全体を遊技者が視認可能に構成されている。本実施形態の場合、表示画面は長方形であるが、正方形でもよい。また、表示画面の周縁に不図示の装飾物を設けて、表示画面の周縁の一部が該装飾物に隠れる結果、表示画面が異形に見えるようにすることもできる。表示画面は本実施形態の場合、平坦面であるが、曲面をなしていてもよい。
【０９０９】
図４６（ａ）は、情報表示ボタン２０４６の外観斜視図であり、図４６（ｂ）は、情報表示ボタン２０４６の上面図である。情報表示ボタン２０４６は、図４６に示すように、情報表示ボタンユニット２０５０の略矩形の平面上に複数のボタンを備えている。すなわち、情報表示ボタン２０４６は、情報表示ボタンユニット２０５０に設けられた複数のボタンの総称であり、詳しくは、情報表示ボタンユニット２０５０の略中央に設けられた決定（呼出）ボタン２０４６Ｏと、決定（呼出）ボタン２０４６Ｏの左側に離間して設けられた上選択ボタン２０４６Ｕ、下選択ボタン２０４６Ｄ、左選択ボタン２０４６Ｌ及び右選択ボタン２０４６Ｒと、決定（呼出）ボタン２０４６Ｏの右側に離間して設けられたキャンセルボタン２０４６Ｃと、を備える。
【０９１０】
また、パチンコ機等の実機の動作を家庭用ゲーム機用として擬似的に実行するようなゲームプログラムにおいても、本発明を適用してゲームを実行することができる。その場合、ゲームプログラムを記録する記録媒体は、ＤＶＤ−ＲＯＭ、ＣＤ−ＲＯＭ、ＦＤ（フレキシブルディスク）、その他任意の記録媒体を利用できる。
【０９１１】
さらに、本発明は、遊技台としてパチンコ機およびスロットマシンを例にあげたが、これに限るものではなく、アレンジボール遊技機や、じゃん球遊技機、スマートボール等に適用してもよい。
【符号の説明】
【０９１２】
１００  パチンコ機
１３６  チャンスボタン
２００  遊技盤
２０８  装飾図柄表示装置
２２６  一般入賞口
２２８  普図始動口
２３０  特図１始動口
２３２  特図２始動口
２３２ａ  羽根部材
２３４  可変入賞口
２４０  アウト口
２４１  第二のアウト口
３００  主制御部
４００  第１副制御部４００
５００  第２副制御部５００
７００  球通路ユニット
７０１  第一の球通路
７０２  第二の球通路
７０３  第三の球通路
９００  ロゴ役物９００
１０００  上部前飾り役物
１１００  上部後飾り役物
１２００  上部右サイド役物
１３００  上部左サイド役物
１４００  下部右サイド役物
１５００  下部左サイド役物
１６００  中央下部役物
【図１】
0006047745.tif 000002
【図２】
0006047745.tif 000003
【図３】
0006047745.tif 000004
【図４】
0006047745.tif 000005
【図５】
0006047745.tif 000006
【図６】
0006047745.tif 000007
【図７】
0006047745.tif 000008
【図８】
0006047745.tif 000009
【図９】
0006047745.tif 000010
【図１０】
0006047745.tif 000011
【図１１】
0006047745.tif 000012
【図１２】
0006047745.tif 000013
【図１３】
0006047745.tif 000014
【図１４】
0006047745.tif 000015
【図１５】
0006047745.tif 000016
【図１６】
0006047745.tif 000017
【図１７】
0006047745.tif 000018
【図１８】
0006047745.tif 000019
【図１９】
0006047745.tif 000020
【図２０】
0006047745.tif 000021
【図２１】
0006047745.tif 000022
【図２２】
0006047745.tif 000023
【図２３】
0006047745.tif 000024
【図２４】
0006047745.tif 000025
【図２５】
0006047745.tif 000026
【図２６】
0006047745.tif 000027
【図２７】
0006047745.tif 000028
【図２８】
0006047745.tif 000029
【図２９】
0006047745.tif 000030
【図３０】
0006047745.tif 000031
【図３１】
0006047745.tif 000032
【図３２】
0006047745.tif 000033
【図３３】
0006047745.tif 000034
【図３４】
0006047745.tif 000035
【図３５】
0006047745.tif 000036
【図３６】
0006047745.tif 000037
【図３７】
0006047745.tif 000038
【図３８】
0006047745.tif 000039
【図３９】
0006047745.tif 000040
【図４０】
0006047745.tif 000041
【図４１】
0006047745.tif 000042
【図４２】
0006047745.tif 000043
【図４３】
0006047745.tif 000044
【図４４】
0006047745.tif 000045
【図４５】
0006047745.tif 000046
【図４６】
0006047745.tif 000047